(57)【要約】【課題】コンクリートビルの劣化寿命は100年と言われ作っては壊し再び作る度に増え続けた1000兆円近くの国の借金日本国内の資金と税金では、払えれ無く成りそうで有る。【解決手段】コンクリートを200年保障と考える電磁石反発ビル免震付きクリスタルダイヤ硝子ビルに変え近郊のコンクリート製品からクリスタルダイヤ硝子製品と永久発電機積載の電気関係商品と共に永遠の夢を弱者国民と共に見続けるそしてライトコインに続く人形トリックゲームそしてWへの呪文。【選択図】図1
2013234571.tif 000002
【特許請求の範囲】
【請求項１】
本発明の絶対にビルを壊さない事を目的とした免震機能付きのクリスタルダイヤ硝子ビル本体の衣食住ビルシステムは、免震杭に砂鉄中抜き円柱の外側に一センチメートルから二センチメートルのグラスファイバーパネルを被せた円柱の中に鉄筋入りコンクリートで固めた免震杭に対して地上のビル高が高く成る事に対して地下を深くしたコンクリートビル本体の代わりに、ビル本体かみ合わせ土台から壁全体のビル周囲全体の積み重ねビル本体基礎に対してクリスタルダイヤ硝子鋼鉄柱と鋼鉄ボルトナットを使用したクリスタルダイヤ硝子ピルのセクションかみ合わせ組み立てボルトナット固定の人生一生を暮らす事の出来る生活システムと介護半自動システムが、全て集結している200年保障の免震機能付き鉄骨入りクリスタルダイヤ硝子ビル周囲地上地下システム。
【請求項２】
本発明のビルシステムは、クリスタルダイヤ硝子に鉛水をクリスタルダイヤ硝子に入れて熱圧縮のクリスタルダイヤ硝子の最高硬度までクリスタルダイヤ硝子を固めた放射線の影響を及ぼさないクリスタルダイヤ硝子ビルの、人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３】
本発明のビルシステムは、太陽光熱遮断と風遮断と雨遮断と雪遮断と放射線遮断が出来る通常のコンプレッサー部分の通常モーターを高出力モーターに変えてコンプレッサーベルトを、複数軽量穴空き歯車に変えたモーター電気消費が世界で一番少ない高出力レールモーターに変え、ワイヤ入りゴム布ベルトの切れを予め考慮した軽量歯車使用のコンプレッサーとし、コンプレッサーエアースピードを世界最速に擦る為にストレート官をスクリュー官に変えたクリスタルダイヤ硝子ビル全体を太陽光と風と雨と雪と放射線から守為の光速スクリューエアーバリアカーテンによって外気と太陽光と風と雨と雪と放射線を遮断出来る複数数珠繋ぎの光速スクリューエアーバリアカーテンを積載設置した人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４】
本発明のビルシステムは、台形柱型の鉛水入りのクリスタルダイヤ硝子ビルに成り、地下四階と地上6階のクリスタルダイヤ硝子ビルに成り、最上階には免震気の付きの二世代及び三世代が暮らせる木製の免震ビル二階半の設置出来るコンクリートビルにすら例の無いクリスタルダイヤ硝子ビルと免震機能付き木製家屋を一つのビルシステムに取り入れた人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５】
本発明のビルシステムの地下四階のクリスタルダイヤ硝子ビルは、ビル内側は鋼鉄板と鋼鉄ボルトナット構造に成り、土圧対策として地下四階部分には、コンクリート劣化防止の窒素入りグラスファイバーパネル付の土圧防止コンクリートと土圧免震用塩化ビニールゴム帯によって、クリスタルダイヤ硝子ビル全体の横揺れ対応策が講じられている人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６】
本発明のビルシステムの放射線無しの雨水と雪溶け水は、クリスタルダイヤ硝子構造の組み立てブロック接着噛み合わせブロック構造の地下貯水池全体構造として、ビル周囲の緑化帯の育成水の為の保管水用のクリスタルダイヤ硝子構造の地下貯水池とした人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７】
本発明のビルシステムのビル杭及びビル免震杭は、鉄材の資源不足を考慮し、川から採取出来る砂鉄及び海の川の流域及び砂浜の鉄不足を考慮した砂鉄利用として、砂鉄中刳り貫き構造の二重円柱形の外側は、砂鉄の錆び劣化防止対策として、プラスチックビニール硝子カバーを砂鉄二重円柱カバーとし、円柱内の空洞には組立鉄筋入りのコンクリートのドリル杭をビル杭と免震杭と地下貯水池杭と地下水耕栽培クリスタルダイヤ硝子ブロック槽杭と地下海産魚介海藻類栽培クリスタルダイヤ硝子ブロック槽杭とした人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８】
本発明のビルシステムのクリスタルダイヤ硝子台形柱型のビルの地上四階部分の周囲は、地下リニアー駐車場は、地下海産魚介海藻類栽培園と地下水耕果物野菜果樹園と地下家畜動物育成園と地下電気電子熱自動車再生工場と木材灰入りの世界最軽量糸の全自動著作権登録著作権契約インターネット衣服製作システム工場と再生プラスチック紙工場と生ゴミと再生木材を使った再生紙工場と福祉全般と細胞活性化医療施設と人類動物コミニケイション施設と地下動物競技場と地下花植物交換施設と地下芸術交換コミニケイション施設と地下宇宙第二惑星探査船作成コミニケイション私設と地下世界技術発表交換コミニケイション私設と世界地表宝探し持ち物所有者探し公表コミニケイション私設と世界海底宝探し持ち物所有者探し公表コミニケイション私設と地下飲食芸術発表コミニケイション施設それぞれを結ぶ地下トンネル型の地下床が高出力レールモーター移動出来る電気自動車が乗って無人で指定目的地の地下駐車場まで、全自動移動出来る地下リニアー駐車場を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９】
本発明のビルシステムの地下駐車場は、大型バスとバイクと自転車とシニア―カーと馬とロバなどが駐車と寝泊り出来る地下駐車体と地下動物休憩所が設置された高出力棒状レールモーターと高出力補助エアー外付け高出力棒状レールモーターホイストのエアー循環駐車場エレベーターを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０】
本発明のビルシステムのクリスタルダイヤ硝子の四階建の水耕花壇は、地震対応型の免震杭と免震装置付の土台の上に設置された光速スクリューエアーバリアカーテンによって外気温遮断と太陽光熱遮断と風遮断と雨遮断と雪遮断と放射線遮断機能が整って居る光速のスクリュー渦巻状の数珠繋ぎの空気の壁によって、水耕花壇の植物が守られ、高出力発光LEDライトの光りと高出力水発電機の電気と組み立てセクション噛み合わせ固定と金属二か所両端ボルトナット穴の平板によって鋼鉄アルミ塗装ボルトとクリスタルダイヤ硝子内のナット固定によって、クリスタルダイヤ硝子の四階建の水耕花壇を固定した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１】
本発明のビルシステムのクリスタルダイヤ硝子ビル地上部分4階から5階上の木造建築物の木製ログハウスは、合成木材の乾燥竹材と廃棄再生木材と麦藁と乾燥雑草をチップ状にしたのを、糊剤及び化学糊剤によって合成丸太にした合板の風変わりの合成丸太を使用したログハウスをクリスタルダイヤ硝子ビル地上部分4階から5階上の木造建築物として設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２】
本発明のビルシステムのクリスタルダイヤ硝子ビル地上部分は、太陽光を遮る為に予めクリスタルダイヤ硝子内に太陽光を遮る為の石灰入り水平硝子体をクリスタルダイヤ硝子ビル正面から外を見ると風景が複数の線幅状に見える景色の太陽光を石灰入りのクリスタルダイヤ硝子板によって直射日光を遮る事の出来る石灰入りのクリスタルダイヤ硝子板内蔵のクリスタルダイヤ硝子ビル地上部分を備えた地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３】
本発明のビルシステムのクリスタルダイヤ硝子ビル地上部分の外壁部分は、クリスタルダイヤ硝子ビル全体が竹灰入りの陶器板すなわち軽量陶器別名竹灰陶器パネル板を固定出来るボルトナット止め用の永遠に錆びないボルトナットの亜鉛錫ボルト固定用のナットつまり複数ナットをクリスタルダイヤ硝子ビルに予め設置した軽量陶器クリスタルダイヤ硝子パネル枠ボルト固定の地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４】
本発明のビルシステムの歩道及び道路帯及び街路果樹園帯及び美瑛街人工自然公園帯及びサイクリングロード帯及び光速スクリューエアーバリアカーテン帯及び地下貯水池帯及び家畜動物放牧帯及び地上水量全自動調整型の人工貯水池森林公園帯及び河川道路帯及び電気自動車駅休憩所帯及び公衆トイレ帯及び電気列車駅帯等の多種土帯と育成花壇帯を区分けする為とクリスタルダイヤ硝子帯体と砂岩帯体交互の遊歩道帯と砂岩ボックスパネル帯敷き詰めのサイクリングロード帯等と周囲の水切り砂岩粒子敷き詰め地上暗渠帯との区分けをする為の網目複数穴空き形状のクリスタルダイヤ硝子筒に砂岩小粒粒子を入れた掃除可能な地上暗渠帯を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５】
本発明のビルシステムの歩道及び道路帯及び街路果樹園帯及び美瑛街人工自然公園帯及びサイクリングロード帯及び光速スクリューエアーバリアカーテン帯及び地下貯水池帯及び家畜動物放牧帯及び地上水量全自動調整型の人工貯水池森林公園帯及び河川道路帯及び電気自動車駅休憩所帯及び公衆トイレ帯及び電気列車駅帯等の多種土帯と育成花壇帯を区分けする為とクリスタルダイヤ硝子帯体と砂岩帯体交互の遊歩道帯と砂岩ボックスパネル帯敷き詰めのサイクリングロード帯等と周囲の水切り砂岩粒子敷き詰め地上暗渠帯と道路部分と歩道を区分けする為の現在の縁石と異なるクリスタルダイヤ硝子縁石を美瑛街の地上部分に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６】
本発明のビルシステムの美瑛街の道路断面説明構造として、砕石層は再生コンクリート砕石と美瑛町産出砕石と砂岩砂を使用した道路砕石層に成り、雨水管は永遠に掘り返さ無い塩化プラスチックビニールパネル官に陶器砕石入りグラスファイバーと塩化プラスチックビニール官の三重官として、雨水枡には、高出力モーター電動仕切り弁付の暗号無線手動仕切り弁装置と化学薬品感知センサー反応型の高出力モーター電動仕切り弁開閉装置付の雨水枡が取り付けられて入る地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１７】
本発明のビルシステムの美瑛街の道路断面説明構造として、永遠に取り換えない水道官構造はクリスタルダイヤ硝子水道管と地下電気配線システムとして、プラス電気配線クリスタルダイヤ硝子官とマイナス電気配線クリスタルダイヤ硝子官を道路の左右に分ける事によって電気熱配線燃焼の防止を予め行った地下埋設ケーブルのプラス配線とマイナス配線の別々の埋設に成り、ボルトとナットにもクリスタルダイヤ硝子ボルトとクリスタルダイヤ硝子ナットの接着ゴム閉め方式によって、クリスタルダイヤ硝子ボルトナットを設置する前に接着剤両面シート付のゴムシートにクリスタルダイヤ硝子接着する方法と接着剤外固定方式によってクリスタルダイヤ硝子官の固定を行う事によって、クリスタルダイヤ硝子水道官はビニールゴムシーム効果によって水漏れを無くしたクリスタルダイヤ硝子水道管では濾過湧水を通す為のクリスタルダイヤ硝子水道官を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１８】
本発明のビルシステムの超高速ケーブル官は、通常の光りファイバー官と異なる竹灰入りのビニールグラスファイバーゴム電気配線表皮に対して金属配線は軽水素トリチウム電子ガス入り圧電素子磁石体粒子入り高出力銅筒管配線を電話ケーブル配線及び医療個人データー送受信ケーブル及び動物医療データー送受信ケーブル及び買い物領収書税金申告用データー作成の送受信ケーブル及び国際交流データー送受信ケーブル及び日本の弱者一人一人の財団送受信ケーブルをプラスケーブル配線クリスタルダイヤ硝子官とマイナスケーブル配線クリスタルダイヤ硝子官をクリスタルダイヤ硝子官に入れた構造の地下ケーブル官を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１９】
本発明のビルシステムの美瑛街の敷地境界杭は、超小型の高出力自動充電池内蔵の地図位置送受信アンテナ内蔵の境界杭は、美瑛街全体を全自動ウルトラスーパーコンピューターの温度と湿度の雨及び全自動散水管理及び大気の放射線全自動管理及び地震予知の為の地下マグマ移動磁波の全自動計測及び海水温の全自動山岳ヘリコプター計測と海水魚介類の全自動個体数山岳ヘリコプター計測及び美瑛街域の動植物の全自動個体数全自動山岳ヘリコプター計測と農作物の病害虫の全自動山岳ヘリコプター電子カメラ計測及び河川の水量の全自動水量データーの全自動山岳ヘリコプター計測と個人の家の火元の全自動見張り番のサモー放射線飛散防止パネル内蔵カメラ計測データー等を複数の山岳ヘリコプターの送受信装置と美瑛街全体を管理する全自動ウルトラスーパーコンピューターを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２０】
本発明のビルシステムのアスファルト等の白線等の除雪車の白線削りを防止する為のアスファルトを取り換える際白線部分の溝部分を専用のアスファルトライン部分のみを削る現在の舗装切削車を改良した全自動リモコン作動の電気モーター切削車によって舗装の白線ライン部分を一センチメートル削ってから道路白線溶液を流し込んで固める手法を用いた道路白線管理システムを使用した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２１】
本発明のビルシステムのクリスタルダイヤ硝子基礎は、クリスタルダイヤ硝子の中に鋼鉄鋼板と鋼鉄鋼ボルトと鋼鉄鋼ナットを使用してクリスタルダイヤ硝子基礎とグラスファイバー砂鉄円柱内組み立て鉄筋入りコンクリートドリル杭は、ビル免震装置の鋼鉄鋼部分とグラスファイバー砂鉄円柱内組み立て鉄筋入りコンクリートドリル杭は、はめ込みリングボルト固定とグラスファイバー砂鉄円柱内のコンクリート固定と免震基礎のコンクリート固定構造にした組み合わせ填め込みの鋼鉄鋼柱の複数ボルトナット構造のクリスタルダイヤ硝子同士を鋼鉄鋼板と鋼鉄鋼ボルトナット固定のクリスタルダイヤ硝子基礎は6階位まで立ち上げる鋼鉄鋼ボルトナット固定の永遠に壊さない建築構造物を目的とした地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２２】
本発明のビルシステムの台形柱型クリスタルダイヤ硝子ビル用免震装置は、免震装置を固定する免震装置の鋼鉄鋼芯杭入りのクリスタルダイヤ硝子基礎は、軽水素トリチウム電子ガス入り圧電素子磁石体粒子内蔵の銅筒管コイル巻き鋼鉄鋼板の高出力電磁石板が、鋼鉄鋼材料の免震装置の東西南北方向には、横揺れ吸収の為の電磁石Wレールモーターホイストが縦方向に三段以上の横揺れ吸収の為の複数の棒状レールモーターの電磁石反発によって横揺れ吸収は、ビル本体の土圧防止コンクリートと免震用塩化ビニールゴムによって吸収される構造に成り、鋼鉄鋼筒の底部分は高出力電磁石構造に成り、ビル上部本体底に取り付けられて入るビル底床の免震装置の数だけビル本体底部分に鋼鉄鋼ボルトナット止め構造に成って下り、鋼鉄鋼高出力電磁石正方形柱のビル本体の柱がビル底床の免震装置の受け部分として、やや大きめの正方形柱の鋼鉄鋼電磁石反発装置にきっちり填まる構造に成って入る電磁石反発免震装置を積載内蔵した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２３】
本発明のビルシステムの非常免震コロ装置は、円柱の鋼鉄鋼製の装置が万が一高出力電磁石反発機能を示さなかった場合にコロ免震が働く構造の非常免震コロ装置に成り、縦揺れに対しては高出力電磁石反発機能が効果を示し、横揺れに対しては、横揺れ吸収型高出電磁石レールモーターホイストの電磁石反発横揺れ衝撃吸収装置に成り、高出電磁石レールモーターホイストのホイスト部分の根元には塩化ビニールゴム付電磁石板によってホイストの電磁石反発の補助をする装置に成り、ビル本体に設置されている免震装置とビル底に設置されている免震装置との間に設置されているコロ部分の両サイドにそれぞれ免震装置がコロ免震の横揺れに対して免震装置の横揺れ負け事故を防止する為の免震装置ストッパーがそれぞれに取り付けられて入る構造に成り、免震装置固定ボルトナットは超太の鋼鉄鋼ボルトナットが使用設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２４】
本発明のビルシステムのクリスタルダイヤ硝子水道官口には、ビニールゴムシームパッキンが取り付き、クリスタルダイヤ硝子水道ストレート官口側にはクリスタル硝子リングが填め込む形状に成り、クリスタルダイヤ硝子水道官口と反対側のリング固定部分にはストレート管が填まる構造に成って下り、ビニールゴムシームパッキンが取り付く構造のリング同士の鋼鉄鋼ボルトナットにクリスタルダイヤ硝子を被せたボルトナットを固定してから錆び止め用のプラスチック硝子溶液で金属部分の剥きだし部分の錆び止め材として溶液固定を行う構造の永遠に錆びないクリスタルダイヤ硝子水道官を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２５】
本発明のビルシステムの屋上の二世代木造ハウスの免震装置に取り付けられる合成木材は、グラスファイバー板に乾燥竹チップ材と再生木材チップ材と乾燥雑草チップ材を混合合成した木材チップの量を減らした化学糊剤と高圧縮によって固めた混合素材合板に成り、グラスファイバー芯入りの為、折れる合板柱にはならない構造に成り、合成木材の外側はクリスタルダイヤ硝子で囲む合成木材柱に成り、将来的には乾燥竹と乾燥雑草とグラスファイバーもしくは、クリスタルダイヤ硝子芯入りもしくはセラミック陶器芯入りグラスファイバー芯入りの化学糊合成の合成木材柱と合成木材板の低価格商品は、現在の木材板の半額に近い値段を想定した合成木材の免震装置として、十字合成木材固定長め金具と三又長めTの字固定金具と合成木材固定用ネジ伸縮装置によって、合成木材を固定出来て合成木材の家の地震の揺れに対応した木造建築より丈夫な家を目的とした合成木材の免震付き一戸建てハウスをビル屋上に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２６】
本発明のビルシステムの一戸建て合成木材免震屋根は、屋根として合成木材柱に合成木材板は乾燥竹チップと乾燥雑草チップに化学糊を混合した合成木材に成り、屋根板を張った後、雨水の漏水対策として、ビニールゴムシート敷いて桟木と釘で固定した後クリスタルダイヤ硝子パネルは、白青赤黄灰色等のカラークリスタルダイヤ硝子屋根は正方形の差し込みパネルと白青赤黄灰色等のカラークリスタルダイヤ硝子屋根は長方形の差し込みパネルとの組み合わせのパネルに成り、屋根の下先は合成木材パネルの段差パネルに成り、両サイド段差パネルの四角枡枠の中に白青赤黄灰色等のカラークリスタルダイヤ硝子屋根を敷き込む形の構造に成り、場合によって特殊クリスタル硝子屋根のボルト留め型屋根は、ボルト穴とボルト穴ナット型カバーもしくは横スプリングカバーによってボルト保護と屋根の吹き飛び防護策を講じた地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２７】
本発明のビルシステムのクリスタルダイヤ硝子基礎の一戸建て免震装置の金属土台立ち上げの場合は、H鋼を縦柱とした場合横柱もH鋼横柱に成り、H鋼とH鋼の間は合成木材板を入れる構造にしたワイヤ土台角引きをガッチヤで一度締めてからワイヤ留めボルトナットで固定する構造の半鉄骨の免震機能付きの一戸建て住宅をビルの屋上に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２８】
本発明のビルシステムのクリスタルダイヤ硝子免震基礎ビルの一室の写真屋の合成写真のデーター写真作り方法として、高出力自動充電池と複数の発電回路内蔵の山岳ヘリコプターは、高出力モーターにライト付き望遠カメラと赤外線カメラと短単式電子カメラ及び部分移動短単式電子カメラ積載の山岳ヘリコプターを数十代現在と言う時間の上に於いて、365日の雨の日風の日雪の日太陽の日を撮影した数1000万枚の美瑛街域の山及び川及び人工湖及び田園及び農耕地及び牧場及び空地及び空き家及び国立国定公園及び水中及び谷と稜線等の時間と言う景色データーに対して持ちこみの家族写真及びペット写真を新たに組み立て合成出来る写真屋の有る地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項２９】
本発明のビルシステムの屋上の二世代ハウスは、玄関が二つ有る丸窓の三階建てに成り、ポストは郵便物ライトカメラセンサーのカメラ被写体の高出力CCDセンサーのダイオード色変化の色の誤差変化認識とカラーライトライン光の光り遮断認識確認センサーによって、郵便ポスト内の郵便物を各部屋までレールモーター移動転送出来る郵便ポストシステムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３０】
本発明のビルシステムの屋上の二世代ハウスの重量センサーは、人及び動物及びロボット等の重量を弱レールモーターの反発電源の弱発電した電気確認が二世代ハウスの電気スイッチに電気が通る事で部屋の子猫ベルチャイムが鳴ってカメラスイッチに電源が入る仕組みの重量センサー付きのライトカメラモニター付きの音声会話装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３１】
本発明のビルシステムの高光速超電導電気を使用した山岳無線機は、登山者及び山菜取りの安全確認の為の装置に成り、高感度送受信がスピーディーに擦る為に、通常の電気を高速電気と言われて入る超電導電気に変え、更に高速電気の超電導電気を更に速く擦る為に通常電気中の熱抵抗電気のみを取り除く為に、圧電素子4電子磁気分割装置を使って通常電気中の熱抵抗電気を取除き、通常電気中内の熱抵抗を取除いた熱抵抗の入って無い電気に成り、熱抵抗の入って無い電気スピードを上げる為に、電気スピードが落ちない電気スピードそのままに流れる電気配線として、軽水素トリチウム電子ガス入り圧電素子磁石体粒子内蔵銅筒管配線にプラスとマイナスを別々の配線に通す事に成り、更に電気スピードを上げる為にプラス電気とマイナス電気別々に対して軽水素トリチウム電子ガス入り圧電素子磁石体粒子入り銅筒管コイル配線を巻いた高出力銅筒管コイルを複数個使用して、マイナス複数コイル電気とプラス複数コイル電気を作る事によって、必然的にプラス電気スピードとマイナス電気スピード電気は、電気抵抗の無いままの電気スピードを高出力コイルの分だけ電気スピードを上げる事が出来る事により、無線通信にこの電気を使用する事によって、狭い谷間空間を通り抜ける高速無線を超えた高光速無線交信装置の別の別世界電気スピード無線技術を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３２】
本発明のビルシステムの二世代ハウスの窓は、二枚の木枠窓式の左右移動式の窓は、外気遮断装置として窓枠の外側部分にスクリューエアーバリアカーテン装置によって、窓を空けたりした場合外気温が室内に入ったり、室内温度気流が外に逃がさない装置に成り、家を長い間空けて置く場合は留守中の地震防護対策として二枚の木枠窓全体の固定を確実に行うと同時に室内の余分な太陽光の侵入を防ぐ事を目的とする為に、木窓固定の為に、木窓を作る際に鉄突起パネル及びクリスタルダイヤ硝子突起パネルを木枠窓枠の中間に入れて12角ボルトナットで窓枠固定突起パネルと窓枠と硝子を固定する事に成り、窓枠突起が付いた両サイドの木枠窓枠の地震対策として、木枠窓枠の上側に二つの蝶番を経て紐掛け異種変形リングとリング繋ぎ革紐を外して二枚の木窓枠に被さる様に二つの円柱穴空き突起に二つのリング付日除け枠の金属リングまたはクリスタルダイヤ硝子ワイヤ入りリングを填めてから、振動によるバタツキを抑える為の市販されている鍵を取り付ける装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３３】
本発明のビルシステムの二世代ハウスの窓は、二枚の木枠窓式の左右移動式の窓は、外気遮断装置として窓枠の外側部分にスクリューエアーバリアカーテン装置によって、窓を空けたりした場合外気温が室内に入ったり、室内温度気流が外に逃がさない装置に成り、家を長い間空けて置く場合は留守中の地震防護対策として二枚の木枠窓全体の固定を確実に行うと同時に室内の余分な太陽光の侵入を防ぐ事を目的とする為に、木窓固定の為に、木窓を作る際に永久磁石の凹凸突起パネル及びクリスタルダイヤ硝子磁石体付き突起パネルを木枠窓枠の中間に入れて12角ボルトナットで窓枠固定突起パネルと窓枠と硝子を固定する事に成り、窓枠永久磁石の凹凸突起が付いた両サイドの木枠窓枠の地震対策として、木枠窓枠の上側に二つの蝶番を経て紐掛け異種変形リングとリング繋ぎ革紐を外して二枚の木窓枠に被さる様に二つの円柱永久磁石の凹凸穴空き突起に二つの超小型高出力電動突起物挟み口付き弁付日除け枠の金属リング同士を接触させる事によって、日除け装置と二枚の木枠窓枠を完全固定出来る装置に成り、日除け窓枠の部分的に日除け木枠と異なる金属または、圧電素子磁石体粒子入りプラスチックまたはグラスファイバーまたはクリスタルダイヤ硝子部分に触る事によって、電気スイッチ高出力電動モーター仕切り弁戸架け装置連絡によって誰でも窓を開ける事の出来る地震対策窓装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３４】
本発明のビルシステムの二世代ハウスの窓は、硝子窓二枚其々一か所ずつ両サイドに荒金属板突起縦方向に三か所製鉄円柱を取り付けた硝子板の持ち手装置として、造形動物デザイン紐通し穴構造のデザイン硝子持ち手装置二個を二枚の硝子の両端の縦方向中心部に少し縦方向に離した位置に熱硝子接着した革紐引き戸持ち手装置を取り付け通常硝子枠にはグラスファイバー窓枠をグラスファイバー木材芯入りナットによって窓ガラスと窓枠を固定した装置に成り、三個の両サイドの硝子枠の円柱突起は硝子窓全体の両サイドに3センチ幅の縦三か所にナット穴構造の有るクリスタルダイヤ硝子パネルまたは3センチ幅の鉄板に三個のナット穴が空いた装置付きの鉄板に板またはグラスファイバーまたは合成木材板を取り付けた窓全体の固定枠の地震等の振れ止め窓枠滑落防止装置として、手ハンドル敷きナットと二穴硝子板入りグラスファイバーカラー板を硝子戸側の円柱突起に二穴硝子板入りグラスファイバーカラー板を取り付け手ハンドル敷きナットで両窓枠三か所ずつを固定する装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３５】
本発明のビルシステムの二世代ハウスの窓は、合成木窓枠に通常硝子板に防半クリスタルダイヤデザイン硝子を通常硝子を重ね合わせる事よって取り換え用のクリスタルダイヤデザイン硝子は少し薄目の色付きクリスタルダイヤ硝子または、アルミニウム合金ワイヤ線と銅合金ワイヤ線とペンキ付きワイヤ線を風景ライン線にデザイン画を取り入れたワイヤ線画入りのプラスチックグラスファイバー穴空き板を通常硝子板にプラスチックグラスファイバーボルトナットで固定した二種合わせ硝子の引き戸部分片側一か所には、プラスチックグラスフアイバーまたはクリスタルダイヤ硝子引き戸蝶番付き半円ステンレス板手持装置とステンレス円柱穴空き突起が填まって市販のカギを掛けて地震の震動のブレを少なく擦る為の構造の硝子枠窓装置を硝子戸両端に取り付ける装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３６】
本発明のビルシステムの二世代ハウスの窓は、厚さ10センチメートル高出力レールモーター付き硝子戸は硝子枠に木材灰入り硝子を熱硝子溶着した窓ガラスを左右又は上下に高出力レールモーターを取り付けたプラスチック軽水素トリチウム電子ガス入り圧電素子磁石体粒子内蔵グラスフアイバースイッチパネルを窓端に取り付けたスクリューエアーバリアカーテン付きの外気遮断装置積載の窓開閉装置設置の地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３７】
本発明のビルシステムの二世代ハウスの窓は、厚さ10センチメートル高出力レールモーター付き硝子戸は少し小さめのプラスチック薄板パネル及びプラスチックデザイン画入り薄板パネル及び虫取り複数針穴空き三重穴ズレ空間粘着型シートの通気性の有る窓枠虫取り専用の粘着三重シート立方体装置を硝子窓10センチメートル板枠に填め込む構造にして他の薄目色硝子部分は穴空き造形硝子空間板を填め込める風通し窓と外気遮断を透明プラスチック板で遮断出来る10センチメートルの硝子コノ字枠板に造形穴空きのプラスチックグラスフアイバー造形硝子枠と虫取り枠と日本古来昔から有るススキの日除けの改良型の竹籤日除けパネルと風雨雪を遮断出来るプラスチックグラスフアイバー枠またはプラスチックグラスフアイバー窓枠付き硝子板を設置出来る10センチメートルコノ字硝子の高出力レールモーター枠装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３８】
本発明のビルシステムの二世代ハウスの窓は、通常硝子板に気泡臭素入りクリスタルダイヤ四角柱複数防半ライン熱溶着棒付き硝子板に対しての再生木窓に成り、窓枠引き戸持ち手装置に炭粉入り立体硝子引き戸持ち手装置の熱硝子溶着に成り、窓の地震ブレ防止の為の固定装置として、二つの窓枠の両サイド両端に取り付いている二つの幅空固定金属リングと窓ガラス枠端に取り付いている二枚合わせの枠内の金属板またはクリスタルダイヤ硝子金属リング幅空き金属リングが窓枠端に別の二つの幅空きリングにキチンと填まる形状に成り、L型のプラスチック丸ボルトの発光糸入り硝子付きプラスチック持ち手装置のL型部分の鉄金属部分の丸穴部分は4個の円リングにL型鉄金属円柱を差し込んで丸穴に異種変形リングを取り付ける構造の窓枠装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項３９】
本発明のビルシステムの二世代ハウスの窓は、白色硝子がメイン主体の硝子に成り、濃い白色硝子から薄い白色硝子の数十枚を合わせてから電気熱を架けて白色硝子を溶かして再び一枚の白色硝子に擦る事によって、濃い白色硝子から段々に薄い白色硝子に変化する一枚の白色変化硝子に成り、もう一枚の網目クリスタルダイヤ硝子板を被せた二枚合わせの防半硝子に成り硝子の引き戸持ち手装置は半円柱の熱溶着に成り、地震の振れ止め装置に二枚の硝子の片側には、硝子グラスフアイバー枠の上下二か所に取り居ている穴空き鉄円柱ピンと窓枠内端部分の上下に取り付いている穴空き鉄円柱ピンに対して位置部分銅鋼一体の鋼鉄鋼リングが二つの穴に填め込まれる窓枠留め装置に成り、反対の引き戸側の地震ブレ固定装置は、二枚合わせの防半硝子を挟み込む様にステンレス板片面もしくはクリスタルダイヤ硝子窓板熱溶着の硝子固定スプリング付きロック四分の一金属鋼鉄鋼歯車付き丸鉄円柱棒に取り付けられて入るピアノ線入りワイヤと硝子窓固定スプリング付きロック四分の一金属鋼鉄鋼歯車付き丸鉄円柱棒を鍵ロック行い解除する為の固定軸四分の一金属鋼鉄鋼受け止め歯車の丸鉄円柱棒の固定左右移動装置とそれに伴う手動のピンロック装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４０】
本発明のビルシステムのクリスタルダイヤビル1階の玄関部分に中る居住部分の地下立体駐車場は。地上2階まで突き抜けの地下駐車場の一番上部分が花壇構造の立体駐車場花壇に成り、その下が立体駐車場に成り、一階のビルの車庫の出入り口は、放射線飛散防止パネル付きレントゲン人動物確認カメラと放射線飛散防止パネル付きサモー熱感知カメラとライト電子カメラと通常ライトカメラとスクリュー電波センサー等の五種類のセンサーによって、地下立体駐車場の人と動物の立ち入りの有無を確認して作り音声各国語連絡とロボット警備員全自動連絡システムを積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４１】
本発明のビルシステムのクリスタルダイヤビル1階の立体花壇駐車場の出入り口は、高出力モーターコンプレッサー別名の高出力コンプレッサー全自動作動のむスクリューエアーバリアカーテンによって、駐車場内の外気温侵入が困る為、通常の一列のスクリューエアーバリアカーテンと異なる二重列及び三重列及び四重列及び五重列の高出力スクリューエアーバリアカーテンに対して、冷気クリューエアーバリアカーテン風と暖気クリューエアーバリアカーテン風の全自動外気温と室内温の全自動設定管理に基づくビル立体駐車場温度管理が出来るクリスタルダイヤ硝子ビル等のビル温度管理システムを積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４２】
本発明のビルシステムのクリスタルダイヤ硝子ビル1階の立体駐車場の作動及び駆動装置は、鋼鉄鋼のチェーンと高出力天上レールモーターホイストとゼンマイ板鋼金属丸芯入りワイヤのWエレベーターモーター装置の三種類の立体駐車場の昇降装置と設定の上での携帯電話の全自動駐車場の車の呼び出し装置は、立体駐車場に乗ると全自動の車のタイヤ留めを掛け、立体駐車場の車の乗った部分が持ち上がり、立体駐車場内から、高出力モータータイヤの四輪別々の動く小型高出力水発電機付きの室内地図別名室内GPSまたは室内無線地図機能システムによって立体駐車場から運ばれて来る荷台付き自動車の全自動車番車種及び車色読み取りライトカメラ及び車の傷読み取りライト電子カメラ及び車ドア開閉の放射線飛散防止レントゲンカメラの持ち物検査と多種貴金属センサーの遺物全自動検査と超感度マイクの遺物検査と超音波発信レントゲンカメラの遺物自動車改造等の検査を全自動で行って地下車庫納車出来て自動車の呼び出しに対して全自動で立体駐車場に納車出来る地下立体駐車場システムを積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４３】
本発明のビルシステムのクリスタルダイヤ硝子ビル1階の花壇の全自動高出力モーター花花瓶花入れ装置の全自動設定移動と立体駐車場から隣の部屋への花瓶の全自動移動に対して立体駐車場の上下移動の微調整と一階床面のパネルに取り付けられて入る二本の棒状高出力レールモーターと花花瓶花入れ底の取り付け型ステンレス板の中心部に取り付けて有るプラスチックビニールゴム球体によって花花瓶花入れのサイドのステンレス部分等の電磁石吸引とスクリューエアー打撃物体花花瓶花入れ全自動移動装置と二本のレールモーター高出力電磁石モーター台に花花瓶花入れを乗せて全自動の花花瓶花入れ装置を所定の場所に設定書き換え地図カメラ移動出来るシステムと壁水育成散水出来る装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４４】
本発明のビルシステムのクリスタルダイヤ硝子ビル1階の塩水魚と貝の養殖槽は、グラスフアイバーゴム枠層にクリスタルダイヤ硝子枠槽の水槽固定と異なるグラスフアイバーゴムの固めのグラスフアイバーとゴム混合合成枠設置固定によって、免震ビル装置に対して二重の水槽亀裂地震対策を行い水槽面の苔付着及び炭水化物の付着を少なくする為の電動仕切り弁開閉装置付のクリスタルダイヤ硝子水槽の塩水魚は、別のクリスタルダイヤ硝子水槽への電動仕切り弁開閉装置によって全自動魚移動と超細ワイヤのグラスフアイバーカバーの金属網をクリスタルダイヤ硝子水槽へ設置した後に、塩水貝を入れて養殖する塩水魚と塩水貝両方をOツウ装置の契約使用に基づく塩水魚介類の養殖槽に成り、クリスタルダイヤ硝子水槽の掃除は超小型の永久自動充電池積載の水中赤外線ソナー波発信位置固定装置のクリスタルダイヤ硝子水槽の中心部設置の上下左右前後のW水中スクリュー6個付きの高出力水中モーター布プラスチック掃除器具によってトリクロカルバン殺菌水入りの水中洗浄と殺菌水抜き取り後の小型山岳ヘリコプターのアルコール噴水消毒とクリスタルダイヤ硝子水槽上部複数温水口の温水洗浄と全自動熱水消毒と強制室内エアー入れ替え電動仕切り弁付き多層フィルター換気扇によるエアー交換の塩水濃度全自動調整装置によって塩水魚介類の塩水交換とスクリューエアーバリアカーテンと全自動の水槽水循環水流高出力モーター装置と室内強制循環フィルターエアーのクリスタルダイヤ硝子水槽の全自動掃除管理によって塩水魚介類の室内及び地下養殖育成システムを積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４５】
本発明のビルシステムのクリスタルダイヤ硝子ビル1階の天上収納型家電装置は、全ての家電装置の底には超小型のタイヤ中央がスイッチ切り換え型の電磁石のモーターとサスペイション高出力レールモーターを前後2箇所取り付けた室内天上位置作動地図内蔵家電は、全自動設定地図位置作動と半リモコン作動の位置設定障害物全自動カメラ認識家電の壁置き滑落防止のプラスチックグラスフアイバー網付き家電設置の高出力レールモーターホイスト複数本の天上クリスタルダイヤ硝子ビル土台鋼鉄鋼取り付け金具据え付けの足場一部分全自動スイッチ付き電磁石板設置の天上収納型乾燥空気吹付気流型管理家電を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４６】
本発明のビルシステムのクリスタルダイヤ硝子ビル1階部分の地下は、水耕野菜菜園に成り、出入り口は電動仕切り弁ドア出入り口の高出力発光LEDライト玉使用とビル室内多層フィルター蒸気カーテン付き二酸化炭素気流全自動放出装置と地下発酵牧草エアー強制配出入装置と水耕野菜菜園足場が下がる高出力レールモーターホイスト足場の収穫足場全自動管理システム装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４７】
本発明のビルシステムのクリスタルダイヤ硝子ビル1階部分の複数水車板発電型クリスタルダイヤ硝子垂直筒雨水移動官装置のクリスタルダイヤ硝子ビル室内カラーライト色の雨量全自動計測の為の発電装置に成り、屋上の足場に集められた水量を一つの水車型発電装置の発電電気量に於いて計算出来る雨感知タイマー電動仕切り弁付きの屋上の雨水処理発電官と貯水池誘導スクリュー官水車板高出力発電装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４８】
本発明のビルシステムのクリスタルダイヤ硝子ビル1階部分の水耕栽培のクリスタルダイヤ硝子パネル床の支柱と塩水度調整魚育成槽床のクリスタルダイヤ硝子支柱は、填め込み型の三角形ビニールゴムシートのクリスタルダイヤ硝子三角床免震柱と円形ビニールゴムシートと円形床免震柱と六角ビニールゴムシートと六角床免震柱と正方形ビニールゴムシートと正方形床免震柱それぞれに2センチメートルの手鍵穴ワイヤ入り紐付きクリスタルダイヤ硝子を床板の代わりに敷いた高温殺菌酸素エアーカーテン発射装置付きクリスタルダイヤ硝子ビル床システムを積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項４９】
本発明のビルシステムのクリスタルダイヤ硝子ビル1階部分のクリスタルダイヤビルのキチン台所は、一時保存用うなぎ養殖槽と魚養殖槽と貝養殖槽とクリスタルダイヤ硝子パネル蓋の熱溶着硝子紐通し穴付き蓋に成り、排水は取り外し網付の高出力モーター電動仕切り弁付き排水口が養殖槽中央に取り付き塩分調整水及び真水高出力モーター電動仕切り弁給水官付きの養殖槽は、高出力Oツウ酸素吸入官取り付き構造に成り、生ゴミ撹拌水分瞬間高出力真空装置取り除き装置付と高出力モーターキチン物入れ装置によって取り易い位置での作業出来るシステムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５０】
本発明のビルシステムのクリスタルダイヤ硝子ビル1階の窓は、屋上の雨引き込み官と複数の窓端から端までの水取り入れ官口構造の熱硝子接着型のクリスタルダイヤ硝子カップの花水耕カップの硝子窓室内外付け装置と雨水引き込み水の通る二枚の筒構造のクリスタルダイヤ硝子板の下側には、薄い石板切の川石と山石スライス2枚合わせクリスタル硝子ダイヤ筒入り山表現クリスタルダイヤ筒硝子パネルと複数色陶器谷表現パネル電動モーター水車板と高出力モーター電動仕切り弁排水口窓側装置によって外の世界が雨降りの時だけと夏場のお祝いの時、屋上の雨水貯水槽の引き込み水を使った山と谷と川演出の窓システム装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５１】
本発明のビルシステムのクリスタルダイヤ硝子ビルの扉は、扉中央部分の刳り貫いた部分に対してドア手持鍵装置に対して高出力モーター電動仕切り鍵穴とワイヤ入り革ドア引き戸装置とクリスタルダイヤ硝子細パネル貼り付けのデザインの為の軽量カラー陶器パネルに対して、風通し部分には三つ吊りクリスタル硝子風鈴をドア風通し部分に吊り下げ、風通り抜け部分の風吹き抜け防止カバーのプラスチック硝子カバーは、カバー留めピンによって風吹き抜けのクリスタルダイヤ硝子細パネル窓の透明プラスチック硝子カバーを開け閉めしてカバー固定する為のドア窓の空気入れ窓とカバー装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５２】
本発明のビルシステムのクリスタルダイヤ硝子ビルの風呂は、地下から地上6階位までのゼンマイ細丸金属芯入りのワイヤを使ったエレベーター改造型のやや大きめのエレベーターにキッチリ填まる脱衣洗い場と風呂桶が上下に移動する桐材または檜の溝彫簀子の底面はアルミニウム塗装ステンレス板とビールゴムパネルの震動吸収板をボルトナットで固定して留める装置と風呂の内部が高出力レールモーターホイストによって風呂内の複数小丸穴付の複数穴空きのアルミニウム厚板に複数丸穴付きの檜板貼り付けの風呂の下板が、風呂の上部まで上がる構造の介護専用風呂構造に成り、温水の為の水タンクをエレベーター風呂の上部に乗せた構造の介護室の床それぞれが高出力レールモーター床ドア開閉装置は、エレベーター改造型風呂が上下いずれかの方向から介護専用の寝台室または介護室布団から直接入浴出来る介護用エレベーター風呂が停止出来る設定に成り、介護の負担を少なくする為、介護室の1階から6階までの移動風呂はクリスタルダイヤ硝子桶風呂装置に檜内桶風呂装置枠の革シート留め装置付の移動風呂装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５３】
本発明のビルシステムのクリスタルダイヤ硝子ビルの天上及び床格納型の寝台は、四本の高出力レールモーターホイストと二本の天上補助ワイヤ吊りの寝台移動の高出力レールモーターによって移動全自動制御出来る装置に成り、寝台は格納型寝台装置に成り、再生合板または合成板使用の頭留め三重空気袋帯装置に成り、両サイド及び後部はグラスフアイバー転倒滑落防止パネル取り付け形状に成り、片側簾パネルは転倒滑落防止の簾パネル壁解除型の折り畳み簾固定パネル装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５４】
本発明のビルシステムのクリスタルダイヤ硝子ビルの医療機関が使用する脈拍と血圧と全自動測定の診察券書き込み記録送信型の圧電素子磁気パネルの竹灰入りのプラスチック絶縁体シート入りの多層圧電素子磁気パネルに成り、脈拍計測方法はプラスチックシートの高出力銅筒管コイル内蔵の電磁石積載の高感度マイクによって脈拍数の音の強弱の波の数を電気信号の数値化した脈拍計に成り、脈拍データーは診察券データーバンドの圧電素子磁気カードに記録出来る脈拍数診察券データーバンドを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５５】
本発明のビルシステムのクリスタルダイヤ硝子ビルの医療機関が使用する脈拍と血圧と全自動測定装置の血圧測定方法はバンド方式またはアルミニウム錫合金のステンレス板の列並び板筒の爪留め腕バンドとステンレス爪留め永久磁石体の磁石接合と爪バンドの締め付け手首固定の血圧測定法を取り入れた心拍脈数記録の血圧マイク測定法の血圧測定と脈拍数の全自動記録出来る無線波送信クリスタルダイヤ硝子カバーパネルと軽水素トリチウム電子ガス入り圧電素子磁石体粒子内蔵マグネシウムシリコンマイナス極貯蓄電池と軽水素トリチウム電子ガス入り圧電素子磁石体粒子内蔵マグネシウムシリコンプラス極貯蓄電池に対して軽水素トリチウム電子ガス入り圧電素子磁石体粒子内蔵シリコン光熱吸収発電糸布の発電シートに成り、電気配線は軽水素トリチウム電子入り圧電素子磁石体粒子貼り付けナイロン糸配線内蔵の診察券データー内蔵血圧脈拍計測バンドを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５６】
本発明のビルシステムのクリスタルダイヤ硝子ビルの医療機関が使用する透明プラスチックビニールサンダル靴は、取り付け取り換え用ゴムバンド付の靴底は、シリコンビニール製の洗濯出来るクッション靴を医療機関に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５７】
本発明のビルシステムのクリスタルダイヤ硝子ビルの医療機関が使用するスチームシャワー風呂は、頭皮洗浄の冷水と温水切り替えノズル装置付きの人の頭から被る複数のシャワー温水と冷水高出力モーターポンプスプレー水の手動ボタンもしくはレバーハンドル調整によって頭皮の石鹸洗浄水の勢い調整して頭皮マッサージ冷水温水洗浄出来る装置と蝶番付きの二枚扉を空けた中には腰掛装置と首までの首の部分を空気圧調整チューブによって首元からの冷暖房熱を逃がさない構造の温水と冷水を腰かけ装置のレバーハンドルスイッチによって冷水と温水の温度調整の出来る肩から足元全体を冷やしたり温めたり出来たり石鹸水を出したり出来る高出力モーターポンプ圧の冷水圧と温水圧切り替えの全自動血圧脈拍計測と放射線飛散防止サモーカメラの体温の全自動変化計測とパネル確認と音声警告装置積載のスチーム機能と冷暖気送風エアーによって、体全体の水滴を無くした後とスチーム室の水分飛ばし後使用出来る細胞活性化装置を使用出来る機能を内蔵したスチーム風呂装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５８】
本発明のビルシステムのクリスタルダイヤ硝子ビルの医療機関が使用するトイレの検尿検便装置の男子トイレは検尿する為、人の形状と背の高さをカメラ位置と被写体位置距離の全自動ダイオードのCCDパネルのダイオード色彩感知の被写体位置の全自動認識によって男子トイレの高さ調整出来る高出力棒状レールモーター積載の男子トイレと高出力モーター電動仕切り弁口の検尿モーターカップは、高出力棒状レールモーターの先に検尿カップの取りついた装置はトイレ赤外線パネルスクリュー電波センサーによって人感知をした時男子トイレの高出力電動仕切り弁を全自動開閉し検尿モーターカップが出て二重電動仕切り弁装置によってトイレ小水漏れを無くし検尿送り出しカット方式の検尿検知紙をライトカメラの全自動検尿データー色を確認してトイレのカメラ及びサモーカメラによって携帯電話等の個人識別認証の上でトイレの小水医療データーとサモーカメラデーターを医療センターへ全自動転送出来る装置とトイレの床の全自動モーターシャワーブラシによってトイレ床の全自動掃除とトイレ全自動掃除装置の全自動モーター仕切り弁ドア収納格納と全自動掃除装置のシャワー全自動掃除出来る装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項５９】
本発明のビルシステムのクリスタルダイヤ硝子ビルの医療機関が使用する手洗い嗽励行室システムは、病院及び公共の学校施設及びコンサートホール及び市役所の出入り口に設置する為の人の集まる場所でのエチケット衛星管理マニアルに基づく手洗い嗽励行室システムは、鏡付きトイレサモーカメラは人の体温状況データーを手首診察カードシステムに全自動記録し、スピーカーマイクシステムは体の悪い所の簡単な応答装置に成り、サモーカメラ体温予測置の体全体の体温予測値が表示される為、冷え症及び高血圧などの特徴の有る患者に対しては効果的なサモーカメラ装置に成り、尚二段手洗い嗽装置は、上下左右の上の段にジャバラ屈折の弱お湯と体温蒸気に喉の嗽とリフレッシュが出来るボタンスイッチ付き嗽装置に成り、左右反対側の下の段に手洗いシステムが有る為、上の段と下の段を半々に移動させた上下の手洗い嗽リフレッシュシステムに成り、二段手洗い励行装置を軽量にする為に再生木材及びプラスチックにステンレス金属薄板を被せた軽量の手洗い嗽励行システムに成り、下段の手洗い装置の斜行式蛇口付近にも赤外線人感知センサースイッチによって高出力モーター電動仕切り弁口が空いて水が排出出来る構造に成っており、備え付けの手蓋装置を取り付ける事によって、顔などの洗顔が出来る構造に成って入る手洗い嗽励行システムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６０】
本発明のビルシステムのクリスタルダイヤ硝子ビルの医療機関が使用する高血圧と低血圧確認の為の放射線飛散防止サモーカメラ付き診察カード音声対応装置は、通常観察診断の為と誤診を避ける目的に於いて人の表皮形状認識電子カメラと集音マイクと筒型集音スピーカーと医療受付室との会話の為の近距離無線アンテナと簡単な簡略的観察診断の為の放射線飛散防止パネル付きレントゲンカメラと誤診と診察書取り違いを避ける為の手相確認装置によって、手首カード装置が動物キャラク主人公の口型出し入れ口から取り出す事が出来る構造に成り、手持のゴミは専用のゴミ入れは地下の放射線飛散防止の誤投棄観察のゴミ集積所に集積され固形高圧縮燃料に変えるシステムに成り、この他高圧縮熱殺菌処理ゴミパネルにプラスチックグラスフアイバーパネルの仮設施設パネルに成り、この他体の疲れの臭いアンモニア及び臭素感知センサーによって体調の簡単なデーター作りによって診察前の簡単なチェックを終え、指定した診察室へ向かうシステムに成り、バキューム縄型高出力モーターと高出力モータータイヤを使用した強制吸引装置のバキューム強制掃除装置は簡単なゴミ処理を行える装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６１】
本発明のビルシステムのクリスタルダイヤ硝子ビルの医療機関が使用する着衣交換高速洗浄殺菌システムと着衣交換室の内容として、16色カラーライン光カーテンと複合のスクリューエアーバリアカーテンの半プラスチックグラスフアイバーパネルと高出力モーター電動仕切り弁口の着衣投入口から入れられた着衣は、高出力レールモーター籠に入れられた着衣衣類は、高速殺菌水洗濯地下センター高出力モーターパネル籠の高出力レールモーター移動によって着衣移動洗濯と高速円心分離機によって水を無くした後の高出力真空装置使用の高速乾燥によって衣類の変換に成り、医療機関内使用の医療用専用靴と殺菌スプレーと殺菌ガード帯が隣の医療機関内使用の衣類取り出し口から取り出し着替えてから目的地へ着衣番号の指定画像パネルの指示される場所へ移動して本治療前のリフレッシュ治療と検査を同時に行う事の出来る医療システムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６２】
本発明のビルシステムのクリスタルダイヤ硝子ビルの医療機関が使用する女性用トイレは、全自動検尿検便装置は、検尿高出力レールモーターカップ使用の検尿紙検査と便の高出力電子カメラ検査に於いて害虫の卵検査及びウイルス検査が出来る装置を使用した女性用トイレ使用の便器上部をアルコール消毒とトイレ清掃の為のモーター布ブラシ強制吸引装置付きのアルコールエアーと温水とでトイレの座る部分を全自動消毒清掃出来る楕円形モーターカバー装置付の軽量炭灰入り陶器トイレを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６３】
本発明のビルシステムのクリスタルダイヤ硝子ビルの医療機関が使用する夏場の熱い場所の日射病対策装置の冷却膝掛装置の電源は、高出力自動充電池の永久電池に成り、竹灰いりナイロン軽量綿合成糸布の多層十字縫いを行った腰バンドは一つ太穴のビニールゴムパネルの金属ピン防護カバーと亜鉛錫合金の穴空きパネルピンを二枚のベルト布を亜鉛錫合金の穴空きパネルピンとデザイン異種異形合わせリングによってピン穴留めする構造の装置に成り、冷却装置は超小型の複数穴空き固形フロンと高出力レールモーターフアン羽装置使用の外気空気を固形フロン装置を使ってもう一つの複数穴空き固形フロンをやや冷えた空気を通す事によって冷えた空気を送冷風官を使って切波革装置の裏側に複数の針穴の空いたグラスフアイバー官を縦と横に十文字に複数針穴空きの冷却風配管を裏地軽量綿布で固定したベルト留めの冷却膝掛け装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６４】
本発明のビルシステムのクリスタルダイヤ硝子ビルの医療機関が使用する夏場の熱い場所の日射病対策装置の複数穴空き固形フロン使用の冷却装置の軽量ナイロン複数薄皮はり付け縫い込みバンドの電源として、高出力自動充電池の電源を使って外気の酸素空気を高出力レールモーターの回転力を使用して風切フアン羽装置を使って複数穴空き固形フロン装置に外気を通し再びもう一つの複数穴空き固形フロンに外気送風を通して冷えた冷却風を送風冷却物質入りスクリュー官を通して最終の送風バイパスの複数の官が連なったバイパス官から冷却風が出る装置に成り、コノ字ボルト留め金具装置と十字羽付きナット装置を使用した三つ穴ピンバンドとバンドに付ける三つ穴固定ピンナットとバンド通し筒を経てコの字ボルト留めする冷却バンド装置によって体の上部を冷やす冷却バンド装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６５】
本発明のビルシステムのクリスタルダイヤ硝子ビルの医療機関が使用する酸素空気吸入器は、高出力自動充電池付き外気洗浄空気送風装置に成り、洗浄空気装置としてトリクロカルバン使用の殺菌フィルター装置の多層フィルター填め込み交換式装置に成り、首バンドの両端の二つの軽量プラスチック筒使用の二本の丸筒刺し丸筒ピン取り付け型の高出力自動充電池の電気使用の高出力レールモーターフアン羽の回転力を使用して竹灰入りプラスチック殺菌トリクロカルバン入りのフィルター使用の殺菌空気を酸素空気配管の中を通して人の鼻部分の鼻差し込み配管装置によって外気空気を一度トリクロカルバン入りの軽量プラスチック殺菌多層重ねフィルターによって洗浄した空気を吸引出来る装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６６】
本発明のビルシステムのクリスタルダイヤ硝子ビルの医療機関が使用する熱治療器具は、ビニールパネルに羊毛糸に亜麻糸を合成した布を被せた腰バンドに対して横付けの三本の革紐に複数の間隔を一センチ程空けた革突起を取り付け裏側に複数のステンレス永久磁石体を貼り付け、三本の革紐の縦三列と横に列のワイヤ入り革筒装置に三本の横付け革紐装置を通してから縦の革突起固定のワイヤ入り革リングと超小型チエーンを二枚合わせの革に縫い込んだ二本の革紐を革リングに通して絡めて固定出来る熱治療器具バンドになり、二台のシリコンビニールエアー球体入りチューブパネル付きの高出力自動充電池の電気を使用した銅アルミニウム筒管の中に酸化鉄硝子粒子入り弱帯電コイルの時間設定間隔送電遮断スイッチによって、弱帯電コイルの熱放射時間を短く区切る事によって、複数の帯電コイルの高熱帯電時間を避け高出力自動充電池の電圧調整スイッチによって電気送電の強弱によって弱帯電コイルの電気使用量を調整して熱放出量を調整出来る装置に成り、高出力自動充電池部分はゴムシートにビニールゴム糸と羊毛糸を被せた伸び部分は革紐固定装置の若干な微妙な調整をする為の装置とした熱治療器具を配置した医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６７】
本発明のビルシステムのクリスタルダイヤ硝子ビルの医療機関が使用する自転車改良型の足こぎ型のリハビリ装置は、自転車車体を二本のコンクリート重石付き両三脚の鉄柱の溶接固定または四本の鉄柱の固定コンクリート脚台に鉄柱の溶接固定した前輪と後輪を前チエーンと後部チエーンによって、前輪の両サイドの重量と形状別重りを同じ形状の重りを前輪両サイドに軽量グラスフアイバーリングを先に取り付けた場所に重量と形状別重りを同じ形状の重りを前輪両サイドに一個ずつまたは設定個数の形状別重りを取り付けてリングとナットを取り付ける構造に成り、後輪に於いてもリハビリをするランクによって、後部車輪の両サイド部分に軽量グラスフアイバーリングを先に取り付けた場所に重量と形状別重りを同じ形状の重りを前輪両サイドに一個ずつまたは設定個数の形状別重りを取り付けてリングとナットを取り付ける構造の長方形アルミニウムハンドルとグラスファイバゴムスプリング椅子と左右の脚踏み装置から連なる前チエーン後部チエーンの重量調整の形状別重りを、二個から四個足踏み装置で扱ぐ事によって体のリハビリを行う事の出来る装置を医療機関に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６８】
本発明のビルシステムのクリスタルダイヤ硝子ビルの医療機関が使用する洗える運動医療リハビリマットは、綿入り軽量プラスチックスプリング形状糸入りアルミニウムシート複数重ね帯と綿入り軽量プラスチックスプリング糸ナイロンゴム保護シート複数重ね帯を合わせて一つのマットにした通常のマットの8分の1の大きさの少し軽い洗える軽量マットは、超細ワイヤ入りビニールプラスチックグラスフアイバー糸で抑え縫いした革紐を運動医療リハビリマット横側に複数個超細ワイヤリング入り二枚革合わせの超細ワイヤ入りビニールプラスチックグラスフアイバー糸のリング縫いした複数のワイヤ入り革リングに超細ワイヤ入り革紐を通して絡めて8個のマットを固定する事によって運動医療リハビリマット装置とした医療リハビリ装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項６９】
本発明のビルシステムのクリスタルダイヤ硝子ビルの医療機関が使用する洗える運動医療リハビリマットは、綿入り軽量プラスチックスプリング形状糸入りアルミニウムシート複数重ね帯と綿入り軽量プラスチックスプリング糸ナイロンゴム保護シート複数重ね帯を合わせて一つのマットにした通常のマットの8分の1の大きさの少し軽い洗える軽量マットは一つのマットに対して四か所の角に対して角を少し下げる構造のコの字ボルトナットによって二つのマットの二角を固定し残り六角を固定する洗える運動医療リハビリマット装置を設置した医療機関の有る地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７０】
本発明のビルシステムのクリスタルダイヤ硝子ビルの医療機関が使用する放射線飛散防止パネル付きX線レントゲンカメラと放射線飛散防止パネル付きCTスキャンカメラと放射線飛散防止パネル付きサモーカメラと放射線飛散防止パネル付きMRIカメラと放射線飛散防止パネル付きPETカメラと高出力電子カメラは、高出力レールモーター両端付きのクリスタルダイヤ硝子床の高出力レールモーター付きの人の体と動物の体の骨の検査内臓全体の検査と体全体の表皮検査を行う事が出来る装置に成り、人及び動物が立った姿勢のまま骨と内臓のデーターを上下左右前後のそれぞれの角度から6種類のカメラによる全ての角度撮影による時間診察データー作りを行う為の人の体の姿勢を保つ為の補助をする為の道具クリスタル硝子持ち手付の人及び動物の骨及び内蔵及び血管及び体全体の表皮の診察データーを一度に軽量圧電素子磁石体粒子使用の磁気カードまたは表裏CD入りMD等に診察データー全てを入れて画像パネルで目視診察及び目視チェックを行えるシステムを備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７１】
本発明のビルシステムのクリスタルダイヤ硝子ビルの医療機関が使用する放射線飛散防止パネル付きのX線レントゲンパネルは、X線発生装置にクリスタルダイヤ硝子パネルをカメラが映す部分に対してX線レントゲン写真を一回分映す放射線のX線とシリコン溶液を撹拌してX線混合シリコン液をクリスタルダイヤ硝子筒パネルに入れた装置に成り、一回分のX放射線量分だけでカメラ撮影出来るライトカメラ装置を備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７２】
本発明のビルシステムのクリスタルダイヤ硝子ビルの医療機関が使用する放射線飛散防止パネル付きのX線レントゲンパネルは、一回分のレントゲンカメラが撮影するのに必要なX放射線を内蔵させたシリコン撹拌液をクリスタルダイヤ枠の中に入れてクリスタル硝子パネルを填め込んで熱硝子溶着して固定したX放射線内蔵シリコン撹拌液入り放射線飛散防止のクリスタルダイヤ硝子パネルを備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７３】
本発明のビルシステムのクリスタルダイヤ硝子ビルの医療機関が使用するアンテナカメラ付きエレベーターは、腕バンド診察券認識エレベーターに成り、診察券データー圧電素子磁石体入り腕バンドの磁気カードデーターをエレベーター等のアンテナ装置によって、診察場所の指定を床板底の診察券番号→に従って診察場所の誘導が出来るシステムに成り、診察券データー入りの腕バンドの発信番号を認識出来る医療機関病院内の全自動画像パネル誘導システムと全自動アンテナ自動電池イヤホーン音声誘導システムは、医療機関病院内の各階の天上の電波つまり弱無線波の腕バンドの無線波の受信場所の何階かの暫定位置と最初にカメラのCCDパネルデーターに人の顔の形状と背の高さの形状と高出力電子カメラ認識の顔の輪郭形状及び目の形状及び鼻の形状及びまつ毛の形状及び顔の表皮形状のデーターチェック確認と腕バンド受信番号の照合にて本人確認出来るアンテナカメラ付きエレベーター装置を備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７４】
本発明のビルシステムのクリスタルダイヤ硝子ビルの医療機関が使用する血液DNA検査方法は、一般に知られている電子カメラの電子放銃スピードを上げる為、通常コイルから、軽水素トリチウム電子ガス入り圧電素子磁石体粒子内蔵銅筒管コイルの電子スピードまたは電気スピードと同じ速さで電気が流れるコイルと電気中の熱電気抵抗を取り除く圧電素子4電子磁気分割装置によって通常の電気中の熱抵抗電気のみを取り除く装置によって通常電気を電気スピードそのままの電気抵抗の無いスピードで流す事の出来ると同時に高出力銅筒管コイルによって電気スピードよって通常の電子カメラから高出力電子カメラに変える事の出来る高出力銅筒管コイルと電気中の熱抵抗を取り除く圧電素子4電子磁気分割装置を備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７５】
本発明のビルシステムのクリスタルダイヤ硝子ビルの医療機関が使用する血液アレルギー検査の採決による高出力電子顕微鏡検査の植物液入りシリコン紙糸検査方法の一例の漆表皮粒子入りシリコン紙糸検査方法を使った検査方法とアレルギー発疹部分の毛のアレルギー物質の溶液高出力電子顕微鏡の赤血球検査する為のアレルギー物質粒子入りシリコン紙糸検査方法を使ったシステムを備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７６】
本発明のビルシステムのクリスタルダイヤ硝子ビルの医療機関が使用する血液アレルギー検査の採決による高出力電子顕微鏡検査のアレルギー植物撹拌軽水素入り酸素低温蒸気の高出力電子顕微鏡観察の為のクリスタルダイヤ硝子板に対しての血液塗りクリスタルダイヤ硝子モーター棒によるクリスタルダイヤ硝子板採血塗り板の高出力電子顕微鏡検査に成り、アレルギー植物撹拌軽水素入り酸素低温蒸気吹き掛け検査前の高出力電子顕微鏡の高出力CCDパネルデーターの軽量多層式圧電素子磁石体粒子カードデーターとアレルギー植物撹拌軽水素入り酸素低温蒸気吹き掛け検査後のデーター照らし合わせの血液移動と動きの高出力ダイオード映像照らし二枚重ね全自動検査が出来る装置を備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７７】
本発明のビルシステムのクリスタルダイヤ硝子ビルの医療機関が使用する皮膚メンテナンス準検査方法として、高出力電子カメラの集束レンズと対物レンズと投影レンズと投影像の部分に高出力CCDパネルと投影像データーをデーター送受信装置のアンテナ高出力電子カメラシステムによって病院手続室のモニター高出力画像に写し出す高出力弱電子カメラを医療機関の各場所に設置し皮膚メンテナンス準検査を行い本検査として皮膚メンテナス室での本検査の為の高出力弱電子カメラの再検査を行った上での医師検査手順を踏むシステムを備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７８】
本発明のビルシステムのクリスタルダイヤ硝子ビルの医療機関が使用する表皮膚の微量放射線量軽水素トリチウム電子ガス入りのガイガ官微量放射線量計測装置使用の体の体液放射線量測定と運動前の軽水素トリチウム電子ガス入りのガイガ官微量放射線量計測の比較とデーター追加記録システムを備えた医療機関を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項７９】
本発明のビルシステムのクリスタルダイヤ硝子ビルの銀行が使用するキャッシュカード現金出し入れシステムのキャッシュカード高出力読み取り装置の地下格納エレベーター装置は現金出し入れ時間が過ぎるとキャッシュカード現金出し入れ装置自体を地下室の電動モーター仕切り弁格納装置に全自動エレベーター格納装置を使用して格納する為、現金出し入れ時間を過ぎるとクリスタルダイヤ硝子ビルの硝子越しに見えて居たキャッシュカード現金出し入れ装置が地下へ格納するシステムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８０】
本発明のビルシステムのクリスタルダイヤ硝子ビルの銀行が使用する銀行出入り口は、冬の冷たい風と夏の暖か過ぎる熱風を避ける為の高出力スクリューエアーバリアカーテン装置によって銀行内空気と銀行の外の空気を完全遮断する事で体調管理と余分な冷暖房装置の作動エネルギーを減らす事の出来る高出力スクリューエアー放出コンプレッサーを使ったエアーバリアカーテン装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８１】
本発明のビルシステムのクリスタルダイヤ硝子ビルの銀行が使用するクリスタルダイヤ硝子仕切り壁板の出入り口は、スクリューエアーカーテンカメラ別スクリュー十字エアースプリング電気スイッチ円柱筒型ボタンによって高出力電子カメラを使った人の輪郭形状及び背の高さ等を全自動計測して、軽量圧電素子磁石体雑草灰入り絶縁体シート入り多層圧電素子磁石体粒子カード内蔵の銀行高出力カメラ監視システムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８２】
本発明のビルシステムのクリスタルダイヤ硝子ビルの銀行が使用する望遠ライト電子手相全自動人確認及びデーター検索及び認識及び認知システムを積載しカード偽造使用の事前の顔輪郭と背の高さと手相と髪の色と人の体の表皮データーの高速キャッシュカードバンク全自動事前調査出来るクリスタルダイヤ硝子高出力発光LEDライト付き高出力電子カメラ手相全自動確認装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８３】
本発明のビルシステムのクリスタルダイヤ硝子ビルの銀行が使用する高出力曲面画像カードボタン装置は軽水素トリチウム電子ガスとアルゴンガス入りプラスチックパネルとカラーライトライン遮断タッチスイッチを積載した高出力曲面画像カードボタン装置を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８４】
本発明のビルシステムのクリスタルダイヤ硝子ビルの銀行が使用する赤外線カメラスイッチ積載の高出力レールモーター積載のクリスタルダイヤ硝子ドアをクリスタルダイヤ硝子ビルの銀行の現金出し入れキャッシュカードシステムの利用をスムーズムに擦る為の出入り口をスムーズムにする為の透明クリスタルダイヤ硝子ビル壁装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８５】
本発明のビルシステムのクリスタルダイヤ硝子ビル周辺の砂岩の丘の地下の魚貝類全般養殖施設に対してと水耕菜園施設の出入り口の扉装置は高出力モーター電動仕切り弁装置にてドア部分はクリスタルダイヤ硝子ドアの高出力モーター仕切り弁クリスタルダイヤ硝子ドアに成り、故障の対策として手動ハンドルの鍵付きの美瑛街の丘の地下の出入り口の高出力モーター仕切り弁クリスタルダイヤ硝子ドアを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８６】
本発明のビルシステムのクリスタルダイヤ硝子ビル周辺の砂岩の丘の地下の砂岩の使用の有り方として、大きめの砂岩ブロックを鉄アルミニウム鉛合金砂岩ブロック押さえ金属板装置またはクリスタルダイヤ硝子板装置によって大きめの砂岩ブロックの上下の角部分を固定し、大きめの砂岩ブロックの中心部分から両サイド中央より、二か所に十字突起鉄筋の隙間にゴムビニールセメントの液体ゴムと液体ビニールにセメントを混ぜた混合撹拌化学ゴムビニールセメントを十字突起鉄金の穴埋めの免震接着とした固定化学ゴムビニールセメントを固定材とし、部分的石蔵の壁留め材として石蔵の壁留め金属柱板のボルトナット止め穴装置と合成木材柱もしくは木材柱を取り付けた構造の石蔵及び石蔵車庫及び家の基礎及び一階部分構造及びバス停及び工場及び学校体育官及び高出力電波望遠鏡資料館及び医療施設及び介護施設一階部分等の免震装置付き石蔵の固定免震装置システムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８７】
本発明のビルシステムのクリスタルダイヤ硝子ビル周辺の砂岩の丘の地下の砂岩の全自動の砂岩石の切り出し装置として、鋼鉄鋼の刃先に花崗岩の石粒子にクリスタルダイヤ硝子溶液を鋼鉄鋼刃先全体に被せた重めの砂岩石切り出し専用の石切り刃を取り付けたトンネルの砂岩石高出力モーター手動及びリモコン及び全自動装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８８】
本発明のビルシステムのクリスタルダイヤ硝子ビル周辺の砂岩の丘の地下の砂岩の全自動の砂岩石の切り出し装置の全自動装置として、全自動高出力ライト電子カメラ位置と全自動カラーライトライン位置出しの確認の為の高出力発光LED玉ライト装置を使った高出力電子カメラの位置及びマーキングペンキ発射装置によるトンネル位置両端の固定位置出し方法と位置決定による高出力電子カメラライトの両サイド位置確認とトンネル内天上マーキングの天上位置カメラ焦点距離とカメラ固定距離位置の全自動被写体データーの合わせ位置確認と確定の電子カメラの石の位置の全自動位置確認に成り、前面の石切位置の場所を照らす為の高出力発光LED玉ライト光の高出力カメラ被写体位置の全自動確認と放射線飛散防止パネル付きＸ線使用のレントゲンカメラの石切り口の石煙の中での全自動確認に於いての石切り刃の全自動位置合わせは、トンネル両サイドの全自動ライトカラーライトライン放射線飛散防止パネル付きのＸ線使用のレントゲンカメラの煙の中のスクリューライトピン位置の全自動確認と全自動ライト高出力ライトピン取り付けの位置の高出力カメラ焦点位置の全自動スクリュー電波距離計測及び複数カラーライトライン距離位置計測と高出力スクリュー電気磁石波の距離計測等のサイドの位置全自動確認と前部前方の石切位置のカラーライトライン位置の全自動確認とトンネル出入り口からのカラーライトライン使用のＸレントゲンカメラの位置の全自動高出力電子カメラの位置全自動確認認識作動装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項８９】
本発明のビルシステムのクリスタルダイヤ硝子ビル周辺の砂岩の丘の地下の砂岩の全自動の砂岩石の切り出し装置の全自動砂岩石の切り出し装置作動電気発電装置は、水の中の重水素を取除き、重水素の質量分の軽水素トリチウム電子ガスを軽水素トリチウム電子ガスに足した軽水素酸素水を発電物質とした他人の技術の液体マグネシウムを使用した軽水素酸素水の高出力水発電機を積載した全自動の砂岩石の切り出し装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９０】
本発明のビルシステムのクリスタルダイヤ硝子ビル周辺の砂岩の丘の地下の砂岩の全自動の砂岩石の切り出し装置の走行モーターは、ビニールゴムの異母付きの8角から16角の走行高出力モーター異母付き装置に成り、トンネル出入り口の位置設定装置までは地形地図設置の山岳ヘリコプター固定空中位置の電波送受信装置または臨時の人工衛星のGPSの固定の電波送受信固定の地形地図位置から始まるトンネル掘削方法に成り、ビニールゴムの異母付きの8角から16角の走行高出力モーター異母付き装置は、高出力モーター電気制御装置の電気送電量の全自動装置は、機体設置の震動計測装置と走行スピードメーターの設定速度の両方のデーター速度に基づいてビニールゴムの異母付きの8角から16角の走行高出力モーター異母付き装置に成り、この他超小型のモーターブレーカー車装置と超小型のモーター付きの人工ダイヤ付きの回転地盤整形機械に拠っての地盤整形車工法手段とコンクリート打設整形工法手段と液体ビニールゴム均し整形工法手段を取り入れた砂岩の丘の地下の砂岩の全自動の砂岩石の切り出し方法を取り入れた地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９１】
本発明のビルシステムのクリスタルダイヤ硝子ビル周辺の砂岩の丘の地下の砂岩の全自動の砂岩石の切り出し装置の全自動電気作動装置は、取り換え式の花崗岩粒子入りの人工ダイヤ刃付きの鋼鉄鋼製の石切刃は、鋼鉄鋼ボルトに十字鋼鉄鋼ライン板の取り付けられたボルトとボルトナット部分に成り、石切り刃がズレたり、芯ブレを起こさせない為の岩盤石切り専用の高出力モーターナット構造に成り、スプリングワッシャに四本の円柱が付いた石切刃を固定する為のスプリングゴムビニールリング付き金属鉄ワッシャと八角ナットに成り、石切り刃を前方に伸ばしたり押したりする装置は高出力レールモーター電磁石反発吸引設定作動全自動作動ホイスト装置に成り、上下の刃先の全自動移動に対しては別の二本の高出力レールモーター電磁石反発吸引設定作動全自動作動ホイスト装置に成り、左右移動の食用油の排油及び自動車等の排油を濾過した濾過油を使った油圧ゴムホース無しの鋼鉄鋼配管の石切刃装置の左右固定装置とそれに伴う濾過排油弁と濾過排油水車板型太軸濾過排油高出力モーターを積載した全自動の砂岩石の切り出し装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９２】
本発明のビルシステムのクリスタルダイヤ硝子ビル周辺の砂岩の丘の地下の砂岩の全自動の砂岩石の切り出し装置の全面カバー運転席ガード体は、ビニールプラスチック硝子全面天上カバーキャビン室装置の全体がビニールプラスチック硝子パネルの複数ボルトナット止め手段の蝶番4個のドアピン留めのドア装置を積載した全自動の砂岩石の切り出し装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９３】
本発明のビルシステムのクリスタルダイヤ硝子ビル周辺の砂岩の丘の地下の砂岩の全自動の砂岩石の切り出し装置の全面カバー運転席ガードに取り付けられる高出力モーターワイパーは、水タンク式の高出力レールモータービニールゴムワイパーと超小型の高出力コンプレッサー複数吹き出し車体全自動掃除付きの砂岩石の切り出し装置を積載したリモコン全自動アンテナの手動リモコンと設定全自動砂岩石の切り出し装置の石切全作業設定全自動地形計測全自動書き込み地図位置作動の砂岩石の切り出し装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９４】
本発明のビルシステムのクリスタルダイヤ硝子ビル周辺の砂岩の丘の地下の砂岩の全自動の砂岩石の切り出し装置の石折装置は、砂岩の全自動の砂岩石の切り出し装置の花崗岩粒子入りの石切刃で切った正方形角の隙間に、高出力モーターノミ装置金属体取り付のバイブレーター刃先を差し込んで5本のバイブレーターミッション歯連結作動装置によって石を折って、特性の鋼鉄鋼高出力レール棒状モーター鍵装置によって、切り出し石の引き出しを行い二本の鋼鉄鋼の片側9本爪の鋼鉄鋼の高出力モーターピン付きの石挟み装置を設置した高出力レールモーターホイストの石吊り移動装置によって、砂岩石を取り出す装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９５】
本発明のビルシステムのクリスタルダイヤ硝子ビル周辺の歩道及び、自然公園足踏み板及び、デパート敷石及び、学校等の屋上の敷石及び、階段の敷石及び、ガレージの敷板簀子装置及び、一戸建て玄関の敷石及び、駅構内の敷石床及び、ログ丸太小屋の脚踏み敷石と床敷石と木材パネル式板及び公園墓地の脚踏み敷石及び、道の駅及び自転車バイク休憩ハウスの敷石及び、犬ネコ休憩小屋の敷石及び、馬車の馬及び乗馬の馬の休憩宿泊小屋の敷石及び、自転車道路の敷石及び、バイク道路の敷石及び、農耕道路の敷石及び、浸透水屋根の敷石及び、循環水屋根の敷石及び、風呂の洗い場の敷石及び、エレベーターの敷石床及び、プールなどの敷石及び、自然湖の敷石スクリューコンプレッサーエアー踏み敷石床及び、海水海底湖敷石及び、水中ライト多種パネルカメラ付き浮遊位置固定踏みシステム石及び、水中ライト多種パネルカメラ付き海上浮遊位置固定踏み石及び、空中位置全自動GPS位置帰還型の複数高出力モーターフアン付き敷きパネル石等は、六角石の中央が三角形及び四角形及び五角形及び六角形及び八角形及び十二角形及び動物形状及び個体形状の中抜き及び差し込み型の中入れ替え方の大型穴空きレンガと鍵フックによって取り出し可能な金属設置の中蓋装置が取り換えたり出来る構造の大型穴空きレンガを設置したまたは、リース商品とした大型穴空きレンガ装置を構築した装置を設備した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９６】
本発明のビルシステムのクリスタルダイヤ硝子ビル周辺の砂岩の丘の地下の飲料地下貯水池は、美瑛街周辺の丘の地下に高出力モーター電動仕切り弁扉を使った地下貯水池は、砂岩石を全自動の砂岩石の切り出し装置を使って切抜いた地下貯水池に成り、美瑛街周辺の増水した水を高出力モーター強制バキューム縄型ロボット付き沈下土処理装置付きの地下沈下池と地下貯水池と強制気化水スクリュー官放出装置官を備えた増水した泥水の全自動処理装置を設置した地下貯水池を設けた地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９７】
本発明のビルシステムのクリスタルダイヤ硝子ビル周辺の砂岩の丘の地下の海の魚養殖施設は、美瑛街周辺の丘の地下に高出力モーター電動仕切り弁扉を使った地下養殖槽は、北陸の他人のOッゥ酸素技術の契約に於いての海水魚及び淡水魚に於いて、複数の高出力電動モーター仕切り弁装置と高出力水中スクリューエアーバリア水付きポンプに成り、魚を吸い込まないで水及び海水のみを吸い込む水中海中高出力スクリューエアーバリア水付き水中ポンプを設置した海の魚養殖施設を設置した地下貯水池を設けた地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９８】
本発明のビルシステムのクリスタルダイヤ硝子ビル周辺の砂岩の丘の地下の海の魚養殖施設は、美瑛街周辺の丘の地下に高出力モーター電動仕切り弁扉を使った地下養殖槽は、育貝室と焼き硝子ブロックまたは焼き土竹炭入りレンガブロックの竹炭空洞レンガブロック海藻槽と塩分濃度調整室と魚の養殖の砂岩壁枡型槽に貼り付けるクリスタルダイヤ硝子パネルを熱硝子溶着した海の魚養殖槽に成り、魚の病気等の防除の為の魚養殖槽の殺菌と全自動ロボット清掃した壁を流す為の殺菌用温水高出力モーター温水吹き出し清掃温水口及び超小型のモーターシールド砂岩掘削人工ダイヤ取り付け装置使用の天上配管の温水と冷水切り替え循環水シャワー装置及びタイマーシャワー及び設定シャワーと高速水流高出力モーター電動仕切り弁放水口と養殖槽酸素泡放水多層壁装置と冷水酸素放出装置内蔵人工岩と温水酸素放出装置内蔵人工岩装置の中温設定中温域を設けた全自動高出力モーター餌撒き及び高出力コンプレッサー餌撒き器を使用した循環濾過海水を使用した海の魚養殖施設をクリスタルダイヤ硝子ビル周辺の砂岩の丘の地下に設けた地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項９９】
本発明のビルシステムのクリスタルダイヤ硝子ビル周辺の砂岩の丘の地下の海の魚養殖施設は、クリスタルダイヤ硝子の熱プラスチック硝子溶着した硝子床にビニールゴムを敷いて免震杭を取り付けた地下流動湧水と地下滝水装置付の軽量陶器筒石のロープブロック魚の家装置とスクリューエアージェット水槽全自動掃除機と
スクリュー金属ドリル杭使用の養殖サンゴ金属板内蔵陶器とスクリュー金属ドリル杭使用の養殖海藻金属板内蔵陶器と複数ミクロ針穴付き自動充電池内蔵超小型ソナー波送受信装置付きライトカメラ付きモーター開閉アルミニウム板稚魚及び稚貝育成装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１００】
本発明のビルシステムのクリスタルダイヤ硝子ビル周辺の砂岩の丘の地下の海の魚養殖施設は、大型魚専門の地下養殖施設として魚同志のぶつかり傷と魚のストレスを無くす為の周囲1キロメートル以上の何か所かの高出力電動モーター仕切り弁開閉ドア付きの多層リングトンネル構造の床が高出力棒状レールモーター複数穴空きシャワー槽全自動海魚及び淡水魚移動装置と餌やり専門槽の水中スピーカー餌やり音発生全自動スイッチ装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０１】
本発明のビルシステムのクリスタルダイヤ硝子ビル周辺の砂岩の丘の地下の食用塩水貝と発光真珠貝と淡水食用貝と淡水発光オパールバカ貝の養殖施設は、循環高出力真空装置濾過水使用の滝水及び酸素泡壁装置と高速シャワー装置と床のアルミニウム複数小穴空き高出力棒状レールモーター枠装置による水槽水の全自動スクリューウオーターカーテン全自動洗浄装置による貝育成槽の全自動掃除と超小型アーム付き水中貝採りロボットによる貝移動装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０２】
本発明のビルシステムのクリスタルダイヤ硝子ビル周辺の砂岩の丘の地下の海水魚と淡水魚の卵からの養殖為の、ウナギ及びニシン及び銀ガレイ及びソイ及びヤリイカ及びマイカ及びナナツボシ及びイワシ及びシシャモ及びマガレ及びクロガレイ及びソウハチガレイ及びオヒョウガレイ及びスナガレイ及びサンマ及びアブラガレイ及びタラ及びヒメタラ及びシーラ及びアブラコ及びアンコウ及びキンメダイ及びタコ及びカンカイ及びマダラ及び他の魚の海底及び海中の生息域と生息域温度の全自動データーの全自動水中ロボットのデーター作りと多層式の竹灰入りの軽量圧電素子磁石体粒子ラインの竹灰入りプラスチックシートと竹灰入りプラスチックライン絶縁体使用の軽量の圧電素子磁石体粒子カードの魚の生息位温度データーとプランクトーンデーターと魚の個体数データーと魚の産卵及び受精データー及び稚魚生息データーと海底火山温度データー海水温度データーを複数の数万以上の水中ロボットと海上ソナーと海中段数ソナー装置による調査とデーターによる陸の地下によるまたはクリスタルダイヤ硝子の養殖槽による成魚から卵の人工授精による数十年間の卵と精子を取り出した魚の冷凍保存と食糧保存の考え方の時代が来た事を知らせるテレビマスコミ報道データーを踏まえた全自動水中ロボットを使用した魚の個体数調査と魚の生息域データーと魚の孵化データーを作る為の水中ロボットを設置した地下海底洞窟を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０３】
本発明のビルシステムのクリスタルダイヤ硝子ビル周辺の川水を使った池の淡水魚養殖に於いて、淡水魚の病気に成った池の処理方法として殺菌剤処理後、高出力二重ニクロム電熱線入りの真空装置と高出力水発電機の化石燃料未使用の電気使用の雑菌土の熱による完全殺菌と瞬間水分の取り除き装置によって、地下3メートルの消毒と殺菌乾燥土の戻しによる完全消毒と原野に戻す植林及び牧草地等の還元を基本とした地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０４】
本発明のビルシステムのクリスタルダイヤ硝子ビル内の雑貨屋で売られている釣竿は、竹灰入り塩化プラスチック混合撹拌の圧縮材継ぎ足し釣竿と指掛け竿持ち装置と連結歯車手持回転式リールと釣り糸の竿内入れ方式糸誘導体構造の釣竿をクリスタルダイヤ硝子ビル内の雑貨屋に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０５】
本発明のビルシステムのクリスタルダイヤ硝子ビル周辺の美瑛街周辺で走る化石燃料を一切使用しない軽水素酸素水使用の高出力水発電機の高出力機械式発電機のバッテリー装置は、液体マグネシウムとシリコンと水銀と固形窒素を混合合成した蓄電帯をプラス電気貯蓄体とマイナス電気貯蓄体に分けて、竹灰入りビニールゴム絶縁体表皮使用の高出力銅筒管軽水素トリチウム電子ガス入り圧電素子磁石体粒子内蔵電気配線と固形窒素入り木材灰内蔵ゴム芯入り銅管電極付きのバッテリーを積載した高出力機械式発電機積載の高出力水発電機積載の半永久連続無休油作動の電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０６】
本発明のビルシステムのクリスタルダイヤ硝子ビル周辺の美瑛街周辺で走る化石燃料を一切使用しない軽水素酸素水使用の高出力水発電機の高出力機械式発電機のバッテリー装置は、軽水素トリチウム電子ガスと液体マグネシウムとシリコンと水銀と固形窒素を混合合成した蓄電帯をプラス電気貯蓄体とマイナス電気貯蓄体に分けて、竹灰入りビニールゴム絶縁体表皮使用の高出力銅筒管軽水素トリチウム電子ガス入り圧電素子磁石体粒子内蔵電気配線と固形窒素入り木材灰内蔵ゴム芯入り銅管電極付きのバッテリーを積載した高出力機械式発電機積載の高出力水発電機積載の半永久連続無休油作動の電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０７】
本発明のビルシステムのクリスタルダイヤ硝子ビル周辺の美瑛街周辺で走る化石燃料を一切使用しない軽水素酸素水使用の高出力水発電機の高出力機械式発電機のバッテリー装置は、水素と液体マグネシウムとシリコンと水銀と固形窒素を混合合成した蓄電帯をプラス電気貯蓄体とマイナス電気貯蓄体に分けて、竹灰入りビニールゴム絶縁体表皮使用の高出力銅筒管軽水素トリチウム電子ガス入り圧電素子磁石体粒子内蔵電気配線と固形窒素入り木材灰内蔵ゴム芯入り銅管電極付きのバッテリーを積載した高出力機械式発電機積載の高出力水発電機積載の半永久連続無休油作動の電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０８】
本発明のビルシステムのクリスタルダイヤ硝子ビル周辺の美瑛街周辺で走る化石燃料を一切使用しない軽水素酸素水使用の高出力水発電機積載の電気自動車のバンパは、4層衝撃吸収ゴム構造は一層目プラスチックゴムパネルと二層目プラスチックビニールシリコンゴムパネルと三層目プラスチックビニールゴムパネルと四層目ビニールシリコンゴムパネルの四種類の衝撃吸収の多層多種式の混合合成ゴムを電気自動車の再生混合合成ゴムを使用した半永久無給油無休憩連続作動発電機を積載した電気自動車を設置した設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１０９】
本発明のビルシステムのクリスタルダイヤ硝子ビル周辺の美瑛街周辺で走る化石燃料を一切使用しない軽水素酸素水使用の高出力水発電機積載の電気自動車のハンドルは、左右中央の三か所に高出力モーター棒状レールモーターの移動装置と電磁石吸引留め装置と高出力Wモーターナットピン固定装置付の自動車の前端から左右両端の三分割モニターパネルは、ハンドルの移動に伴ってスピードメーターの位置が移動する事が出来る自動車のスピードメーターパネルに成り、三分割画像パネルは、一つだけ使用が出来てナビゲイションパネル及び自動車電話パネル及び情報パネル及び緊急情報パネル及びテレビパネル及びビデオパネル及び文字放送パネル及び国立国定公園動物情報パネル及び国立国定公園昆虫生物情報パネル及び海底海中情報パネル及び河川池湖水中生物情報パネル及び海底火山温度マグマ磁波移動情報パネル及び日本の弱者一人一人の財団情報パネル及びインターネット情報パネルなどの超高速スクリュー山岳ヘリコプター中継無線を使った財団テレビ放送情報システムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１０】
本発明のビルシステムのクリスタルダイヤ硝子ビル周辺の美瑛街周辺で走る化石燃料を一切使用しない軽水素酸素水使用の高出力水発電機積載の電気自動車の前のトランク構造は、現在のボンネットの半分に対して左側は前に空く構造のトランクに成り、右側は横に空く構造のトランクに成り、残りの前側は、多種多層混合合成のプラスチックシリコンビニールゴムの複数の異なった合わせ方の衝撃吸収バンパに成り、後ろトランクは右三分の位置または中央に超小型高出力水発電機に成り、左側の左横空きトランクと中央左横空きトランク構造の後ろの多種多層混合合成のプラスチックシリコンビニールゴムの複数の異なった合わせ方の衝撃吸収バンパを積載した電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１１】
本発明のビルシステムのクリスタルダイヤ硝子ビル周辺の美瑛街周辺で走る化石燃料を一切使用しない軽水素酸素水使用の高出力水発電機積載の電気自動車の中開天上高出力棒状レールモーターの取り付け部分の八角ピンの異種異形リング留めのビニールゴム溝付きシーム水の漏水防止装置構造の天上網戸付きドアを積載した電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１２】
本発明のビルシステムのクリスタルダイヤ硝子ビル周辺の美瑛街周辺で走る化石燃料を一切使用しない軽水素酸素水使用の高出力水発電機積載の電気自動車の前ウインカーは、楕円形リングの高出力発光LEDライトウインカーに成り、後部は猫と犬が向き合った形状の黄色に赤の楕円形リングにしたブレーキウインカーランプとバックランプライト硝子に対して猫と犬が向き合った形状突起ラインが入ったバックランプ硝子を内蔵積載した電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１３】
本発明のビルシステムのクリスタルダイヤ硝子ビル周辺の美瑛街周辺で走る化石燃料を一切使用しない軽水素酸素水使用の高出力水発電機積載の電気自動車の日除けガラスに対して、前のフロント硝子の上下四分の一の水平方向に硝子の厚さの発射板を自動車前方硝子設置角度に対して反射板ライン及び色ガラスラインを三センチメートルの水平角度の二枚合わせの硝子の一枚に内蔵した日除け硝子を積載した自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１４】
本発明のビルシステムのクリスタルダイヤ硝子ビル周辺の美瑛街周辺で走る化石燃料を一切使用しない軽水素酸素水使用の高出力水発電機積載の電気自動車の日除け装置のプラスチック硝子は、反射板もしくは色ガラスラインを水平方向に二センチメートルから三センチ間隔に入れたプラスチック硝子日除け装置を内蔵した電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１５】
本発明のビルシステムのクリスタルダイヤ硝子ビル周辺の美瑛街周辺で走る化石燃料を一切使用しない軽水素酸素水使用の高出力水発電機積載の電気自動車のスピードメーターパネルは、クリスタル硝子ボルトナット穴六個付きに対してボルトナット穴六個付きビニールゴムクッション衝撃吸収装置を取り付けた電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１６】
本発明のビルシステムのクリスタルダイヤ硝子ビル周辺の美瑛街周辺で走る化石燃料を一切使用しない軽水素酸素水使用の高出力水発電機積載の電気自動車の高出力レールモーター付きホイストサスペイションの補助サスペンションとして、高出力レールモーター付きの前タイヤ2本と車体中央のタイヤ四本が円形レールモーターハンドル操作装置によって方向転換が出来て後部2本の高出力モータータイヤによって走行用の作動車体固定高出力モーターを積載した複数人乗りの電気自動車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１７】
本発明のビルシステムのクリスタルダイヤ硝子ビル周辺の美瑛街周辺で走る化石燃料を一切使用しない軽水素酸素水使用の高出力水発電機積載の電気自動車のバスタイプは、高出力モーター付きの主プロペラと主プロペラ高出力レールモーター羽固定装置付きの高出力レールモーター装置とバス後部の推進用の高出力レールモータープロペラと補助垂直浮上用の高出力モーターフアンプロペラ8枚羽を取り付けの垂直浮上高出力モーター装置の半径75センチメートル直径1メートル50センチメートルの70センチメートル幅の7連結高出力レールモーターフアンプロペラ16個装置とサイドバランサー用の高出力モーターフアンプロペラ8枚羽を取り付けのサイドバランサー高出力モーター装置の半径75センチメートル直径1メートル50センチメートルの70センチメートル幅の7連結高出力レールモーターフアンプロペラ左右4個ずつの70センチメートル幅の7連結高出力レールモーターサイドバランサー用のフアンプロペラ両サイド合計8個の装置と天上に両サイド4個の片側2個ずつの70センチメートル幅の7連結高出力レールモーター横転全自動修正の7連結高出力レールモーターフアンプロペラを取り付け、出入り口ドアの高出力モーター仕切りクリスタルダイヤ硝子弁ドアとフアンプロペラからエアーとフアンプロペラで電気自動車バスをエアー水流によって浮かせる事の出来るエアーフアン16個を取り付けたエアー吸引羽と反対側にフアンプロペラを取り付けた電動仕切り弁付きのエアー吸収用のバス冷却を兼ねた高出力レールモーターのモーター軸両短に吐きだしフアンプロペラと吸い込みフアンプロペラを取り付けた水上に浮いて、空中も飛べて道路も走行出来る電気自動車バス観光用を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１８】
本発明のビルシステムのクリスタルダイヤ硝子ビル周辺の美瑛街近郊そして美瑛街駅と結ぶ、現在の旭川市JR駅から4キロメートル以上離れた場所の2013年新未来旭川市リニアー地下駅と北は現在のJR北見市駅近郊の地下駅と結ぶ往復リニアー路線そして現在のJR富良野駅から15キロメートル以上離れた場所の新未来富良野市リニアー地下駅と美瑛街夢未来都市地下駅と結び新未来旭川市リニアー地下駅と結び、現在の三笠市近郊の新三笠市リニアー地下駅と現在のJR小樽市駅近郊の山の地下に有る新夢未来小樽市リニアー駅から現在のJR室蘭駅から10キロメートル程離れた新夢未来室蘭市リニアー終点駅そして、新未来富良野市リニアー地下駅と現在の新得町近郊の山側の地下に有る新未来希望新得街駅を停車し、更に美幌市近郊の地下の新未来美幌市リニアー駅を過ぎ清里街近郊の地下に新未来清里街リニアー駅を通り、最終駅の中標津町近郊から10キロメートル離れた山側の場所に、新未来中標津リニアー地下永久街の最終駅を結ぶ自然環境保護推進育英と世界資源保護推進学問育英街として他の止まらない町々の繊維種類オーダーと衣装の著作権デザイン登録及び著作権料金を含む衣装代金支払い財団バンクシステムと地下魚介類養殖販売自給自足バンクシステムと地下農産物販売自給自足バンクシステムと地球外共存生活世界学問育英街と植物進化と動植物保護と未来進化と世界医療学問育英街の為の、現在有る世界公開リニアーモーターカーの車両幅より車両幅が広く成る分リニアーモーターカーの浮上装置の横幅数を増やし、地下振動による地下マグマの誘発を柔が得る為、地下速度を250キロメートルに設定した地下リニアーのトンネル構造の敷板クリスタルダイヤ硝子厚板のクリスタルダイヤ硝子セントラルトンネルの1メートル幅の数か所の金具板と鋼鉄鋼ボルトナットで固定して地盤のコンクリート吹付場所または、岩盤整形場所からクリスタルダイヤ硝子セントル本体パネルとの間を、液体合成土粒子入り再生ゴム液によって地下リニアーモーターカーのセントル部分を固定して、床部分は薄いコンクリート打設後、リニアー浮上用装置設置後、砂入り再生ゴムパネルを敷いた後に組み立て噛み合わせ填め込み型のクリスタルダイヤ硝子パネルの永久固定の為のスクリュー杭の穴揉み後のクリスタルダイヤ硝子スクリュー杭によって固定する事によって、地下地震と地下リニアーモーターカー震動に永遠に絶える事の出来る物質を使った地下リニアーモーターカーのトンネル構造技術によって北海道だけの永遠に壊さない永遠の動植物の保護と未来永劫の動植物共存と介護医療の探求の為の学問育英を目的とした低所得農業出身者及び低所得漁業出身者及び低所得林業出身者及び低所得地場繊維業出身者及び海外国低所得地場育成大学出身者等が、世界の完全永久衣食住の追及を求めた世界地下大学の素案を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１１９】
本発明のビルシステムのクリスタルダイヤ硝子ビル周辺の未来永劫地下マグマ地震の影響及び、リニアーモーターカー地下トンネルの空気抵抗震動のマグマと力エネルギーの誘発と融合誘発を極力避けた北海道未来街を往復する中速250キロメートルのリニアーモーターカートンネル内のリニアーモーターカーの浮上装置と装置の間の凹凸を無くす熱硝子埋め込み成型加工構造にするリニアーモーターカーの余分な風圧震動を無くす為のリニアーモーターカートンネルの角を無くす構造と、リニアーモーターカートンネルの風圧を消滅させる手法手段と風圧音を消す為のトンネル構造装置として、リニアーモーターカーの中速走行空間から低速走行空間に移る地下リニアーモーターカー地下曲線リニアー線路区間は、地下リニアーの直線リニアーモーターカーのクリスタルダイヤ硝子本体組み立て噛み合わせ固定の為の鋼鉄鋼ボルトナット金属内蔵クリスタル硝子パネル留めトンネルのリニアーモーターカーの走行押し風圧を消す為の減速の下降斜度リニアートンネルの最終風圧を取り除く為のスクリュートンネルエアー地底湖のライトカメラと永久水位センサーと地底湖循環水人工川によって地底湖水管理とリニアーモーターカーのトンネル内発生の風圧とトンネル内発生音の処理為の地底湖に成り岩盤を刳り貫いた連結卵型地下人工地底湖のリニアーモーターカートンネル風圧処理とリニアーモーターカートンネル内発生音処理の為の風返し装置と音返し装置を備えたトンネル岩盤高出力モーター切削機を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２０】
本発明のビルシステムのクリスタルダイヤ硝子ビル周辺の未来永劫取り壊さないトンネル形状が永遠のままのリニアーモーターカー床は、リニアートンネル免震クリスタルダイヤ硝子杭クリスタルダイヤ硝子床組み立て噛み合わせ固定杭床の再生ビニールゴムシートと使用のリニアーモーターカー線路装置固定シートの鋼鉄鋼ボルトナット止め構造装置を内蔵設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２１】
本発明のビルシステムのクリスタルダイヤ硝子ビル周辺の美瑛街の自給自足の地下農業水耕菜園と地下魚介類全自動養殖槽園と衣料服の全自動オーダー服作成送達システム地下工場園のクリスタル硝子体厚パネル越しに見て見学出来る地下全自動システム街を見る為の、高出力電気モーターと4個と通常線路左右2本に対して左右の鉄線路は、鋼鉄鋼電磁石と竹灰入りのビニールゴム絶縁体のボルト留め構造の両サイド2本の浮上用の鉄線路に対して、2本それぞれの跨る走行用の高出力棒状レールモーターの高出力電磁石吸引反発走行の為の2本の跨る走行用高出力レールモーター線路よりやや高さの有る三本線路左右合計の6本の線路を設置した美瑛街地下自給自足全自動作動システム街をゆっくり電気汽車型形状列車で見て回る事の出来る電気汽車型形状列車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２２】
本発明のビルシステムのクリスタルダイヤ硝子ビル周辺の美瑛街の地下の夢未来都市へ行く乗り物の水を使った電気列車は、Bで始まる機番の沸騰水発電機を使用積載したトンネル内温度弱調整型の電気夢未来型列車の蒸気機関車の未来型のモチーフした作品に成り、高出力発光LEDライトとスクリューエアーラッパの音域段数スピーカーに成り、機番のしたに猫と犬が向き合ったマークのニャンワンマークに成り、空気の水蒸気エアーカーテンフィルターを通した室内排気官と全レールモーター制御無害無給油沸騰水発電機を設置した発電室と高出力レールモーターを使い、車体全体を軽く擦る為、ジュラルミン金属板を使用し、運転室はアルミニウム梯子付きの機番収納型全面クリスタルダイヤ硝子全面硝子と左右の高出力電動仕切り弁格納型の運転席窓と除雪用高出力レールモーターホイスト使用の除雪板を設置し食材倉庫付きの電気列車に成り、引っ張る客席車両連結部分は、鉄道地図GPS付きの高出力三本の高出力レールモーターを使用した客車部分単独の列車位置確認装置付の車両の横振れを少なく擦る為の構造に成り、横揺れ吸収の役目も3本の高出力レールモーターで行われ客車の車輪は急カーブ対応の高出力レールモーター使用の線路位置のレールの角度に対応する為のレール位置及びトンネルレール位置の全自動レール車体位置全自動制御出来る客車と列車本社両と客車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２３】
本発明のビルシステムのクリスタルダイヤ硝子ビル周辺の自転車が走行出来る道と自転車道と夢未来都市へ行く地下エレベーターに乗ったり走ったり出来るエアー補助自転車は、長方形アルミニウム亜鉛合金の網金属板の内側に軽量プラスチックと発砲スチロール芯入りの軽量筒とナットリングとハンドル筒ナットのボルトナット固定型のハンドルと自転車胴体車体部筒分は、プラス貯蓄充電池体とマイナス貯蓄充電池体のプラス充電池体とマイナス充電池体を、まるっきり分けた液体マグネシウムと液体シリコンと軽水素トリチウム電子ガスとフロンガス入りビニール超小粒粒子入りの冷却材入りのプラスとマイナスを分けた急速貯蓄充電池体を積載したエアー補助自転車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２４】
本発明のビルシステムのクリスタルダイヤ硝子ビル周辺の自転車が走行出来る道と自転車道と夢未来都市へ行く地下エレベーターに乗ったり走ったり出来るエアー補助自転車は、前輪の高出力電磁誘導発電装置と高出力電磁誘導発電足扱ぎ装置部分によって、自転車が走行する事によって、三つの高出力電磁誘導発電装置によって発電した電気の中の熱抵抗電気取り除き装置の圧電素子4電子磁気分割装置を使って熱抵抗電気部分を取除いた熱抵抗電気の入って無いプラス電気とマイナス電気を別々に急速貯蓄充電出来る高出力電磁誘導発電装置を積載したエアー補助発電装置積載自転車設置の地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２５】
本発明のビルシステムのクリスタルダイヤ硝子ビル周辺の自転車が走行出来る道と自転車道と夢未来都市へ行く地下エレベーターに乗ったり走ったり出来るエアー補助自転車は、自転車車輪のエアー送風装置は、プラスとマイナス別々の貯蓄充電池体の電気を使用して、自転車ハンドル設置のハンドルスイッチと自転車速度メーター設定の最高スピードに対して、足扱ぎ足踏み装置を扱ぐ回転速度によって自転車のエアー送風回転体へ送るエアー送風量が増やす事の出来るモーターへ送る電気量調整スイッチを付けた高出力レールモーター軸取り付けの複数の四角枡の外気空気取り込み型のスクリューエアー官構造の自転車車軸固定のエアー受け水車板によって、エアー自転車の走行補助が出来る装置を内蔵したエアー自転車設置の地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２６】
本発明のビルシステムのクリスタルダイヤ硝子ビル周辺の自転車が走行出来る道と自転車道と夢未来都市へ行く地下エレベーターに乗ったり走ったり出来るエアー補助自転車のブレーキは、高出力電磁誘導発電装置の複数電磁石ブレーキによって止まるブレーキと車輪の部分部分の数か所にゴムブレーキのゴムブレーキ止めの装置と薄板型のステンレス円形を挟み込んで止める圧電素子磁石体入りゴム電磁誘導発電デスク補助ブレーキを取り付けたエアー自転車設置の地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２７】
本発明のビルシステムのクリスタルダイヤ硝子ビル周辺の自転車が走行出来る道と自転車道と夢未来都市へ行く地下エレベーターに乗ったり走ったり出来るエアー補助自転車の貯蓄充電池体は、木材灰入り塩化プラスチック絶縁体に対して鉄筒外側層と軽水素トリチウム電子ガス入り圧電素子磁石体粒子入り液体マグネシウム内蔵シリコン充電池素子体プラス貯蓄充電池体と木材灰入り塩化プラスチック絶縁体に対して鉄筒外側層と軽水素トリチウム電子ガス入り圧電素子磁石体粒子入り液体マグネシウム内蔵シリコン充電池素子体マイナス貯蓄充電池体装置をエアー補助自転車の車体の鉄筒部分の中に内蔵した永遠に交換しない貯蓄充電池体を内蔵したエアー補助自転車を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２８】
本発明のビルシステムのクリスタルダイヤ硝子ビル内の何階かの一室で販売される水耕野菜販売装置は、プラス15度設定の循環濾過冷却水の水の落とし口と循環冷却水と超弱アルコール栄養素水栽培の水耕栽培装置と水耕多種ポット陳列棚の水耕トマトポットと水耕大根ポットと水耕白菜ポットと水耕イチゴポットと水耕行者ニンニクポットと水耕ワサビポットと水耕ゴボウポットと水耕ピーマンポットと水耕春菜ポットと水耕花ポットと水耕玉ネギポットと水耕ナンバンポットと水耕大豆ポットと水耕ジヤガイモポットと水耕ネギポットと水耕キャベツポットと水耕ナスポットと水耕ニラポットと水耕ニンニクポットと水耕ミツバポットと水耕シシトウポットと水耕キュリポットの鋏装置切りの自家取りシステム販売方法と無く成るとポット自体が動いて新しい水耕野菜ポットが出て来る自家取り水耕販売システムの野菜スーパーを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１２９】
本発明のビルシステムのクリスタルダイヤ硝子ビル内の何階かの一室の文房具店で販売されるノート及び本及び広告紙及び包装紙及び包装袋及びプラスチック段ボール箱及びは、全て再生プラスチック紙を使用している燃やさないで再生プラスチック洗浄後の電気熱消毒処理と電気熱加工する再生紙システムに成り、美瑛街使用のノートとして、美瑛街再生プラスチックノート工場製のプラスチックノート紙の右端部分の上下は軽量プラスチック体に填め込む形状のスプリング挟み軽量プラスチック装置によって挟み込んで止めたノートの折り目部分は、雑草灰入り笹葉細切り繊維入りシリコンカバー付き軽量プラスチック糸布入りノート折り目部分のノート構造と軽量雑草灰入りナイロン紐装置は、ノート片側端の中心部に取り付けられて入る生ゴミ灰入りプラスチックカバー付の木材薄リングを取り付けた紐を結んで止める方法とリングの一部を紐の太さが通る隙間を空けた紐に団子結びとして止める手段と紐に異種異形リングを取り付けて、異種異形リングによって止めるノート留め出来る三種類の美瑛街だけ使用のプラスチックノートを用意し設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３０】
本発明のビルシステムのクリスタルダイヤ硝子ビル内の何階かの一室の文房具店で販売される鉛筆は、竹炭と雑草炭と石炭炭を混合合成した鉛筆の八角芯入りの乾燥竹チップと乾燥雑草チップと乾燥レントコーンチップと化学糊剤を混合撹拌して鉛筆状筒にした半割り装置に鉛筆芯をいれて接着した軽量の自然材使用の鉛筆を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３１】
本発明のビルシステムのクリスタルダイヤ硝子ビル内の何階かの一室の文房具店で販売されるプラスチックノートは、超薄再生プラスチック紙に石膏超最微粒子を貼り付けた三層再生プラスチック紙に鉛筆で書いた文字とラインを消す為の装置は、再生ゴムと乾燥麦藁粒子を混合撹拌して固めた麦わら合成の再生消しゴムを文房具店棚装置に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３２】
本発明のビルシステムのクリスタルダイヤ硝子ビル内の何階かの一室の新聞屋の新聞紙は、循環再生紙もしくは、生ゴミを熱水消毒洗浄した無臭無毒の淡水化物を瞬間乾燥撹拌した乾燥粒子を再生紙薄紙に乾燥生ゴミ粒子を天然澱粉糊接着強制機械電気二重金属ニクロム線装置によって乾燥させた色抜きの再生紙を使った新聞紙を使用した新聞印刷システムの新聞広告紙配布購読の新聞屋を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３３】
本発明のビルシステムのクリスタルダイヤ硝子ビル内の何階かの一室の雑貨屋のテッシュペーパー紙は、循環再生紙もしくは、生ゴミを熱水消毒洗浄した無臭無毒の淡水化物を瞬間乾燥撹拌した乾燥粒子を再生紙薄紙に乾燥生ゴミ粒子を天然澱粉糊接着強制機械電気二重金属ニクロム線装置によって乾燥させた色抜きまたは色抜きしない再生紙を使ったテッシュペーパーを販売棚に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３４】
本発明のビルシステムのクリスタルダイヤ硝子ビル内の何階かの一室の新聞屋のパンフレット広報文字画像ライン重ね放送システムは、クリスタルダイヤ硝子ビル周辺の個々の個人宅のみに送れる高出力山岳ヘリコプター電波中継装置付のスクリュー無線波送受信装置付の絵文字暗号数字並びのスクリュー無線波使用の個人宅使用の個個の個人スクリュー波無線番号と美瑛街全体に届く共通スクリュー無線絵文字暗号番号の簡略映像音声波を個人宅の高出力送受信装置の新美瑛街の新聞屋の文字情報措置に於いての文字放送とアルゴンガス軽水素内蔵プラスチックビニール内蔵画像パネル付きの無線送受信装置を作動させる為の装置を備えた電波受信体用の固形窒素と軽水素トリチウム電子ガス入りの圧電素子磁石体粒子入りのクリスタルダイヤ硝子ビル一部本体パネルアンテナ内蔵の半永久に壊さないビルを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３５】
本発明のビルシステムのクリスタルダイヤ硝子ビル内の何階かの一室の別の美瑛街だけの生鮮魚陳列棚システムは、生鮮魚外気遮断の高出力エアーカーテン発射装置は、カラー光ライン光遮断の人の手認識の部分的高出力エアーカーテンの速度を遅くする事の出来るカラー光ラインの人の手及び義手の手及び全自動ロボットの手の全自動認識装置によって、高出力エアーカーテンスピードを全自動電気配線送電の全自動スイッチ切り換え調整が出来る生鮮魚陳列棚システムを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３６】
本発明のビルシステムのクリスタルダイヤ硝子ビル内の何階かの一室の別の美瑛街だけの生鮮魚陳列棚システムの光反射低温光連絡装置は、通常ライト光及び高出力発光LEDライトの熱反射エネルギーによる生鮮魚の劣化作用を少なくし、ゼロに近い光温度プラスマイナスゼロに近い光を送る為、発光LEDライト光の光を冷却水槽の中に通した上での無温度光を反射板または反射板鏡装置を使った生鮮魚の無温度光のライト反射板照射装置を内蔵した循環冷却水が流れる生鮮魚陳列棚システム設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３７】
本発明のビルシステムのクリスタルダイヤ硝子ビル内の何階かの一室の別の美瑛街だけの生鮮魚陳列棚システムの超小型高出力コンプレッサー使用の生鮮魚外気遮断エアーカーテン装置の固形フロン内蔵の高出力レールモーター内蔵の冷蔵庫を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３８】
本発明のビルシステムのクリスタルダイヤ硝子ビル内の何階かの一室の別の美瑛街だけの理髪店の待ち時間に受ける事の出来るサービスは、人が椅子に座った状態で頭部分に被る頭皮に対しての陽電子陰電子細胞電気分解細胞活性化装置は、頭皮の劣化した赤血球細胞の電気抵抗の無い圧電素子4電子磁気分割装置を使った通常電気中の熱抵抗磁気電気のみを配線を使って取り除き磁気圧の強い熱抵抗電気を取除いた熱抵抗の無い電気を使用した体内で電気抵抗の無いプラスとマイナス電気のぶつかり合いの低い温度の電気抵抗無の電気分解マッサージ治療サービスを受ける事が出来て、背もたれ上下移動の放射線飛散防止のレントゲンサモーカメラによって簡単なレントゲン検査と体の低血圧高血圧検査サービスを受ける事の出来る装置設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１３９】
本発明のビルシステムのクリスタルダイヤ硝子ビル内の何階かの一室の別の美瑛街だけの花屋で使用する花入れポットの4分の1部分が透明塩化プラスチックに成り、残り4分の3は多色カラーそれぞれの竹灰入り軽量塩化プラスチック花入れ部分と花入れ口1センチ幅の透明塩化プラスチックと花入れ口上部に2カ所に指掛け輪軽量塩化プラスチック輪を取り付けた花入れ底は網穴付の花入れ装置を商品棚に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４０】
本発明のビルシステムのクリスタルダイヤ硝子ビル内の何階かの一室の別の美瑛街だけの衣料服店に設置する衣料服の全自動オーダーメイド作成装置の全自動高出力CCDカラーライトライン位置連絡装置は、上下左右移動のカラーライトライン光放射装置によって人の形状を図り、上下左右移動の放射線飛散防止のサモーレントゲン切り替えカメラによって、人の体温形状と低血圧及び高血圧のサービス検査とレントゲンカメラの人の形状とレントゲン検査のサービス検査が出来る全自動オーダーメイド作成装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４１】
本発明のビルシステムのクリスタルダイヤ硝子ビル内の何階かの一室の別の美瑛街だけの著作権契約の楽器レコードCDカードMD店に置かれているMD装置は、多層式圧電素子磁気内蔵カード8カ所と表裏CD六角空洞付きMD装置に成り、CDの中心部分はズレ防止の丸穴から六角形形状穴に変えた多くの画像と多くの音楽を入れたり聞いたり見たり出来る多層式の竹灰入り再生硝子超微粒子軽量圧電素子カード内蔵の表裏両面のMD装置を使用した再生装置使用の宣伝及び著作権料金契約の映像音楽装置データーを美瑛街地区内の番号設定の送受信装置を備えた家庭へ音楽映像を送る事の出来るシステムを備えた著作権契約の楽器レコードCDカードMD店を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４２】
本発明のビルシステムのクリスタルダイヤ硝子ビル内の何階かの一室の別の美瑛街だけの本屋は、著作権料金支払いの上で立ち読み又は椅子に座って読めるカラーライト点滅兼本読みライトは、高出力発光LEDライトは一つのライトランプに対して点滅ライト上部分と下向きの反射板付の高出力発光LEDライト付きの本棚システムと高出力ライトカメラ設置と音声認識の天上吊り下げ高出力縄型モーター使用の全自動人の立つ位置認識及び座る位置認識の全自動移動と人の口元の高さの全自動認識の高出力マイクを設置し、全自動本届けロボットを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４３】
本発明のビルシステムのクリスタルダイヤ硝子ビル最上階の一戸建てハウスの柱とパネル板は、六角形柱のクリスタルダイヤ硝子入り竹材と再生木材入り合板で囲んだ六角形クリスタルダイヤ硝子芯入り乾燥竹チップと再生木材チップを混合合成した混合合成材の柱とパネル床板とボルトナット及び組み立て金具及び免震金具によって組み立てられる一戸建てをクリスタルダイヤビルの屋上に一戸建て家を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４４】
本発明のビルシステムのクリスタルダイヤ硝子ビル最上階の一戸建てハウスの柱とパネル板は、八角形柱のクリスタルダイヤ硝子入りの再生合板チップを巻いたクリスタルダイヤ硝子芯入り再生合板柱とクリスタルダイヤ硝子芯入り再生合板とボルトナット及び組み立て金具及び免震金具によって組み立てられる一戸建てをクリスタルダイヤビルの屋上に一戸建て家を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４５】
本発明のビルシステムのクリスタルダイヤ硝子ビル最上階の一戸建てハウスの柱とパネル板は、十字鉄筋筒に低温の雑草灰入り軽量陶器を十字鉄筋に被せて低温で焼いて冷めた軽量陶器の被さった芯柱に対して再生板チップと再生合板チップを混合合成した材料を十字鉄筋に軽量陶器を被せた芯柱に再生木材チップで囲んで化学糊で固めて圧縮して柱とパネル板にした材料を使ってボルトナット及び組み立て金具及び免震金具によって組み立てられる一戸建てをクリスタルダイヤビルの屋上に一戸建て家を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４６】
本発明のビルシステムのクリスタルダイヤ硝子ビル最上階の一戸建てハウスのクリスタルダイヤ硝子芯入り合成木材は、土台のクリスタルダイヤ硝子芯入り乾燥竹チップと再生木材チップ化学糊混合圧縮合成の合成柱に取り付ける金具は、鋼鉄鋼製の90度方向と縦方向の三点のクリスタルダイヤ硝子芯入り乾燥竹チップと再生木材チップ化学糊混合圧縮合成の合成柱の端は、クリスタルダイヤ硝子芯に予めボルト穴が空けられている構造または合成木材の端部分にクリスタルダイヤ硝子に鋼鉄鋼金属ボルト穴空き平板を取り付け乾燥竹チップ材と乾燥再生木材チップと化学糊で、固定した合成柱材にボルト穴を空けた構造の柱を三方の合成柱木材差し込み留めボルトナットによって固定した免震受け填め込み台を免震装置に固定した一戸建てを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４７】
本発明のビルシステムのクリスタルダイヤ硝子ビル最上階の一戸建てハウスの屋根桟木と屋根底板の固定方法として、ギザ山三角矢じりによって屋根底板と屋根桟木を固定する装置は、乾燥竹チップと乾燥雑草チップと乾燥レントコーンチップと化学糊を混合合成したチップ材を、グラスフアイバー芯板に被せて接着圧縮した板または木材桟木に成り、屋根板と屋根桟木の他の固定手段として、金具ボルトナットとL字カギフックボルトナット式固定の他、細ワイヤボルトナット止め等の手段によって、屋根の風飛び風よけグラスフアイバーフード対策とした一戸建てハウスを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４８】
本発明のビルシステムのクリスタルダイヤ硝子ビル最上階の一戸建てハウスの屋根板は、屋根板と屋根桟木との切込み釘止めの他、スクリューネジのW固定と十字錐板付き釘の化学糊留め接着として、細浅溝に化学糊を予め入れた桟木に穴印付きの屋根板を填め込み専用釘で固定する方法を使った一戸建てハウスを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１４９】
本発明のビルシステムのクリスタルダイヤ硝子ビルの医療施設で施設で使用される粒子状固形石鹸は、小さな固形の円球体の竹灰入りトリクロカルバン及び海水塩及びフッ素及び炭酸カルシウムと乳脂肪及びエタノール乳脂混合材及びグリセリン及び竹質液等の混合粒子石鹸を五角形状のプラスチックビニール枡に入れてネジ蓋をして所定量二段ストッパー形状の五角形状のプラスチックビニール装置の五角形先端が粒子状石鹸の取り出し口に成り、背面側の面は壁留めプラスチックビニール板が差し込める形状の壁留め装置が予め粒子石鹸取り出し装置に組み込まれている未来の美瑛街の医療施設で使用する粒子石鹸の内容物種類と粒子石鹸を入れる箱装置形状を説明した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５０】
本発明のビルシステムのクリスタルダイヤ硝子ビルの医療施設で施設で使用される介護シニア靴下は、竹灰入りのテトロン綿糸布靴下の地面に中る前部分とかがと部分に竹灰入りビニールゴムの複数ラインのすべ止めシートを貼り付け縫い込みしたプラスチック床フロアー及び合板床フロアー及び合成木材板床フロアー及び木材化粧板床フロアー及びクリスタル硝子床フロアーの滑り留め防止靴下を備えた介護施設を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５１】
本発明のビルシステムのクリスタルダイヤ硝子ビルの医療施設で施設で使用される介護シニア外出靴は、靴の革は、竹灰入りビニール薄シートに対して薄革二枚を竹灰入りビニール薄シート両面に貼った防水革装置を、靴の革構造体とし、靴のかがとは竹灰入りプラスチックゴムパネルシートと竹灰入りビニールシートと竹灰入りプラスチックシートと竹灰入りビニールゴムシートと竹灰入りビールシート全体カバー内蔵の低圧縮発砲スチロール薄パネルシート等の重ねた靴の後部のかがと部分と靴の曲がりを良くする為の、一部竹灰入りビニール靴底とそれに一体として連なる竹灰入りプラスチックゴム底の靴底に、半防水の靴中までは水がまたは雨水がしみ込まない二枚合わせの革の中に軽量防水シートを内蔵したやや軽めの介護シニア外出靴を備えた介護施設を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５２】
本発明のビルシステムのクリスタルダイヤ硝子ビルの医療施設で施設で使用されるリハビリ装置の2人打ちの高出力レールモーター使用の4段階スイッチの指タッチ型の高出力レールモータースイッチハンドルによって、鉛アルミニウム鉄合金とシルバーに近い色のナットボルト留めの半球型ともう片割れ半球の銅鉄アルミニウム合金の金色に近い玉の中に二層絶縁体のプラス極とマイナス極を別々に分けた充電池体と4個の高出力発光LEDライト玉を内蔵した4種類のライト光を光らせた合金金属球で2人打ちの医療介護パチンコ機を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５３】
本発明のビルシステムのクリスタルダイヤ硝子ビルの医療施設で施設で使用されるリハビリ装置の2人打ちのパチンコ装置の4色の光るライト玉は、ナットボルト締め付け構造の2個の半球それぞれに、2層絶縁体と絶縁体クッションシートを使ったプラス極とマイナス極別々の軽水素トリチウム電子ガスと液体マグネシウム固形窒素の圧電子磁石体粒子入りシリコン体を使った急速充電池体構造の充電池体と二つの充電池体ナット型充電池体とボルト型充電池体それぞれに電気を流す為の銅板にピアノ線を入れた銅板スプリング電気接続体を取り付けた充電池体2個のナットとボルト形状に従って締め付け、締め付けカ所４カ所の所のナット線周囲4カ所の窪みに熱鉛を流して平らにしたプラス充電の為の針穴とマイナス充電の為の針穴の二カ所の充電池の充電針穴を取り付けた光る4カ所の高出力ライト玉使用の2人打ちのパチンコ装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５４】
本発明のビルシステムのクリスタルダイヤ硝子ビルの医療施設で施設で使用されるリハビリ装置の2人打ちのパチンコ装置の発電装置は、パチン機械の後ろの電気熱を瞬間吸収して磁気電気変換出来る軽水素トリチウム電子入り圧電素子磁石体粒子入りシリコン熱瞬間吸収発電シートとパチンコの玉の落ちて当たる複数ステンレス穴空きシートを被せた軽水素トリチウム電子ガス入りの圧電素子磁石体を更に防護した軽水素トリチウム電子ガス入りの圧電素子磁石体粒子入りビニールゴムを更に被せた高出力圧電素子磁石体に複数穴空きのアルミニウムゴム体を設置する事で、高出力圧電素子磁石体の圧電効果発電を可能にしたW発電装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５５】
本発明のビルシステムのクリスタルダイヤ硝子ビルの医療施設で施設で使用されるリハビリ装置の2人打ちのパチンコ装置のガラスは、一枚をクリスタルダイヤ硝子体にしてもう一枚外側を、プラスチック硝子の割れない硝子事故を防ぐリハビリパチンコ装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５６】
本発明のビルシステムのクリスタルダイヤ硝子ビルの医療施設で施設で使用されるリハビリ装置の2人打ちのパチンコ装置のチューリップ開閉賞球装置は、逆さチューリップ装置を使用する事で、パチンコ玉の入賞数をパチンコ釘以外のチューリップ無の扉絵または、Uの字振り子型玉キャッチ型の合板パチンコ穴入賞システムと鳥の嘴の磁石体装置が、入賞玉を運んで入賞させる高出力棒状レールモーターを使ったパチンコ入賞システム装置内蔵の介護パチンコ機を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５７】
本発明のビルシステムのクリスタルダイヤ硝子ビルの医療施設で施設で使用されるリハビリ装置の2人打ちのパチンコ装置は、数珠繋ぎ釘に必ず入賞穴を設け、チューリップの中に二種類の入賞穴を設けたパチンコ玉の払い出しを二種類と入る個数によって、ストーリーバージョンを変える事の出来るパチンコ入賞数データー設定30分システム回路を設置したパチンコ入賞システム装置内蔵の介護パチンコ機を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５８】
本発明のビルシステムのクリスタルダイヤ硝子ビルの医療施設で施設で使用されるリハビリ装置の2人打ちのパチンコ装置は、恋人選択アタック入り口と別世界入り口と海外研修旅行入口と再婚アタック入り口と漁業国アタックゲート固定口と青春アタッカーゲート入り口と三角関係アタックゲート入り口と農業国ゲート入り口と再復活アタッカーゲート入口と再アタックハート入り口とマネージャー呼び出し入口の入賞点数を決める先抽選接続型のストーリー回路パネル装置内蔵の介護パチンコ機を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１５９】
本発明のビルシステムのクリスタルダイヤ硝子ビルの医療施設で施設で使用されるリハビリ装置の2人打ちのパチンコ装置は、放射線飛散防止パネル付きのサモーレントゲンCTスキャンカメラと医療データー入力多層式カードと送受信アンテナ装置によって、医療データーを作成できる装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６０】
本発明のビルシステムのクリスタルダイヤ硝子ビルの医療施設で施設で使用されるリハビリ装置の2人打ちのパチンコ装置の電源は、高出力水素水永久発電機と高出力発電回路と高出力電磁誘導発電装置積載の4連振り子型機械式永久発電機を積載した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６１】
本発明のビルシステムのクリスタルダイヤ硝子ビル近郊の砂岩の丘の地下の砂岩石切後の砂岩石を折って引き出す装置は、高出力2連結以上モーターを4つ並べて、楔鑿を震わせる為の往復反転型モーター震動装置は、モーター中太軸に両板を溶接で取り付けた装置に、アルミニウム板プラスチックゴム板とステンレス板の三層多層重ねシートパネルに往復反転型モーター震動装置の羽を4個別々に打ち付け反転作動の連続した往復作動と楔鑿先を高出力レールモーターホイスト等装置によって押す事によって、砂岩石を折って、専属の鋼鉄鋼高出力レールモーターホイストカギ¬装置によって、砂岩石を引き出して専用の石を高出力レールモーターホイト石挟み装置によって、砂岩石をトンネル内から全自動で引き出す事の出来る全自動機械装置を設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６２】
本発明のビルシステムのクリスタルダイヤ硝子ビル最上階の一戸建てハウスは、高出力電磁石反発型筒免震装置6個を設置し、床形状が長方形の斜め対面の角を丸角にした2階建と3階部分には、丸屋根の子供部屋を設置し、蝶番付きの引き戸装置の木枠丸窓及び合成木材枠丸窓と木枠六角窓と合成木材木枠六角窓の二つ割り引き戸窓及び丸窓の引き窓及び六角窓の引き窓及び軸反転移動開閉型の部分硝子移動窓方式の今までに無い窓形状を長方形の斜め対面2カ所に伸縮非常脱出用のモーター梯子を設置し更にスクリューエアーカーテン装置を設置した3階の合成木材組み立ての免震機能付きハウスをクリスタルダイヤ硝子ビル最上階に設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６３】
本発明のビルシステムのクリスタルダイヤ硝子ビル近郊の2階建て観光電気バスは、高出力水素水永久発電機を積載した高出力モーター電気バスに成り、世界初の中折れ式の金属細鉄筋入り竹灰入りプラスチック硝子蝶番ピン留め装置使用の中折れの高出力レールモーター太軸使用の、前4輪の高出力レールモーターステアリングと後2輪の高出力レールモーターステアリングと前4輪の高出力レールモーターサスペイションホイスト後4輪の高出力レールモーターサスペイションホイスト構造の道路路面状況データーを予め道路路面状況データーベースに予めインプットデーター入力した道路路面事前走行の複数山岳ヘリコプターの三角点の全自動位置出し技術によって割り出される道路設定位置に対して、高出力カラーライトラインカメラ装置の位置全自動認識装置によって、道路の電気バス位置を音声連絡してくれる山岳ヘリコプター道路地図設定幅位置認識の音声連絡可能な電気走行バスを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６４】
本発明のビルシステムのクリスタルダイヤ硝子ビル近郊の2階建て観光電気バスは、全面クリスタルダイヤ硝子4個の複数ボルトナット留め型の楕円形のステンレス亜鉛ボルトナット穴空き楕円板を内蔵した楕円形クリスタルダイヤ硝子4個を、全面硝子にして、ボルトナット留めのビニールゴムパッキンを使用して固定した楕円形4つのクリスタルダイヤ硝子とクリスタルダイヤ硝子を保護する為の多層式衝撃吸収プラスチックゴムとビニールゴムとプラスチックビニールゴムとシリコンビニール4種類重ねゴムの衝撃吸収ゴムバンパを積載した2階建て観光電気バス設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６５】
本発明のビルシステムのクリスタルダイヤ硝子ビル近郊の2階建て観光電気バスは、全面クリスタルダイヤ硝子ラインとプラスチック硝子ラインを交互にした硝子4個の複数ボルトナット留め型の楕円形のステンレス亜鉛ボルトナット穴空き楕円板を内蔵した楕円形クリスタルダイヤ筋プラスチック硝子4個を、全面硝子体にして、ボルトナット留めのビニールゴムパッキンを使用して固定した楕円形4つのクリスタルダイヤ筋プラスチック硝子とクリスタル硝子を保護する為の非常緊急スクリューエアーブレーキを積載した2階建て観光電気バス設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６６】
本発明のビルシステムのクリスタルダイヤ硝子ビル近郊の2階建て観光電気バスは、全面クリスタルダイヤ硝子二枚の中にビニール硝子内蔵のクリスタル硝子4個の複数ボルトナット留め型の楕円形のステンレス亜鉛ボルトナット穴空き楕円板を内蔵した楕円形プラスチック硝子内蔵の二枚合わせクリスタルダイヤ硝子4個を、全面硝子にして、ボルトナット留めのビニールゴムパッキンを使用して固定した楕円形4つの楕円形プラスチック硝子内蔵の二枚合わせクリスタルダイヤ硝子を保護する為の、全自動カメラ被写体距離認識の高出力CCDパネルの高出力ダイオード光度計測回路によって被写体車間距離の全自動設置によって、電気バスの車間距離維持の為のバス電気モーターの全自動車間距離維持スピードを可能にしたバスのライトカメラと雪道及び雨道及び煙道及び暗がり道をより安全に走行する為の放射線飛散防止パネル付きサモーレントゲンWカメラを積載した2階建て観光電気バス設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６７】
本発明のビルシステムのクリスタルダイヤ硝子ビル近郊の2階建て観光電気バスの横窓装置は、丸窓の銅鉄アルミニウム鉛合金のバス窓枠を取り入れた硝子窓と高出力レールモーター使用の窓ガラスが上に上がる硝子レール付の円形高出力レールモーター窓装置とスクリューエアー外気遮断カーテンボタン切り替え装置付の窓装置と出入り口ドアは、通常の長方形ドア形状から、やや斜めの平行四辺形ドア形状の高出力レールモーターホイストを使用した前ドアに成り、運手席側は、後ろ横に引っ張る構造の車体に沿って移動する5角形ドア構造の高出力モータードアを内蔵した2階建て観光電気バス設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６８】
本発明のビルシステムのクリスタルダイヤ硝子ビル近郊の2階建て観光電気バスの後ろ窓装置は、後ろ屋根カット型の後ろ窓一階の天上から30センチまで、クリスタルダイヤ硝子製の1メートルの幅が天上からしたまでストレートクリスタルダイヤ硝子にして両サイドを筋状の縦カット硝子組み合わせ形状の亜鉛鉄ボルトナットパネル付きのビニールゴムシート取り付けの複数ボルトナット固定型の後ろ窓に成り、二階半分下は、日除けの為のカラープラスチック板を横筋状に入れた日除け帯を入れたクリスタルダイヤ一部縦カットの窓ガラス形状にした装置と2金属ニクロム電熱線入り高出力レールモーター1本ワイパー積載の2階建て観光電気バス設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１６９】
本発明のビルシステムのクリスタルダイヤ硝子ビル近郊の2階建て観光電気バスの塗料は、太陽熱遮断の個形窒素入り熱遮断塗料を使ったペンキ塗料使用の2階建て観光電気バスと2階建て観光電気バス6本ステアリング道路全自動位置補助装置は、2階建て観光電気バス地上高50センチメートルの位置と周囲1メートル間隔に高出力カラーライトラインカメラ装置を取り付け、前車両と後部車両それぞれの道路位置を全自動確認認識出来る山岳ヘリコプター全自動3角点位置割り出しが出来る中折れ二階建バスに成り、中央の中折れ部分は、高出力レールモーター軸回転全自動補助型のモーター軸地図位置全自動把握認識が出来る半分自動の手動式ハンドル操作によって、走行可能な高出力モーター中折れ全自動制御型の2階建て観光電気バス設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【請求項１７０】
本発明のビルシステムのクリスタルダイヤ硝子ビル近郊の2階建て観光電気バスのウインカーは、プラスチックビニール硝子カバーのビニールゴムパッキン使用の高出力発光LEDライト玉6個使用のリレーウインカーのバス上部使用のウインカーと下部の多層式衝撃吸収4種類ゴムバンパ体の中に入れた小灯ライトウインカーの上下二段にウインカーを取り付けた全面ウインカーと後部ウインカーとブレーキランプ一体型装置は、矢印ウインカーと縦ブレーキランプの一体型の高出力発光LEDライト玉使用のウインカーブレーキのプラスチックビニール硝子のウインカー照度弱調整装置付のウインカーブレーキランプとバックライトと高出力ライトカメラを多層式衝撃吸収4種類ゴムバンパの中に取り付けた2階建て観光電気バスを設置した地下美瑛街の人生一生を同じビルで何世代も暮らす事の出来る請求項1記載の衣食住生活全自動システムと介護半自動システムが、全て集結している200年保障の免震機能付き鉄骨入りクリスタルダイヤ硝子ビル周囲地上地下システム。
【発明の詳細な説明】
【技術分野】
【０００１】
本発明は、一般社会の推進している財産年数100年位と言われて入るコンクリートに変わって太陽光劣化の無いとも言われている200年以上保障と考えられるクリスタルダイヤ硝子の鋼鉄鋼材入り鋼鉄鋼ボルトナット留めの高出力電磁石反発の地上の2分の1の階数が地下ビルの免震装置付のクリスタルダイヤ硝子ビルと終身介護と周辺の自給自足地下魚介類全自動養殖システムと地下水耕菜園を賄う永久発電機と永久電池に伴う永久自給自足社会に関する説明。
【背景技術】
【０００２】
従来のコンクリートは、太陽光劣化と風雨雪劣化等によるビル及び道路関係の雨水管と下水管と生活用水管のコンクリート製品は、公共事業の国の予算経費及び都道府県市町村の予算と言う弱者国民から高額所得者までの税金によって作られて来たが世界遺産に成り得る公共事業作品が無い為、壊しては作りの繰り返しによって国の全借金1000兆円までに成り、やがて来る鉄道のコンクリート製品の劣化及び高速道路のコンクリート製品の劣化及びコンクリート下水道雨水管の劣化に伴う
交換の時期が、やがて来る日の為の対策知的所有財産技術説明。(例えば特許文献26参照。)。(特許文献43参照。)。
この他、鉄製水道官と浄水場のコンクリート製品にも、太陽光劣化年数が有る為、交換を余儀なくされる事に成る。
【０００３】
従来の介護施設では、おそらく免震機能の無い一戸建て形式及びマンション形式の介護施設の劣化年数が有る為、介護費に加算され低所得者では、介護施設に入れない平成25年8月16日の事実事情に成る。(特許文献37参照。)。(特許文献40参照。)。
【０００４】
この他、2013年8月16日現在ガソリンは、1リッター160円超えの時代突入に成り、税金も益々上がるだけの時代が来ており、アメリカ合衆国では、通常天然ガスと石油と石炭を全て掘り終え全て使用し、掘削困難とされた天然ガスを掘り始めて入るが軈て資源の枯渇時代へ向かうだけの時代の疑問視で。
(特許文献10参照。)。(特許文献16参照。)。(特許文献20参照。)。(特許文献24参照。)。(特許文献44参照。)。(特許文献48参照。)。(特許文献50参照。)。
【０００５】
以下、図1、図3、図4、により従来のコンクリート鉄筋ビルの説明をする。図1に於いて、5の台形型免震コンクリートビルは、コンクリート劣化を遅らせる4のコンクリート劣化防止パネル付きのコンクリートビルの地震の対処として、地上四階分を地下ビル構造にした構造に対して、ゴム免震または、ゴム免震改良型の欠点に地下の根入りが少ない為、万が一の地震事故対策の根入り不足と考えられ、万が一免震装置が壊れた場合などでは、根入り地下ビル対策手段が安全第一番と考え図3と図4では、コンクリート劣化防止パネルを貼り付けた上での、陶器パネル貼り付け技術説明としている。
【先行技術文献】
【特許文献】
【０００６】
【特許文献１】特許公開2013―102688号国の全額借金返済と都道府県市町村区の全額借金返済の為の多機能電気トラクターの著作権原本。
【０００７】
【特許文献２】特許公開2013−094057号国の全額借金返済と都道府県市町村区の全額借金返済の為の世界最速の超電導リニアーモーターカーシステム全体の著作権発明原本。（企業と国及び都道府県市町村が特許権で無い企業の特許提出によって世界最速の超電導リニアーモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【０００８】
852
【特許文献３】特許公開2013―093896号国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【０００９】
【特許文献４】特許公開2013―091570号国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【００１０】
【特許文献５】特許公開2013―091323号国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１１】
【特許文献６】特許公開2013―090948号地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本（北海道知事著作権郵便物受理書付）
【００１２】
【特許文献７】特許公開2013―083268号地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【００１３】
【特許文献８】特許公開2013―082448号国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００１４】
【特許文献９】特許公開2013―078656号地方経営の工場の国の全額借金返済と都道府県市町村区の全額借金返済の為の知的所有財産のスピーカー振動ゴミ取り機能付き掃除機著作権原本
【００１５】
【特許文献１０】特許公開2013―077576号国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１６】
【特許文献１１】特許公開2013―070618号国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【００１７】
【特許文献１２】特許公開2013―067654号国の全額借金返済と都道府県市町村区の全額借金返済の為の知的所有財産の夏専用の果物香料入り冷却ハンドクリームと冬専用の果物香料入りの暖房ハンドクリームの著作権原本。（企業と国及び都道府県市町村が特許権で無い企業の特許提出によって夏専用の果物香料入り冷却ハンドクリームと冬専用の果物香料入りの暖房ハンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１８】
【特許文献１３】特開2012―236606号国の全額借金返済と都道府県市町村区の全額借金返済の為の知的所有財産の多機能電気観光船著作権原本
【００１９】
【特許文献１４】特開2012―236605号国の全額借金返済と都道府県市町村区の全額借金返済の為の知的所有財産の多機能電気モータープロペラ飛行機原本
【００２０】
【特許文献１５】特開2012―210703号国の全額借金返済と都道府県市町村区の全額借金返済の為の多機能インプット全自動ロボットの著作権原本。コメント２００８年８月３０日ＡＭ１時１６分１１秒原本図面幾らかコピー取って眠る美馬牛カンキチ。２００８年９月４日ＰＭ１７時４９分４７秒多機能ロボット図面とロボット原本図を作り終えて、漸く再び書き始める美馬牛カンキチ。
【００２１】
【特許文献１６】特開2012―187001号テレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機（半永久連続作動発電機）
【００２２】
【特許文献１７】特開2012―170063号公序良俗違反のため、不掲載とする。
【００２３】
【特許文献１８】特開2012―166951号公序良俗違反のため、不掲載とする。
【００２４】
【特許文献１９】特開2012―140584号公序良俗違反のため、不掲載とする。
【００２５】
【特許文献２０】特開2012―120440号国の全額借金返済と都道府県市町村区の全額借金返済の為の多機能電気自動車著作権原本コメント２００８年６月２５日ＰＭ１４時５３分８秒大雪山がくっきりはっきり見える程のそよ風びよりの快晴の美馬牛市街地余り会えない親戚に自宅横の窓際で会える事と相なる。美馬牛カンキチ。
【００２６】
【特許文献２１】特開2012―116727号国の全額借金返済と都道府県市町村区の全額借金返済の為の知的所有財産の最速スクリュー水電気消防装置著作権原本。
【００２７】
【特許文献２２】特開2012―108140号国の全額借金返済と都道府県市町村区の全額借金返済の為の知的所有財産の化石燃料一切必要としないレントゲンカメラ放射線飛散防止パネル装置著作権原本
【００２８】
【特許文献２３】特開2012―101790号国の全額借金返済と都道府県市町村区の全額借金返済の為の知的所有財産のワンタッチ全自動エアー浮輪著作権原本２００８年５月２日ＰＭ１７時３９分１７秒美馬牛夕食後書く墫野
【００２９】
【特許文献２４】特開2012―099506号燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機）
【００３０】
【特許文献２５】特開2012―097559号国の全額借金返済と都道府県市町村区の全額借金返済の為の知的所有財産の化石燃料一切必要としない高速瞬間気化処理除雪車著作権原本コメント２００８年５月１３日ＰＭ２３時４３分１０秒墫野ニャン本日ここまで眠る。２００８年５月１４日ＡＭ１１時４４分５１秒部屋の掃除朝風呂洗濯後から書く墫野
【００３１】
【特許文献２６】特開2012―097558号国の全額借金返済と都道府県市町村区の全額借金返済の為の知的所有財産の固形窒素プラスチックグラスフアイバーパネル著作権原本
【００３２】
【特許文献２７】特開2012―094548号国の全額借金返済と都道府県市町村区の全額借金返済の為の知的所有財産の光りフアイバーブラウン官テレビ著作権原本
【００３３】
【特許文献２８】特開2012―077607号国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００３４】
【特許文献２９】特開2012―056558号パワーアップハイブリッド車
【００３５】
【特許文献３０】特開2012―052788号公序良俗違反のため、不掲載とする。
【００３６】
【特許文献３１】特開2012―011211号国の全額借金返済と都道府県市町村区の全額借金返済の為の全自動最速電気洗濯乾燥機著作権原本（コメント）２００８年５月１７日ＰＭ１７時１０分５秒１００円引きのリンゴ食べ再び書く墫野。
【００３７】
【特許文献３２】特開2011―233228号多機能ビデオ著作権原本
【００３８】
【特許文献３３】特開2011―215148号電子熱核燃料原石核融合発電と放射能廃棄物処理方法。コメント２００８年６月１９日（木）ＰＭ１４時１７分３４秒薄曇りのまま美馬牛市街地先程は見かけぬ客人の鳥が来ていた明日給料日カンキチ原子力処理装置先知的所有財産書き急ぐ事する。
【００３９】
【特許文献３４】特開2011―209290号多目的カーナビゲイション著作権原本と都道府県市町村区と国の全額借金返済と弱者自立社会を目指す為の２００１年からの道民財産著作権原本
【００４０】
【特許文献３５】特開2011―205895号多目的カーナビゲイション著作権原本と都道府県市町村区と国の全額借金返済と弱者自立社会を目指す為の２００１年からの道民財産著作権原本
【００４１】
【特許文献３６】特開2011―205675号多機能携帯電話装置原本
【００４２】
【特許文献３７】特開2011―202498号一戸建て免震装置著作権原本及び国の全額借金返済と都道府県市町村区の全額借金返済と弱者自立と救済の著作権技術説明の２００１年からの道民財産著作権
【００４３】
【特許文献３８】特開2011―155267号超軽量高出力発電人工衛星
【００４４】
【特許文献３９】特開2011―105307号未来的電気自動車
【００４５】
【特許文献４０】特開2011―064060号日本の弱者国民救済の地震対応型の多機能発電ハウスシステム
【００４６】
【特許文献４１】特開2011―060294号発電タッチパソコン
【００４７】
【特許文献４２】特開2010―171943号多機能新技術携帯電話
【００４８】
【特許文献４３】特開2010―165355号国の９００兆円越えの借金全額返済の為の世界最新の公共事業対策装置
【００４９】
【特許文献４４】特開2006―254697号全レールモーター制御無害無給油発電機を、使用した電気自動車
【００５０】
【特許文献４５】特開2004―304993号一度に複数の電気配線と複数の電気コイルを持ち得た焼けないで力のあるモーターのあり方。
【００５１】
【特許文献４６】特開2004―304992号一度に複数の電気配線と複数の電気コイルを持ち得た焼けないで力のあるモーターのあり方。
【００５２】
【特許文献４７】特開2004―135480号自動充電池
【００５３】
【特許文献４８】特開2003―328925号真空装置と機械式発電機を、使った水だけの発電機
【００５４】
【特許文献４９】登録実用新案第3168043号高出力発電７連結以上モーター
【００５５】
【特許文献５０】登録実用新案第3145963号省エネルギー水気化水発電機（別名水発電機）
【００５６】
【特許文献５１】登録実用新案第3114491号二連結以上モーター
【発明の概要】
【発明が解決しようとする課題】
【００５７】
以上述べた従来のコンクリートビルでは、4のコンクリート劣化防止パネルも無く、根入りの深い9の電磁石反発免震装置も無く、18の鋼鉄鋼鉄筋も無い為、コンクリートの劣化を防ぐ対策も無いコンクリートビルばかりに成り、世界遺産の1000年超えのコンクリート建造物は、現在日本に無いと考えるしか無かった。
【００５８】
本発明は、この様な従来の構造が有していた問題を解決するもので有り、コンクリートビルからクリスタルダイヤ硝子の鋼鉄鋼台の鋼鉄鋼ボルトナットの複数固定の世界遺産に近づける様な建造物と製品を作る事を目的とするもので有る。
【課題を解決するための手段】
【００５９】
そして、本発明は上記目的を達成する為に鋼鉄鋼鉄筋入りコンクリートから鋼鉄鋼複数ボルトナット留め板入り、クリスタルダイヤ硝子の基礎とクリスタルダイヤの鋼鉄鋼基礎のコンクリート劣化防止パネルの鋼鉄鋼鉄筋入りコンクリート床地下4階に成り、地下3階以上は、鋼鉄鋼板張鉄骨の鋼鉄鋼ボルトナット留め構造に成り、地下3階以上は、天上床に敷並びさせる30センチメートル床厚の端端のクリスタルダイヤ硝子床の鋼鉄鋼ボルトナット留め床板はクリスタルダイヤ硝子に鋼鉄鋼留めボルトナット穴空き鋼鉄鋼板に成り、全体の中心重心を支える為の、円柱筒形状のネジ型の鋼鉄鋼支柱と円柱筒形状のナット型の鋼鉄鋼支柱の特殊機械の回転用の高出力モーターの円柱筒形状のナット型の鋼鉄鋼支柱を回転させて固定し、クリスタルダイヤ硝子床の重心に耐えられる地下四階の鋼鉄鋼支え床の鋼鉄鋼張板床に対して、円柱筒形状のネジ型の鋼鉄鋼支柱と円柱筒形状のナット型の鋼鉄鋼支柱を、床板から固定し、鋼鉄鋼支柱の天上床部分では、天上床張板の支え板付の鋼鉄鋼支柱に成り、天上床の鋼鉄鋼張板と鋼鉄鋼支柱は、鋼鉄鋼ボルトナット留め固定に成り、鋼鉄鋼筒内は、組み立て鉄筋のコンクリート打設による立ち上げ手法によるクリスタルダイヤ硝子擁壁の噛み合わせ差し込み固定の二つボルトナット穴空き板の大型ボルトナット固定によるクリスタルダイヤ硝子擁壁パネル組み立てによるクリスタルダイヤ硝子ビル。
更に、天上床に敷並びさせる30センチメートル床厚の端端のクリスタルダイヤ硝子床の鋼鉄鋼ボルトナット留め床板はクリスタルダイヤ硝子に鋼鉄鋼留めボルトナット穴空き鋼鉄鋼板のボルトナット留め後、余幅つまり、クリスタルダイヤ床板と天上床の鋼鉄鋼張板のボルトナット留めした場所と天上床板固定後の余幅部分は、液体ビニールゴムを流し込んで、微震対策とした液体ビニールゴム固定方法に成る。
【００６０】
第2の課題解決手段は、未来の別の美瑛街の円柱筒形状のネジ型の鋼鉄鋼支柱と円柱筒形状のナット型の鋼鉄鋼支柱を、地上10階まで組み立て、天上クリスタルダイヤ硝子床板を吊る為の、太ナット入りの天上クリスタルダイヤ硝子床板を吊る為の装置として、中央に地上40メートルまで二台のクローラーが同時進行する張出アウトリガア4つの二台分合計8つのアウトリガア張出の高出力レールモーター油圧ホイストの脚止め用の軸ナットモーターは、地盤に予め設置されているナット筒に8つのアウトリガア脚止め用のモーターナット位置を合わせて二台一度に走行出来るリモコン及び全自動現場位置設定山岳ヘリコプタースクリュー無線波位置使用の設定作業位置の半全自動リモコン装置によって、中央の鋼鉄鋼固定の200トンクレーンによって、8つのアウトリガア張出のモーター太軸ボルト固定とクリスタルダイヤ硝子ビル直接の引っ張り構造にによって、地上40メートルまでの二台の足場移動クレーンの装置を、中央クレーンによって組み立てながら地上40メートルまで、200トンクレーンをヒックリ返さず上げる装置の組み立て手段に成る。
2013年8月17日真夜中24時09分取りあえずここでペンを置く。
【００６１】
第3の課題解決手段は、2013年8月17日Am9時31分未来の別の美瑛街のクリスタルダイヤ硝子ビルの雨風雪と外気遮断をする為に、通常コンプレッサーのベルト切れ対策として、連結歯車とワイヤ入りゴム糸ベルトに交換しモーターを通常モーターから高出力モーターに変え、更にストレート配管をスクリュー配管に変えたエアー放出スピードを世界最高速技術まで上げ、エアースピードを最高スピードに保つ為の複数のエアータンク使用のスクリューエアーを複数に分けるバイパスタンクスクリューエアー官などを使った地下のスクリューエアーカーテン発射装置室に成り、電源は高出力水発電機の別名そして最初の名前の永久発電機に成る。
【００６２】
第4の課題解決手段は、未来の別の美瑛街のビル免震の装置は、他社のゴム免震と鉄板とゴム板の複数重ねのビル免震の据えつけ位置は、埼玉県越谷の鉄板とゴム板の合わせ交互重ねの免震装置の地下一階据えつけなど、ビル本体の根入り対策として、地上部のビル本体に対して2分の1の高さ分のビル高を地下に下げるビル構造にして、土圧防止コンクリートとビルの地下部分との間は、免震用塩化ビニールゴム板または液体塩化ビニールゴムまたは塩化プラスチックゴムをビル本体の周囲にビル本体が揺れた場合の非常対策装置を講じたビル免震構造に成り、地盤の悪い場所等に使用するグラスフアイバーカバー付の砂鉄円柱のスクリュー免震杭の筒の中に、組み立て鉄筋を入れて中をコンクリート打設によって固めたクリスタルダイヤ硝子ビル免震杭の構造に成り、電磁石反発免震等の深い場所の設置によって、例えば電磁石反発免震装置が壊れた場合でも土圧防止コンクリートと免震用塩化ビニールゴムによって、地震に耐えられる設計を施したクリスタルダイヤ硝子ビル免震装置に成り、地震計の地震発生連絡装置によって電磁石反発免震装置の電源が入ってビル本体を地震から守る構造のクリスタルダイヤ硝子ビル。
更に、クリスタルダイヤビルの台形柱錐型の下が長方形または正方形の土地利用に対して、上に行くほど細くした台形形状のビルは、地震の振れを、少なく擦る為のビル形状にした形に成り、屋上には木製の免震一戸建ての二階半もしくは、三階の二世代ハウスが立つ構造の上に成ると軽くする地震対応の免震機能付きのクリスタルダイヤ硝子ビル。
【００６３】
第5の課題解決手段は、未来の別の美瑛街の免震付きのクリスタルダイヤ硝子ビルは、ビル周囲の雨水を貯水出来る大型の地下貯水池槽が設置されているクリスタルダイヤ硝子擁壁の水耕花壇の整ったクリスタルダイヤ硝子ビルの3階以上の水耕花壇園では、花及び野菜等も育てる事の出来る庭の空間を利用した水耕花壇に成る。
【００６４】
第6の課題解決手段は、未来の別の美瑛街の地下駐車場は、高速エレベーターとエレベーターの床は、動く床車構造に成って入る全自動の自動車駐車場システムのアンテナと地下駐車場地図と複数カラーライトラインとライトカメラ装置の位置確認カメラと空間複数カラーライトライン装置の車の形状をライトカメラの高出力CCDセンサーの全自動被写体認識が出来るカメラ設置の地下駐車場と自動車エレベーター自体の床の全自動移動車庫入れが出来て再びエレベーターまで全自動で車の地下駐車出来るシステムに成るエレベーターの床自体が移動するリニアー駐車場。
【００６５】
第7の課題解決手段は、未来の別の美瑛街のクリスタルダイヤ硝子ビルの屋上は、木製のログハウスを設置したクリスタルダイヤ硝子ビルの200年保障のクリスタルダイヤ硝子ビル。
【００６６】
第8の課題解決手段は、未来の別の美瑛街の通常コンクリートビルまたはクリスタルダイヤ硝子ビルガレージカラー板水平内蔵グラスフアイバー防護体は、水平方向では、水平の複数ライン空間形状に外の景色が見えるパネルに成り、少し角度が変わると色付のグラスフアイバー防護体に成るビルガレージ防護体。
【００６７】
第9の課題解決手段は、未来の別の美瑛街の軽量レンガタイルは、竹灰及び雑草灰入りの陶器すなわち軽量陶器のボルト留め用の穴空き陶器に成り、クリスタルダイヤ硝子自体に複数ナット設置構造に成り、クリスタルダイヤ硝子擁壁パネル体自体に複数の横溝を作った場所にグラスフアイバーパネルを貼り付けた場所に、軽量陶器レンガパネル自体にスクリュー鉄ネジをグラスフアイバーに取り付けながら、軽量陶器の化学糊接着を行いつつスクリューネジ固定の軽量陶器レンガパネルの固定手段。
【００６８】
第10の課題解決手段は、未来の別の美瑛街の積雪地帯の縁石及びL型及び雨水枡は、冬の積雪の除雪機械によって、縁石とL型及び雨水枡等の機械削りを無くす為の永遠に道路器財を取り換えない工事手法手段に成り、縁石及びL型の連結には、目地空間を無くして填め込み噛み合わせ方式にする事によって、地盤の悪い場所は、廃棄プラスチック及び廃棄ビニールの再利用杭として有る備蓄杭を使った縁石基礎及びL型基礎に対して砂及びから煉り材を使用し基礎杭の形状四角形等にしL型及び縁石の揺れを少なくした構造に於いてのL型と縁石設置手段に成り、万が一の補修では、液体ビニールゴム溶液の噛み合わせ部分の簡易補修手段に成る。
従って、端部分の固定は、杭と縁石の空いた部分にはビニールゴム接着用溶液で固定する手法を取る事に成る。
更に、クリスタルダイヤ硝子に雑草灰を入れたクリスタルダイヤ硝子縁石及びカラー塗料色のクリスタルダイヤ硝子縁石この他、軽量陶器文字板または、縁石の平面部分の長方形部分を、少し深めに掘り下げた構造の縁石及びL型の都道府県市町村区個人道の場所名を記したクリスタルダイヤ硝子製の縁石及びL型及び雨水枡に成る。
【００６９】
第11の課題解決手段は、未来の別の美瑛街の道路したの水道官は、現在全国で鉄管及びビニール及びプラスチック及びグラスフアイバーを被せた鉄管使用の水道管または内側コンクリートの水道官の年数劣化現象によって、何度も掘り返す公共事業費に成り、現在の2013年8月17日国の借金1000兆円近くそして、何十年または100年程しか持たない水道官を、永遠に掘り返さない水道管として、クリスタルダイヤ硝子水道官の高出力7連結以上レール制御付きモーター設置の推進装置装置のネジ口付きクリスタルダイヤ硝子ナット口の地下推進管用のクリスタルダイヤ硝子官と地上からの地下掘り方式は、現在の水道管形状のクリスタルダイヤ硝子官構造を設置する事によって、未来の美瑛街は公共事業費ゼロ円を目指す大型車進入禁止区間の多い永久機関の電気自動車とバイク及び自転車等だけが走行出来る街に成り、観光バス等は永久機関の高出力水発電機積載等の電気許可バスだけが通れる街の形態と風景に成る。
【００７０】
第12の課題解決手段は、未来の別の美瑛街の道路下の地下ケーブル官の場合、硝子材に対して、元々美瑛街近郊に有る硝子質の黒雲母石等の最高圧縮硝子官利用可能な場合、試験等の結果待ちに成るが、熱円心分離機等の機械を使って硝子繊維呑みを使用した黒雲母圧縮官等は、地盤の固い場所に設置する官として利用案として有り、ケーブル線自体を、プラス電気配線官とマイナス電気配線官を、熱燃焼事故を未来設定した地下ケーブル配線の美瑛街のプラス電気ケーブル配線防護官とマイナス電気ケーブル配線防護官は、コンクリート管は、値段が高く地盤の良い場所のみの低温軽量陶器官及び、ゴミ埋め立ての熱処理再生プラスチック管及び、燃やしているゴミの再生混合プラスチック管の利用及び竹串入りの再生プラスチックビニール管及び備蓄再生プラスチック管等を使用したプラス電気配線とマイナス電気配線を、道路両端に分けた電気熱燃焼防止対策の地下ケーブル埋設方法と地下高出力モーターシールド推進官使用のネジ口の厚みの有る塩化再生プラスチックナット口の再生プラスチックシールド官使用の未来の別の美瑛街の道路したのケーブル官埋設手段の説明。
【００７１】
第13の課題解決手段は、2013年8月17日Pm13時30分未来の別の美瑛街の道路下の地下ケーブル官の場合、現在光フアイバー官使用に対して、銅筒管コイルつまり、軽水素トリチウム電子ガス入り軽量圧電素子磁石体粒子の再生硝子超微粒子入りチタン酸バリウム混合の軽量圧電素子磁石体粒子を銅筒管に入れた電気抵抗ゼロに近い電気配線をしようした未来の別の美瑛街の道路下の地下ケーブル官の構造説明。
【００７２】
第14の課題解決手段は、2013年8月17日Pm13時46分未来の別の美瑛街の道路の中央線ラインは、積雪地帯の除雪車による白線削りに於いての毎年の白線引き代金が減らない対策として、アスフアルトの白線ライン部分の舗装時の定規を取らないで舗装し舗装終了後、定規を外して再生プラスチック入り石灰液を流し込んで固めたプラスチック石灰白線または、砂入りの再生プラスチック入り石灰の白線に成る。
従って、毎年の白線引き直し代金を少なくした未来の別の美瑛街の舗装管理費説明。
【００７３】
第15の課題解決手段は、2013年8月17日Pm13時46分未来の別の美瑛街の山岳ヘリコプターのスクリュー番号絵文字無線波の地理地図上の境界杭の位置設定杭と高出力自動充電池及び高出力ソーラーパネル充電池及び貯蓄電池使用積載の境界杭及びスクリュー境界ネジ型杭は、再生プラスチックグラスフアイバー筒にコンクリートを入れた機械ねじ込み用の境界杭に成り、金属位置確認装置内蔵境界杭等は、みらいに万が一家の建て替え及び増築工事の際、使用する全自動システムに使用擦る位置確認位置確定の全自動計測の基本位置の電波送信位置杭の未来の別の美瑛街の公共事業費を少なくする為に使用擦る永久機関を内蔵使用した境界杭説明。
【００７４】
第16の課題解決手段は、2013年8月17日Pm14時17分未来の別の美瑛街のコンクリート材代替えの永久に壊さない事を目的としたクリスタルダイヤ硝子擁壁の鋼鉄鋼板入りのパネルは、鋼鉄鋼ボルトナット留め構造の小中学高校大学病院などの地上3階程度止まりのクリスタルダイヤ硝子擁壁ビル構造は、鋼鉄鋼のボルトナット穴付き板入りのクリスタルダイヤ硝子擁壁パネルの数個の筒円柱構造の差し込み組み立て部分と美瑛街の縁石構造に見られる横差し込み型形状のクリスタルダイヤ硝子擁壁パネルに成り、四隅の屋上までの鋼鉄鋼ボルトナット穴入りの板または鋼材付きのクリスタルダイヤ硝子擁壁パネルに成り、鋼鉄鋼ボルト穴の繋ぎ部分は、鉄筋溶接後、コンクリート劣化防止パネル付きのコンクリートに工法部分も、ビニールプラスチックセメント接着材補修材確保した上での永遠に壊さない未来の美瑛街の永遠に壊さない小中学高校大学病院などの地上3階程度止まりのクリスタルダイヤ硝子擁壁ビル構造説明。
【００７５】
第17の課題解決手段は、2013年8月17日Pm15時38分未来の別の美瑛街のビル免震装置設置に関しては、日本の最初のゴム免震のみ先特許権及び先著作権事実を優先権の特許切れの著作権契約者とした契約を行った上での高出力免震装置説明に成る。
従って、永遠に壊さないクリスタルダイヤ硝子台形型及び通常ビルに設置する高出力電磁石内蔵の免震装置部分呑みの鋼鉄杭またはドリル杭使用の3階建築物に取り付く数か所の免震装置の高出力電磁石正方形床筒と建物側の免震装置の高出力電磁石正方形立方体装置が填め込んだ状態に於いて、全て一方方向に5センチメートルの余幅を作った場所に鋼鉄鋼厚枠の複数免震杭打ち込みの組み立て鉄筋入りのコンクリート打設した鋼鉄鋼枠支えの高出力電磁石使用のレールモーターホイスト装置を数本使った横揺れ吸収の為の対面同じ数の高出力レールモーターホイスト設置の上下の揺れの切り離し装置として、高出力電磁石設置の電磁石反発による3階ビルを浮かせて地震に対応する技術に成り、永久機関の高出力水発電機の電源を使用した小中学高校大学病院などの地上3階程度止まりのクリスタルダイヤ硝子ビルの永遠に壊さない未来の別の美瑛街の公共施設。
【００７６】
第18の課題解決手段は、2013年8月17日Pm16時53分未来の別の美瑛街の一戸建て免震装置の説明として、クリスタルダイヤ硝子円柱芯にグラスフアイバーを1センチメートル程被せた上で、再生木材チップ及び乾燥竹チップと乾燥雑草チップを被せた上で竹灰と化学糊及植物糊混合化学糊混合合成の軽量灰を最終段階で被せた若干燃えづらい合成木材を填め込み形式のボルトナット固定方法の縦柱と十字方向合成木材固定金具装置と三又Tの字柱填め込み固定金具装置と90度L型方向と縦柱填め込み固定金具装置と縦柱と三又Tの字柱填め込み固定金具と屋根柱固定金具装置其々は、片側にリング付きボルト付きのナット両方締めの二つリング付きのクリスタルダイヤ硝子芯入りの合成木材の引っ張り固定金具留めによって、一戸建て免震装置の電磁石反発装置の故障時に対応した非常時対応の免震機能付きの合成木材の二世代ハウスの合成木材と半割り木材のクリスタルダイヤ硝子円柱芯入りの化学糊接着の柱使用の未来の別の美瑛街の家。
【００７７】
第19の課題解決手段は、2013年8月17日Pm17時41分未来の別の美瑛街の一戸建て免震屋根の構造説明として、クリスタルダイヤ硝子屋根板設置方法として、合成木材の屋根柱を複数本組み込んだ後に、合成板の合成屋根板を金具とボルトと二つ穴空き金属板で合成屋根板を固定した屋根に防水シートとして、ビニールゴムシート敷き型のクリスタルダイヤ硝子屋根の白と青と赤と黄と灰色のクリスタルダイヤ硝子色屋根に成り、屋根の下側のクリスタルダイヤ硝子屋根板留めの合成木材の化学糊接着のドリルナット留めの屋根板に対して、ドリルナット穴空きのクリスタルダイヤ硝子屋根板の差し込み型の液体ビニールゴム注入型のクリスタルダイヤ硝子屋根端の引き金具留め構造に成り、屋根全体の数か所にクリスタルダイヤ硝子引き金具そうちによって、重みの有るクリスタルダイヤ硝子屋根の風の巻き込み対策を講じたクリスタルダイヤ硝子屋根の未来の別の美瑛街のクリスタルダイヤ硝子屋根。
【００７８】
第20の課題解決手段は、2013年8月17日Pm19時19分未来の別の美瑛街の一戸建て免震装置は、長方形基礎形状の一戸建て家の免震装置は、四隅に一か所ずつの四か所と中間二か所から四か所の合計六ヶ所から八カ所の長方形枡形状の高出力電磁石内蔵の板設置型の長方形枡の中に複数の鋼鉄円柱と鋼鉄敷板を敷いた8カ所の土台にボルトナット固定した免震装置に対して、建物自体の土台部分の四隅合計8カ所の場所に長方形鋼鉄鋼板枡の中に両サイドピッタシの前後5センチの余幅を残した長方形柱の高出力電磁石内蔵の鋼鉄鋼柱を、8カ所に据え付く構造にして、上下の電磁石コロ反発免震に対して下板に対して電気を入れて電磁石反発作動で浮く構造の電磁石反発コロ免震装置の前後の揺れに対しての引き金具を、それぞれ取り付けた未来の別の美瑛街の電磁石反発コロ免震一戸建て装置。
【００７９】
第21の課題解決手段は、2013年8月17日Pm19時41分未来の別の美瑛街の写真屋の数万枚の山岳ヘリコプター風景写真をライトカメラ写真と部分放射線飛散防止サモーカメラ撮影の日入りごの写真と日の出前写真と月の出前写真と月入りと月入り後の写真などの合成写真と放射線飛散防止レントゲン風景写真と通常風景写真を、数十台の高出力山岳ヘリコプターライトカメラとライト望遠カメラで写した写真の自分のペットの写真または想い出の人の写真を使った合成写真が出来る未来の美瑛街だけの写真屋の特殊合成写真技術に成る。
【００８０】
第22の課題解決手段は、2013年8月17日Pm20時27分未来の別の美瑛街のクリスタルダイヤ硝子ビルの屋上の二世代ハウスの三階建ての家の郵便ポストは、スクリューエアーカーテンと郵便物のカラーライトライン光遮断スイッチの郵便物全自動室内高出力レールモーター箱移動装置の家本体入口の高出力電動仕切り弁ドア全自動開閉装置の郵便物全自動移動装置は、郵便物届後、再び元のポストの中に全自動で収納される装置。
【００８１】
第23の課題解決手段は、2013年8月17日Pm20時51分未来の別の美瑛街のクリスタルダイヤ硝子ビルの出入り口及びクリスタルダイヤ硝子ビル二世代ハウスの
玄関前及びポスト前及び家の周りには、重量センサーの踏み石タイプの石の上に上がると石パネルが下がって電気スイッチが入って家の周りのカメラにスイッチが入ったり、ライトにスイッチが入ったり、見回りロボット犬にスイッチが入ったり、携帯電話の全自動録画スイッチが入ったりする未来の美瑛街だけの人及び動物を感知する重量センサー内蔵の出入り口の全自動スイッチ。
【００８２】
第24の課題解決手段は、2013年8月17日Pm21時03分未来の別の美瑛街のクリスタルダイヤ硝子ビルの円形窓及び五角形窓及び六角形窓及び八角形窓は、スクリューエアーカーテン窓の外気遮断窓と屋根には、外気熱遮断と雨風雪遮断の為のスクリューエアーカーテンに成り、夏場の雨の日はスクリューエアーカーテンを切る事が出来て雨センサーによって全自動でスクリューエアーカーテンを全自動で切る事が出来る装置システム。
【００８３】
第25の課題解決手段は、2013年8月17日Pm21時16分未来の別の美瑛街のクリスタルダイヤ硝子ビル周辺の一戸建て家の免震杭構造は、153のグラスフアイバー筒カバーの中は砂鉄鋳物筒構造の免震杭の構造の砂鉄筒の中に組み立て鉄筋を入れてコンクリート打設した重量の有る免震杭に成り、吊り金具付の免震杭に成り、免震杭打ち込み筒カバーと内側に入れるクッションパネルとして、合板と圧縮塩化プラスチックビニールを挟んで筒蓋を掛けて打ち込みを掛けて基礎地盤に打ち込んで免震基礎土台の免震杭構造として、カバー内に有る合板と圧縮塩化プラスチックビニール板を取り外す場合は、落とし穴に鉄棒等を差し込んでハンマー等で外して、新しい合板と圧縮塩化プラスチックビニールを挟み込んで再び杭打ちを行う免震杭装置。
この他、コンクリート打設方法に鉄筋以外、プラスチック立方体を円柱筒杭の中に入れて薄い筒のプラスチック立方体筒の補強コンクリートとして、筒全体で無く筒状の補強コンクリート工法として、塩化プラスチック推進管の場合は、塩化プラスチックの内側に塩化プラスチック立方体を付けてコンクリート打設した塩化プラスチックコンクリート二重管は、耐震に強い二重管に成り、火災に弱対応が出来今後の、地下シールド官としての下水管及び雨水官の本管として、使用する時は、無く成りつつ有る石油資源に対して、燃やすゴミから、資源を、地下倉庫に残す時代に来ている事に対して、無く成る石油資源の対策が求められる。
【００８４】
第26の課題解決手段は、2013年8月17日Pm22時22分未来の別の美瑛街の電気及び電波機関の使用する低光速超電導電気は、現在使用して入る高速電気より更に速い電気の低光速超電導電気そして更に速い中光速超電導電気そして更に速い高光速超電導電気に進化する電気スピードを早くして行く技術に成る。
従って、通常電気中の熱抵抗電気呑みを取り除く圧電素子4電子磁気分割装置によって、電気中の熱抵抗電気を取り除いた電気をそのまま電気抵抗ゼロで電気配線を通す為、電気配線構造を銅筒管の軽水素トリチウム電子ガス入りの竹材灰入りの再生硝子の超微粒子とチタン酸バリウム溶液を混合合成した物質を銅筒管配線に入れた電気配線と銅筒管コイルを複数連なった数と最初に流した電気量と電圧調整装置によって、制限電気圧が確定した上で流した電気中の熱抵抗電気を取除いた上で、高出力コイル数の上で電気スピードが決まり、山岳ヘリコプター中継のスクリュー無線波は、通常の無線波より、速い電気を使った無線装置に成る。
2013年8月17日Pm23時08分ペンを置く。
【００８５】
第27の課題解決手段は、2013年8月18日Am9時32分未来の別の美瑛街の二世代ハウスの窓は、古くから有る木枠窓に成り、窓ガラス填め込み型の木枠窓の左右一本レール方向に対して引き戸型の日本の何処の家庭にも有る窓枠引き戸形状に成り、木窓枠一番上の両サイド一か所ずつの二か所にステンレス蝶番を取り付け日除け枠が木枠窓に被さって、木枠窓の一番下の両サイドに高出力モーター電動仕切り弁は、被さる日除け枠の下側両端に付いて入る中央がやや細めの電気の通る鉄ピンが高出力モーター電動仕切り弁に触れるだけで仕切り弁が全自動スイッチによって開いてピンが填まって奥の壁に電気スイッチ接触すると全自動で日除け枠を固定して地震対策等の窓枠の固定装置に成り、この場合引き戸木枠窓も同時に固定出来る窓枠装置。
従って、高出力モーター仕切り弁日除け枠固定装置の電動仕切り弁口は、六角形の日除け枠ピンの六角形口径の周囲幅がピンの周囲幅と同じ周囲幅と形状にした装置に成り、蝶番は一本ピン刺し端の小丸穴に異種変形リングを掛けて蝶番ピンを固定している装置に成り、尚且つ日除け枠を上にした場合、日除け枠一番下に取り付けて有るリング繋ぎ革紐に対して日除け枠を上げた時の一番上側に有る紐掛け異種変形リングに紐を掛けて止めるタイプの窓枠装置と日除け装置。
【００８６】
第28の課題解決手段は、2013年8月18日Am10時16分未来の別の美瑛街の二世代ハウスの窓は、木枠窓またはグラスフアイバー窓枠を半分にした場所に窓硝子溝を掘った場所に引き戸装置の付いた硝子を填め置きして窓枠をボルトとナットを使って固定した窓に対して引き戸ガラス部分の縦三か所にボルトとビニールゴムリングと小丸穴空きナットで固定した縦列同間隔三箇所に二つ丸穴空きリングを掛けて、ハンドルナットをリング穴に通して所定のナット穴にハンドルナットを据えつけけてハンドルを回転させて窓硝子両端三箇所を、固定する窓硝子固定装置に成り、この他、窓ガラスを木窓枠及びグラスフアイバー窓枠に対して縦三か所にボルトとビニールゴムリングと小丸穴空きナットで固定した縦列同間隔三箇所に二つ丸穴空きリングを掛けて、ハンドルナットをリング穴に通して所定のナット穴にハンドルナットを据えつけけてハンドルを回転させて窓硝子両端三箇所を固定する窓硝子固定装置に成り、窓ガラスの引き戸装置は、窓ガラス端に縦二カ所に革紐通し穴の装置の造形硝子動物等の紐通し装置を窓硝子端の縦二カ所に熱硝子溶着した窓硝子の引き戸装置と窓ガラスの地震等のガタ付き防止装置。
【００８７】
第29の課題解決手段は、2013年8月18日昼Am12時39分未来の別の美瑛街の二世代ハウスの窓は、木枠窓またはグラスファィバ―窓枠及び亜鉛鉄合金窓枠等の半分に割った場所に硝子板止め溝を取り付け再び半分の窓枠を被せてボルトナット留めする構造の窓硝子窓枠構造に成り、窓硝子は通常硝子に交換型のクリスタルダイヤデザイン防半貼り付け合わせ硝子に成り、硝子の引き戸装置異種異形ステンレス蝶番装置を引き戸硝子部分の端の中央に熱硝子溶着した硝子引き戸装置の端中央部分に小丸穴の空いた金属蝶番を端の小穴付ピンに被せる様に留めて小丸穴に異種異形の変形リングを掛け留め出来る窓枠装置の通常硝子が割れてもデザイン硝子のクリスタルダイヤ硝子部分の半分が残る防半硝子設置の窓ガラス枠装置。
【００８８】
第30の課題解決手段は、2013年8月18日Pm13時07分未来の別の美瑛街の二世代ハウスの窓の通常窓硝子部分は、気泡臭素入りクリスタル四角柱複線防半硝子は、木枠窓枠の半分にした硝子溝にクリスタル四角柱硝子の端部分が木枠窓硝子装置にキチンと填め込み形状に成るクリスタルダイヤ硝子と通常硝子の熱溶着硝子に成り、硝子の引き戸手持部分は、竹炭入り硝子体の熱硝子溶着に成り、土入り硝子体等の手持装置に成り、引き戸窓枠左右それぞの窓枠端の中央部分に一個分の間隔を空けて縦列に二個のステンレスリングをボルトナットで固定した窓枠を閉めた状態の時、窓枠の端に取り付けて有る二個の窓枠リングと同形の二個の填め込み縦一列に並ぶ4個のリングに対して、4個のリングにピッタシ填まるL型円柱ピンの先に小丸穴空きのL型ピンに異種異形変形リングを小丸穴に異種異形変形リングを通して固定出来る装置で有り、L形ピンの先端ピンは、引き留めの突起角を付けたLピンに対して半分に割ったプラスチックビニールの動物等の半分に割った装置に対して、差し込み合わせ装置に対しての小丸穴の異種異形変形リングを通して固定した装置に成り、手持部分の装置に一部反射板または発光糸入りプラスチックビニール装置を4個の縦に並んだリングにLピン窓枠留め装置とした窓枠形状に成る。
【００８９】
第31の課題解決手段は、2013年8月18日Pm13時54分未来の別の美瑛街の二世代ハウスの窓に対しての窓硝子構造は、窓ガラスに対しては、色硝子特に白色を主体色とした色ガラスの色度合いを硝子一部または、硝子全体に施す事によって光の侵入度合い量を少なくした色硝子の濃さから薄さまでの度合いを窓ガラスの色硝子に表現した硝子の引き戸手持装置は、半円柱の手持装置を窓ガラス端の中央それぞれに熱硝子溶着した窓の引き戸手持装置に成り、窓の窓枠留め装置は、窓枠端側の縦列上下二カ所にステンレスピンの平板ステンレス板付の小丸穴空きの丸ピン上下二カ所に対して窓枠内側の室内側上下二カ所に丸ピンの小丸穴空きピンを取り付けた四か所の丸ピン二カ所を鋼鉄鋼リングの一部鋼材のリング及びカラー金属鎖リング留めした窓ガラスに成り、もう片方の窓枠固定装置は、窓ガラス窓枠にステンレス小丸防をボルトナット固定したステンレス丸棒の左右移動の丸棒の端に金属リング付のピアノ線入りのワイヤを固定軸ギサ山留め装置は、丸棒装置に取り付けられて入る固定軸ボルト留め装置のギザ山との二つのギザ山のギザ山同志の噛み合い固定として、ギザ山にピンロックする事で、硝子枠窓の地震の揺れ防止を図った窓ガラス窓枠装置。
【００９０】
第32の課題解決手段は、2013年8月18日Pm17時01分未来の別の美瑛街の防半の重量センサーは、六角形状の中央にもう一つの踏むと若干下がる六角形状の多層式軽水素トリチウム電子ガス入り圧電素子磁石体粒子内蔵シリコン電気感知器装置は、4本の棒状レールモーターと4本の棒状レールモーターを差し込んだ棒状レールモーターの形状とそれに対しての金属スプリングとレールモーター位置計測レールモーター電磁石磁気感知部分によって、六角形状の踏み石に上がると電気感知器センサーによって、人及び動物及びロボット及び機械等を全自動感知して備え付けのカメラ等のスイッチを入れたり、画像パネルの電源を全自動で入れて音声対応したり、ビルの出入り口のドアを全自動で開けたり出来る重量センサー。
【００９１】
第33の課題解決手段は、2013年8月18日Pm17時01分未来の別の美瑛街のクリスタルダイヤ硝子ビルの1階の暫定施設内容は、地下2階の立体駐車場と地上2階までの花壇付立体駐車場は、通常の一階出入り口は、花壇で飾られ自動車の出入りの時だけ地上2階まで花壇が上がり一階では、自動車を乗せる低い4輪車の電気モーターカーの全自動車庫入れが可能な室内地図内蔵の自家用車を乗せたまま全自動移動出来る発電回路内蔵の循環発電電池の電源と室内地図位置設定と車庫入れ全自動位置認識と音声全自動サイドブレーキ等の固定装置ロックの再確認説明等が全自動で行われるシステム。
【００９２】
第34の課題解決手段は、2013年8月18日Pm17時40分未来の別の美瑛街のクリスタルダイヤ硝子ビルの1階の暫定施設内容は、地上3階移動風呂と移動風呂の上は花壇付の介護用の移動風呂は、プラスチック製風呂または木製風呂または軽量陶器厚手パネル内蔵ビニール風呂及びレンガ厚手パネル内蔵グラスフアイバー風呂装置の内側の自然石パネル及び化石パネル付きの介護風呂は、複数穴空きクリスタルダイヤパネルにレールモーターホイスト付のスイッチ一つで風呂の底板が棒状レールモーター付きの風呂の底板が上がる事の出来る棒状レールモーター全自動スイッチ作動の風呂装置は、桐または檜溝彫型の簀子装置はアルミニウム塗装ステンレス板貼り付けビニールゴム貼り付けの簀子留め金属ピンと設定6つの簀子板固定ピンを所定の簀子板穴に入れて簀子を固定出来る装置に成り、風呂の足場滑り留め用の風呂本体に取り付ける皮シート留めは、足場の滑り留め装置に成る。
【００９３】
第35の課題解決手段は、2013年8月18日Pm18時07分未来の別の美瑛街のクリスタルダイヤ硝子ビルの1階の暫定施設内容は、水耕栽培施設を一階の床下に設置した施設に成り、クリスタルダイヤ硝子床柱は、暫定の三角形ビニールゴムシートを床のクリスタル硝子ダイヤ床柱を差し込んで固定する筒の中に入れる三角形ビニールゴムシートを敷いた後にクリスタルダイヤ硝子三角床免震柱と円形ビニールゴムシート敷の円形床免震柱と六角形ビニールゴムシートと六角形床免震柱と正方形ビニールゴムシート敷きの正方形床免震柱それぞれを縦込み設置したクリスタルダイヤ硝子パネル床板。
【００９４】
第36の課題解決手段は、2013年8月18日Pm18時30分未来の別の美瑛街のクリスタルダイヤ硝子ビルの1階の暫定施設内容は、トイレ及びキチン付きの天上収納型家具は、高出力レールモーター天上収納型家電装置は、高出力モーター移動式の固形フロン冷蔵庫と高出力モーター移動式の高出力全自動洗濯乾燥機と高出力モーター移動式のレンジと高出力モーター移動式の全自動掃除機等が、使用用途及び不使用によって、天上にボタン一つで格納出来る装置。
【００９５】
第37の課題解決手段は、2013年8月18日Pm18時44分未来の別の美瑛街のクリスタルダイヤ硝子ビルの1階の暫定施設内容のキチン台所は高出力モーター電動仕切り弁排水口を横並びに三箇所備えたキチンに成り、一時保存用のうなぎを数匹または数十匹入れた養殖槽と一時保存用の魚養殖槽と一時保存用の貝養殖槽を備えたクリスタルダイヤ硝子蓋は、対面二カ所に紐付き蓋を一時保存用の養殖槽の蓋に成り、水は、低温2度の循環濾過水使用の一時保存魚介類の静かな保存方法。
【００９６】
第38の課題解決手段は、2013年8月18日Pm19時04分未来の別の美瑛街のクリスタルダイヤ硝子ビルの1階の暫定施設内容は立体時間風景窓ガラス構造に対して、熱硝子接着型クリスタルダイヤ硝子カップが、硝子窓に付いた状態に成り、雨水の引き込み管取り付けの薄板切り川石と山石スライス2枚合わせクリスタルダイヤ硝子筒入り山表現パネルと複数色陶器パネル谷表現パネルと高出力ダイナモ水車板に雨の日クリスタルダイヤ硝子窓まで、雨水を流す事によって設置して有る高出力ダイナモ水車板が回転する事に依って、廊下の雨降り知らせのモーター傘が開いて雨降りを知らせる等のリアクション天気連絡出来るシステム。
【００９７】
第39の課題解決手段は、2013年8月18日Pm20時07分未来の別の美瑛街のクリスタルダイヤ硝子ビルの1階の暫定施設内容の扉装置は、上下二カ所の蝶番装置を玄関扉に設けたクリスタルダイヤ硝子細パネルをドア内にボルトとナットと形状平板取り付けのボルトナット留め構造成り、裏面の一部分が風抜き上移動式のプラスチックダイヤ硝子カバーとカバー留めピン構造に成り、表側の暫定の蝶の開いた羽形状に対して軽量カラー陶器かクリスタルダイヤ色硝子をクリスタルダイヤ硝子細パネルの間に填め込みボルトナットと金具板固定を行った装置に成り、ドアの持ち手ノブは、高出力モーター電動仕切り弁鍵穴は、ハンマー等では壊れない鍵口に成り、ドアノブを下げながら引く事でドアが開く構造に成り、ワイヤ入り皮被せ縫いドア持ち手装置付の外側のドア持ち手に成り、高出力モーター電動仕切り弁ドアノブの電動仕切り弁開閉スイッチは、カギに付いて入る近距離絵文字数字の複数組み合わせ電波の送信装置内蔵の暗号電波鍵の高出力モーター仕切り弁開閉装置に成る。
この他、三つ吊り風鈴装置は、超細ワイヤに風鈴または鈴を取り付けた鉄線またはクリスタルダイヤ硝子柱窓に成り、裏面は、ステンレス板及び亜鉛鉄の合金板のドアの後ろ板装置に成り、後ろのドア開閉装置は、ドア丸ノブの外側に回転体のロック鍵付きのドアノブを下げて引く事によってドアが開く構造に成る。
更に、高出力モーター電動仕切り弁ドア鍵口を開けてから、電動仕切り弁口の中の二枚のやや開き気味の金属板を中央に寄せる事によって、高出力電磁石吸引反発板による高出力電磁石移動ドアもしくは、高出力スクリューエアー開閉ドアは、ドアの両方にスクリューエアー放出口が有り、高出力モーター電動仕切り弁型のカラー光遮断タッチスイッチによってドア開閉スイッチによるドア開閉装置。
その他、ドアの反動衝撃吸収体のビニールゴムパネル付きの三重エアー空気袋帯をドアの非常衝撃吸収体を備えたコンプレッサーエアー貯蓄型タンクは、昼間等設定した時間内に於いて、エアータンクのエアーを溜める全自動設定時間のインプット作動型高出力コンプレッサーに成る。
この他、合成木材と竹灰入りグラスフアイバーパネル使用のドア素材。
【００９８】
第40の課題解決手段は、2013年8月18日Pm20時58分未来の別の美瑛街のクリスタルダイヤ硝子ビルの介護用寝台は、天上及び床格納式寝台は、補助ワイヤ装置式の寝台中央サイド二カ所の吊りワイヤに対して高出力レールモーターホイスト四隅四か所取り付けに成り、寝台の頭に中る部分は人の頭留め3重空気袋帯に成り、寝台素材は、再生木材をチップ状にした再生木材合板と再生プラスチックグラスフアイバー板を使った寝台に成り、半円簾型パネルを片側に取り付け後ろと反対側には、固定型の二重半円並びの低寝台滑落防止装置を取り付けた寝台。
【００９９】
第41の課題解決手段は、2013年8月18日Pm22時01分未来の別の美瑛街のクリスタルダイヤ硝子ビルの医療機関が使用する装置に於いて、腕バンド式のステンレスツメ留め永久磁石体付の金属刺しバンドは、アルミニウム錫合金とステンレス板の列並び筒板の永久磁石留め腕バンドは、脈拍を図る為のプラスチックシート型の高感度マイクの脈拍数データーを、診察券データー圧電素子磁気データー超薄竹灰入りプラスチックカバー圧電素子磁気多層パネルに脈拍データー等が全自動記録出来る無線波送受信型竹灰入りプラスチック絶縁体カバー付腕バンドに成る。
その他、発電装置として、軽水素トリチウム電子ガス入り圧電素子磁石体粒子内蔵シリコン光熱吸収発電糸布発電シート腕バンドによって、太陽光及び室内光及び体温発電を可能にした糸布発電バンドに成り、貯蓄電池体として、軽水素トリチウム電子ガス入り圧電素子磁石体粒子内蔵マグネシウムシリコンマイナス極と軽水素トリチウム電子ガス入り圧電素子磁石体粒子内蔵マグネシウムシリコンプラス極に対して竹灰及び雑草灰入りプラスチック絶縁体パネルによって、プラス極とマイナス極を、まるっきり絶縁体間隔を取り付けたプラス極とマイナス極を、丸っきり離して圧電素子4電子磁気分割装置を使って電気中の熱抵抗電気を取除いた電気呑みを貯蓄した高速充電方法のプラス極とマイナス極別々の貯蓄型の貯蓄電池と高出力発電回路付きの診察券送受信データー内蔵型の腕バンド装置。
【０１００】
第42の課題解決手段は、2013年8月18日Pm22時54分未来の別の美瑛街のクリスタルダイヤ硝子ビルの医療機関が使用する交換型の透明プラスチックビニールサンダル靴は、靴底にビニールシリコンパネル及びビニールシリコンゴムパネルを取り付けた靴底に成り、靴を靴べら無で履ける靴の後ろ部分に取り付けられて入る
靴の後ろ部分の引っ張りの為のビニール体に成り、靴が脱げない様にする為の靴中央部分の両サイドのプラスチックビニール靴のプラスチック部分のコの字輪付ゴム布部分に成る。
この他、軽く擦る為に靴底にビニールシリコンパネルを取り付け、足を防護する綿を丸っきりナイロン素材で被せた綿糸被せナイロン糸布を使用した靴に対して靴の後ろ部分は、靴を履き易くする為の3センチメートルのプラスチック針芯入りの靴引っ張り紐装置の靴の中央にプラスチック引っ掛けプラスチックL鍵形状体を縫い込んだ靴中央両端のゴムビニール糸布の両端の輪形状布を引っ掛けて留めて履く医療靴。
更に、この靴を更に軽く擦る為に、発砲スチロールシートの低圧縮シートをビニールシートで被せたシートパネル重ねの5ミリメートル程の軽いビニール多層重ね発砲スチロール内蔵パネル体に生ゴムシートを靴底の前後に貼り付けた靴底対して、塩化竹灰入りテトロン糸を使った布を使用した軽量布の脚の先部分と靴の後ろ部分3センチメートルのプラスチック針芯入りの靴引っ張り紐装置の靴の中央にプラスチック引っ掛けプラスチックL鍵形状体を縫い込んだ靴中央両端のゴムビニール糸布の両端の輪形状布を引っ掛けて留めて履く医療靴。
この他、介護用靴下として、靴下の先部分とかがと部分に薄シートゴムを貼り付けた竹灰入りテトロン及び綿布にし、竹灰入りテトロン糸布などの靴下。
介護用靴として、靴のかがと部分は、プラスチックゴムシートパネルとビニールシートパネルとプラスチックゴムシートビニールシートの多層重ね靴かがと部分と靴先とかがと部分が曲がる様に、靴底のかがと部分から靴先に掛けて一部分竹材灰入りビニールパネル底にし靴先のプラスチックゴム部分を竹灰入りプラスチックゴム底と皮製品部分は、竹灰入りプラスチックシート入りの両面防水革を貼った少し軽めの革靴。
2013年8月18日Pm23時50分美馬牛ペン置く。
【０１０１】
第43の課題解決手段は、2013年8月19日Am9時30分未来の別の美瑛街のクリスタルダイヤ硝子ビルの医療機関が使用するスチーム風呂は、頭に被る高出力モーター移動セット型の調整エアーチューブ温水冷水石鹸水噴射装置によって、頭皮の冷風温風の石鹸水マッサージが出来る装置に成り、スチーム風呂室内は、首から下部分は、空気圧調整チューブを首に巻いて椅子の太脚装置付の腕部分は、全自動血圧脈拍計測装置成り、ひじ掛け部分に腕を通すと全自動で血圧脈拍を計測してデーターパネルに全自動表示出来るシステムパネルに成り、血圧装置は、防水竹灰入りテトロン糸と竹灰入りテトロンシート糸布に成り、スチーム風呂室内のサモーカメラは、スチーム風呂の冷暖房風マッサージの体温変化をパネル表示出来る装置に成る。
更に、石鹸水のエアー温風マッサージと冷風マッサージが出来る装置に成り、体の洗浄水を切った後及びスチーム機械内の水を切った後、電気熱抵抗電気を取除いた陽電子電気と陰電子電気の体の体内の電気抵抗ゼロのプラス陽電子電気と電気抵抗ゼロのマイナス陰電子電気の体内電気スパーク電気の体内の細胞電気分解を行える事の出来る装置の細胞活性化サービスが受ける事が出来る装置システム。
この他、室内スイッチによって、温水冷水及び石鹸水の噴水及び冷風温風エアーによって、マッサージするスチーム風呂の出入り口は、二枚ドアの表と裏からどちらからも開けられる挟み棒の回転によるドアロック式に成る。
【０１０２】
第44の課題解決手段は、2013年8月19日昼Am12時00分未来の別の美瑛街のクリスタルダイヤ硝子ビルの医療機関が使用するトイレの検尿検便装置は、トイレに設置して有る高出力ライトカメラによる、人の背の高さを高出力CCDのカメラ設定角度の位置の全自動カメラ設定位置認識とライトカメラの人の形状全自動背丈認識装置によって、トイレの高さを全自動調整する装置に成る。
更に、人が来ると検尿モーターカップが高出力モーター電動仕切り弁口から出て来て採尿出来るシステムと全自動で検尿紙のモーター挟み装置の検尿紙のライト弱電子カメラの検尿検査によって、データーを腕バンド式の個人識別データーによって検尿データーを全自動入力し通常赤外線パネルセンサーによって人の全自動感知によって、トイレの水及び温水を切り替え装置によって切り替えて流す事の出来る装置。
更に、トイレの床等は、ライト弱電子カメラの照合データー照らし合わせの綺麗度衛生チェック検査による全自動でお湯のスクリュー温水ジェットシャワー強制吸引ロボット掃除シャワー装置によって、全自動掃除出来る装置が設置して有る医療施設のトイレに成り、従ってトイレは必ず2カ所の設定に成る。
【０１０３】
第45の課題解決手段は、2013年8月19日昼Am12時41分未来の別の美瑛街のクリスタルダイヤ硝子ビルの医療機関が使用する手洗い嗽励行システムは、現在の公共施設と放送新聞機関と医療機関に不足がちな簡単な手洗い嗽装置が、入り口全体全てに於いて設置されていない構造設計を庶民の目から改める未来の美瑛街の医療機関システムの手洗い嗽システムに成り、上の嗽システムと下の手洗いシステムが左右半分ずつ横に移動設置構造の手洗い嗽装置に成り、医療施設に入ってからの体温の放射線飛散防止パネルのサモーカメラの全自動撮影データーの経過体温変化データーによって、高血圧低血圧の診察前予備検査などのデーター資料と本診察の為のデーター作りに成り、画像パネルに寒気などしないかの表示によって、温風リハビリ室などへの診察前移動説明等が画面支持されるシステムに成る。
この他、人の居ない時は、下水道の臭気の臭いの吹上げ防止装置として、高出力電動仕切り弁設置の排水システムに成り、手洗い装置では、斜行式蛇口を使用した手洗いシステムと固形石鹸挟み装置の石鹸に成り、別に固形粒子石鹸の竹灰入りトリクロカルバン及び海水塩とフッ素と炭酸カルシウムと乳脂肪とエタノールとグリセリンと竹絞り液を混合合成した固形粒子石鹸粒を五角形柱にネジ蓋装置と二重ストッパーの使用擦る分だけ軽量出来る石鹸粒の量を流れ落ちて満杯に成る量を、ボタン式ストッパー壁によって同じ使用分の粒子石鹸を計量出来る装置。
更に、プラスチックグラスフアイバーに軽量陶器パネルを化学糊接着材で固定して貼り付けた手洗い嗽励行装置に成り赤外線パネルセンサー等によって人の感知とアンモニアセンサーの反応によって、トイレ水の全自動掃除とトイレ装置及び手洗い嗽励行装置等の故障を見つける為のアンモニア度感知センサーを取り付けた手洗い励行装置。
【０１０４】
第46の課題解決手段は、2013年8月19日Pm18時05分未来の別の美瑛街のクリスタルダイヤ硝子ビルの医療機関が使用するサモーカメラ付診察カード音声対応室は、キャラクター形状の音声対応装置は、腕バント装置の個人データーを受け付け総合集計センターへ近距離複数異種組み立て無線波を軽水素トリチウム電子ガス入り軽量竹灰入り再生ガラス超微粒子内蔵の圧電素子磁気内蔵の銅鉛亜鉛合金筒の中に軽水素トリチウム電子ガス入り軽量竹灰入り再生ガラス超微粒子内蔵の圧電素子磁石体粒子を内蔵させたアンテナに成り、高出力集音マイクは高出力銅筒管コイルと軽水素トリチウム電子ガス入りの圧電素子磁石体内蔵のステンレスカバー付の中コイル中抜きに対しての高出力電磁石使用の高出力集音マイクとスピーカーによって、外来患者の応答及び病気の症状説明に成る。
更に、外来者の顔及び一部頭皮及び首及び手等の表皮形状の全自動計測審査とデーター記録を行う弱電子カメラ全自動検査腕バンドデーター入力に成り、個人照合のライト弱電子カメラの手相認識装置とカード入り口に於いての個人の免許証等の個人照合とサモーカメラの診察前個人体内熱記録カメラデーターの腕バンドのデーター全自動入力と診察患者の臭いアンモニアセンサーによる体調の皮膚分泌物の全自動臭い検査データーが全自動計測出来る装置に成り、腕バンド装置にデーターの全自動記録出来るシステムに成り、持ち物などは、放射線飛散防止パネル内蔵のX線レントゲン持ち物全自動検査カメラによって、持ち物検査を全自動で行える装置に成り、持ちこみのゴミはゴミ入れ口に投函すると全自動焼却ゴミ固形圧縮燃料処理される。
そして、外来者の居ない時は、バキューム清掃車によって、全自動掃除が出来るサモーカメラ付診察カード音声対応室は、キャラクター形状の音声対応装置。
【０１０５】
第47の課題解決手段は、2013年8月19日Pm20時35分未来の別の美瑛街のクリスタルダイヤ硝子ビルの医療機関が使用する衣類交換の脱衣所は、スクリューエアーカーテン蒸気及び冷気排出装置は、16色カラー光ライン光カーテン装置は、蒸気または冷気に複数のカラーライト光の合わせ光の目の視線対物の光バリアカーテンが出来る装置に成り、着衣交換はスクリューエアーカーテン蒸気及び冷気排出装置は、16色カラー光ライン光カーテン装置の中で行われる装置の足場から天上への高出力発光LED ライト光照射装置の人への反射光と蒸気と冷気に反射させるカラー光融合バリアーによって着替え室設定の部屋に成り、来ている着衣は、着衣投入口の高出力モーター電動仕切り弁によって投入口の臭気遮断が行われる装置に成り、レールモーター衣類籠の両サイド二本の一本ずつの高出力レールモーターのプラスチックビニール透明空洞官の衣類輸送装置によって全自動輸送装置。
更に、殺菌医療衣類及び専用介護医療靴及び殺菌スプレー及び殺菌ガード帯が別のレールモーター衣類籠の両サイド二本の一本ずつの高出力レールモーターのプラスチックビニール透明空洞官の衣類輸送装置によって全自動輸送装置によって運ばれ殺菌ガード帯は、皮膚アレルギー及び皮膚炎及び皮膚傷及び皮膚可能している部分への殺菌ガード帯を取り付けて簡易治療器の殺菌スプレーによって簡易治療を行い、本診察前の簡易治療をして予備検査室へ行く事が出来る高出力モーター電動仕切り弁使用の交換衣類取り出し口に成る。
【０１０６】
第48の課題解決手段は、2013年8月19日Pm21時22分未来の別の美瑛街のクリスタルダイヤ硝子ビルの医療機関が使用するトイレは、全自動検尿検便装置は、検便装置は、トイレ便器の中に有る検便クリスタルダイヤ硝子カップ内蔵の高出力弱電子カメラ検査と電子カメラデーターの全自動送信装置によって、腕バンドに全自動データー記録して本審査を待つシステムに成り、トイレの全自動操作に対しては、温水を使用したスチームシャワーによって、トイレ便器内の蓋をした後にスチームシャワーによって、全トイレ便器内の全殺菌を行う事が出来る装置に成り、備え付けのアルコール貯蓄体は、アルコールエアー排出口によって便器の上の簡易殺菌を行い高出力レールモーターのトイレ清掃カバーの支柱トイレカバー固定の水平移動とトイレ自体の上部の横部分に設置して有る高出力楕円形レールモーターにキチンと滑り込むトイレ清掃カバーの高出力圧電素子磁石体粒子入りのゴム質の高出力レールモーター付きの強制吸引装置付のトイレ清掃カバーによってトイレの腰掛部分のアルコール消毒を連続して全自動で行う医療機関のトイレシステム。
【０１０７】
第49の課題解決手段は、2013年8月19日Pm22時21分未来の別の美瑛街のクリスタルダイヤ硝子ビルの医療機関が使用する冷却膝掛け装置は、高出力自動充電池と高出力発電回路の循環発電電気を使用して、冷風装置の高出力レールモーター積載の外気取り入れのフアン羽と外気を一度冷やす為の複数穴空き固形フロン内蔵の外気冷却装置を外気取り入れ官の中間辺りに設置して、一度冷やした外気は、冷却送風取り入れ官との間に二つ目の複数穴空き固形フロンを内蔵した冷風送風装置に成り、留め圧縮冷却された冷却空気は、送冷風官のグラスフアイバー官を経て、アルミニウム板付複数5本金属ピン付きの竹灰入りナイロン綿糸を使った布に薄革を被せ縫いしたベルトに対して5本のピン穴付きの四角形状の切波薄革の端の縁取りと膝掛け自体の全体は薄革に成り、薄革と裏地の固形窒素冷却ナイロン糸入り綿糸使用の裏地冷却シートと薄革との間に塩化固形窒素と複数穴空き木材灰入りプラスチック冷却管によって、膝掛け冷却装置によって真夏の外の散歩及びハイキングが出来る装置。
【０１０８】
第50の課題解決手段は、2013年8月19日Pm23時10分未来の別の美瑛街のクリスタルダイヤ硝子ビルの医療機関が使用する冷却装置バンドは、高出力自動充電池と高出力発電回路の循環発電電気を使用して、冷風装置の高出力レールモーター積載の外気取り入れのフアン羽と外気を一度冷やす為の複数穴空き固形フロン内蔵の外気冷却装置を外気取り入れ官の中間辺りに設置して、一度冷やした外気は、冷却送風取り入れ官との間に二つ目の複数穴空き固形フロンを内蔵した冷風送風装置に成り、留め圧縮冷却された冷却空気は、送冷風官のグラスフアイバー官を経て、軽量ナイロン複数薄革貼り付け縫い込み腰ベルトバンドは、4つ穴ピンバンドは4つの固定ピンナットバンド通し部分に対してヨの字ボルト留め金具によって固定した人の上部分を冷やす事が出来る冷却バンド装置。
【０１０９】
第51の課題解決手段は、2013年8月20日Am9時46分未来の別の美瑛街のクリスタルダイヤ硝子ビルの医療機関が使用する空気吸入器は、高出力自動充電池積載の外気を高出力レールモーターで取り込み取り込んだ外気空気を、殺菌トリクロカルバン入りの竹灰入りのプラスチック軽量フィルターに外気を通して殺菌空気使用と外気中の超微粒子チリ塵を取り除く装置に外気空気を通し、殺菌空気酸素管を通すプラスチックビニール一部ゴム配管に殺菌空気酸素通し、鼻差し込み配管装置によって殺菌空気酸素を取り入れる事の出来る装置に成り、殺菌トリクロカルバン入りの竹灰入りのプラスチック軽量フィルターは、多層式の外気中の超微粒子チリ塵を取り除く為の交換洗浄式のフィルターに成る。
そして、外気を高出力モーターと高出力自動充電池と殺菌多層重ね軽量プラスチックフィルター内蔵の超小型外気取り入れ装置の後ろ面に小さな円柱二本が、間隔を空けて一本ずつ取り付いている装置を竹灰入り合成綿布の40センチメートル程の五センチ幅の布の両端に取り付けられて入る軽量竹灰入りプラスチック管にアルミニウム芯入りの竹灰入りプラスチック被せの首に巻く布に掛ける2本のピン付き外気取り入れ殺菌空気酸素送風装置を首に取り付ける事の出来る超小型の酸素空気吸入器。
【０１１０】
第52の課題解決手段は、2013年8月20日Am10時35分未来の別の美瑛街のクリスタルダイヤ硝子ビルの医療機関が使用する熱治療腰ベルトバンド装置は、高出力自動充電池縦に2個並び据え付けの装置には、高出力自動充電池等がエアーゴム帯を被せる事によって、腰などに物が当たる衝撃を少なくした装置に成り、腰バンド全体を暖める装置に成る為、二つの高出力自動充電池等の電源を使って、熱発生装置の弱帯電コイルは、銅アルミニウム筒管の中に酸化鉄と再生硝子の超微粒子を混合撹拌した帯電コイルを縦3個の横列並びの熱治療器に成り、熱治療器の外面に熱瞬間吸収発電体の軽水素トリチウム電子ガス入り圧電素子磁石体粒子内蔵シリコン熱瞬間吸収発電シートパネル付きのビニール羊毛糸に亜麻粒子糸を合成した布を被せた腰バンドに成る。
そして、弱帯電コイルは、酸化鉄硝子粒子混合物内蔵の銅アルミニウム筒管は、1センチ角にヘアピン形状の三列程のヘアピン弱帯電コイルを積載したヘアピン弱帯電コイルに複数の2ミリメートル程の突起を付けた弱帯電コイルの熱発生装置に成る。
更に、熱治療装置の帯電コイル熱発生装置の固定腰ベルトバンドの底裏は、1センチメートル程のステンレスパネル磁石板の間隔を空けて複数個付の横伸びベルトの縦列3本のベルトに対して、表側には、1センチメートル立方体の革貼り合わせ突起体が縦に3列と横に間隔を1センチメートル開けて4列の革突起物固定装置を取り付けた腰ベルトバンド固定装置は、反対側のベルトの端に対して縦に超細ワイヤリング入りの革リングと2本革紐の革リングに二本の革紐で固定する装置と縦に間隔を空けて3列と横に二列の超細ワイヤリング入りの革筒リング構造に対して、縦3本横伸び腰ベルトバンド装置  を通して縦の革ベルトによって固定出来る熱治療装置に成り、弱帯電コイルの熱調整装置は、温度センサー付きの時間設定間隔送電遮断全自動スイッチによって、熱治療器の温度調整等を温度調整パネル等で調整出来る熱治療器。
別記載説明として、二重ニクロム線にステンレスカバーと圧電素子磁石体粒子内蔵のステンレス板カバーの二重ニクロム線を使った熱治療器具と銅筒管の中に鉛水銀入り石灰混合物質を銅筒管の中に入れた電気熱発生配線等も有る。
【０１１１】
第53の課題解決手段は、2013年8月20日昼Am12時08分未来の別の美瑛街の医療機関が使用する装置とリハビリ装置は、種類別重りと重量と形状別重りを自転車の改良型の地盤に数本のボルト固定型の前車輪と後ろ車輪が同時に回転する駆動装置に前チエーンと後チエーンを使った足踏みによる前輪と後輪が同時に回転擦る事が出来る装置に成る。
従って、種類別重りは、20グラムの重りからの前輪車軸と同じ形状の後輪軸の利用サイドに一個ずつの80グラムスタートの軽量グラスフアイバーリングと金属ナット及びプラスチックゴム太軸ナットと専用のナット閉め装置によって種類別重り4個又は1個足踏み装置によって回転させる事の出来る医療リハビリ装置。
【０１１２】
第54の課題解決手段は、2013年8月20日昼Am12時53分未来の別の美瑛街の医療機関が使用する洗える運動医療マット装置は、通常の半分の装置にしたマットの全体の8分割の洗える運動医療マット装置は、超細ワイヤ入り紐留め布取り付け輪装置の長方形マットの周囲に数珠繋ぎに布縫いした綿入り軽量プラスチックスプリング糸入りマットアルミニウムシートと綿入りプラスチックスプリング糸のナイロンゴム保護シート体と部分部分のアルミニウムシートと入りの洗える運動医療マット装置は、通常マットの8分の1マットをそれぞれ超細ワイヤ入り紐装置によって紐通し留め方法によって固定し、8分の1マット四隅部分は、角を少し下げる構造の丸リング付のマットの四隅角に成り、四隅角は、別のコの字ボルトナット二つを組み合わせて8分の1マットの四隅を別のコの字ボルトナットの二つの組み合わせによって二種類の固定によって、8分割のマットを繋げて広く使える洗つて使用出来る運動医療マット装置。
【０１１３】
第55の課題解決手段は、2013年8月20日Pm13時14分2013年7月20日付けの北海道庁北海道知事への未来の美瑛街に出来る永遠に壊さないクリスタルダイヤ硝子ビルに伴う終身介護システムの著作権原本の本書に関する図面を入れた著作権物図面の送付証拠写真図は、日本の国の全額借金が2013年8月20日現在1000兆円近い借金と永遠に国民の税金以外払えないまたは、永遠に減る事無く日本の国の借金が増え続けた結果日本の国の財政破たんに依る都道府県市町村区の生活苦による自殺者が増えた場合、日本企業全社が絶対に出来ない美瑛街以前の美瑛町町議委員会によって著作権者及び発明者及び知的所有財産者を招いてまずは、都道府県市町村区の生活権を守る為の未来の美瑛街を特定して地下美瑛街に生活を維持する為の工場を作る事が出来る事を決める事が出来る一つの著作権に対しての知的所有財産に成り、知的所有財産の年月日発生証明確認の為の北海道知事宛へ知的所有財産の郵便物受理書として送付した証拠図。
理由
国会議員からの発明者及び墫野和夫への国の1000兆円を超える借金全額返済に対しての2013年8月20日現在に於いて連絡が一切無い事からの理由に成る。
この場合、国の全額借金が1000兆円を超えて尚且つ増え続けて国が破たんした場合、海外のイタリアの国の財政破たんまたは、日本国の過去の明治時代及び大正時代に日本の財政破たんを一度成った事が有るが、今回の1000兆円超えの日本国の全額借金返済に対しては、日本国の天皇が言われても、絶対に日本の国の財産には、
絶対しないの事が事実そして墫野和夫が書いて有る公開文書の事実で有る。
理由
日本国の財産で有った国営で有ったJR鉄道及び黒字で有った国営で有ったNTT電話会社及び国営で有った黒字の郵便局が国会議員の取り決めだけで、国民一人一人の国政調査に中る国民投票が行われず国営から民間企業の財産にした事実が有る為、例えどんな理由が有っても天皇が言われても国営に出来ない理由が、弱者国民一人一人の訴えに中る国の財産が無い場合は、最高裁判官でも、国に資産が無い為、弱者の保証が出来ないと言うしか無い、つまり、なんぼ探しても国に金が無いから弱者の自立する資金つまり国に金が無いと言われるのが、過去の国の財産民営化の事実によって、墫野和夫の知的所有財産は、天皇が言われても絶対に国の財産にしないのが事実。
その代り、日本の弱者国民一人一人が永遠に自立出来る日本の弱者一人一人の財団設立の道を選ぶ事を、再びインターネット社会に宣言し普通の国民で有りたいのが事実。
従って、本発明の財産は、未来に想定する未来の別の美瑛街の未来の美瑛街に出来る永遠に壊さないクリスタルダイヤ硝子ビルに伴う終身介護システムの著作権原本に対しての実際に作って、国の全額借金返済をする場合は、現在の美瑛町議会と美瑛町民全員の永遠の自給自足の自立の意志表明の同意書と著作権本人または著作権者家族を含む全員の同意書から始まる知的所有財産確定の美瑛町民で選ぶ美瑛町の表社会を永遠に傷つけず、地下に自立自給の為の工場設備を立てる事から始まる知的所有財産から始まるお金作りの基本に成る知的所有財産の基本の著作権説明。
始めるに中っては、日本の弱者国民一人一人のテレビ局つまり、現在の民間放送とも言われるテレビ局と異なる365日24時間放送可能な全国ネットワークの市町村区の政治家または、大学またはテレビ局または新聞社または全国企業が絶対に入れない、つまり現在の、テレビ局社会と丸っきり反対の資金が無く寝る床も無い人及び資金が無く大学の学校に行けない資金不足弱者及び持家及びマンションなどが無い人及び借金苦の人及び国に資金が無くて市町村区で仕事が無く更に賃金が安くて困っている人などの、何らかの理由によって、訴える事の出来ない人だけが集まって、最低生活の自立社会に付いて、自立社会設立まで話し合いが出来る弱者一人一人の新たな衛星テレビ局のインターネットテレビ局ネットの弱者一人一人の財団のテレビ局が出来たら、または、国会議員全員が認めて法案を作った時から始まる資本主義企業と全く異なる弱者国民一人一人の財団と言う全国弱者一人一人の家族団体のいつでも話し合いが出来るインターネットテレビ局接続型の衛星テレビ局説明に成り、この場合は、天皇も、宗教団体も、お話が出来る永遠の自立生活の自給自足社会を考えて行く日本のお金で無く、知恵を集めて皆で考える自給自足社会システム。
【０１１４】
第56の課題解決手段は、2013年8月20日Pm13時33分未来の別の美瑛街の医療機関が使用する放射線飛散防止パネル付きのX線カメラ放射線飛散防止パネル付きのCTスキャンカメラ及び放射線飛散防止パネル付きのMRIカメラ及び放射線飛散防止パネル付きのPETカメラの設置場所に対して、足場及び歩るく道がゆっくり高出力モーター移動して、放射線飛散防止パネル付きのX線カメラ放射線飛散防止パネル付きのCTスキャンカメラ及び放射線飛散防止パネル付きのMRIカメラ及び放射線飛散防止パネル付きのPETカメラの設置場所それぞれのカメラが上下移動の正面全体の人写真及び側面全体の人写真及び平面全体の人写真及び底面全体の
人写真データーを一度にライトカメラ撮影とライトカメラ撮影したそれぞれのカメラ資料を、組み立て異種異形弱無線波及び室内配線連絡によって本審査前の予備審査に成り、立って居られない人は、足場傍のクリスタルダイヤ硝子手持装置に捕まって撮影する事によって、放射線を浴びる事無く放射線飛散防止パネル付きのX線カメラ放射線飛散防止パネル付きのCTスキャンカメラ及び放射線飛散防止パネル付きのMRIカメラ及び放射線飛散防止パネル付きのPETカメラ撮影全てが一度に出来る装置に成り、移動足場独立の回転クリスタルダイヤ硝子足場によって、一度に放射線飛散防止パネル内蔵のサモーカメラ含めて4人がそれぞれ異なった医療写真を撮る事の出来る全自動ライト医療放射線飛散防止パネル付きカメラ装置。
【０１１５】
第57の課題解決手段は、2013年8月20日Pm15時45分未来の別の美瑛街の医療機関が使用する放射線飛散防止パネル付きのX線カメラは、X線が一回レントゲンカメラを撮影する放射線を、クリスタルダイヤ硝子筒に入れて熱硝子溶着して、X線一回撮影分の放射線を、クリスタルダイヤ硝子筒に入れて熱硝子溶着またはプラスチック硝子被せ筒の化学糊接着したライトカメラ撮影用のX線放射線飛散防止パネルに成り、この他、クリスタルダイヤ硝子筒にシリコン液と一回分のX線カメラ撮影のX線内蔵シリコン液入りのクリスタルダイヤ硝子筒体とクリスタルダイヤ硝子筒にビニール液と一回分のX線カメラ撮影のX線内蔵ビニール液入りのクリスタルダイヤ硝子筒体とクリスタルダイヤ硝子筒にプラスッチック液と一回分のX線カメラ撮影のX線内蔵プラスチック液入りのクリスタルダイヤ硝子筒体とクリスタルダイヤ硝子筒にグラスフアイバー液と一回分のX線カメラ撮影のX線内蔵グラスフアイバー液入りのクリスタルダイヤ硝子筒体を積載したX線ラ高出力ライトカメラ及び別の高出力ライト電子カメラ及び別の高出力ライトカメラ及び人工衛星高出力ライト電子カメラ及び自動車高出力ライトカメラ及び高出力電波望遠鏡の放射線飛散防止パネルと重量を軽くする事が出来る事が出来る。
【０１１６】
第58の課題解決手段は、2013年8月20日Pm20時48分未来の別の美瑛街の医療機関が使用する装置と病院の姿は、免震杭及び地下貯水池杭及び地下駐車場杭及びクリスタル硝子擁壁杭及びリニアー駅地下道杭と地下厚型六角形柱塩化プラスチックビニール軽量推進管及びクリスタルダイヤ硝子ビルの高出力電磁石反発免震装置付の3センチメートル鋼鉄鋼円柱に対して、竹灰入り再生液体ゴムと再生プラスチック混合液を入れたコンクリートより、軽量の鋼鉄鋼柱スタイルに成る。
【０１１７】
第59の課題解決手段は、2013年8月20日Pm22時38分未来の別の美瑛街だけの銀行システムは、銀行の一階の出入り口部分は、高出力スクリューエアーカーテンの外気遮断型に成り、高出力スクリューエアーカーテン二重金属ニクロム線入りセラミック陶器板の地熱パネル体の他、砂鉄板の軽量陶器カバーの地熱パネル体の銀行出入り口のドアウエィヒーターは、晩秋から冬そして春の雪と氷による高出力エアーカーテン放出口の凍結防止対策に成る。
更に、入り口から中に入ってからは、人を整理して整列させる為のクリスタルダイヤ硝子体に成り、この場合竹を割った芯材に再生ゴムを被せてから、ボルト穴空き軽量陶器を被せた仕切り板装置。
更にスロースクリューエアーカーテンのセンサーのスロースクリューエアーカーテン取り込み口近くに取り付けて有るスロースクリューエアーカーテンに対して90度のサイドスローエアーカーテンプロペラ発電による電気発電スイッチによる高出力カメラスイッチによる来店者の放射線飛散防止パネル付きX線高出力電子カメラによる持ち物全自動検査とレントゲン検査データー写真医療サービスと放射線飛散防止パネル付きサモーカメラの人の体温全自動推定体温による血圧の低血圧及び高血圧の全自動審査と銀行内に設置して有る体重計による推定体重の全自動検査と銀行内の画像パネルによる視力検査の天上マイクと音声唇読み取りカメラセンサー等データーを銀行カードの暗号異種異形無線波発信位置番号記録型の受信装置記録型のカードに体に関するデーターを全自動記録出来て家のパソコンにカードデーターを入れる事に依って、体の変化グラフの全自動書き込み装置とデーター集計装置と医療センターへデーターを送る事に依って、体調管理アドバイスが返って来るサービスシステム。
この他、現金出し入れ装置は、カード内紹介の、他人の物の知的所有財産の特許契約もしくは、特許権契約成立した上では、カード内に本人の通常ライトカメラ使用の顔写真照合と高出力電子カメラの顔写真照合と本人のライトカメラ指紋照合と本人のライト高出力電子ライトカメラ手相照合によって、カードの本人確認が出来る装置に成り、銀行内に入った時点で所定のカード出し入れ口にカードを翳したり、カード内に入れたり擦る事によって、全自動で本人照合に成り、本人照合が一致しない場合は、音声でカードを返却しますとの音声連絡に成り、所定の場所に手のひらを翳す事によってカード返却に成る。
更に、現金出し入れに関しては、多額現金出し入れは、事前に銀行の特設事前銀行高額現金引きおろし手続による高画質インターネット電話の現金引きおろし契約に於いて、音声暗号声紋のテレビ電話照合手相照合とテレビ電話手相照合とテレビ電話指紋照合と顔の高出力電子カメラのテレビ電話顔写真照合によって、ウイルス防御カード設定使用の異種異形山岳ヘリコプター無線電波によって高額金額の出し入れをする為の店側のカード照合の店の取引暗証番号を取引者のカード内に取引日の年月日推定所定時刻と取引する人の情報をカード内に入れる事によって引き出し日に現金引き出しシステムに引き出し金額をインプットすると店側の暗証数字及び文字等の全自動照合によって、指定金額が現金引き出しシステムの機械から現金を引き出せる事前取引日取引連絡時間指定によって多額現金を引き出せる現金引き出しシステムに成り、現金引き出し装置は、5億円が一度に引き出せる予備現金引き出しシステムの設置してある美瑛街独特の現金出し入れシステムに成り、金属水溶液を紙幣の一部分に滲みこます手法は、特別取引紙幣のみに使用する現金の証明書に成る。
その他、通常硬貨出し入れと通帳出し入れ口使用の紙の中に入れる地図位置発信装置と紙の中に入れるシート畜充電池と通帳の表部分の多色の軽水素トリチウム電子ガス入り圧電素子磁気粒子内蔵シリコンシートの通帳表裏は、高出力ソーラーパネルに成って入る為、通帳盗難の場合、位置全自動山岳ヘリコプター探索システムによって、銀行通帳及び通帳カードの盗難場所が解るシステム。
この他、広告高出力画像パネルは、利子及び利息の変更及び海外(株)取引及び外貨の取引額の説明及び売買物件の説明及び新商品の紹介及び観光船出発地紹介等の画面広告とデーターを入力出来る多層式軽量圧電素子磁気カード及び通帳内多層式軽量圧電素子磁気カードに成り、曲面画像カードボタン装置は、後ろの人から見えない構造に成って入る現金引き出し取引時間が過ぎると高出力モーター電動仕切り弁内蔵型の現金出し入れ装置の地下全自動高出力レールモーターホイストエレベーター地下格納型現金出し入れ装置に成る。
【０１１８】
第60の課題解決手段は、2013年8月21日Am11時22分未来の別の美瑛街の丘の内部構造の断面図と入口部分は、表層の下の火山灰層に成り、火山灰層の下の砂岩層の地下の中に作る海の魚介類全自動養殖と水耕栽培による地下農園及び地下果樹園及び地下水耕薬草園等の出入り口として、高出力モーター電動仕切り弁鍵口の鍵付き手動開閉ハンドルの高出力モーター積載の高出力モーター電動仕切り弁のクリスタルダイヤ硝子ドア構造の地下の農業と漁業と林業の試作試験場の出入り口に成る。
【０１１９】
第61の課題解決手段は、2013年8月21日Am11時40分未来の別の美瑛街の丘の地下から出て来る砂岩の利用の有り方は、砂岩長方形立方体ブロック体には、十字突起鉄筋は、砂岩擁壁専用の鉄筋入りの砂岩長方形立方体ブロック体の中央部両サイド一か所ずつの十字突起鉄筋が入る穴と縦の十字鉄筋のプラスチックグラスフアイバー数珠繋ぎ枠留め装置が免震杭に接着固定の塩化窒素入りビニールグラスフアイバー基礎石受け台装置は、セメント土台の間詰め部分をセメントコンクリート枠で止めた基礎均しの立方体網鉄筋の2センチの十字棒型プラスチックグラスフアイバー偽装石入り低基礎に鉄アルミニウム鉛合金砂岩ブロック押さえ金属板装置もしくは、プラスチックグラスフアイバーの押さえ枠数珠繋ぎ装置には、十字突起鉄筋穴が二個ずつ付いて入る形状の砂岩ブロック滑落防止装置に成り、化学糊接着固定型と再生ゴムセメント接着型の構造に成り、十字鉄筋の底鉄筋は、ボルトナット専用金具装置の固定型に成り、石積後の縦の十字突起鉄筋の天盤の鋼鉄鋼流し板装置には、十字鉄筋溝穴の空いている鋼鉄鋼横流し鉄筋板に対して十字鉄筋の余幅部分として残した部分は、合成木材柱及び加工木材柱及び加工再生合板木材を差し込んでプラスチックグラスフアイバー留め板と留めリングを取り付けて十字突起鉄筋のボルト切山のナット締め留め成る砂岩ブロック使用の未来の別の美瑛街の石蔵の石積構造に成る。
この他、石積の1階車庫は、セクションにセメント及びゴムセメント取り付けの上下左右のセクション突起を付けた砂岩ブロックの十字突起入り鉄筋を入れた車庫の天上は、小丸太及び合成木材柱を屋根の横に並べた屋根に対して塩化プラスチックグラスフアイバー防水板構造に成り、庭側と屋根は土盛り構造にした庭に成り、道路境界及び隣接する隣の家などは、塀囲いに成り、余幅が有れば土盛り構造に成り、傾斜がきつい斜面は、土流れ防止砂と砕石と塩化プラスチックグラスフアイバー土止め立体ブロックに砕石が一番下に成り、次に砂そして砂撹拌土を使用した砕石暗渠体の地下貯水池槽の付いた花壇構造の車庫の砂岩石の利用方法も有る。
高出力モーターの庭の芝種撒き機械によって崩れ易い場所の芝生種撒きによる地固め手段も有る。
【０１２０】
第62の課題解決手段は、2013年8月21日Pm13時37分未来の別の美瑛街の丘の地下の砂岩の全自動高出力モーター石切出し装置は、花崗岩粒子入りの鋼鉄鋼石切り刃は、4分の1のボルトナット取り付け型の石切り刃に成り、花崗岩粒子入り鋼鉄刃だけを4本のボルトナット固定による高出力モーターの石切刃に成り、石切り刃固定の芯部分は、6角形状穴の花崗岩粒子入りの石切り刃のモーター取り付け穴のW6角リング六角突起体は、6角形状穴の花崗岩粒子入りの石切り刃の中央以外に填め込み鋼鉄鋼金具体の六角筒溝に填め込むモーター軸6角芯の6角突起体の付いて入る鋼鉄鋼リングの差し込み二重固定型のナットW斜行カット山リングの合わせ山の割りピン留めナットモーター軸固定側部分に成り、高出力7連結以上モーター積載の高出力レールモーター電磁石反発モーター6角形状ホイストの石切り刃前後移動の移動作業に成り、石切り刃の上下移動にも高出力7連結以上モーター積載の高出力レールモーター電磁石反発モーター6角形状ホイストの高出力モーターと天上放射線飛散防止レントゲンX線カメラの被写体距離位置と通常ライトカメラと位置確定の自動充電池内蔵の固定ドリル杭位置固定カラーライトによる位置全自動修正型の岩場滑り留め突起付きの高出力モーター足装置は、六角鉄突起体の先に対して、ナット型締め付けリング型の縦ボルトとプラスチックビニールゴムリングと金具リングの合わせリングによる滑り留め型の前両サイドに二個と後部両サイド2個の4個の高出力太軸制御レールモーター構造の制御モーター足装置に成り、部分部分装置の電気量送電制御装置と圧電素子4電子磁気分割装置使用の半永久機関の高出力水発電機の電気エネルギーを使用して全面に対しては、高出力発光LEDライトとカラーライトライン全面位置確認ライトカメラ装置とカラーライトライン天上位置確認ライトカメラ装置とカラーライトライン側面位置確認ライトカメラ装置とカラーライトライン後部位置確認ライトカメラ装置によってのリモコン全自動アンテナ装置付の高出力山岳ヘリコプター固定位置設定とトンネル出入り口取り付け型位置確認送受信装置と地下洞天上取り付け方の位置確定と位置確認の送受信装置によるリモコン及び全自動位置確認装置の砂岩の全自動高出力モーター石切出し装置に成り、高出力モーターワイパーと高出力コンプレッサーホコリ全自動除去措置とビニールプラスチック硝子全面カバーを取り付けた全自動高出力モーター石切出し装置。
更に、高出力モーター鑿バイブレーターによって、砂岩石の切り口に機械鑿を差し込んでバイブレタースイッチを入れて押す事によって石折を行い、専用カギ装置によって引きずり出す手段の高出力モーターバイブレーター鑿装置に成り、この他微調整の為の、二枚の石切り刃の間隔を高出力レールモーターホイストによって、二枚の石切り刃同志の間隔を、全自動調整出来る装置。
更に、ホコリの中でも、放射線飛散防止パネル付きX線レントゲンサモーWライトカメラは、ホコリの中でも、有る程度見える放射線飛散防止内蔵カメラを設置した砂岩の全自動高出力モーター石切出し装置。
【０１２１】
第63の課題解決手段は、2013年8月21日Pm17時40分未来の別の美瑛街のクリスタルダイヤビル周辺の一戸建てハウスの道路帯から始まるスクリューエアーバリアカーテンによる屋根の上の複数個数珠繋ぎ配列の高出力コンプレッサー使用のスクリューエアーカーテン装置は、大気熱と外気遮断と雨風雪を遮る装置に成る。
【０１２２】
第64の課題解決手段は、2013年8月21日Pm17時47分未来の別の美瑛街の大型穴空きレンガ装置は、六角形状の穴空きレンガと四角形立方体の穴空きレンガ構造は、塩化プラスチック穴空きレンガ蓋装置に成り、例えば六角形立方体の大型レンガの中にもう一つの六角形立方体小型レンガの装置が填め込み形状の大型穴空きレンガの中容れレンガの取り出し金属フック穴付きの中抜き六角形立方体小型レンガがきちんと収まっている大型穴空きレンガ装置に成り、利用方法として祭り等イベント及び祭日の売り出し等の花鉢の飾り及び、マスコット人形の据えつけ、移動桜木祭り及び移動サクランボ木祭りなどのお祭り使用の大型穴空きレンガ装置に成り、塩化プラスチック蓋付きの花壇なども有り季節の花の芝桜祭りなど、水仙祭り等、バラ祭り等、チューリップ祭り等の移動花壇セットも出来る大型穴空きレンガ装置。
【０１２３】
第65の課題解決手段は、2013年8月21日Pm18時15分未来の別の美瑛街の飲料地下貯水池は、川の増水の堤防反乱の非常用の地下貯水池と農業用緊急の貯水池と商店街の夏場の電気散水自動車の散水用の水及び防火水槽の地下貯水槽などの川からの、高出力7連結以上水中ポンプのスクリュー管による川水取り入れ方式と地下池槽の緊急水放出手段の高出力真空装置の高出力モーターと複数歯車を使った大気への真水気化水の緊急放出手段によって、高速の水の取り入れと高速の貯水池層の水放出手段説明に成る。
【０１２４】
第66の課題解決手段は、2013年8月21日Pm18時35分未来の別の美瑛街の地下の海の魚貝類の養殖地下貯水槽の説明は、例えば、8つの魚の養殖槽は、砂岩を専用の機械で、幅2.0メートル高さ2.0メートル正方形のトンネルを一本掘ってから、広い石柱計算として、3メートル真四角の正方形の砂岩石柱形態に成り、一つの養殖槽幅6.5メートル真四角に対して、2.3メートルの深さの地下の養殖槽の大きさに成り、隣の部屋には、1メートル幅の1メートルの深さの奥行3メートルの高出力モーター電動仕切り弁付きの水槽それぞれのトンネル両サイドの4つずつの8つの高出力モーター電動仕切り付きの魚の散歩空間道の繋がったそれぞの部屋に排水用の高出力モーター電動仕切り弁付の部屋と給水官用の8つの部屋に成り、出入り口の2.0メートルのトンネルを更に、2.5メートル下げて、給水官と排水官にして、塩水処理の為、トンネル地下層に一度入れられた海水は、高出力真空装置気化して真水にし、または、一度電熱線による海水を一度沸騰させて熱消毒した海水を、冷却水槽水に入れて温度調整して再び養殖槽に戻す方法に成るが、クリスタルダイヤ硝子板養殖槽の下は、30センチの廃棄液体ゴムを流し込んでクリスタルダイヤ硝子板を敷いてクリスタルダイヤ硝子同志は、ビニールグラスフアイバー溶液を流し込んで固めるクリスタルダイヤ硝子接着方式に成り、角のクリスタルダイヤ硝子板などの全ての組み立てのクリスタルダイヤ硝子同志を鋼鉄鋼板に対してアルミニウムを3ミリメートルずつ被せた錆びない二つ穴空き平板装置成り、クリスタルダイヤ硝子板に取り付けるアルミニウム深いナットをクリスタルダイヤに取り付けた形状のクリスタルダイヤ硝子板の組み合わせ板に成り、ボルトは、鋼鉄鋼芯いりアルミニウムナット構造に成り、ナットボルトの噛み合わせ幅は、10センチメートルボルトナット構造に成る為、クリスタルダイヤ硝子板12センチに成る養殖槽の材質の数値に成る。
更に、東北個人の特許及び特許権契約成立後のOッゥ酸素作成室は、出入り口トンネルを更に進んだ場所に真水の高出力遠心水の酸素と水素分離機によって、酸素と水素を別々に分けて水素は、所定の水素タンクに水素貯蓄して、高出力水発電機より、発電量が少ない水素水水発電機の水素水用の水素として、残し作り出した酸素を水槽に通常の酸素量より送り込むシステムに成る。
その他、海水を入れる水槽は、魚を高出力モーター電動仕切り弁口ドアの隣の部屋に魚を追い遣った後に、高出力モータースッポンジブラシ付きの超小型スクリュー水放水W掃除型の超小型水中水槽立体地図内蔵の地図書き込み型の水中ソナー反射キャッチ型の位置全自動認識型の高出力自動充電池内蔵の16個の水中スクリューと設定位置の全自動水中位置調整型の水中掃除機に成り、水槽の壁4カ所に水中ソナー波電波中継の水中ソナー波発射の超小型水中掃除機水中位置発信型の上下左右前後二つずつの16個の水中スクリューと高出力自動充電池積載のスッポンジスクリュー付のライトカメラ付の水中掃除機は、4カ所のソナー無線波電波中継との距離の固定位置から始まるソナー無線電波の立体地図の水槽位置の天上からの異なったソナー低周波キャッチの移動立体地図の移動した距離分の天上低周波スクリューソナーの天上位置キャッチの移動位置の全自動の設定位置地図の取り除き作業を養殖所内の室内の天上位置の固定装置の天上低周波スクリューソナー連続発射装置を備えた養殖所天上位置と養殖所水槽4か所の天盤部分に金具固定で取り付けた高出力自動充電池内蔵とスクリューソナー無線波キャッチ体と中継スクリューソナー無線波の位置測定の為の全自動掃除機装置のスクリューソナー無線波のキャッチ体付の水中掃除機。
従って、貝も同じ作りのの水槽に成り、淡水魚も淡水貝も同じ作りの水槽に成る。
【０１２５】
第67の課題解決手段は、2013年8月21日Pm22時32分未来の別の美瑛街の雑貨屋釣り具で売られる吊り竿は、竹灰入り塩化プラスチック釣竿は、通常プラスチック溶液に塩と竹灰を入れて混合合成して吊り竿の筒形状にしたのを繋げて金具を取り付けた吊り糸が竿の中に入れた方式の誘導体竿に成り、指掛け竿持ち装置は、竹灰入りの魚の尾を模った手で握る事の出来る竿上の指掛け竿持ち装置に成り、連結歯車手持回転式レールの複数の歯車の回転力を手ハンドルによって竿糸を所定の糸撒き器に糸を巻き上げる事の出来る装置。
【０１２６】
第68の課題解決手段は、2013年8月21日Pm22時32分未来の別の美瑛街の電気自動車は、前トランクは、半分に異なった方向に開く左トランクは、前に開き右トランクは、左側に開くトランク装置になる。
更に、前ハンドルは、運転席を左右中央の三箇所にハンドルとスピードメーターを移動出来て回転プラスチック羽付ナットで、ハンドル固定出来てスピードメーターの設定位置のスピードメーターのアルゴンガス入り軽水素トリチウム電子ガス入りプラスチック表示パネルに成り、前バンパと後部バンパは、4層ゴムのプラスチックビニールゴム及びビニールゴム及びグラスフアイバーゴム及びビニールゴムの衝撃吸収ゴム構造体に成る。
そして、後部トランクの中央に半永久機関の高出力水素水水発電機を積載した設置場所に成り、高出力水素水水発電機を挟んで両側は、小トランクボックスの左側は、左から右方向に蝶番2個を使用した後部トランクボックスに成り、右側のトランクボックスは、後ろから前へ空く2個の蝶番と矢印形状の開閉ピンを両方から挟み込むスプリング留め方式開閉装置のトランクボックスの形式形状に成り、この他、高出力自動充電池または、高出力ソーラーパネルと高出力発電回路と貯蓄充電池内蔵のタッチ異種異形電気信号金属センサー認識型の高出力電動仕切り弁型の金属タッチの高出力電動仕切り弁口の8画形状の穴に対して8画形状のピンに対して引き抜き防止の少し大きめの金属体スプリング装置体ロックのドアの開閉装置に成る。
【０１２７】
第69の課題解決手段は、2013年8月22日Am11時30分未来の別の美瑛街で走る電気自動車は、永久機関の水素水つまり、水に予め水素を入れた水を、水素水と言い水素水水発電機と機械式発電機の高出力ダイナモを、軽水素トリチウム電子ガス入り軽量圧電素子磁石体粒子内蔵のダイナモを、高出力ダイナモに成り、高出力ダイナモ端子交換作業が有る為、交換不要の高出力電磁誘導発電装置と高出力発電回路を複数付けた永久機関の機械式発電機に成り、従って永久機関の水素水発電機を永久機関の水発電機すなわち永久発電機名としている。
従って、永久発電機の永久発電電気をしようして、楕円形リング高出力発光LEDライトウインカーは、冷風送風官の付いた高出力発光LEDライトの玉の熱劣化を下げる工作冷風配管と高出力電動仕切り弁及び高出力電磁石を使った高出力電磁弁等を使用した冷風送風官付きの高出力発光LEDライトに成り、この他、高出力発光LEDライト玉と通常ライト玉の組み合わせ玉ライト空間の循環冷風装置に成り更に進むと、通常ライト玉の硝子体を取除いた反射板とLEDライトの玉のプラスチック硝子を薄くして中の発光体を更に冷やす構造に擦る為に、軽水素トリチウム電子ガス入りダイオードの押さえ冷却カバーとして、複数針穴空きの冷却水素無空気を送って随時、軽水素トリチウム電子ガス入りのダイオード冷却手段としての技術に成り、送り込む冷却酸素中の水素を取り除く装置の超小型冷却酸素円心分離機を使用して水素ゼロの冷却酸素使用のライト使用の電気自動車のライトシステムに成り、LEDライトの軽水素トリチウム電子ガス入り発光LEDダイオードカバー装置に対してプラスチック硝子レンズをクリスタルダイヤ硝子レンズの使用してないレンズまたはクリスタル硝子レンズ等を使用した冷却空気の通る軽水素トリチウム電子ガス入りのダイオード装置とクリスタル硝子レンズの間を冷却酸素で冷やす空間を設けた自動車の発光LEDライトの冷却システム装置空間に成る。
従って、後部ウインカーは、八画形状楕円形リング高出力発光LEDライトウインカーに成り、後方ブレーキの楕円形三つ輪リング高出力発光LEDライトウインカーに成り、後方ライトそれぞれは、冷却空気循環型ライトシステムに成る。
【０１２８】
第70の課題解決手段は、2013年8月22日Pm13時00分未来の別の美瑛街で走る電気自動車は、永久機関の水素水発電機の全面硝子は、他社他人の二枚合わせ硝子の特許権そして特許権切れの著作権契約を行い、全面硝子7分の2程の水平部分に自動車室内の外景色に対して、水平方向に見る薄型の反射板またはカラープラスチック硝子ペーパーを階段状に水平に入れた日除け二枚合わせ硝子装置に成り、冬等の凍結期間対策として、2重金属ニクロム電熱線は、二枚合わせ硝子の中に電熱線を入れた火傷防止硝子体の自動車硝子全般全てと乗り物全てと家のガラス等の技術説明。
【０１２９】
第71の課題解決手段は、2013年8月22日Pm13時00分未来の別の美瑛街で走る電気自動車は、永久機関の水素水発電機使用の天上の中開き天上ドアは、虫除けのプラスチック網の端にプラスチック噛み合わせ溝体に対して、超細入りのワイヤ入りゼンマイ装置内蔵の超細ワイヤ入り綿の登山ロープ編み方式の綿紐装置を備えたレール形状の複数の永久磁石使用の六角柱形状のモービィータイムマグネットストッパー装置によって、色々な角度で天上ドアの停車時の天上ドア固定画出来る異種異形リングの超細入りのワイヤ入りゼンマイ装置内蔵の超細ワイヤ入り綿の登山ロープ編み方式の綿紐装置の引き戸装置を取り付けた天上中開ドア装置。
【０１３０】
第72の課題解決手段は、2013年8月22日Pm13時41分未来の別の美瑛街で走る電気自動車は、永久機関の水素水発電機使用のバックミラー高出力棒状レールモーター収納型の上下左右前後のライトカメラと軽水素トリチウム電子ガス入りアルゴンガス内蔵のプラスチック高出力銅筒管映像配線設置型の高出力映像パネルの車体側の高出力電動モーター四角形状仕切り弁の中に収納される画像パネルと鏡パネルが高出力レールモーターによって、180度モーター回転型のプラスチックゴムパネル使用の高出力電動モーター収納型バックミラー装置。
更に、雨降り及び雪降り及び野焼き地域及び火事現場周辺及び農作物の農薬散布地域及びヘリコプター農薬散布地域及び朝霧地域及び夕霧地域の自動車室内からの目視被写体外部の自動車室内からの、人及び動物及び物体全てに対しての目視被写体確認が無理の場合に使用する放射線飛散防止パネル内蔵のサモー熱感知カメラとX線レントゲンカメラのWカメラを、車の前後左右上下に備えた永久機関の水素水発電機積載の電気自動車。
【０１３１】
第73の課題解決手段は、2013年8月22日Pm13時41分未来の別の美瑛街で走る電気自動車は、永久機関の水素水発電機使用の電気自動車の6輪に対する自動車の中央に位置する高出力レールモーター内蔵の道路形態の事前データーの全自動データー回収取り込み型の前の2本タイヤと同じ動きをする高出力円形レールモーター積載使用のサスペイション全自動高出力レールモーターホイスト調整型ので永久機関の水素水発電機積載の電気自動車。
【０１３２】
第74の課題解決手段は、2013年8月22日Pm14時17分未来の別の美瑛街で走る高出力リニアーモーターカーは、クリスタルダイヤ硝子窓に対して、高出力銅筒管配線と高出力電磁石と圧電素子4電子磁気分割装置装置と高出力回路の軽水素トリチウム電子ガス入り圧電素子磁石体とアルミニウム鉛の回路の掘り削り回路溝装置に対して異成った回路物質を二重にした回路とプラス極とマイナス極を竹灰入りプラスチック硝子絶縁体使用のプラス極とマイナス極別々の絶縁体使用の貯蓄充電池体に成り、リニアーモーターカー本体に乗せる発電機は、永久機関の水素水発電機を積載したリニアーモーターカーに成る。
【０１３３】
第75の課題解決手段は、2013年8月22日Pm15時11分未来の別の美瑛街の有る場所から地下都市へ向かう為の永久発電機積載の電気列車は、美瑛街近郊の地下都市の出入り口は、高出力モーター電動クリスタルダイヤ硝子パネル仕切り弁ドア口構造の低速走行が目的の地下鉄道に成り、出入り口は、高出力コンプレッサー使用のスクリューエアーバリアカーテンドアの二重線路ドア構造にした低速走行の電気列車は、通常線路の2本レールに対して、クリスタルダイヤ硝子枕木と再生ビニールシートと通常線路2本それぞれ外側に、高出力棒状レールモーターの外線路の起動走行装置の高出力レールモーターに成り、レール摩耗を防ぐ為の通常レールに対して、半分のレールに対して、鋼鉄鋼レール形状板を複数重ねして、レール本体に対して1メール程の長さの鋼鉄鋼レールを複数の鋼鉄鋼ボルトナットスプリングワッシャで線路本体側に固定する鋼鉄鋼線路に成り、線路自体は減りづらいのも特徴の一つに成り、1メートル程の鋼鉄鋼粒子または砂鉄入りのクリスタルダイヤ硝子線路板を線路本体に鋼鉄鋼ボルトナットで止める方法に成り、車輪側は、通常鉄車輪に通常鉄車輪リングを鋼鉄鋼ボルトナットで固定した電気列車側の車輪構造に成り、通常のJR鉄道と同じ線路幅と同じ電気列車の車輪幅にしている構造に成る。
【０１３４】
第76の課題解決手段は、2013年8月22日Pm16時06分未来の別の美瑛街の有る場所から地下都市へ向かう為の永久発電機積載の電気列車は、低速走行用の高出力レールモーターと非常脱出用の高出力7連結以上モーター積載の車輪部分と高出力モーターの太軸装置に鋼鉄鋼板を使用して、前と後を固定する車体は高出力レールモーターホイストの線路上の車軸のずれに対する震動を少なく擦る為の装置になり、列車車体板は、アルミニウム網にクリスタルダイヤ硝子芯入りの合成木材パネルを電気列車の底板にして、竹灰入りのプラスチック板と低圧縮発砲スチロールシートパネルと竹灰入りのビニールゴムシートのクッション底板に成り装置に成り、壁板は、アルミニウム板にグラスフアイバー芯入りの合成木材の壁材と天上板構造に成り、列車出入り口は、高出力コンプレッサー使用のスクリューエアーバリアカーテン付の高出力レールモータードア開閉装置それぞれに成り、窓硝子はクリスタル硝子構造に成り、トイレは、真空装置処理トイレは、固形物質とアンモニア水を別々に処理出来るタンクと再利用水使用のトイレ構造に成る。
更に、電気関係は、高出力銅筒管コイル配線と塩化窒素と竹灰入り再生ビニールゴムの電気配線表皮装置使用の列車内高出力電気配線と高出力発光LEDライトを設置した列車に成り、夏場のクーラー装置は、永久機関の高出力水素水発電機を使用した複数穴空きの固形フロンと窒素ガス使用のコイル無モーター使用のクーラー装置積載の冬場の暖房装置として、二重金属ニクロム線入りの電熱銅鉄アルミニウム合金の複数穴空き電熱パネル使用の竹灰入りの塩化プラスチック軽量フアン羽使用の暖房装置に成り、列車椅子は、複数色の竹灰入りテトロン綿の合成糸布生地に成り、外ペンキはシリコン溶液と軽水素トリチウム電子ガス入りの圧電素子磁石体粒子ペンキを、列車の外の壁のアルミニウム板に塗った電気列車の概略構造。
【０１３５】
第77の課題解決手段は、2013年8月22日Pm17時00分未来の別の美瑛街の有る場所から地下都市へ向かう為の永久発電機積載の電気列車は、夢未来都市機番型の高出力モーター電動仕切り弁二重窓の高出力エアーコンプレッサー雨雪取り除き装置の二重硝子窓の硝子の中に2重金属のニクロム線入りの電熱線入り硝子と窓硝子上下の棒状レールモーターの上下90度垂直角度に対して左右に移動擦る三本のビニールゴムワイパーに成る。
更に、運転席横の高出力モーター電動仕切り四角形クリスタル硝子弁に成り、ニヤンワンマークの顔が向かい合った高出力移動モーターパネルの裏には、地下ドアの開閉送信装置と非常レンズ筒ライトに成る。
【０１３６】
第78の課題解決手段は、2013年8月22日Pm19時42分未来の別の美瑛街の有る場所から地下都市へ向かう為の永久発電機積載の電気列車は、除雪用金属板の竹炭炭素ビニール塗装鉄板に成り、鋼鉄鋼芯入りのアルミニウムボルトナットの他、高出力モーター電動仕切り弁ピン錠固定の電動金属梯子のアルミニウム梯子に成り、室内空気高出力モーター電動仕切り弁付きの排気管と高出力モーター電動仕切り弁付きの外気取り込み官に成り、スクリューエアー段数高出力スピーカーなどの鋼鉄鋼芯入りアルミニウムボルトナット固定手段を使った設置方法。
この他、木製パネルに対して低圧縮発砲スチロール板とアルミニウム板の三重板列車パネル貼り付け方法として、鋼鉄鋼U型ボルトナット固定用骨組装置に成り、パネル接着部分は、ビニールゴムパネルの木製パネルに対して低圧縮発砲スチロール板とアルミニウム板の三重板列車パネルの上下の溝部分に対して填め込みのビニールゴムパネルに成る。
【０１３７】
第79の課題解決手段は、2013年8月22日Pm20時35分未来の別の美瑛街のエアー補助自転車は、高出力レールモーター使用の外気取り込みの為の自転車のサドル前の水車板を高出力レールモーターで回転させて、後部車輪取り付けの水車板型までスクリューエアー官の中を風が通り、後部のスクリューエアー取り込み装置に成り、自転車の足踏み装置を扱ぐ事に対して、足踏み装置が重く成ると長方形柱のハンドル装置に取り付けて有るサドル前の水車板を高出力レールモーターに取り付いている高出力電磁誘導装置によって、高出力発電がおこなわれ発電した電気は、自転車本体の円柱内部分のプラス貯蓄充電池体と別の場所のマイナス貯蓄充電池体の鉄層円柱体の中の木材灰入り塩化プラスチック絶縁体に成り、更にその中の軽水素トリチウム電子ガス入り圧電素子磁石体粒子入り、液体マグネシウム内蔵シリコン充電池素子体プラス貯蓄充電池体と丸っきり別の場所の軽水素トリチウム電子ガス入り圧電素子磁石体粒子入り、液体マグネシウム内蔵シリコン充電池素子体マイナス貯蓄充電池体によって、自転車のプラス極とマイナス極の丸きり別々の貯蓄充電池体に、前輪高出力電磁誘導発電装置と自転車サドル前の外気取り込み装置の高出力電磁誘導発電装置と足踏み装置の回転体部分の高出力電磁誘導発電装置と後輪高出力電磁誘導発電装置の発電した熱抵抗の入って入る電気を圧電素子4電子磁気分割装置によって熱抵抗電気を取除き熱抵抗の入って無い電気を急速充電して、熱抵抗電気の分を高出力レールモーター作動分の電気使用として使って熱抵抗の無いプラス極とマイナス極別々の電気充電が出来て、蓄電した電気と発電した電気を使ってエアー補助走行と歯車変速切り替え式のW変速走行出来るエアー補助自転車。
【０１３８】
第80の課題解決手段は、2013年8月22日Pm21時56分未来の別の美瑛街の水耕野菜販売装置は、竹灰入りプラスチック網の目フィルターの複数枚の差し込み型のフィルター備え付け型の循環冷却水濾過装置付の食用アルコール水超弱アルコール水耕栽培システムに成り、種植えは、再生プラスチックビニール針の目網入りパネルの地上に実を付けたりするタイプの種植えポット方法に成り、放射線飛散防止サモーカメラと全自動温度調整管理と全自動湿度管理と全自動高出力発光ライト光調整によって、発芽から成長までの高出力発光LEDライトカメラとカラーライトライン植物成長高さの全自動計測による循環濾過冷却水の落し水口装置と低回転高出力レールモーター制御水中ポンプの循環固形フロン冷却装置使用の冷却水循環システムに成り、水耕多種ポット列欄は、水耕トマットポット及び水耕ピーマン及び水耕白菜ポット水耕イチゴポット及び水耕行者ニンニクポット及び水耕ハルナポット及び水耕ナンバンポット及び水耕ナスポット及び水耕キュリポット水耕シシトウポット及び水耕キャベツポット及び水耕玉ネギポット及び水耕ネギポット及び水耕ニラポット及び水耕ラッキョポット及び水耕シシトウポット等は、地上に実を付けたり、葉の成長によって人の食生活の食べ物に成る。
更に、地下系の食用植物は、植物澱粉入り稲科植物の茎編みの植物茎及び葉入りの紙糸張りの地下系植物の種植えから発芽そして育成そして収穫に至り、種ね取りに成り、水耕大根ポット及び水耕ゴボウポット及び水耕ジャガイモポット及び水耕サツマイモポット及び水耕コンニャクポット等の水耕野菜の販売に成る。
2013年8月23日Pm24時16分ペンを置く。
【０１３９】
第81の課題解決手段は、2013年8月23日Am5時45分未来の別の美瑛街の文房具店で売られているノートは、プラスチックカバーノートの二つ折の折り目3センチ部分は、竹灰入り布糸入りプラスチック部分に成り、ホワイトプラスチック再生紙に対して端から1センチ部分幅ずつ中央部分に0.5ミリメートルの溝を付けた上下10センチメートルに対して、プラスチックノートの中央は、0.5ミリメートルの長さ10センチメートルのプラスチックに圧電素子磁石体粒子入りのプラスチックノート留めを圧電素子永久磁石の磁石接着力とノートが増える度に重ねて行けるノートとノート抑えに対して、二本の幅を持った金ピンにスプリングを付けたピンに沿って上下移動する金板の紙挟みをプラスチックノート上下に取り付けて、プラスチックノートの両サイドの紐通しプラスチック部分と結び紐を取り付けたノートに成る。
この他、プラスチック再生紙に対して、石灰プラスチック溶液によって、白い紙に似せた紙に対してホワイトプラスチック再生紙に対して端から1センチ部分幅ずつ中央部分に0.5ミリメートルの溝を付けた上下10センチメートルの再生紙空洞を上下に作ってノートが溜まる度に圧電素子入り磁石体入りプラスチックのノートカバー留めによって、プラスチックノート固定出来る構造の紐通しプラスチック部分とノートの結び紐構造に成る。
この他、ノートの紙押さえ手段として、竹灰入りプラスチックノートカバーは、A4ノート2枚を1枚にしたプラスチックノートの中央をプラスチック板両端にボルトナット穴2個のプラスチック板二枚を使ってA4ノート2枚を1枚にしたプラスチックノートを竹灰入りプラスチック二枚とボルト2本と十字羽付ナット2個によって、紙を挟んで止めるプラスチックノートの紙留め手法に成る。
【０１４０】
第82の課題解決手段は、2013年8月23日Am6時43分未来の別の美瑛街だけの新聞屋のパンフレット広報文字放送画像ライン重ね放送システムは、テレビを持っている美瑛街の家庭テレビのアルゴンガス軽水素内蔵プラスチックビニール内蔵画像パネル付きの新美瑛街の新聞屋の文字情報送受信装置をテレビに設置した文字放送の行われて無い番組セットの美瑛街の家庭に設置して有る通常テレビの設定番組の下側に美瑛街だけの情報文字放送を設定したテレビ番組放送局の放送中の番組の下の段に美瑛街情報を記載出来るテレビの番組に対して、重ね文字放送が出来る映像波重ね映像波放送の出来る映像波の重ね映像波配線をテレビのパネルに予め組み込んだテレビを設置した未来の別の美瑛街だけの新聞屋のパンフレット広報文字放送画像ライン重ね放送システム。
【０１４１】
第83の課題解決手段は、2013年8月23日Am7時00分未来の別の美瑛街だけの生鮮魚陳列棚システムは、高出力発光LEDライトの熱ライト光の熱を取除いた光だけの生鮮魚システムと生鮮魚の0度に近い冷却送風の外気による温度上昇を避ける為のスクリューエアーカーテン説明に成る。
従って、生鮮魚の下は、ステンレスの網構造に成って入る構造の循環冷却水が流れて回るシステムの複数穴空き固形フロン冷却装置を主体とした構造の銅鉛合金の配管を使用した循環冷却水システムに成り、高出力発光LEDライトは光反射鏡を内蔵した冷却循環水装置に鏡を内蔵設置した鏡にプラスチックを被せた鏡の水侵入を防いだプラスチックシートカバー付鏡装置の冷却光鏡板誘導の冷却光照射の生鮮魚陳列棚システムに成る。
そして、生鮮魚陳列棚の広い一面全体に下から上に向かって、高出力エアーコンプレッサーを使用したスクリューエアー数珠繋ぎのスクリューエアーカーテンに成り生鮮魚店の室内空気による生鮮魚の傷みを防止する為の装置。
【０１４２】
第84の課題解決手段は、2013年8月23日Am7時50分未来の別の美瑛街の理髪店の待ち時間に受ける事の出来るサービスは、陽電子つまり、プラス電気熱抵抗電気の入って無いプラス電気と陰電子つまり、マイナス電気熱抵抗電気の入って無いマイナス電気を使った細胞活性化装置は、クリスタルダイヤ硝子椅子に対して、背もたれ部分に放射線飛散防止パネル内蔵サモーX線レントゲンWライトカメラの左右移動撮影と上下撮影を高出力棒状レールモーター装置によって全自動撮影出来て、、簡単な熱センサーカメラの体温の診察データーを軽量竹灰入り再生硝子超微粒子内蔵チタン酸バリウム構造の圧電素子磁石体粒子の竹灰入りプラスチック絶縁体筋状複数列の軽量圧電素子磁石体粒子磁気のデーター入出力ライン磁気データーペーパーと竹灰入りプラスチック絶縁体シートを重ね再び圧電素子磁気データーペーパーを多層構造に重ねたデーター読み込みの配線とデーターを送受信出来る送受信装置とプラス極とマイナス極を丸きり竹灰入りプラスチック絶縁体を使って充電池の燃焼防止構造にしたアンテナ付のカードデーターを全自動送信出来るカードに医療データーを入れて接客用カードデーターとしてサービスするシステム
と高出力レールモーター等によって、頭の頭皮に対して、陽電子陰電子細胞電気分解細胞活性化装置は、頭皮に対して熱抵抗電気の入って無い陽電子電気と熱抵抗電気の入って無い陰電子電気の低電気を頭皮に当てて、頭皮細胞の電気分解による細胞活性化効果を求めた装置。
【０１４３】
第85の課題解決手段は、2013年8月23日Am8時37分未来の別の美瑛街の花屋だけに売られている花入れポット装置は、円錐の先を水平に切り取った円錐を逆さにした花入れの高さ15センチと底幅7センチメートルと上幅8.5センチメートルの花入れポットの底の通常は丸穴部分の構造に対して網目構造の装置を予め貼り付けた構造の花入れポットは、透明プラスチック部分を、対面2カ所に対して2.5センチ幅の透明プラスチック部分を花入れ構造の対面の上下に設けた装置に成り、更に、花入れ上部部分1センチメートル周囲にたいして透明区間を設けた装置に成り、一定間隔の透明リング状の対面部分にカラー図柄を入れたカラー花入れ装置に成り、花入れの上部分に楕円形4センチメートルの2センチメートルの楕円形リング穴の有るカラーリングを花入れ上部の対面に取り付けた美瑛街特融の花入れ装置に成る。
【０１４４】
第86の課題解決手段は、2013年8月23日Am9時08分未来の別の美瑛街の衣料服店で出来る全自動衣料服オーダーメイド装置は、ジーパン等の服を着たままオーダーメイド写真が撮れる壁面に高出力棒状レールモーター1メートルの同間隔の高さ2.3メートルの縦と横の全自動撮影出来る放射線飛散防止パネル内蔵サモーX線レントゲンカメラは、カラー高出力ライトライン放射装置は、人の体の形状を全自動計測出来る装置に成り、人が乗る高出力レールモーターターン回転装置は、人の体の全体をカメラの全自動高出力CCDカラーライトライン位置認識連絡装置によって、カラー高出力ライトライン放射装置から発射される高出力カラーライトラインが全自動高出力CCDカラーライトライン位置認識連絡装置に映った映像ラインの高出力CCDのカラーライトライン位置を、別のアルゴンガスと軽水素トリチウム電子ガス入りプラスチック画像パネルによってオーダーメイド予想立体写真を観る事が出来る。
【０１４５】
第87の課題解決手段は、2013年8月23日Pm14時14分未来の別の美瑛街の著作権契約の楽器レコードCDカードMD店は、音楽著作権者との著作権契約を行った上での著作権使用番号記録式の複製品に成り、音楽会社への著作権中間マージン支払いの為、複製品に対しては著作権使用番号記録式の番号の後に数字が全自動記録され、著作権使用番号記録式の番号全ての番号と複製場所の住所と店名などが全自動記録され著作権使用番号記録集計センターによって、著作権料金の集計を行い著作権料金未払い等の管理が出来て、店のデーター画面と局のイントロを聞いて、曲を探したり映画を探したり出来ると同時に商品の購入が決まれば、CD及びMD等の表紙を特製ファックス機で作成して、専用のケースに填め込んで複製したCD許可番号シールを付けて美瑛街の音楽楽器店で直接販売出来るシステム。
更に、MD本体は、多層式圧電素子磁気内蔵両面CD装置は、CD装置は裏表両面CDに成り、MD本体のCD書き込み場所は、MD本体の表裏の2カ所ずつ対面に六角形状穴空き装置体を作る事によって、レーザー書き込みを可能にしたMD本体に成り、MD本体の縁には、多層式圧電素子磁気体とカードデーター書き込み読み込み部分装置等の配線付銅板体の音声プラス極と音声マイナス極の音楽系配線と映像回路のプラス極とマイナス極の映像系銅板配線に成る。
【０１４６】
第88の課題解決手段は、2013年8月23日Pm14時54分未来の別の美瑛街の本屋は、本の位置を知らせるカラー点滅兼本読みライトは、本屋のカウンターでは、好きな現在読みたい本の在庫をパソコン等で調べて本をパソコンボタンでインプットする事によって、本棚の点滅ライトの付いて入る本の位置をデーター管理として書き込み明示した本の場所の点滅ライトを、近距離異種異形無線波を通じて本棚のカラー点滅ライトを点滅させて本の位置を支持出来るライト点滅の本の位置設定記録支持システムに成る。
この他、高出力点滅ライト部分は、高出力発光LEDライト玉を使用して、立ち読みライトとして、点滅高出力ライト一体型ライトまたは、別々ライト玉に対して鏡反射板と高出力発光LEDライトを取り付けた未来の別の美瑛街の本屋に成る。
【０１４７】
第89の課題解決手段は、2013年8月23日Pm16時41分未来の別の美瑛街の一戸建て免震装置付クリスタルダイヤ硝子芯入り合成木材及びクリスタルダイヤ硝子屋根等は、地震等湿気及び圧力よって、合成木材が折れたり曲がったりしない様にしたクリスタルダイヤ硝子芯を入れた合成木材柱に成り、免震杭を打って免震基礎のクリスタルダイヤ硝子基礎土台の敷き台として、砕石層の高出力電気モーターランマーと細小杭つまり、免震床を支える細小杭と地層土質の場合によって水が出た場合に於いてのセメント撹拌有りでのコンクリート均し基礎状況に於いて、接着剤再生ビニールゴム下地に於いてのクリスタルダイヤ硝子基礎の鋼鉄鋼ボルト留め金具装置付擁壁ブロックの免震杭とのセメント固定のクリスタルダイヤ硝子基礎の鋼鉄鋼ボルト留め金具装置付擁壁ブロックに成り鋼鉄鋼金具固定の合わせクリスタルダイヤ擁壁ブロックのボルト留めナット留め方式に成り、免震杭とクリスタルダイヤ硝子基礎擁壁ブロックとは、鋼鉄鋼二つ穴ボルトナット留め板によって、固定する構造に於いて、クリスタルダイヤ硝子基礎擁壁ブロック免震装置填め込み鋼鉄鋼ボルトナット固定式免震装置に成り、家の基礎クリスタルダイヤ硝子芯入り合成柱固定土台の三方向の縦柱と90度の床土台柱の填め込み部分のクリスタルダイヤ硝子芯に対して、クリスタルダイヤ芯と一体型のクリスタルダイヤボルト穴付きのクリスタルダイヤ硝子芯入りの合成木材に成り、合成木材の周囲は、再生木材チップ粒子と竹灰入りグラスフアイバー防護パネル付きのクリスタルダイヤ硝子芯入り合成木材柱構造に成る。
従って、免震受け填め込み台の角は、一方方向の免震装置に成る為、90度の家の角部分の免震金具取り付け状態は、クリスタルダイヤ硝子基礎の鋼鉄鋼ボルト留め金具装置付擁壁ブロックの一部が最初から角部分が4カ所飛び出たデザインまたは、基礎自体を広くして免震杭の数を増やし、免震基礎の根入りを深く擦る必要性としては、一戸建て免震付きの家の消耗年数を最低で200年位予定して入る為、免震装置確認窓及び免震装置点検の為の引きボルトナットを家の内側基礎に設けた構造にも成る。
更に、免震土台自体の角々部分の角取りに対してクリスタルダイヤ硝子ボルト穴パネルの細鉄筋とボルト穴付鋼鉄鋼板にクリスタルダイヤ硝子を被せた合成木材柱構造に成り、専用の割りピン穴付のボルトと割りピン穴付のWナット構造に成り、更に、免震受け填め込み台同志の角引き長手のボルトナット装置を角取全てに取り付けた免震基礎土台の合成木材組み合わせ固定方法に成る。
【０１４８】
第90の課題解決手段は、2013年8月24日Am9時23分未来の別の美瑛街の一戸建て免震装置付クリスタルダイヤ硝子芯入り合成木材は、クリスタルダイヤ硝子芯入り乾燥竹チップと乾燥雑草チップと竹灰入り化学糊をクリスタルダイヤ硝子芯に巻くようにした角材に対して再生木材チップと竹灰入り化学糊を散布して接着して圧縮した合成角材柱または板材に成り、クリスタルダイヤ硝子芯は、再生木材つまり、建て壊しの古い一軒家の木材の再生チップ及び建築現場の木材灰材の乾燥チップと化学糊の合成合板の角材の再生合板角材及び再生合板平板等の製品に成り、やや太鉄筋に低温陶器材を被せて焼いた軽量陶器材柱などは、駐車場の柱材等に使用する為の材料に成る。
【０１４９】
第91の課題解決手段は、2013年8月24日Am10時05分未来の別の美瑛街の一戸建て免震装置付クリスタルダイヤ硝子芯入り合成木材柱は、一戸建て合成木材製品の免震装置付合成木材一戸建ては、屋根の床板は、専用金具2枚に屋根板を通して、2枚の専用金具の合成木材の角材金具留め穴に専用の鋸刃形状ピンをハンマー等で叩き込みして、割りピン等で固定する構造に成り、クリスタルダイヤ硝子板及び芯に対しては、釘またはドリル釘が全く効かない構造に成るが、大量生産の上と再生材の低価格購入から、材料費を徹底して安くするならば、1500万なら750万程の家そして、1200万円の家なら600万程度の家に成る可能性の有る家の屋根板に成り床板は、差し込み式のボルトと金具板固定型の接着板のW合成板構造に成る。
この家の特徴として、家の角取のボルトナット金具の調整締め直し点検が、地震の度に締めなおさなければ個程度が高まらない為、地震後の締め付け点検を重ねる内に締め付けが丈夫に成った時点で締め付け完了の免震装置設置の家構造説明に成る。
【０１５０】
第92の課題解決手段は、2013年8月24日Am10時05分未来の別の美瑛街の一戸建て免震装置付クリスタルダイヤ硝子芯入り合成木材の家の屋根板が全て貼り終え防水ビニールゴムシートを貼って専用の化学糊で接着固定した一戸建て免震装置設置の上で、屋根板として、軽量瓦屋根の端に列は、砂鉄入り瓦の重量瓦が有り、この他、屋根端の部分を留めるボルトナット固定式瓦等も有り、クリスタルダイヤ硝子屋根板と別にアルミニウム屋根は、既に加工済みの屋根板を組み立てながら端ぐる輪の鉄板屋根で固定する塗装代を安く済ませる為の屋根板手法。
更に、屋根板全体を一戸建て免震付き家の屋根を台風及び竜巻などから守為に、屋根板自体を専用のカギ金具付のボルトナットネジ締め込み型の風よけグラスフアイバーバリアフードを取り付けてネジ締め付け固定に成る。
【０１５１】
第93の課題解決手段は、2013年8月24日Am11時02分未来の別の美瑛街の一戸建て免震装置付クリスタルダイヤ硝子芯入り合成木材の屋根板装置は、Tの字形状の屋根柱に更に、切込み2カ所を入れて、液体プラスチック硝子接着ドリル穴を設けた屋根柱に成り、屋根板の専用金具留め板は、専用金具取り付け部分だけ合成木材屋根板部分それぞれに切込みを予め入れて有る屋根板と専用の屋根板留め金具のボルトナット二つ穴金具板2枚とボルト装置または、4つ穴付金具のボルトナット留め装置に成る。
【０１５２】
第94の課題解決手段は、2013年8月24日Pm16時02分未来の別の美瑛街の一戸建て免震付きハウスは、敷地が長方形敷地に対して、対面の角を2角の場所に、緊急脱出用の高出力モーター梯子の折口に成り、循環水の電動仕切り弁スイッチ付の屋根から壁に向かって流れ落ちる部分冷却システムと金属梯子の冷却の為のシャワー放水スイッチ付の非常高出力モーター階段システムに成り、スクリューエアーバリアの防煙システム付非常階段に成り、介護施設では滑り台式非常脱出装置に成り、強制水蒸気送風装置などの防煙システム付の非常脱出用滑り台に成る。
そして、3階の丸屋根の子供部屋に成り、積雪対策として、スクリューエアー全自動放出装置。
【０１５３】
第95の課題解決手段は、2013年8月27日Pm17時18分未来の別の美瑛街近郊を回る2階建て電気観光バスは、高出力水素水永久発電機積載の高出力レール中コイルモーターは、通常の中コイルモーターブレーキ以外にタイヤの滑り留めだけの、高出力レールモーターを一体型にした円形電磁石全てに対しての電磁石吸引モーターブレーキとモーターデスクブレーキのWブレーキ使用の2階建て電気観光バスに成り、横硝子は、円形高出力レールモーター窓とニヤンワンつまり、猫と犬が向き合った一枚硝子の銅アルミニュウム鉄鉛合金のガラス縁取り体を取り付けた中ピン回転型の財団キャラクター使用の横硝子まどと後硝子装置に成り、今回の後部硝子は、中央1メートル幅が天上部分30センチメートル中に入った斜度折れ型の両サイド縦カットクリスタルダイヤ硝子の亜鉛鉄のボルトナット留め穴板内蔵の車台板ボルトナットプラスチックゴム留め構造の後ろの硝子板に成り、二階建ての上から一階の天上から30センチの位置水平位置までのクリスタルダイヤ硝子体にした装置に成る。
但し、後部硝子天上から1メートル下から全てに、日除けカラープラスチックシートを一センチ間隔に水平直線状に入れた日除け硝子の二枚合わせの中にプラスチック硝子を入れた三枚硝子構造の後ろ硝子に成る。
この他、全面硝子に於いても、運手席近くが1メートル程通常硝子に成り、他はクリスタルダイヤのカット硝子使用のエアーワイパー補助装置を取り付けた縦カット硝子構造に成る。
本題の、楕円形クリスタルダイヤ硝子は、二階建てバスは、4個使用のボルトナット固定型に成り、楕円形バスに固定する為亜鉛鉄のボルトナット穴内蔵の金属板内蔵の端部分のやや厚手構造の楕円形クリスタルダイヤ硝子体に成り、5分の1のカット硝子入りのクリスタル楕円形硝子構造に成り、高出力2段レールモーターワイパー等の今までに無い手法の電気バス。
【０１５４】
第96の課題解決手段は、2013年8月27日Pm18時02分未来の別の美瑛街近郊を回る2階建て電気観光バスのバンパ装置は、多層式衝撃吸収4種類ゴムは、プラスチックゴムとビニールゴムとプラスチックビニールゴムとビニールシリコンゴムの4種類ゴムシートを多層重ねにした衝撃吸収ゴム構造に成る。
この他、高出力スプリング電磁石レールモーターホイストなどを組み合わせた衝撃吸収バスのバンパ構造に成り、ドアは、通常ドアと異なる長方形ドア形状からやや平行四辺形の縦長のドア構造のニヤンワン向い合わせのスズランを間に挟んだ硝子形状の二枚合わせ硝子の間にプラスチック硝子のボルトナット留め構造のデザイン形状硝子の接着型3枚硝子構造の前ドアに成り、後部非常ドアは、硝子無ドアに成り、非常ドア開閉エアー弁解除型の非常ドアシステムに成る。
従って、後部バンパに対しても、前バンパ構造を取り入れた装置に成る。
その他、前運転席ドアは、硝子横引き硝子体の横引きドアに成る。
【０１５５】
第97の課題解決手段は、2013年8月27日Pm18時39分未来の別の美瑛街近郊を回る2階建て電気観光バスのタイヤは、パンクしても、ホイルにボルト留めした中タイヤ体の二重タイヤ構造のチュブレスタイヤを履いた2階建て電気観光バス。
更に、2階建て電気観光バス塗料は、固形窒素入り熱遮断塗料使用の他、スクリューエアー外気遮断装置は、高出力コンプレッサー使用のエアーバイパス管の高出力電動仕切り弁スイッチ切り換え型の窓側の外気遮断スクリューエアーバリア装置に成る。
この他、高出力全自動位置認識補助レールモーターステアリング装置は、中折れバスの前4本のタイヤと後部2本との合計6本が、ハンドルを切ると同時に、前車体の道路地図上のバス位置と後部の道路地図上のバス位置を全自動カメラサイド位置計測して、後ろ車体のハンドルを切るのは、複数台の山岳ヘリコプターの道路位置の三角点位置の全自動計測を可能にした中折れ部分の中折れ補助ステアリング高出力レールモーターに成り、ハンドルステアリングを軽く擦る為の補助装置に成り、後部車両自体が、全自動ロボット補助走行技術の高出力カラーライトラインカメラ装置と道路位置出しの山岳ヘリコプターの複数台数を使った道路地図上の2階建て電気観光バスの後部位置とステアリングを切る位置を全自動認識していて、高出力カラーライトラインカメラ装置の道路位置に沿った走りが出来る為に、後部車両のステアリングを切る位置を予めGPSカーナビゲイション等に補助設定する等の対策が必要に成る。
【０１５６】
第98の課題解決手段は、2013年8月27日Pm19時24分未来の別の美瑛街近郊を回る2階建て電気観光バスのブレーキ装置は、6本の高出力中コイルモーターとレールモーターの一体型の制御モーターに対して、複数個の電磁石一度に電磁石吸引ブレーキを一度に6個の高出力中コイル一体型レールモーターに成る。
この他、高出力レールモーターデスク発電ブレーキの他、緊急スクリューエアーブレーキにの三重ブレーキに成り、非常事態とは、運転手設置に設置の脈拍計等の不整脈を全自動感知すると緊急スクリューエアーブレーキにスイッチが入り、代わりの運転手と交替に成るシステムに成る。
この他、車体板の鋼鉄鋼3.5センチメートルの車体鋼鉄鋼板構造に成り、絶対曲がらない硬さなのも事実に成り、ステアリングモーター移動カバーパネル等で足場の確保だが、走行中は、前車両と後部車両の行き来するドアは、全自動ロック状態に成り、高出力モーター太芯固定ボルトによってカバー固定が出来て入る。
【０１５７】
第99の課題解決手段は、2013年8月27日Pm20時27分未来の別の美瑛街近郊を回る2階建て電気観光バスの前上部ウインカーのリレーウインカーは、6個の高出力発光LEDライト玉装置に成り、プラスチックビニール硝子ウインカーパネル体に成り、ボルトナット留めのビニールゴムパッキン使用の長めの形状のリレーウインカーに成る。
更に、前下の小灯ウインカーは、補助確認の為のウインカーに成る。
この他、後ろのウインカーブレーキランプは、プラスチックビニール硝子ウインカーパネル体を使用した矢印形状ウインカーと縦型の小判型ブレーキランプに成り、その他、猫と犬が向き合ったブレーキランプ形状構造に成る。
【０１５８】
第100の課題解決手段は、2013年8月27日Pm20時37分未来の別の美瑛街近郊を回る2階建て電気観光バスの放射線飛散防止パネル付きサモーレントゲン人及び動物全自動被写体形状認識Wカメラは、雨の日及び雪の日及び朝霧の日及び夕霧の日及び煙の日等の前の確認が出来ない場合、2台の放射線飛散防止パネル付きサモーレントゲンWカメラの熱形状カメラと物体の形状認識の為のレントゲンカメラによって、冷えた物体の形状を全自動認識出来るカメラを設置した近未来型の自動車の全自動走行に絶対に欠かす事の出来ない放射線飛散防止カメラとバックミラーの前後左右上下ライトカメラ付画像パネルに成り、サイドライトの歩道だけを専門に照らすライトも設置されて居り、サイドの放射線飛散防止レントゲンカメラは、雪道の視界が悪い場所を安全に通る為のカメラ装置に成る。
この他、
【０１５９】
第101の課題解決手段は、2013年8月27日Pm21時03分未来の別の美瑛街のクリスタルダイヤ硝子ビルの医療機関が使用するリハビリ二人打ちパチンコ機械は、高出力水素水永久発電機の電気と電気税カード使用に成るいくら使用しても、契約電気料金以外は、一円も払わなくて良いしすてむに成るが、電気使用データーの全自動記録は、未来使用なのかもしれない。
先ず初めに、介護パチンコの為、二人打ちハンドルは、右ハンドルと左ハンドルの四段階スイッチのタッチ高出力レールモータースイッチハンドルに成り、手置き場所がハンドル部分の前に迫り出した形状と玉置き皿部分が前に迫り出した特殊のパチンコ台に成り、パチンコ硝子の内側硝子はクリスタル硝子に成り、外面はプラスチック硝子の二枚差し込み硝子のリハビリパチンコの安全上構造に成り、音声記憶マイクは、パチンコカードに設定されている人の幼年期から現在そしてね未来までもの写真と音声が容易されて下り、音声登録の音声照合によって、登録データーを全自動で呼び出す事が出来るパチンコのデーターローム装置の基本データーに成る。
更に、画像形状は、ハート型画像とダイヤ型画像と六角画像と猫と犬が向き合っている画像に成り、パチンコ釘は、鉛鉄アルミニウム合金釘に成り、玉受け皿は、塩化プラスチックビニール製等も有る。
この他、賞球ランプは、三つ輪リングの複数カラーランプまたは花ビラライトランプ等のデザインランプ等も容易に成り、パチンコのチューリップ自体のライトチューリップと回転車芯ライト及びバック同一形状ライトとパチンコ台自体をクリスタルダイヤ硝子にして釘部分を、ナットとパチンコ釘自体をボルト釘にしたパチンコ後全体が画像パネルにしたデザイン発電画像パチンコ台に成る。
そして、パチンコチューリップでは、塩化竹灰入りプラスチックチューリップに成り、中央の青春アタッカーゲートと三角関係アタックゲートに入賞してから、足踏み三つ足スイッチによって選ぶ事の出来るスイッチに成り、選択によって、農業国入り口ゲートが開き入賞し易く成り、農業国で二人打ちの賞球ランプが付き数字選択が、二つの0から9までの数字が一致する事によって、選択イメージランプが一致した場合は、ストーリー先行するが、イメージ選択ランプが一致しない場合は、再アタックハートの逆さチューリップが開いて、再復活アタックゲートに入り易い状態に成り、再び数字が揃えば足踏み三つ足スイッチによって選ぶ事の出来るスイッチによって選択イメージランプが一致した場合は、ストーリー先行するがその間に再び、三角関係アタックゲートに入ると同時に別世界入口と海外研修旅行選択場面に成り、再び両側の数字が一致した場合、画面にじゃんけんポーズで勝った方の選択画像場面に成る。
その他、恋人を選択するアタック口では、他の人間を選択した場合は、ハプニング劇場の始まりに成る。
その後、再婚アタック抽選口に入った入賞点数によって、再び恋人を選択するアタック場面に戻り、恋人選択によって、再婚アタッカー入賞数によって、幼年期まで、遡ってイメージ画像ゲームが続き、マネージャー定員呼び出しスイッチによって、何度目かの結婚式画面にパネルが切り替わる指のタッチに依る玉の入賞場所によって、ストーリー変化するリハビリパチンコゲーム。
【０１６０】
第102の課題解決手段は、、2013年8月27日Pm22時16分未来の別の美瑛街のクリスタルダイヤ硝子ビルの医療機関が使用するリハビリ二人打ちパチンコ機械は、椅子の高さをレールモータースイッチによって、椅子の高さの調整が出来て、パチンコ台上には、医療データー変化表示パネルと荷物置き棚は、パチンコ裏の電気熱空気を荷物置き場に流したり、冷却風を流したり出来る装置に成り、医療データー多層式カードは、椅子の後ろ壁に設置して有る放射線飛散防止パネル付きサモー熱センサーカメラとレントゲンカメラとCTスキヤンカメラの三種類の背面カメラと天上カメラによる全自動診察データーを医療データー多層式カードにデーター入力して、風景データー写真を含めて、送受信アンテナを通じて、リハビリセンターの医師相談センターまでデーターを全自動送信が出来るシステムに成る。
この他、ジュース入れカップは、プラスチック型の差し込み型を選べるジュースカップ装置に成る。
【０１６１】
第103の課題解決手段は、2013年8月27日Pm22時50分未来の別の美瑛街のクリスタルダイヤ硝子ビルの医療機関が使用するリハビリ二人打ちパチンコ機械に使用するパチンコ玉は、鉛アルミニウム鉄合金のシルバーに近い色玉と銅鉄アルミニウム合金金色に近い二つの異なった色のナットとボルト型の二つをボルトナット締めして、4カ所の針穴の5倍程の窪みに熱鉛を詰めて固定する方法の為、玉には、回転させて回す為の上下の二つずつの回転指せる為の針穴も空いている構造に成り、ライト穴が二カ所ずつ4カ所空いているパチンコ玉に成り、高出力発光LEDライト玉は、ネジ込み型に成り、中央に二層絶縁体は、ナット装置を回転させて占めるまで行くと二層絶縁体が潰れて収まる形状の絶縁体に成る。
更にプラス充電池とマイナス充電池を丸っきり別々に擦る為、中央の二層絶縁体の両サイドに充電池が収まり、竹灰入り塩化ビニールゴムクッション絶縁体シート金属面接着型の軽水素トリチウム電子ガス入り圧電素子粒子内蔵シリコン液体マグネシウム混合合成充電池を収める二層絶縁体を挟んでプラス極とマイナス極をキチンと区分けした充電池構造に成り、上下の充電池体接続部分は、超細ワイヤ入り銅板を使用した電極接続装置に成り、平板の中央複数針穴構造の裏面軽水素トリチウム電子入り圧電素子磁石体粒子内蔵シリコンスプリングシート付の電極接続体は、押されて平らに成るスプリング接触体に成り、ライト玉の窓は、プラスチックライト窓装置に成り、充電方法は、プラス充電池とマイナス充電池部分に小さな針孔金属突起印によって、区別出来る構造に成って下り、二層絶縁体は、プラスチックゴムと竹灰入りビニールゴムの二層絶縁体構造に成る。
【０１６２】
第104の課題解決手段は、2013年8月27日Pm23時49分未来の別の美瑛街のクリスタルダイヤ硝子ビルの医療機関が使用するリハビリ二人打ちパチンコ機械の裏側は、上り玉受け皿装置は、再婚アタッカーの電気接触スイッチを通過した後は、上り玉専用のコの字超細ワイヤ入りベルトモーター歯車回転によって玉を上げる方法の他、二つのシーソーモーターカップの玉入れの入ったカップの上下輸送手段による玉上げシステムに成る。
この他、落とし玉高出力圧電素子磁石体発電装置は、軽水素トリチウム電子ガス入りの圧電素子磁石体と軽水素トリチウム電子ガス入りの圧電素子磁石体粒子入りゴムまたはビニールゴム体に対して、アルミニウム複数小丸穴空き体に対して軽水素トリチウム電子ガス入りの圧電素子磁石体粒子入りビニール体をアルミニウム複数小丸穴空き体に被せた装置と下側には、高出力圧電素子磁石体が有り、玉が落ちる磁気打撃スピードによって、押し出される電子を電気に変える装置に成る。
更に、払い玉全自動計測高出力電磁石板仕切り弁装置ゲートによって払い出し玉の全自動計測と電気スイッチカウンターによって
【０１６３】
第105の課題解決手段は、2013年8月28日Pm24時11分未来の別の美瑛街の丘の地下から出て来る砂岩の高出力モーターカッターで切った砂岩石の取り出し方法は、楔鑿先を取り付けた高出力2連結以上モーターの場合、モーター軸に往復反転型の板を溶接固定したモーター震動装置に対してアルミニウム板とプラスチックゴム板とステンレス板などの多層重ね板にモーター軸作動によるインバータースイッチに依る往復反転作動と楔鑿装置に対して、前に押す為の高出力レールモーターホイスト作動と4機の高出力2連結以上モーターの異なった角度からの全自動作動によって、石折楔鑿装置の連続作動に依る石折作業に成り、永久発電機の高出力水素水永久発電機の電気を使用して4機の高出力2連結以上モーターと細ワイヤ網入りプラスチックゴムキヤタビラ足の電源を確保した発電装置の全自動石折の砂岩石を折って専用のカギ¬装置によってモーター¬装置によって引き出す事が出来るシステムによって美瑛街の地下都市への道が開ける。
【発明の効果】
【０１６４】
上述した様に、未来の別の美瑛街では、農業の自給自足と漁業の自給自足と高出力リニアーモーターカーを使った自然回復一人一人の財団無料事業によって、いつの日か将来再びのニシン御殿及びサンマ御殿及びタラ御殿及びイワシ御殿及びイカ御殿などの様々な再復活の海の夢を提供出来る新技術。
【０１６５】
また、冷害に対しても、冬野菜に対しても、不可能を可能にする地下農業の自給自足の自立社会に成り、衣類のオーダーメイドの自給自足の為の衣類作成の為の地下工場都市そして、200年保障の免震機能付きの鋼鉄鋼組み立て型のクリスタルダイヤパネル2階から3階程度の未来の別の永遠に壊さない事を目的とした美瑛街作り、永遠の未来に見る事を願う未来の別の美瑛街の世界遺産作りそして、永遠の夢発進に成る。
【産業上の利用可能性】
【０１６６】
ライトコインは、リハビリ医療装置として、今後開発して行く技術に成り、液晶等のゲーム機設置特許の為、パチスロの液晶使用を著作権上断念する代わりに、パチスロ空間つまり空いている場所利用としての計画案として、人形ゲームつまり、超小型ロボット人形を組み立てる為に介護を必要とするものが自分でロボットパーツ部品の回路パネル発電機ブロックパネルなど磁力線放射ブロックパネルなど高周波銃及び挟み銃及びモーターカッタ銃など選んで組み立てたロボットを所定の場所にセットしてパチスロ以外にゲームを行い、介護を必要とするものが自分で選んで組み立てたロボットが勝事によって、パチスロ設定が上がるゲームに成り、完全優勝すると二人打ちスロットゲームに出場出来て完全優勝を競い合う為、アタッチメントパソコン通信システムも開催されている未来型の別の美瑛街の新ゲームのリハビリ医療ゲームに成る。
【図面の簡単な説明】
【０１６７】
【図１】本発明の実施形態を示す永久クリスタルダイヤ硝子ビル周辺の正面図
【図２】未来の別の美瑛街同クリスタルダイヤ硝子ビルの周辺の正面図
【図３】未来の別の美瑛街同クリスタルダイヤ硝子ビルの周辺の正面図
【図４】未来の別の美瑛街同クリスタルダイヤ硝子ビルの周辺の正面図
【図５】未来の別の美瑛街同クリスタルダイヤ硝子ビル周辺のクリスタルダイヤ硝子縁石の概略図
【図６】未来の別の美瑛街同クリスタルダイヤ硝子ビル周辺の道路正面断面図1
【図７】未来の別の美瑛街同クリスタルダイヤ硝子ビル周辺の道路正面断面図2
【図８】未来の別の美瑛街同クリスタルダイヤ硝子ビル周辺の道路概略図
【図９】未来の別の美瑛街同クリスタルダイヤ硝子ビルのクリスタルダイヤ硝子基礎概略図
【図１０】未来の別の美瑛街同クリスタルダイヤ硝子ビルのクリスタルダイヤ硝子基礎概略図
【図１１】未来の別の美瑛街同クリスタルダイヤ硝子ビルの免震クリスタルダイヤ硝子基礎概略図
【図１２】未来の別の美瑛街同クリスタルダイヤ硝子ビルの免震クリスタルダイヤ硝子基礎概略図
【図１３】未来の別の美瑛街同クリスタルダイヤ硝子ビルのクリスタルダイヤ硝子永久水道官概略図
【図１４】未来の別の美瑛街同クリスタルダイヤ硝子ビルの屋上の一戸建て木造の免震基礎概略図
【図１５】未来の別の美瑛街同クリスタルダイヤ硝子ビルの屋上の一戸建て木造の免震クリスタルダイヤ硝子屋根概略図
【図１６】未来の別の美瑛街同クリスタルダイヤ硝子ビルの屋上の一戸建て木造の免震基礎概略図
【図１７】未来の別の美瑛街同クリスタルダイヤ硝子ビルの屋上の一戸建て木造の免震基礎概略図
【図１８】未来の別の美瑛街同クリスタルダイヤ硝子ビル一室の写真屋の合成写真説明図
【図１９】未来の別の美瑛街同クリスタルダイヤ硝子ビルの屋上の一戸建て木造の免震基礎付き二世代ハウスの概略図
【図２０】未来の別の美瑛街同クリスタルダイヤ硝子ビルの屋上の一戸建て木造の免震基礎概略図
【図２１】未来の別の美瑛街同クリスタルダイヤ硝子ビルの屋上の一戸建て木造の免震基礎概略図
【図２２】未来の別の美瑛街同クリスタルダイヤ硝子ビルの屋上の一戸建て木造の免震基礎概略図
【図２３】未来の別の美瑛街同クリスタルダイヤ硝子ビルの屋上の一戸建て木造の免震杭基礎概略図
【図２４】未来の別の美瑛街同クリスタルダイヤ硝子ビル周辺の一戸建て木造建築物への高光速超電導電気使用の無線装置の概略構造説明図
【図２５】未来の別の美瑛街同クリスタルダイヤ硝子ビル周辺の一戸建て木造建築物への高光速超電導電気使用の無線装置の概略構造説明図
【図２６】未来の別の美瑛街同クリスタルダイヤ硝子ビルの屋上の一戸建て木造の免震基礎付き二世代ハウスの窓概略図
【図２７】未来の別の美瑛街同クリスタルダイヤ硝子ビルの屋上の一戸建て木造の免震基礎付き二世代ハウスの窓概略図
【図２８】未来の別の美瑛街同クリスタルダイヤ硝子ビルの屋上の一戸建て木造の免震基礎付き二世代ハウスの窓概略図
【図２９】未来の別の美瑛街同クリスタルダイヤ硝子ビルの屋上の一戸建て木造の免震基礎付き二世代ハウスの窓概略図
【図３０】未来の別の美瑛街同クリスタルダイヤ硝子ビルの屋上の一戸建て木造の免震基礎付き二世代ハウスの窓概略図
【図３１】未来の別の美瑛街同クリスタルダイヤ硝子ビルの屋上の一戸建て木造の免震基礎付き二世代ハウスの防反侵入確認の為の重量センサーの概略図
【図３２】未来の別の美瑛街同クリスタルダイヤ硝子ビル1階の概略説明図
【図３３】未来の別の美瑛街同クリスタルダイヤ硝子ビル1階の床の概略説明図
【図３４】未来の別の美瑛街同クリスタルダイヤ硝子ビル1階のキチン台所の概略説明図
【図３５】未来の別の美瑛街同クリスタルダイヤ硝子ビル1階の窓の概略説明図
【図３６】未来の別の美瑛街同クリスタルダイヤ硝子ビル屋上の一戸建ての玄関ドアの概略説明図
【図３７】未来の別の美瑛街同クリスタルダイヤ硝子ビル1階から全ての階の移動エレベーター風呂の概略説明図
【図３８】未来の別の美瑛街同クリスタルダイヤ硝子ビル1階から全ての階の天上格納型寝台概略説明図
【図３９】未来の別の美瑛街同クリスタルダイヤ硝子ビルの一室の医療機関が使用する腕バンド式診察券データー内蔵の送受信装置の構造説明図
【図４０】未来の別の美瑛街同クリスタルダイヤ硝子ビルの一室の医療機関が使用する洗える透明のプラスチックビニールサンダル靴の構造説明図
【図４１】未来の別の美瑛街同クリスタルダイヤ硝子ビルの一室の医療機関が使用するスチーム風呂細胞活性化装置の構造説明図
【図４２】未来の別の美瑛街同クリスタルダイヤ硝子ビルの一室の医療機関が使用するトイレの検尿検便装置の構造説明図
【図４３】未来の別の美瑛街同クリスタルダイヤ硝子ビルの一室の医療機関が使用する手洗い嗽の励行室の構造説明図
【図４４】未来の別の美瑛街同クリスタルダイヤ硝子ビルの一室の医療機関が使用するサモーカメラ付きの診察カード音声対応装置の構造説明図
【図４５】未来の別の美瑛街同クリスタルダイヤ硝子ビルの一室の医療機関が使用する衣類着替え殺菌洗濯の構造説明図
【図４６】未来の別の美瑛街同クリスタルダイヤ硝子ビルの一室の医療機関が使用するの全自動検尿検便構造説明図
【図４７】未来の別の美瑛街同クリスタルダイヤ硝子ビルの一室の医療機関が使用する冷却膝掛けの構造説明図
【図４８】未来の別の美瑛街同クリスタルダイヤ硝子ビルの一室の医療機関が使用する冷却装置バンドの構造説明図
【図４９】未来の別の美瑛街同クリスタルダイヤ硝子ビルの一室の医療機関が使用する酸素空気吸入器の構造説明図
【図５０】未来の別の美瑛街同クリスタルダイヤ硝子ビルの一室の医療機関が使用する熱治療装置の構造説明図
【図５１】未来の別の美瑛街同クリスタルダイヤ硝子ビルの一室の医療機関が使用するリハビリ装置の構造説明図
【図５２】未来の別の美瑛街同クリスタルダイヤ硝子ビルの一室の医療機関が使用する洗える運動医療マットの構造説明図
【図５３】未来の別の美瑛街同クリスタルダイヤ硝子ビルに関する図面を北海道知事に送付した証拠図
【図５４】未来の別の美瑛街同クリスタルダイヤ硝子ビルの一室の医療機関が使用するX線及びCTスキャン及びサモーカメラ及びMRI及びPETを一度に立ったまま全て撮影出来る放射線飛散防止パネル内蔵のカメラ装置と動く足場構造説明図
【図５５】未来の別の美瑛街同クリスタルダイヤ硝子ビルの一室の医療機関が使用する放射線飛散防止パネル付きのX線装置構造説明図
【図５６】未来の別の美瑛街同クリスタルダイヤ硝子ビルの一室の医療機関が使用する病院一階の構造説明図
【図５７】未来の別の美瑛街同クリスタルダイヤ硝子ビルに関する図面を北海道知事に送付した証拠図
【図５８】未来の別の美瑛街同クリスタルダイヤ硝子ビルの一室の銀行キャッシュカード現金預け引き出し装置システムの構造説明図
【図５９】未来の別の美瑛街同クリスタルダイヤ硝子ビル周辺の丘の内部構造説明図
【図６０】未来の別の美瑛街同クリスタルダイヤ硝子ビル周辺から産出される砂岩の組み立て構造説明図
【図６１】未来の別の美瑛街同クリスタルダイヤ硝子ビルの丘の砂岩切り全自動モーター石切り装置の側面構造説明図
【図６２】未来の別の美瑛街同クリスタルダイヤ硝子ビルの丘の砂岩切り全自動モーター石切り装置の平面構造説明図
【図６３】未来の別の美瑛街同クリスタルダイヤ硝子ビルに関する図面を北海道知事に送付した証拠図
【図６４】未来の別の美瑛街同クリスタルダイヤ硝子ビル周辺の一戸建てハウスのスクリューエアーカーテンの取り付け概略説明図
【図６５】未来の別の美瑛街同クリスタルダイヤ硝子ビル周辺の大型穴空きレンガの構造概略説明図
【図６６】未来の別の美瑛街同クリスタルダイヤ硝子ビル周辺の飲料地下貯水池の平面透視図
【図６７】未来の別の美瑛街同クリスタルダイヤ硝子ビル周辺の地下の海の魚の養殖地下池槽の平面透視図
【図６８】未来の別の美瑛街同クリスタルダイヤ硝子ビル周辺の地下の発光真珠貝と海の貝の養殖地下池槽の平面透視図
【図６９】未来の別の美瑛街同クリスタルダイヤ硝子ビルの一室の雑貨屋釣り具店で売られている釣竿の概略説明図
【図７０】未来の別の美瑛街同クリスタルダイヤ硝子ビル周辺を走る電気自動車の平面断面概略説明図
【図７１】未来の別の美瑛街同クリスタルダイヤ硝子ビル周辺を走る電気自動車の正面概略説明図
【図７２】未来の別の美瑛街同クリスタルダイヤ硝子ビル周辺を走る電気自動車の背面概略説明図
【図７３】未来の別の美瑛街同クリスタルダイヤ硝子ビル周辺を走る電気自動車の側面概略説明図
【図７４】未来の別の美瑛街同クリスタルダイヤ硝子ビル周辺を走る電気自動車の平面概略説明図
【図７５】未来の別の美瑛街同クリスタルダイヤ硝子ビル周辺を走る電気自動車の正面概略説明図
【図７６】未来の別の美瑛街同クリスタルダイヤ硝子ビル周辺を走る電気自動車の背面概略説明図
【図７７】未来の別の美瑛街同クリスタルダイヤ硝子ビル周辺を走る電気自動車の側面概略説明図
【図７８】未来の別の美瑛街同クリスタルダイヤ硝子ビル周辺を走る電気自動車の平面概略説明図
【図７９】未来の別の美瑛街同クリスタルダイヤ硝子ビル周辺を走るリニアーモーターカーの側面概略説明図
【図８０】未来の別の美瑛街同クリスタルダイヤ硝子ビル周辺を走る電気列車の側面概略説明図
【図８１】未来の別の美瑛街同クリスタルダイヤ硝子ビル周辺を走る電気列車の正面概略説明図
【図８２】未来の別の美瑛街同クリスタルダイヤ硝子ビル周辺を走るエアー補助自転車の構造概略説明図
【図８３】未来の別の美瑛街同クリスタルダイヤ硝子ビル周辺を走るエアー補助自転車の概略説明図
【図８４】未来の別の美瑛街同クリスタルダイヤ硝子ビル周辺を走るエアー補助自転車の畜電池の概略説明図
【図８５】未来の別の美瑛街同クリスタルダイヤ硝子ビル一室の水耕野菜販売装置の概略説明図
【図８６】未来の別の美瑛街同クリスタルダイヤ硝子ビル一室の文房具店で売られているノートの概略説明図
【図８７】未来の別の美瑛街同クリスタルダイヤ硝子ビル一室の新聞屋のパンフレット広報文字画像ライン重ね放送システムの概略説明図
【図８８】未来の別の美瑛街同クリスタルダイヤ硝子ビル一室の生鮮魚陳列棚概略説明図
【図８９】未来の別の美瑛街同クリスタルダイヤ硝子ビル一室の理髪店の待ち時間に受ける事の出来るサービスの概略説明図
【図９０】未来の別の美瑛街同クリスタルダイヤ硝子ビル一室の花屋だけの花入れポットの概略説明図
【図９１】未来の別の美瑛街同クリスタルダイヤ硝子ビル一室の衣料服店の使用する全自動衣服のオーダーメイド計測発注製作販売の為の概略説明図
【図９２】未来の別の美瑛街同クリスタルダイヤ硝子ビル一室の著作権契約の楽器レコードCDカードMD店概略説明図
【図９３】未来の別の美瑛街同クリスタルダイヤ硝子ビル一室の本屋の料金支払い制の立ち読み座り読み概略説明図
【図９４】未来の別の美瑛街同クリスタルダイヤ硝子ビルに関する図面を北海道知事に送付した証拠図
【図９５】未来の別の美瑛街同クリスタルダイヤ硝子ビルに関する図面を北海道知事に送付した証拠図
【図９６】未来の別の美瑛街同クリスタルダイヤ硝子ビルに関する図面を北海道知事に送付した証拠図
【図９７】未来の別の美瑛街同クリスタルダイヤ硝子ビルに関する図面を北海道知事に送付した証拠図
【図９８】未来の別の美瑛街同クリスタルダイヤ硝子ビルに関する図面を北海道知事に送付した証拠図
【図９９】未来の別の美瑛街同クリスタルダイヤ硝子ビルに関する図面を北海道知事に送付した証拠図
【図１００】未来の別の美瑛街同クリスタルダイヤ硝子ビルに関する図面を北海道知事に送付した証拠図
【図１０１】未来の別の美瑛街同クリスタルダイヤ硝子ビルの屋上の一戸建て木造の免震基礎付き二世代ハウスの基礎土台及び柱の取り付け金具の概略図
【図１０２】未来の別の美瑛街同クリスタルダイヤ硝子ビルの屋上の一戸建て木造の免震基礎付き二世代ハウスの基礎土台のクリスタルダイヤ硝子中芯入り合成柱と板の概略説明図
【図１０３】未来の別の美瑛街同クリスタルダイヤ硝子ビルの屋上の一戸建て木造の免震基礎付き二世代ハウスの屋根板と屋根桟木の取り付け固定装置の概略説明図
【図１０４】未来の別の美瑛街同クリスタルダイヤ硝子ビルの屋上の一戸建て木造の免震基礎付き二世代ハウスの屋根外側部分の二重固定と風返しグラスフアイバーフード概略図
【図１０５】未来の別の美瑛街同クリスタルダイヤ硝子ビルの屋上の一戸建て木造の免震基礎付き二世代ハウスの屋根桟木と屋根板の固定装置の概略説明図
【図１０６】未来の別の美瑛街同クリスタルダイヤ硝子ビルの屋上の一戸建て木造の免震基礎付き二世代ハウスの土台柱と金具の概略図と北海道知事送付の証拠の写し図
【図１０７】未来の別の美瑛街同クリスタルダイヤ硝子ビルの屋上の一戸建て木造の免震基礎付き二世代ハウスの土台柱と金具の概略図と北海道知事送付の証拠の写し図
【図１０８】未来の別の美瑛街同クリスタルダイヤ硝子ビルの屋上の一戸建て木造の免震基礎付き二世代ハウスの屋根桟木と屋根板固定の概略図と北海道知事送付の証拠の写し図
【図１０９】未来の別の美瑛街同クリスタルダイヤ硝子ビルの屋上の一戸建て木造の免震基礎付き二世代ハウスの屋根桟木と屋根板固定の概略図と北海道知事送付の証拠の写し図
【図１１０】未来の別の美瑛街同クリスタルダイヤ硝子ビルの屋上の一戸建て木造の免震基礎付き二世代ハウスのクリスタルダイヤ硝子芯入りの合成木材の柱と板の概略図と北海道知事送付の証拠の写し図
【図１１１】未来の別の美瑛街同クリスタルダイヤ硝子ビルの屋上の一戸建て木造の免震基礎付き二世代ハウスの外屋根桟木と屋根板の固定装置の概略説明図
【図１１２】未来の別の美瑛街同クリスタルダイヤ硝子ビルの屋上の一戸建て木造の免震基礎付き二世代ハウスの窓硝子と窓枠の概略図と北海道知事送付の証拠の写し図
【図１１３】未来の別の美瑛街同クリスタルダイヤ硝子ビルの屋上の一戸建て木造の免震基礎付き二世代ハウスの床板の隙間風対策の概略図と北海道知事送付の証拠の写し図
【図１１４】未来の別の美瑛街同クリスタルダイヤ硝子ビル一室の医療機関のリハビリマットの移動洗濯車の概略図と北海道知事送付の証拠の写し図
【図１１５】未来の別の美瑛街同クリスタルダイヤ硝子ビルの創設財団の公開地下金庫の概略図と北海道知事送付の証拠の写し図
【図１１６】未来の別の美瑛街同クリスタルダイヤ硝子ビル周辺の河川の免震杭の概略図と北海道知事送付の証拠の写し図
【図１１７】未来の別の美瑛街同クリスタルダイヤ硝子ビルに使用する金属鋼材を溶かす為の石炭に代わる代替え燃料の概略図と北海道知事送付の証拠の写し図
【図１１８】未来の別の美瑛街同クリスタルダイヤ硝子ビル一室の医療機関の手洗い嗽励行システムの概略図と北海道知事送付の証拠の写し図
【図１１９】未来の別の美瑛街同クリスタルダイヤ硝子ビルの一戸建てハウスの合成木材の異なった構造の概略説明図と北海道知事送付の証拠の写し図
【図１２０】未来の別の美瑛街同クリスタルダイヤ硝子ビルの一戸建てハウスの合成木材の異なった構造の概略説明図と北海道知事送付の証拠の写し図
【図１２１】未来の別の美瑛街同クリスタルダイヤ硝子ビルの一戸建てハウスの合成木材板を使った差し込み壁の概略説明図と北海道知事送付の証拠の写し図
【図１２２】未来の別の美瑛街同クリスタルダイヤ硝子ビル地下の砂岩の切り岩の石折モーター鏃バイブレイションの概略説明図と北海道知事送付の証拠の写し図
【図１２３】未来の別の美瑛街同クリスタルダイヤ硝子ビルの一戸建てハウスの介護室の簡易箪笥の概略説明図と北海道知事送付の証拠の写し図
【図１２４】未来の別の美瑛街同クリスタルダイヤ硝子ビルの一戸建てハウスの介護室の簡易箪笥の概略説明図と北海道知事送付の証拠の写し図
【図１２５】未来の別の美瑛街同クリスタルダイヤ硝子ビルの一戸建てハウスの固いグラスフアイバーの概略説明図と北海道知事送付の証拠の写し図
【図１２６】未来の別の美瑛街同クリスタルダイヤ硝子ビルの一戸建てハウスの合成木材板の異なった構造の概略説明図と北海道知事送付の証拠の写し図
【図１２７】未来の別の美瑛街同クリスタルダイヤ硝子ビルの一戸建てハウスの介護室の簡易箪笥の概略説明図と北海道知事送付の証拠の写し図
【図１２８】未来の別の美瑛街同クリスタルダイヤ硝子ビルの屋上設置の電波望遠鏡と医療施設電子望遠鏡に使用擦る高光速超電導電気の概略説明図と北海道知事送付の証拠の写し図
【図１２９】未来の別の美瑛街同クリスタルダイヤ硝子ビルの屋上設置の電波望遠鏡と医療施設電子望遠鏡に使用擦る高光速超電導電気の概略説明図と北海道知事送付の証拠の写し図
【図１３０】未来の別の美瑛街同クリスタルダイヤ硝子ビルの一戸建てハウスの介護室で飲む水耕野菜ジュースの概略説明図と北海道知事送付の証拠の写し図
【図１３１】未来の別の美瑛街同クリスタルダイヤ硝子ビルの一室の花屋で売られている花入れポット概略説明図と北海道知事送付の証拠の写し図
【図１３２】未来の別の美瑛街同クリスタルダイヤ硝子ビルのクリスタルダイヤ硝子の石入りパネルの概略説明図と北海道知事送付の証拠の写し図
【図１３３】未来の別の美瑛街同クリスタルダイヤ硝子ビルの一戸建てハウスのクリスタルダイヤ硝子本体土台パネル基礎の概略説明図と北海道知事送付の証拠の写し図
【図１３４】未来の別の美瑛街同クリスタルダイヤ硝子ビル周辺の河川の砂鉄矢板ビニール概略説明図と北海道知事送付の証拠の写し図
【図１３５】未来の別の美瑛街同クリスタルダイヤ硝子ビル周辺を走る美瑛街車の概略説明図と北海道知事送付の証拠の写し図
【図１３６】未来の別の美瑛街同クリスタルダイヤ硝子ビル周辺の永久のモーターシールド工法の水道管概略説明図と北海道知事送付の証拠の写し図
【図１３７】未来の別の美瑛街同クリスタルダイヤ硝子ビル構想社の財団が所有する水上浮上の水陸兼用観光バスの概略説明図と北海道知事送付の証拠の写し図
【図１３８】未来の別の美瑛街同クリスタルダイヤ硝子ビル周辺の砂岩山丘の全自動石切り石折掘削装置の全自動付属装置の概略説明図と北海道知事送付の証拠の写し図
【図１３９】未来の別の美瑛街同クリスタルダイヤ硝子ビル一室の医療機関が使用する全自動アレルギー検査装置の概略説明図と北海道知事送付の証拠の写し図
【図１４０】未来の別の美瑛街同クリスタルダイヤ硝子ビル一室の医療機関が使用する全自動超微量放射線計測装置の概略説明図と北海道知事送付の証拠の写し図
【図１４１】未来の別の美瑛街同クリスタルダイヤ硝子ビル周辺を走る美瑛街車の概略説明図と北海道知事送付の証拠の写し図
【図１４２】未来の別の美瑛街同クリスタルダイヤ硝子ビル周辺を走る美瑛街車の概略説明図と北海道知事送付の証拠の写し図
【図１４３】未来の別の美瑛街同クリスタルダイヤ硝子ビル周辺を走る美瑛街車の概略説明図と北海道知事送付の証拠の写し図
【図１４４】未来の別の美瑛街同クリスタルダイヤ硝子ビル周辺を走る美瑛街車の概略説明図と北海道知事送付の証拠の写し図
【図１４５】未来の別の美瑛街同クリスタルダイヤ硝子ビルの室内で使用する扇風機の概略説明図と北海道知事送付の証拠の写し図
【図１４６】未来の別の美瑛街同クリスタルダイヤ硝子ビル一室で見る硝子越に見る事の出来る傷防止対策の宝石技術の概略説明図と北海道知事送付の証拠の写し図
【図１４７】未来の別の美瑛街同クリスタルダイヤ硝子ビル一室で見る硝子越に見る事の出来る傷防止対策の宝石の機番入れ技術の概略説明図と北海道知事送付の証拠の写し図
【図１４８】未来の別の美瑛街同クリスタルダイヤ硝子ビル一室で売られている高出力真空装置瞬間乾燥装置使用の乾燥食材の概略説明図と北海道知事送付の証拠の写し図
【図１４９】未来の別の美瑛街同クリスタルダイヤ硝子ビル一室で売られている高出力真空装置瞬間乾燥装置使用の乾燥食材の概略説明図と北海道知事送付の証拠の写し図
【図１５０】未来の別の美瑛街同クリスタルダイヤ硝子ビル一室で売られている高出力真空装置瞬間乾燥装置使用の乾燥食材の概略説明図と北海道知事送付の証拠の写し図
【図１５１】未来の別の美瑛街同クリスタルダイヤ硝子ビル一室で売られている高出力真空装置瞬間乾燥装置使用の乾燥食材の概略説明図と北海道知事送付の証拠の写し図
【図１５２】未来の別の美瑛街同クリスタルダイヤ硝子ビル一室で売られている高出力真空装置瞬間乾燥装置使用の乾燥食材の概略説明図と北海道知事送付の証拠の写し図
【図１５３】未来の別の美瑛街同クリスタルダイヤ硝子ビル一室で売られている高出力真空装置瞬間乾燥装置使用の乾燥食材の概略説明図と北海道知事送付の証拠の写し図
【図１５４】未来の別の美瑛街同クリスタルダイヤ硝子ビル一室で売られている高出力真空装置瞬間乾燥装置使用の乾燥食材の概略説明図と北海道知事送付の証拠の写し図
【図１５５】未来の別の美瑛街同クリスタルダイヤ硝子ビル一室で売られている高出力真空装置瞬間乾燥装置使用の乾燥食材の概略説明図と北海道知事送付の証拠の写し図
【図１５６】未来の別の美瑛街同クリスタルダイヤ硝子ビルの一戸建てハウスの二階までは、長方形敷地形状の対面二カ所に非常脱出装置と3階の球面屋根の子供部屋の概略図
【図１５７】未来の別の美瑛街同クリスタルダイヤ硝子ビル近郊の美瑛街周辺の二階建て観光バスの概略説明図
【図１５８】未来の別の美瑛街同クリスタルダイヤ硝子ビル近郊の美瑛街周辺の二階建て観光バスの概略説明図
【図１５９】未来の別の美瑛街同クリスタルダイヤ硝子ビル近郊の美瑛街周辺の二階建て観光バスの概略説明図
【図１６０】未来の別の美瑛街同クリスタルダイヤ硝子ビル近郊の美瑛街周辺の二階建て観光バスの概略説明図
【図１６１】未来の別の美瑛街同クリスタルダイヤ硝子ビル近郊の美瑛街周辺の二階建て観光バスの概略説明図
【図１６２】未来の別の美瑛街同クリスタルダイヤ硝子ビル何階かの医療リハビリセンターのリハビリテイションの器械の概略説明図
【図１６３】未来の別の美瑛街同クリスタルダイヤ硝子ビル何階かの医療リハビリセンターのリハビリテイションの器械の概略説明図
【図１６４】未来の別の美瑛街同クリスタルダイヤ硝子ビル何階かの医療リハビリセンターのリハビリテイションの器械の概略説明図
【図１６５】未来の別の美瑛街同クリスタルダイヤ硝子ビル何階かの医療リハビリセンターのリハビリテイションの器械の概略説明図
【図１６６】未来の別の美瑛街同クリスタルダイヤ硝子ビル近郊の丘の地下の砂岩石を切った後の石折装置の概略説明図
【図１６７】未来の別の美瑛街同クリスタルダイヤ硝子ビルと何階かの医療リハビリセンターのリハビリテイションの器械の概略説明と北海道知事送付の証拠の写し図
【図１６８】未来の別の美瑛街同クリスタルダイヤ硝子ビル近郊の観光電気バス及びリハビリ装置の概略説明と北海道知事送付の証拠の写し図を送った封書の証拠の写し図
【図１６９】未来の別の美瑛街同クリスタルダイヤ硝子ビル屋上に建てる一戸建て免震付き3階建ハウスの概略説明図
【図１７０】未来の別の美瑛街同クリスタルダイヤ硝子ビル一室で使用されるパソコンマウスの概略説明図
【図１７１】未来の別の美瑛街同クリスタルダイヤ硝子ビル周辺の美瑛街住民の履く靴の概略説明図
【図１７２】未来の別の美瑛街同クリスタルダイヤ硝子ビル一室で使用される介護用シニアソックスの概略説明図
【図１７３】未来の別の美瑛街同クリスタルダイヤ硝子ビル一室で使用される薬用固形粒子石鹸の概略説明図
【図１７４】未来の別の美瑛街同クリスタルダイヤ硝子ビル一室で使用されるトイレ素材の概略説明図
【図１７５】未来の別の美瑛街同クリスタルダイヤ硝子ビル一室で使用されるトイレ素材とデザインの概略説明図
【図１７６】未来の別の美瑛街同クリスタルダイヤ硝子ビル一室で使用される高出力電子カメラとデザインの概略説明図
【図１７７】未来の別の美瑛街同クリスタルダイヤ硝子ビル美瑛街地下リニアーモーター通過札幌地下道の概略説明図
【図１７８】未来の別の美瑛街同クリスタルダイヤ硝子ビル一室で使用される銀行とデザインの概略説明図
【図１７９】未来の別の美瑛街同クリスタルダイヤ硝子ビル近郊で使用される街路灯とデザインの概略説明図
【図１８０】未来の別の美瑛街同クリスタルダイヤ硝子ビル近郊で使用される2人乗り永久電気自動車とデザインの概略説明図
【図１８１】未来の別の美瑛街同クリスタルダイヤ硝子ビル近郊で使用される街路灯とデザインの概略説明図
【図１８２】未来の別の美瑛街同クリスタルダイヤ硝子ビル近郊で使用される2人乗り永久電気自動車と前サスペイションデザインの概略説明図
【図１８３】未来の別の美瑛街同クリスタルダイヤ硝子ビル近郊で使用される2人乗り永久電気自動車と後サスペイションデザインの概略説明図
【図１８４】未来の別の美瑛街同クリスタルダイヤ硝子ビル近郊で使用される2階建観光永久電気自動車バスとデザインの概略説明図
【図１８５】未来の別の美瑛街同クリスタルダイヤ硝子ビル近郊で使用される2階建観光永久電気自動車バスとデザインの概略説明図
【図１８６】未来の別の美瑛街同クリスタルダイヤ硝子ビル近郊で使用される2階建観光永久電気自動車バスとデザインの概略説明図
【図１８７】未来の別の美瑛街同クリスタルダイヤ硝子ビル近郊で使用される2階建観光永久電気自動車バスとデザインの概略説明図
【図１８８】未来の別の美瑛街同クリスタルダイヤ硝子ビル近郊で使用される2階建観光永久電気自動車バスとデザインの概略説明図
【図１８９】未来の別の美瑛街同クリスタルダイヤ硝子ビルを作る為の地下街と地下農業と地下漁業と地下果樹園の下見の為の現在と異なる場所への概略下見図
【図１９０】未来の別の美瑛街同クリスタルダイヤ硝子ビルを作る為の地下街と地下農業と地下漁業と地下果樹園の下見の為の現在と異なる場所への概略下見図
【図１９１】未来の別の美瑛街同クリスタルダイヤ硝子ビルを作る為の地下街と地下農業と地下漁業と地下果樹園の下見の為の現在と異なる場所への概略下見図
【図１９２】未来の別の美瑛街同クリスタルダイヤ硝子ビルを作る為の地下街と地下農業と地下漁業と地下果樹園の下見の為の現在と異なる場所への概略下見図
【図１９３】未来の別の美瑛街同クリスタルダイヤ硝子ビルを作る為の地下街と地下農業と地下漁業と地下果樹園の下見の為の現在と異なる場所への概略下見図
【図１９４】未来の別の美瑛街同クリスタルダイヤ硝子ビルを作る為の地下街と地下農業と地下漁業と地下果樹園の下見の為の現在と異なる場所への概略下見図
【図１９５】未来の別の美瑛街同クリスタルダイヤ硝子ビルを作る為の地下街と地下農業と地下漁業と地下果樹園の下見の為の現在と異なる場所への概略下見図
【図１９６】未来の別の美瑛街同クリスタルダイヤ硝子ビルを作る為の地下街と地下農業と地下漁業と地下果樹園の下見の為の現在と異なる場所への概略下見図
【図１９７】未来の別の美瑛街同クリスタルダイヤ硝子ビルを作る為の地下街と地下農業と地下漁業と地下果樹園の下見の為の現在と異なる場所への概略下見図
【図１９８】未来の別の美瑛街同クリスタルダイヤ硝子ビルを作る為の地下街と地下農業と地下漁業と地下果樹園の下見の為の現在と異なる場所への概略下見図
【発明を実施するための形態】
【０１６８】
以下本発明の実施の形態を図1〜図に基づいて説明する。
【０１６９】
図1に於いては、1の未来の別の美瑛街のクリスタルダイヤ硝子台形錐ビルは、雨雪風気温を遮断する2のスクリューエアーカーテン装置の高出力コンプレッサーとスクリュー官を使った未来型外気遮断のスクリューエアーバリアカーテンに成り、通常のコンクリートビルと異なる1のクリスタルダイヤ硝子ビル屋上には、地震に対しての対処建造物として、屋上が軽い3の木造免震装置付き2階半に成り、4は部分的コンクリート劣化防止パネルに成り、5の台形錐型免震コンクリートビル形体は、地震の揺れに絶える事が出来て古く成ってからの地震対応を考慮し、いくらかでもコンクリートの地震劣化を少なくする構造にした建物で有り、6の土圧防止コンクリートは、9の電磁石反発免震装置付の5の台形錐型免震コンクリートビルの揺れに対しての処理材を、6の土圧防止コンクリートの間に10の免震用塩化ビニールゴムのクッション体を5の台形錐型免震コンクリートビル最大の特徴の地下四階のコンクリート壁に対して、10の免震用塩化ビニールゴムパネルをビル地下部分周囲に設置した免震装置の揺れ対策の装置に成り、11のグラスフアイバー砂鉄円柱内コンクリート杭は、9の電磁石反発免震装置の床固定の11のグラスフアイバー砂鉄円柱内コンクリート杭を設置した5の台形錐型免震コンクリートビル構造の取り付け形体説明。
【０１７０】
図2に於いては、1の未来の別の美瑛街のクリスタルダイヤ硝子台形錐ビルは、15のクリスタルダイヤ硝子ビルは、11のグラスフアイバー砂鉄円柱内コンクリート杭は、7の地下駐車場の沈下防止杭として使用し8の地下貯水池に対して11のグラスフアイバー砂鉄円柱内コンクリート杭を使用した建造物沈下防止杭使用の建物に成り、12の水耕花壇は7の地下駐車場の鋼鉄鋼柱のボルトナット固定連結型の地上4階から5階の13のクリスタルダイヤ硝子擁壁の12の水耕花壇に構造成り、金属網固定の塩化グラスフアイバー壁と金属網固定足場と階段によって人の行き帰りが出来る構造に成り、15のクリスタル硝子ビルとは別の基礎に於いての別れた地盤基礎と11のグラスフアイバー砂鉄円柱内コンクリート杭それぞれの9の電磁石反発免震装置に成り、屋上には3の木製免震2階建て半の16のクリスタルダイヤ硝子のゴム付き窓に成る。
【０１７１】
2013年8月10日pm21時25分にて図3に於いては、1の未来の別の美瑛街のクリスタルダイヤ硝子台形錐ビルは、11のグラスフアイバー砂鉄円柱内コンクリート杭に対して、17のコンクリート基礎に対しての15のクリスタルダイヤ硝子ビルに対して4のコンクリート劣化防止パネルに成り、15のクリスタルダイヤ硝子ビルの屋上には免震付き木製のビルログハウスが設置され、7は地下駐車場に成り、18の鋼鉄鋼鉄筋入りの15のクリスタルダイヤ硝子ビルに成り、台形錐の15のクリスタルダイヤ硝子ビルの19の200年保障ビルマンションに成り、2のスクリューエアーバリアカーテンによって外気遮断による20の空間テラスコミニケイション室利用の15のクリスタルダイヤ硝子ビル説明に成る。
【０１７２】
2013年8月10日pm22時05分にて図4に於いては、1の未来の別の美瑛街のクリスタルダイヤ硝子台形錐ビルは、11のグラスフアイバー砂鉄円柱内コンクリート杭に対して、2のスクリューエアーカーテン装置の外気遮断装置が18の鋼鉄鋼鉄筋入りクリスタルダイヤ硝子ビルの24の免震8階ビルに成り、22のガレージカラー板水平内蔵グラスフアイバー防護体に成り、4のコンクリート劣化防止パネルに23の軽量レンガタイルがボルト付け構造に成って入る。
更に、屋上四階の上には、21の木製ビル屋上家屋敷体に成る1のクリスタルダイヤ硝子ビルの200年保障ビル。
【０１７３】
2013年8月10日pm22時17分にて図5に於いては、25の未来の別の美瑛街の縁石に成り、26のクリスタルダイヤ硝子縁石は、26のクリスタルダイヤ硝子縁石の凹凸部分と噛み合う構造の連結体の縁石に成り、27の軽量陶器板入りの28の文字の分だけの素焼きの29のBIEAIの文字入り縁石に成る。
【０１７４】
2013,年8月10日pm22時26分にて図6に於いて30の未来の別の美瑛街の道路地下構造図に成り、31の道路正面断面図1に成り、32の道路表面に対して、34の砕石層と33のアスフアルト層に成り、40のコンクリートに対して、41のコンクリート劣化防止の固形窒素入りパネルに成り、36の固形窒素入り塩化プラスチックグラスフアイバーパネルに成り、37の陶器粒入りグラスフアイバーパネルの三層の39の雨水官に成り、地下貯水池に雨水を送るコンクリート劣化防止雨水官に成る。
【０１７５】
2013年8月10日pm22時36分にて図7に於いて30の未来の別の美瑛街の道路地下構造図に成り、42の道路正面断面図2に成り、32の道路表面に対して、34の砕石層と33のアスフアルト層に成り、39の雨水管の両脇道路端には、46のクリスタルダイヤ硝子水道管に成り、47は通常水道官に成り、44の電気配線プラス官に成り、45の電気配線プラス官とは、別々の電気配線官にした42の軽水素トリチウム電子ガス入り圧電素子磁石体粒子入り高出力銅筒管高速ケーブル官と43の非常連絡ケーブル線の回線を別々にした地下ケーブル線構造に成る。
【０１７６】
2013年8月10日pm22時50分にて図8に於いて48の未来の別の美瑛街の道路敷地概略図に成り49は平面説明図に成り、52のアスフアルト溝彫り型中央ライン線に成り、50の歩道に対して51の敷地境界線と53の再生塩化プラスチック縁石に成り、54のスクリューエアーコンプレッサーシールドカーテンは、街街の人の外気の冷暖房風の舗装の照り返し及び風よけとして使われる54のスクリューエアーコンプレッサーシールドカーテン装置に成る。
【０１７７】
2013年8月10日pm22時59分にて図9に於いて55の未来の別の美瑛街の大学高校中学小学病院などの公共施設のコンクリート代替えの永久建物に成り、56のクリスタルダイヤ硝子基礎ボックスは58のボルトナット留め用の鋼鉄板が内蔵された56のクリスタルダイヤ硝子基礎ボックスに成り、59のクリスタルダイヤ硝子基礎ボックス固定装置が取り付きコンクリートを打設する部分には、57のコンクリート劣化防止パネル付きコンクリート部分構造に成る。
更に、60のクリスタルダイヤ硝子基礎ボックス固定装置によって固定される56のクリスタルダイヤ硝子基礎ボックスに成る。
【０１７８】
2013年8月10日pm23時10分にて図10に於いて61の未来の別の美瑛街の大学等公共施設の永久建物の構造内容は、56のクリスタルダイヤ硝子基礎ボックスに対して、62のクリスタルダイヤ硝子基礎ボックス接合部分と63の鋼鉄鋼連結用鋼鉄ボルト穴板装置によって、別の56のクリスタルダイヤ硝子基礎ボックスと組み合わせる構造のクリスタルダイヤ硝子と鉄骨のみのビル建物に成る。
【０１７９】
2013年8月10日pm23時17分にて図11に於いて64の未来の別の美瑛街のビル免震装置は、73の免震装置の鋼鉄芯杭に対して、67の高出力電磁石付きの免震基礎は、66の超鋼板入りクリスタルダイヤ硝子体は、69の鉄芯入りに成り、68の地盤壁のコンクリート基礎及び鋼鉄鋼基礎固定の71のレールモーターホイストの72の横揺れ吸収型電磁石Wレールモーターホイスト三基から四基取り付く構造に成り、四角形筒型基礎免震に対して四角柱の74のビル建物鋼鉄鋼の67の高出力電磁石内蔵のクリスタルダイヤ硝子ビル本体の免震装置の電磁石反発足脚部分説明に成り、71のレールモーターホイストの先部分は70の絶縁金属が貼り付いている構造に成る。
【０１８０】
2013年8月10日pm23時31分にて図12に於いて64の未来の別の美瑛街のビル免震装置は、75の免震誘導鋼鉄金具装置は、免震基礎台に取り付く構造に成り、76の横揺れ吸収型電磁石は、75の免震誘導鋼鉄金具装置が取り付き、77の非常免震コロ装置7個に対して76の横揺れ吸収型電磁石レールモーターホイスト5本程が取り付く構造に成る
【０１８１】
2013年8月10日pm23時38分にて図13に於いて79の未来の別の美瑛街の永久水道官は、80のクリスタルダイヤ硝子リング付きの46のクリスタル硝子水道管に成り、46のリング無しクリスタル硝子水道管は、80のクリスタル硝子リングとビニールゴムシームパッキンと鋼鉄鋼のアルミニウムコーテイングボルトナットによって固定出来るクリスタルダイヤ硝子水道官に成る。
【０１８２】
2013年8月10日pm23時46分にて図14に於いて82の未来の別の美瑛街の一戸建て家の免震装置は、83のコンクリート土台またはクリスタル土台に金具ボルトナット留め構造に成って下り、84の合成木材固定用金具と85の土台固定ボルト穴に成り、86の合成木材固定用金具は、89のグラスファイバー板芯入りに対して91の再生合成木材2枚または周囲に囲んだ形状に対して90のクリスタルダイヤ硝子板もしくはコノ字パネルを填め込んだ形状に成り、87の三又Tの字固定金具が取り付く合成木材使用の金具装置付の免震装置自体に合成木材が差し込み形状の上でボルトナット留め構造の86の合成木材固定用金具留め構造に成る。
2013年8月10日pm23時59分ペンを置く美馬牛
【０１８３】
2013年8月11日Am8時17分にて図15に於いて95の未来の別の美瑛街の一戸建て家の免震屋根は、93のビニールゴムシート敷き型クリスタルダイヤ硝子屋根(白青赤黄灰色)は、92のクリスタルダイヤ硝子屋根の差し込み装置に対して94の液体ゴム水留め型ボルト穴は、92のクリスタルダイヤ硝子屋根の差し込み装置の接着の為の穴に成り、96の液体ゴム接着に成る免震屋根板装置。
【０１８４】
2013年8月11日Am9時08分にて図16に於いて97の未来の別の美瑛街の一戸建て家の免震装置付属品は、99の合成板に対して98の合成板固定ボルト穴付きに成り、101のアルミニウム合成木材クリスタル硝子板連結装置によって、100の小型縮小図に有る用に填め込みボルト留め構造に成る建築板。
【０１８５】
2013年8月11日Am9時16分にて図17に於いて82の未来の別の美瑛街の一戸建て家の免震装置は103のクリスタルダイヤ硝子基礎土台柱固定穴装置は、104のクリスタルダイヤ硝子に対しての鉄筋入り構造体に成り、填め込み型の102のクリスタルダイヤ硝子柱固定ボルト穴付の104のクリスタルダイヤ硝子に対しての鉄筋入り構造体に成り、105の免震クリスタルダイヤ硝子木材土台側と106のクリスタルダイヤ硝子基礎土台側の間に免震装置が取り付く略式図の説明に成り、従って107のクリスタル硝子基礎土台と免震クリスタルダイヤ硝子木材土台側固定金具とボルトナット穴装置によって、土台と家の木材との切り離しを無くした一方通行の左右の揺れの往復運動に対しての固定金具とボルトナット穴に成る。
【０１８６】
2013年8月11日Am9時32分にて図18に於いて108の未来の別の美瑛街の写真店で数万枚の中から選べる合成写真は、山岳ヘリコプターライトカメラ数百台を使って美瑛町全体の一年を通じての写真データーと自分の写真及び家族の写真動物の写真を合成したのを、大きいテレビジョンパネルで確認して想い出作り出来る事に成り、109の室内の超大型のアルゴンガス軽水素トリチウム電子ガス入りプラスチックビニールテレビジョンパネルなどで合成写真確認出来るシステム。
【０１８７】
2013年8月11日Am9時41分にて図19に於いて110の未来の別の美瑛街の二世代ハウスは、120のドアつまり、玄関が二つ有る二世代ハウスに成り、117の玄関敷板装置に始まり、121の郵便ポスト装置の周りには、2のスクリューエアーカーテンに成り、119の重量センサー踏み石装置は、事前に人の有無を部屋の中に伝える装置に成り、郵便物は、郵便物のライトカメラの光遮断全自動センサーによって、122の電動仕切り弁センサー郵便物受け入れ口によって、郵便ポストからレールモーター電磁石板そうちによって、プラスチック筒の中を通って室内まで、運ばれるシステムに成り、116のクリスタルダイヤ硝子合成柱と115の円形蝶番開閉型窓と111の丸窓装置と113のクリスタルダイヤ硝子屋根装置から成る110の未来の別の美瑛街の二世代ハウスに成る。
【０１８８】
2013年8月11日Am9時54分にて図20に於いて123の未来の別の美瑛街の一戸建て家の免震装置は、129のクリスタルダイヤ硝子一戸建て基礎は131の免震ボルト支え鉄筋に始まり、132の免震支えボルト装置に対して133のズレ留め金具によって免震取り付けボルトの固定状態に成り、免震装置自体は128の電磁石固定側に対して130の高出力コイル構造の枡型の家の土台の固定の免震装置の126の免震装置土台固定ボルトによって土台固定に成り、従って、建物の免震装置の四角形型の差し込み部分の構造として130の高出力コイルに始まり、124の電磁石反発側の電磁石金具板に125の一戸建て木材土台留めボルト8本が取り付く構造に成り、差し込まれた四角形の周囲には127の塩化ビニールゴムの左右の揺れのクッションに成り、上下左右の揺れは、建物に対して4個から8個の免震装置によって、土台から電磁石反発免震装置機能によって、建物が電磁石反発作用によって浮いた状態を保つ事の出来る免震装置の少し異なった構造説明装置。
【０１８９】
2013年8月11日Am10時16分にて図21に於いて134の未来の別の美瑛街の一戸建て家の免震装置取り付けクリスタルダイヤ硝子基礎状況は、135のクリスタルダイヤ硝子一戸建て基礎と136の免震装置取り付け金具と137の免震装置取り付けボルトから成る免震装置の家の角部分の取り付け位置説明に成り、138の基礎鋼鉄鋼角取によって、135のクリスタルダイヤ硝子一戸建て基礎の固定がなされている事に成る。
【０１９０】
2013年8月11日Am10時25分にて図22に於いて139の未来の別の美瑛街の一戸建て家の基礎は、140の2段基礎壁クリスタルダイヤ硝子壁設置穴は、クリスタルダイヤ硝子本体同士を接合する為の装置部分に成り、142の免震杭差し込み部分によって、クリスタルダイヤ硝子基礎の固定とクリスタルダイヤ硝子基礎自体をセメント固定と142の免震杭差し込み固定によって、144の細鉄筋入り人工ダイヤ硝子基礎に成り、143の連結人工ダイヤ基礎接続溝部分の接合によって、立ち上げ基礎地盤までの構造に対して、内側に免震の家基礎が付く構造に成り、その他、土台の上に免震装置が付く構造に成り、必ず141の噛み合わせ填め込み型のクリスタルダイヤ硝子の基礎崩壊を防ぐ為の141の基礎鋼鉄鋼角取が付く事に成る免震装置付のクリスタルダイヤ硝子基礎の構造説明。
【０１９１】
2013年8月11日Am10時41分にて図23に於いて145の未来の別の美瑛街の一戸建て家の免震杭構造は、152の砂鉄鋳物筒部分は、153のグラスフアイバー錆び止め防止パネルカバー付の装置に成り、鋳物筒の中には147の組み立て鉄筋が入り、155のコンクリート部材が入いった146の吊り金具付の免震杭に成り、156の円柱に十字の場所に四か所の丸筒穴が空いた別の形状杭等も有り、154の杭打ちカバー鉄板筒装置は、151の圧縮ビニール塩化プラスチックと150の合板と149の落とし穴付き杭打ちカバー鉄板筒は、148の溝付き構造の154の杭打ちカバー鉄板筒装置に成る。
【０１９２】
2013年8月11日Am11時01分にて図24に於いて157の未来の別の美瑛街の電気及び電波機関の使用する高光速超電導電気は、164のプラス電気の送電した電気に対して169の電気量調整装置と170の電圧感知調整装置の低光速超電導電気と中光速超電導電気と高光速超電導電気それぞれに対して電気のスピードを上げる為に166の高出力銅筒管コイルプラス側にプラス電気を通して171の平円形高出力銅筒管コイルを通し、172の圧電素子4電子磁気分割装置167の人工ダイヤ電気カット装置に高速の電気スピードを止めないまま電気2分の1分割カットして173の電気スピード感知装置は、電流計と電圧計の二つが軽量絶縁体を跨いで取り付いている高出力銅筒管配線付きの電流電圧装置に成り、174の現在の高速電気を超えた超電導電気より更に、速い電気の高光速超電導電気に成り、165のマイナス電気の送電した電気に対して169の電気量調整装置と170の電圧感知調整装置の低光速超電導電気と中光速超電導電気と高光速超電導電気それぞれに対して電気のスピードを上げる為に168の高出力銅筒管コイルマイナス側にマイナス電気を通して171の平円形高出力銅筒管コイルを通し、172の圧電素子4電子磁気分割装置167の人工ダイヤ電気カット装置に高速の電気スピードを止めないまま電気2分の1分割カットして173の電気スピード感知装置は、電流計と電圧計の二つが軽量絶縁体を跨いで取り付いている高出力銅筒管配線付きの電流電圧装置に成り、174の現在の高速電気を超えた超電導電気より更に、速い電気の高光速超電導電気を作る事の出来る装置。
【０１９３】
2013年8月11日Pm13時36分にて図25に於いて157の未来の別の美瑛街の電気及び電波機関の使用する高光速超電導電気は、158の高光速超電導電気プラスは161の電気感知スイッチに対して162複数穴空きクリスタル硝子または銅板に対して160のクリスタル硝子カバー官を掛ける事に成り、161の電気感知スイッチ回路によって、足りない電気圧分を収束して使用擦る事に成り、159の高光速超電導電気プラスは161の電気感知スイッチに対して162複数穴空きクリスタル硝子または銅板に対して160のクリスタル硝子カバー官を掛ける事に成り、161の電気感知スイッチ回路によって、足りない電気圧分を収束して使用擦る電気回路装置に成り、163の電気感知告知ランプによって正常の電気通過を確認出来る現在の高速電気を超えた超電導電気より更に、速い電気の高光速超電導電気を作る事の出来る装置。
【０１９４】
2013年8月11日Pm13時59分にて図26に於いて175の未来の別の美瑛街の二世代ハウスの窓は、190の木窓枠硝子左右移動装置窓は189の高出力モーター電動仕切り弁日除け枠と183の指掛け引き戸装置付きの186の蝶番装置は、181の日除け枠固定装置装置を176の上から下へ下げる構造の日除けパネル枠装置に成り、日除け装置を固定する為の189の高出力モーター電動仕切り弁日除け枠装置は、181の日除け枠固定装置の179の永久磁石六角形ピンを189の高出力モーター六角形状穴仕切り弁装置に179の永久磁石六角形ピン装置を填める形状の190の木窓枠硝子左右移動装置窓を固定する役目の179の永久磁石の188の金属同志接触型スイッチ手段を使った木窓枠装置の日除け枠装置に成り、181の日除け枠固定装置は、178の紐掛け異種変形リングと177のリング繋ぎ革紐によって181の日除け枠固定装置は、上側に固定される事に成り、185のスイッチによって181の日除け枠固定装置を外したり固定したり出来る窓装置。
【０１９５】
2013年8月11日Pm16時25分にて図27に於いて175の未来の別の美瑛街の二世代ハウスの窓は、木枠窓取り付けの192の硝子引き戸装置は、197のボルト留め硝子窓枠は196の通常硝子に対して194の木材の木材皮シート入りグラスフアイバーに成り、192の硝子引き戸装置は193の造形硝子動物等のデザインに成り、191の革紐を193の造形硝子動物等のデザインに革紐を通した引き戸装置に成り、硝子枠固定装置として194の木材皮シート入りグラスフアイバーに取り付けられて入る鉄亜鉛合金金属ナットと窓枠横に取り付けられて入る鉄亜鉛合金金属ナットに二本ずつの盾列三か所の二つ並びのナット穴に対して片ピン縦三列に対して198の金具の二つ穴金具を片ピンに填め込み、もう片方を199のハンドルナットを198の金具を片ピンに掛けてボルト穴に対して198の金具を合わせて199のハンドルナット
によって192の硝子引き戸を固定出来る装置。
【０１９６】
2013年8月11日Pm17時32分にて図28に於いて175の未来の別の美瑛街の二世代ハウスの窓は、196の通常硝子に対して201クリスタルダイヤ硝子引き戸装置を取り付けた186の蝶番ピン穴空きカバーの202の硝子戸固定装置は、199鍵穴交換型クリスタルデザイン防半合わせ硝子鉄亜鉛合金金属穴空きピン装置に186の蝶番ピン穴空きカバーを掛けて異種異形リング等で固定し、186の蝶番ピン穴空きカバー固定装置に対して202の硝子戸に200のボルト留め装置によって201のクリスタルダイヤ硝子引き戸装置とした窓装置。
【０１９７】
2013年8月11日Pm18時20分にて図29に於いて175の未来の別の美瑛街の二世代ハウスの窓は、206気泡臭素入りクリスタル四角柱複線防半硝子は205炭入り硝子引き戸装置に対して207のLピン持ち手穴空き型窓固定装置は205の炭入り硝子引き戸装置に対して206気泡臭素入りクリスタル四角柱複線防半硝子に対して203のLピン落とし固定2間隔の二つリング窓枠と207窓固定装置取り付けの固定2間隔の二つリング付き枠に二つのリング同志が重なった四つリングに204の反射板付き207の窓固定装置と208の発光糸入り硝子入り207の窓固定装置によって窓枠を固定出来る207のLピン持ち手穴空き型窓固定装置を差し込んだ穴空き部分に184の異種変形リングなどを掛けて固定出来る窓装置。
【０１９８】
2013年8月11日Pm19時29分にて図30に於いて175の未来の別の美瑛街の二世代ハウスの窓は、209の右側の窓枠付きの硝子攫み装置は、窓止めリング上下一か所ずつ二か所に太作りリングを穴空きピンに掛けて止めるタイプに成り、左側窓の留め装置は、213のレベル7は透明に成り上へ行く程白色に近く成る白色の濃さの表現の左窓グラスフアイバー枠固定の窓引き棒装置を引いて窓閉め状態に成り、反対に左窓グラスフアイバー枠固定の窓引き棒装置を押して窓開け状態に成り、212の固定軸ボルト留め装置のピンロック装置は、210のピアノ線入りワイヤによって211の固定軸ボルト留め装置付の歯山棒二つの歯の噛み合わせロックに成り、持ち手ピン装置と211の固定軸ボルト留め装置のピンロックの刺し留めによって固定出来る窓枠装置。
【０１９９】
2013年8月11日Pm21時17分にて図31に於いて214の未来の別の美瑛街の防半の重量センサーは、六角形の踏み石重量センサーは、218の下部分の場所に有る６ヵ所の高出力棒状レールモーター棒装置のスプリング部分が219の位置計測部分の高出力電磁石の異った位置計測位置によって220の複数配線によって215多層式軽水素トリチウム電子ガス入り圧電素子磁石体粒子内蔵シリコン電気感知器によって214の未来の別の美瑛街の防半の重量センサーは216の上部の215の多層式軽水素トリチウム電子ガス入り圧電素子磁石体粒子内蔵シリコン電気感知器によって重みの有る物体または動物及び人を全自動重量認識して電気電波連絡出来るシステム装置。
【０２００】
2013年8月11日Pm22時12分にて図32に於いて221の未来の別の美瑛街のクリスタルダイヤ硝子ビルの１階の装置配置説明として、クリスタルダイヤ硝子ビル周囲には、2のスクリューエアーカーテンによって、外気熱遮断と雨風雪を避けるスクリュー配列形状のエアーバリアカーテンに成り、出入り口の228の地下立体駐車場花壇装置は、一番上が花壇に成って入る二階まで上がる花壇に成り、花壇の下の段が233の地下駐車場へ移動擦る為の自動車とバイクのエレベーター装置に成る。
この他、226の地上3階移動風呂花壇は、移動風呂が一番上に付いている構造に成り、下の二段はエレベーター花壇に成り、232の水耕栽培床は230のクリスタルダイヤ硝子パネルによって蓋のされている232の水耕栽培床に成り、231掃除部分は、230のクリスタルダイヤ硝子床は、掃除した水が、下の232の水耕栽培床に漏れない構造の重ねクリスタルダイヤ硝子床に成る。
更に、224のキチンと223のトイレと222の高出力レールモーター天上収納型家電装置によって、一階広場を広く使える手段として、222の高出力レールモーター天上収納型家電装置に成り、225のクリスタルダイヤ硝子床養殖槽は、クリスタルダイヤ硝子床下でOッゥ養殖を行っての魚貝類の養殖に成る。
最後に、複数水車板発電型クリスタルダイヤ硝子垂直筒雨水移動官雨天連絡ライト水車板発電装置
【０２０１】
2013年8月11日Pm23時19分にて図33に於いて234の未来の別の美瑛街のクリスタルダイヤ硝子ビルの床は、4面の235のクリスタルダイヤ硝子床柱は、237の三角免震柱は、236の三角形ビニールゴムシートと242三角柱床ビニールゴムシートそれぞれに対して237の三角免震柱を差し込んで固定した場合の組み立て免震ビニールゴムに成り、243の円形ビニールゴムシートを敷いて244の円形床免震柱を填め込み固定する柱装置に成り、238の六角形ビニールゴムシートを敷いて239の六角柱床免震柱を填め込んで固定する形状に成る。
そして、240の正方形ビニールゴムシートを敷いて241の正方形床免震柱の4本の形状それぞれの235のクリスタルダイヤ硝子床柱に対して230のクリスタルダイヤ硝子パネル床板を填め込んだ234のクリスタルダイヤ硝子ビルの床に成る。
2013年8月11日Pm23時50分ペンを置く美馬牛
【０２０２】
2013年8月13日Am8時14分にて図34に於いて245の未来の別の美瑛街のクリスタルダイヤ硝子ビルのキチン台所は、254のキチン台所に対して、251のウナギ養殖槽と252の一時保存用魚養殖槽と253の貝養殖槽が内蔵された合成木材にグラスフアイバーを被せた養殖槽に成り、249のクリスタルダイヤ硝子蓋装置は、250の蓋を持ち上げる二か所の紐装置に成り、三か所の枡状の254のキチンに一つずつ取り付けられて入る247の高出力モーター電動仕切り弁排水口は、ボタンスイッチ操作によって高出力モーター電動仕切り弁排水口の開閉作業をボタンスイッチ一つで出来る事に成る246の平面図キチンと248の蓋の下にプラスチックグラスフアイバー性の造形立体動植物が取り付けられて入る台所装置。
【０２０３】
2013年8月13日Am8時45分にて図35に於いて255の未来の別の美瑛街のクリスタル硝子ダイヤビルの窓は、257のクリスタルダイヤ硝子ビル一階窓装置は、256雨水の引き込み管に成り、258の熱硝子接着型クリスタルダイヤ硝子カップには、花鉢が填め込める構造の硝子板に直接に熱溶着の熱硝子接着した装置に成り、259の薄い川石切の川石と山石スライス2枚合わせクリスタル硝子ダイヤ筒入り山表現パネルと複数色陶器パネル谷表現パネルに成り、256の雨水引き込み管から雨水が流れ込む事によって、谷に滝の水が流れ落ちる様を表現した260の高出力ダイナモ水車板と261の高出力モーター電動仕切り弁排水口室内窓側装置に成る。
【０２０４】
2013年8月13日Am9時13分にて図36に於いて262の未来の別の美瑛街のクリスタルダイヤ硝子ビルの玄関表側ドア装置は、271の高出力モーター電動仕切り弁鍵穴と266のワイヤ入り革ドア持ち手装置と270のクリスタルダイヤ硝子細パネル風通し穴と272の軽量カラー陶器またはスライドクリスタルダイヤ硝子パネルによって、蝶図柄にした一部風通しの玄関表ドアのデザイン形状に成り、ドア開閉装置に中っては、上下2個の268の蝶番装置によって、玄関ドアの横開閉が行われる構造に成り、玄関ドア裏側は、ドアノブ付き鍵方式のドアノブを下げながら引くと空くドア開閉装置に成り266のワイヤ入り革ドア持ち手装置よってドアの開けたままの状態に出来る引っ掛け装置にも成る装置に成り、玄関ドアの風通し部分は、265の鉄線またはクリスタルダイヤ硝子窓柱の風通しの出来る構造の窓穴に成り、267のカバー留めピン付きの中に269の三つ金具ワイヤ吊り風鈴装置を入れた玄関ドアの風通しと外を見る為の金属カバー付の玄関ドアに成り、裏側は全て合成木材及び機械彫りに対して火焼きして再びニスと防虫剤と乾燥液剤を混合した溶液によって、永遠使用出来る木材に対して鋼鉄鋼板を内蔵した二枚合わせ板をドア板とした表一部蝶デザインのクリスタルダイヤスライド硝子パネルデザイン画ドアの金属縁付きのドア構造に成る。
【０２０５】
2013年8月13日昼Am12時26分にて図37に於いて273の未来の別の美瑛街のクリスタルダイヤビルの風呂は、281の風呂底の複数針穴付き板は、275の複数穴空きクリスタル硝子ダイヤパネルは、284の高出力棒状レールモーターの棒状レールモーターによって移動風呂は、洗い場付きの282の簀子留めポール穴に274の桐または檜機械溝彫り簀子は、278は、アルミニウム塗装ステンレス板とビニールゴムの三重の280の簀子留め金属ピンを所定の282の簀子留めポール穴に填め込みのポール穴に固定の形状の洗い場の簀子スタイル説明に成る。
更に、風呂自体は、288の檜他木製及び289の中クリスタルダイヤガラス板入りプラスチックグラスフアイバー製及び287の塩化プラスチック及び276の化石ブロック入りのクリスタルダイヤ硝子パネル及び277の自然石ブロック入りのクリスタルダイヤ硝子パネル及び286の軽量陶器ビニール入りのクリスタルダイヤ硝子パネル等の風呂釜付きのエレベーター方式の283の足場の革シート留め装置付きのエレベーター移動風呂装置。
【０２０６】
2013年8月13日pm13時16分にて図38に於いて290の未来の別の美瑛街のクリスタルダイヤビルの寝台装置は、291補助ワイヤと292高出力レールモーターホイスト寝台用によって294の天上及び床格納型寝台装置は、296の木材薄パネル入りのグラスフアイバー寝台に成り、297の頭留め三重空気袋の頭側の転落防止装置と293の簾型寝台壁パネルによって左右と後部の転落防止の為の出入り口左右片側に成り、295の小物入れには、着替え等が入って入る298の再生合板寝台装置の294の天上及び床格納型寝台装置に成る。
【０２０７】
2013年8月13日pm13時48分にて図39に於いて299の未来の別の美瑛街の医療機関が使用する装置は、314の木材灰入りプラスチック絶縁体シートパネルと312木材灰入りプラスチックシートの圧電素子磁石体粒子ライン磁気体の多層重ねカード体の313の診察券データー圧電素子磁気データー圧電素子磁気データー超薄木材灰入りプラスチックカバー圧電素子磁気多層パネル付き腕バンドの301の軽水素トリチウム電子ガス入り圧電素子磁石体粒子内蔵マグネシウムシリコンマイナス極と302の軽水素トリチウム電子ガス入り圧電素子磁石体粒子内蔵マグネシウムシリコンプラス極のプラス極とマイナス極を別々に分けた306の軽量絶縁体充電池形状システム腕バンドに成り、300のアルミニウム錫合金とステンレス板の列並び板筒のツメ留め腕バンド303の穴に対して、304のステンレスツメ留め永久磁石体を差し込んで磁石接合固定装置の腕バンドに成り、発電装置として、307の軽水素トリチウム電子ガス入り圧電素子磁石体粒子内蔵シリコン光熱吸収発電糸布発電シートに成り、電気配線として309銅コイルの310軽水素トリチウム電子入り圧電素子磁石体粒子貼り付け配線の銅シートテープ貼り付け配線に成り、305の無線波送信クリスタルパネル311の木材灰入りビニールプラスチックマイナス電極絶縁シート308高感度マイクプラスチックシートのスピーカーシートを設置した313の診察券データー圧電素子磁気データー圧電素子磁気データー超薄木材灰入りプラスチックカバー圧電素子磁気多層パネル付き腕バンド。
【０２０８】
2013年8月13日pm15時25分にて図40に於いて299の未来の別の美瑛街の医療機関が使用する装置は、315の透明プラスチックビニールサンダル靴は319の脱がずに放射線飛散防止のX線CTスキャンが写せる透明プラスチックビニールサンダル靴に成り、316の取り付け取り換え用ゴムバンドと317のゴムバンド引っ掛け凹凸部分に成り、318のビニールシリコンの靴底部分と318の靴のビニールシリコン部分の315の透明プラスチックビニールサンダル靴の医療使用の靴。
【０２０９】
2013年8月13日昼pm15時25分にて図41に於いて320未来の別の美瑛街の医療機関が使用するスチーム風呂は、腕バンド式の331の血圧脈拍計と329のサモーカメラと328の調整エアーチューブ温水冷水石鹸水噴射装置に於いて、スチーム風呂内に取り付けた装置に成り、325の空気圧調整チューブによって、人の体の全自動脈拍計測による327の冷風温風温水冷水吹き出し複数口によって、体のコリ及び表皮洗浄のリフレッシュリハビリ装置に成り、326の人の頭部分に被る321の移動式の324の配管付きの327の冷風温風温水冷水吹き出し複数口の装置によって頭皮の表皮の水流とエアー風のマッサージ洗浄が出来る装置成り、体の表皮マッサージ洗浄が終えると323の細胞活性化装置によって、体の細胞の熱電気の取り除いた電気による人の体内の低温度電気分解によって活動終了時の血液及び血液細胞及び内蔵細胞の電気分解による細胞活性をする事が出来る装置に成り、スチーム風呂は、332の蝶番装置を使った二枚ドアの334の脚付きの322の椅子に座って体の表皮洗浄リフレッシュとサモーカメラ等の体温分布計測の出来る装置に成り、333のスチーム風呂スイッチと吊り下げ縄型ロボットマイクスピーカーによって、327の冷風温風温水冷水吹き出し複数口の音声調整が出来るスチーム風呂に成る。
【０２１０】
2013年8月13日pm17時40分にて図42に於いて335の未来の別の美瑛街の医療機関が使用するトイレの検尿検便装置は、医療トイレに設置された342のトイレ赤外線パネルセンサーと338のトイレサモーカメラによって、人の体温状況によって、低血圧及び高血圧を調べる事の出来る装置に成り、338のトイレサモーカメラと342のトイレ赤外線パネルセンサーによって、人を全自動に於いて赤外線感知とサモーカメラの高出力CCDの人の形状認識軽水素トリチウム電子ガス入りの装置
によって341のトイレ高出力モーター電動仕切り弁装置の開閉装置の開くによって、339のトイレ検尿モーターカップによって、採尿して337の全自動検尿装置検査ライトカメラによって正負のデーターをカメラの高出力軽水素トリチウム電子ガス入りのCCDダイオードセンサーによって、337の検尿装置に成り、340のトイレの高さを全自動調整出来るトイレの高出力棒状レールモーター付きの338のトイレサモーカメラと342のトイレ赤外線パネルセンサーによって、人を全自動に於いて赤外線感知とサモーカメラの高出力CCDの人の形状認識軽水素トリチウム電子ガス入りのCCD装置によって340のトイレの赤外線等のカメラ作動によって、全自動によるトイレの高さを決める二段階設定高さ調整トイレに成る。
その他、トイレの床の全自動装置は、336のトイレ殺菌温水複数噴射口は、343のトイレの強制吸引装置高出力モーター電動仕切り弁ドア口までの装置によって、トイレ床の温水洗浄装置に成る。
【０２１１】
2013年8月13日pm19時56分にて図43に於いて344の未来の別の美瑛街の医療機関の手洗い嗽励行室システムは、345の鏡装置と338のサモーカメラの人の低血圧高血圧の簡単な準備検査が出来て、346のスピーカーマイクによって、347の画像パネルの体温表示の高血圧低血圧の表示に成り、349のジャバラ屈折蛇口は、嗽用の装置に成り、温水等のボタン切り替えが出来る装置に成り、350の人感知式の高出力モーターを使用した電動仕切り弁排水口に成り、358の斜行式蛇口は、356の人感知式電動仕切り弁排水管の357の取り外し型排水口に成り、354の赤外線センサースイッチによって、358の斜行式蛇口の水及び温水設定の上での蛇口に成る。
更に、344の手洗い嗽励行システム装置は、353の再生木材に対して、352のステンレス材被し製品に成り、355の軽量陶器使用の344の手洗い嗽励行システム装置は、351の取り外し型固定ボルト穴によって据えつけられている344の手洗い嗽励行システム。
【０２１２】
2013年8月13日pm19時56分にて図44に於いて359の未来の別の美瑛街の医療機関のサモーカメラ付き診察カード音声対応装置は、360のキャラクター耳集音マイクと366のキャラクター耳集音スピーカーに成り、365の人の表皮形状認識電子カメラは、診察外の知得診察と知得診察データー書類の作成と361のサモー人の形状認識カメラの低血圧高血圧の事前略式診察とデーター書類の作成と363の弱高出力電子カメラ手相確認装置によって、診察データーの本人確認用のデーター作成と368のレントゲン放射線飛散防止パネル持ち物検査カメラによる危険物の全自動検査と事前略式診察を行うシステムに成り、362の季節及び流行及び事前調査によって、全自動によるマスク取り出し口から院内用のマスクが配られる構造システムに成る。
更に、371の臭いアンモニア感知センサーによって、体調及び診察内容及び診察待ち時間を使ってリフレッシュスチーム風呂などのサービスリハビリを受ける事の出来るシステムに成る。
この他、院内に持ち込めないゴミを処理するゴミ入れ口と持ち物預かり装置によって、帰り口で変換されるシステム。
従って、これらのデーターを、367の軽量圧電素子磁石体粒子使用の圧電素子磁石体磁気カードにデーターを入いる腕バンド式磁気カードの出し入れ口から、データーが出て来るシステムに成り、364の近距離無線アンテナによって院内の腕バンド式磁気データーの全自動事前審査データーの書き込みが出来る送受信アンテナ装置。
最後に、370バキューム清掃装置によって、院内の簡単な掃除が出来る装置。
2013年8月13日pm22時34分美馬牛自宅ペンを置く。
【０２１３】
2013年8月14日Am7時31分にて図45に於いて372の未来の美瑛街の医療機関の使用する装置と病院の着衣交換の姿は、着衣交換場所は、374のスクリューエアーカーテンエアー排出スクリュー口を連なるスクリューエアー排出口を囲む様に373の蒸気16色カラー光ライン光カーテンによって、スクリューエアーバリアカーテンに対して蒸気光カーテンを施し、周囲を374のスクリューエアーバリアカーテンと373の蒸気16色カラー光ライン光カーテンの着衣交換場所に成り、376の着衣衣服投入口は、380の高出力モーター電動仕切り弁口の378の開閉口によって、着衣を投入して天上の人の形状全自動ロボット高出力カメラ認識装置によって、衣類の投入口の蓋の開閉をカメラ人の形状認識有無確認センサーによって蓋の全自動開閉を行う装置に成る。
更に、379の高出力レールモーターの開閉口からは殺菌衣類の375の専用靴と379の殺菌スプレーと381の殺菌ガード帯が出て来て手足体の殺菌等を専用スプレーによって、消毒し殺菌ガード帯によって簡単な処理を行い専用の靴と衣類に着替えて診察を行う事に成る医療システム。
【０２１４】
2013年8月14日Am9時36分にて図46に於いて382の未来の美瑛街の医療機関の使用するトイレは、395の全自動検尿検便装置は、検便カップと検尿カップの全自動検尿検査システムと386の弱電子カメラの検便尿検査室によって、採尿された尿の全自動検査と採便した弁のライト高出力顕微鏡またはライト弱電子カメラによる全自動検査が出来て394のアンテナ装置によって全自動によるデーターの送受信が出来る装置に成り、便器内は388の温水排出によって便器内の清掃を行う事が出来る装置に成り、更に便器の上の簡易消毒は384のアルコールエアー排出口によって384の便器の上のアルコールエアー吹き掛けと備え付けのテッシュ等で拭き取り処理後、使用するトイレに成り、385の強制吸引装置の付いて入る全自動強制吸引装置の付いて入る390のトイレ清掃カバーの往復行き来によって、掃除が出来る393の装置支柱一部固定の391の高出力レールモーターの移動装置によって389の高出力楕円形レールモーターによってレール上の全自動移動による384のアルコールエアー排出口と390のトイレ清掃カバーの391の高出力レールモーターと392の高出力レールモーターホイストのレール状の往復全自動作動によって、384のアルコールエアー排出と同時に390のトイレ清掃カバーの385の強制吸引アルコール掃除が出来る装置に成る。
従って、388の温水清掃処理湯は387の排水口へ排出される装置。
【０２１５】
2013年8月14日Am11時18分にて図47に於いて396の未来の別の美瑛街の医療機関が使用する冷却膝掛け装置は、デザインバンドに397の高出力自動充電池付きの398の空気の取り入れ口403の複数穴空き固形フロン冷却装置と401のフアンの405の冷却送風取り入れ官と406の送冷風官の取り付けられて入る399の冷風送風装置によって、406の冷風送風装置によって408の切波革の409の薄革製の411の裏地綿布の404の冷却物質入り複数穴空き木材灰入りプラスチックビニール管に成り、デザインバンド取り付けの400の金属ピンは、402の金属ピン刺しリング付きの冷却膝掛けの金属ピン刺しリングに400の金属ピンの穴空き部分にリングを填め込んで410のデザインリングをピン穴に通して固定した冷却膝掛け装置。
【０２１６】
2013年8月14日昼Am12時16分にて図48に於いて412の未来の別の美瑛街の医療機関が使用する冷却装置バンドは、419の軽量ナイロン複数薄革貼り付け縫い込みバンドは、421の三つ穴ピンバンドは、固定ピンナットはバンド通し部分の構造に成り、421の三つ穴ピンバンドを固定する414のコの字ボルトは412の留め金具と413のナットを421のバンド留め金具に414のコの字ボルトを差し込んで413のナット固定の419の軽量ナイロン複数薄革貼り付け縫い込みバンドに成り、415の
複数穴空き固形フロン設置の420の風切羽フアン羽の417の高出力レールモータースイッチ作動の416の高出力自動充電池の電源を使用した417の送風バイパス管付きの419の軽量ナイロン複数薄革貼り付け縫い込みバンドに対して、412の冷却装置を取り付けて有る416の高出力自動充電池式の冷却装置付の腰バンド。
【０２１７】
2013年8月14日昼pm13時06分にて図49に於いて422の未来の別の美瑛街の医療機関が使用する酸素空気吸入器は、426の自動充電池付きの洗浄空気送風装置付の427の外気エアー取り込み装置と428の殺菌フィルターと430の空気配管と429の高出力自動充電池積載の432の空気取り入れ口に433出し入れ多層フィルター付き434の高出力レールモーター使用の425の殺菌酸素空気配管付きの423の木材灰入りプラスチックビニール送風官の424の鼻差し込み配管付き装置を、435の首バンド式の435の軽量ナイロン合成綿布と435の首バンド式の436の軽量プラスチック筒装置バンドに426の自動充電池付きの洗浄空気送風装置の二本ピンを435の首バンド式の436の軽量プラスチック筒装置バンドを填め込んで首に取り付けた422の殺菌酸素空気吸入器。
【０２１８】
2013年8月14日昼pm17時46分にて図50に於いて437の未来の別の美瑛街の医療機関が使用する熱治療装置は、444のビニールパネルに羊毛糸に亜麻糸を合成した布を、被せた腰バンドは、440のゴムシートにビニールゴム糸と羊毛糸を被せた伸び部分に成る腰バンドの一部分に成り、伸び部分に対して442のエアーゴム帯と441の高出力自動充電池装置を442のエアーゴム帯によって体の当たりの衝撃を少なく擦る為の装置に成り、437の熱治療装置は、447の弱帯電コイルは448の銅アルミニウム筒管は、449の酸化鉄硝子粒子入りの446の突起部分の付いた447の弱帯電コイルは、441の高出力自動充電池の電源を使用して438のニクロム電熱線磁石などで、体の熱治療を施さなければ成らない場所に対して439の時間設定間隔送電遮断スイッチシステムを使って熱治療出来る装置に成り、445の革突起の付いた裏側は、ステンレスパネル磁石板に成り、胴バンド装置の反対側に、450の革筒装置と451の貼り付けステンレスパネル磁石板は453の革リング付の452の革紐装置に対して443の二本の革紐装置によって437の胴バンド熱治療器固定出来る装置。
【０２１９】
2013年8月14日昼pm17時46分にて図51に於いて454の未来の別の美瑛街の医療機関が使用するリハビリ装置は、前と後ろに二つずつの458の種類別重りを456の軽量グラスフアイバーリングナットによって固定した上で脚踏み装置によって、前輪と後輪を455の前後二つのチエーンによって、458の種類別重りを460の椅子に跨って457のハンドルをもって前後の458の種類別重りを足踏み装置によって、回転させて運動する装置。
【０２２０】
2013年8月14日昼pm18時26分にて図52に於いて461の未来の別の美瑛街の医療機関が使用する洗える運動医療マット装置は、462の通常のマットの半割り装置を重ねて467の紐留め装置に紐を苦具して固定する装置に成り、八切の461の洗える運動医療マットは、463の角を下げる構造の465の線入り軽量プラスチックスプリング糸入りマットアルミニウムシートと464の綿入りプラスチックスプリング糸と466のナイロンゴム保護シート帯を入れたマットに成り、469のボルト部分と468のナットによって、マットとマットの角を固定する装置に成る。
【０２２１】
2013年8月14日昼pm18時40分にて図53に於いて470の2013年7月20日付けの北海道庁北海道知事宛への著作権物図面の送付証拠写し図。
【０２２２】
2013年8月14日昼pm18時45分にて図54に於いて471の未来の別の美瑛街の医療機関が使用するX線放射線飛散防止パネル内蔵CTスキャンカメラは、472の背面X線放射線飛散防止パネル内蔵CTスキャン上下移動筒パネルカメラは、高出力棒状レールモーターに取り付けられて入るカメラの上下移動撮影と473の頭上X線放射線飛散防止筒パネル内蔵CTスキャン前後移動サモー筒パネルカメラ及びMRI及びPET装置は高出力棒状レールモーターに取り付けられて入るカメラの前後移動撮影と475の前後移動の放射線飛散防止筒パネル付きのサモーカメラ及びMRI及びPET装置は高出力棒状レールモーターに取り付けられて入るカメラの前後移動撮影と474の側面X線放射線飛散防止のCTスキャンカメラの高出力棒状レールモーターの上下移動筒パネルカメラと476の前面X線放射線飛散防止筒パネル内蔵のCTスキャン上下高出力棒状レールモーター移動筒パネルカメラと底面X線放射線飛散防止パネル内蔵のCTスキャン前後高出力棒状レールモーター移動パネルカメラの前身を映して、カード及びCD及びMD等にX線放射線飛散防止筒パネル内蔵のCTスキャンデーターとサモーカメラ及びMRI及びPET装置カメラデーターを磁気データー等のデーター保存が出来て、478のクリスタルダイヤ硝子床は底面X線放射線飛散防止筒パネル内蔵のCTスキャン及びMRI及びPET装置カメラデーターを写す事の出来るクリスタルダイヤ硝子床に成り、479のクリスタルダイヤ硝子持ち手装置によって、人の体の前身のX線及びCT及びMRI及びPET画像を写してデーターストック出来る装置。
【０２２３】
2013年8月14日昼pm19時55分にて図55に於いて480の未来の別の美瑛街の医療機関が使用するX線放射線飛散防止パネルは、X線発生原理として、陽極駆動機溝と直流高電圧120KVとターゲット回転陽極とフィラメント陰極と99％は熱とコリーメーター481のクリスタルダイヤ硝子筒型パネル内蔵の１％がX線に対してパネル筒内の482のシリコン溶液とX線を混合撹拌した放射線飛散防止パネルに成り、483のX線写真一回分のX線をシリコン溶液内に蓄積してクリスタルダイヤ硝子カバーを掛けた放射線飛散防止のX線パネル別名のレントゲンカメラパネルに成る。
【０２２４】
2013年8月14日昼pm20時20分にて図56に於いて484の未来の別の美瑛街の医療機関が使用する装置と病院の一階部の内容は、一階出入り口部分は、486のスクリューエアーバリアカーテンドアと通常の487の硝子ドア構造の外気遮断出入り口システムに成り、489のサモーカメラ付き診察カード入口音声対応室は、感染症を防ぐ為の構造に成り、500の別の第2スクリューエアーバリアカーテンドア構造は聞き取り診察に従って、490の左右二つの腕バンド診察券認識エレベーターへは、聞き取り診察によって、向かう診療室が異なり、485のアンテナカメラ付きエレベーターの放射線飛散防止筒パネル内蔵のカメラによるデーターを490の左右二つの腕バンド診察券に診察前データーを全自動で入力出来る装置と特に感染症以外の場合は、501の第3スクリューエアーバリアカーテンの内側に504の第3ブラックカラー光エアーカーテン室複数カラー光蒸気ラインと499の手洗い嗽励行室は、感染症を防ぐ為の部屋に成り、スクリューエアーバリアカーテンに守られ、殺菌酸素が流れているスクリューエアーバリアカーテンに守られている空間に成り、聞き取り診断症状に応じて498の衣類交換室で着替えてから、決められた検査等が受ける事の出来る美容院システム成り、506の女子トイレと507の男子トイレでは503の排便排尿の全自動検査が行われ505の中央エレベーターに乗って症状に応じて上の階へ移動出来て、492の皮膚メンテナンス検査は、497のスチームシャワー中温スチームシャワーと冷温スチームシャワーによって体の汗を流せる場所に成り、496の表皮膚の汗成分検査の為の運動ルームリハビリ検査室に成り、495の動く歩道によって、全身の放射線飛散防止クリスタル硝子筒パネルのX線CT及びサモーMRI及びPET装置カメラによって、全身の診察が一度に出来る動く歩道と509の血液アレルギー検察室と508の血液DNA検査室と上の階と下の階の天上部分の鋼鉄横柱の縦の柱としての495の鋼鉄鋼柱と491の診察後の衣服の高速洗濯の殺菌洗濯衣類変換場所は、487のスクリューエアーバリアカーテンに守られ493のカードチエック返却室に490の腕バンド診察券を返却出来る場所に成り、488の重量パネルセンサーによって出入り口の指示パネル表示が出来る未来型の別の美瑛街の病院に成る。
【０２２５】
2013年8月14日昼pm21時32分にて図57に於いて510の2013年7月21日美馬牛郵便局から手紙を出した証拠図。
【０２２６】
2013年8月14日昼pm21時35分にて図58に於いて511の未来の別の美瑛街だけの銀行システムは、520の引き出し時間を過ぎた場合、現金引き出し装置自体を、520の地下格納用エレベーター方式の現金引き出し装置に成り、511のクリスタルダイヤ硝子ライト電子カメラ手相全自動確認装置は、513のスクリューエアーカーテン第2カメラスイッチと512の赤外線カメラスイッチドアによる人の全自動認識と確認と調査と照合の出来る手相とデーターアンテナカードカメラシステムに成り、521の望遠ライト電子手相全自動人確認カメラシステムに於いて、519の曲面画像とカードボタン装置は、曲面上にした下げたカード番号読み取りボタン装置に成り、515の札束取り出し口と514の通帳出入り口場所に成り、516の硬貨出し入れ口と517の広告画像パネルと518の通帳内カード内紹介パネルの銀行現金出し入れ装置。
【０２２７】
2013年8月14日昼pm21時56分にて図59に於いて522の未来の別の美瑛街の丘の内部構造の断面図と入り口部分の構造は、522の表土部分の下に527の火山灰部分が有り、その下に526の砂岩部分が有り、523の電動仕切り弁ドアのクリスタル硝子ドア構造に成り、525の手動開閉ハンドル鍵付きの524の高出力モーター仕切り弁ドア構造の地下水耕園と地下魚介類養殖所の出入り口説明。
【０２２８】
2013年8月14日昼pm22時04分にて図60に於いて529の未来の別の美瑛街の丘の地下から出て来る砂岩の利用の有り方は、533の十字突起鉄筋を、四角形柱型立方体形状の526の砂岩の中央より間隔を空けて鉄筋の太さ分の531の鉄筋縦穴を空けた532の平面説明図は、534の正面図の526の砂岩に533の十字突起鉄筋を差し込んだ説明手段図。
【０２２９】
2013年8月15日昼AM8時30分にて図61に於いて536の未来の別の美瑛街の砂岩切全自動モーター石切り装置は、552の石切刃を付けた550の側面図は、551の高出力モーターを使った砂岩切出し装置に成り、548の高出力レールモーターホイストで552の石切刃を上下させる装置に成り、全自動作動装置は、553の岩場滑り留め突起は549の高出力モーター足によって、前後の走行が出来て、547のリモコン全自動アンテナ装置によって、山岳ヘリコプター位置設定全自動確認装置のGPS装置によって、545のカラーライト全面位置確認カメラ装置によって、前方の位置確認と確定に成り、546のカラーライトサイドライン位置確認カメラによるサイド両サイド全体の位置の確認と確定作業と544のカラーライト後部ライン位置確認カメラ装置による後方の位置確認と後方の位置認識を全自動で行い543のカラーライト上部ライン位置確認カメラ装置は上部と機械との距離をライトカメラ焦点距離の全自動で距離計測し、539の高出力発光LEDライトとの光源と537のX線サモーパネルカメラの地層検査と異物の全自動検査が出来るカメラに成り、538の高出力モーターワイパー装置は、手動作業の時使用する装置に成り、540のビニールプラスチック硝子全面カバーは、人が乗って作業する場合の装置に成り、541の電気制御装置は、552の石切刃によって、551の高出力モーターの電気量調整を行うのが541の電気制御装置に成り、542の高出力水発電機の電源を使用して美瑛街の丘の地下の砂岩を全自動で切る事の出来る装置。
【０２３０】
2013年8月15日昼AM10時39分にて図62に於いて536の未来の別の美瑛街の砂岩切全自動モーター石切り装置は、552の石切刃を左右二つに石切刃が取り付き554の石切刃カバーがボルトナット固定によって取り付く構造に成り、更に788の左右伸縮装置の濾過排油のエアー電磁石制御ホイストによって、552の石切り刃装置のサイド固定を可能にして、45度回転して上下も一度に切れる石切刃装置に成り、787のモーター鑿バイブレーターに依って、787の石切溝にモーター鑿バイブレーターを差し込んで石を折って他の装置によって、石を引きずり出す作業工程の全自動作業機械に成り、548の高出力レールモーターホイストで552の石切刃を上下させる装置に成り、全自動作動装置は、553の岩場滑り留め突起は549の高出力モーター足によって、前後の走行が出来て、547のリモコン全自動アンテナ装置によって、山岳ヘリコプター位置設定全自動確認装置のGPS装置によって、545のカラーライト全面位置確認カメラ装置によって、前方の位置確認と確定に成り、546のカラーライトサイドライン位置確認カメラによるサイド両サイド全体の位置の確認と確定作業と544のカラーライト後部ライン位置確認カメラ装置による後方の位置確認と後方の位置認識を全自動で行い543のカラーライト上部ライン位置確認カメラ装置は上部と機械との距離をライトカメラ焦点距離の全自動で距離計測し、539の高出力発光LEDライトとの光源と537のX線サモーパネルカメラの地層検査と異物の全自動検査が出来るカメラに成り、538の高出力モーターワイパー装置は、手動作業の時使用する装置に成り、540のビニールプラスチック硝子全面カバーは、人が乗って作業する場合の装置に成り、541の電気制御装置は、552の石切刃によって、551の高出力モーターの電気量調整を行うのが541の電気制御装置に成り、542の高出力水発電機の電源を使用して美瑛街の丘の地下の砂岩を全自動で切る事の出来る装置。
【０２３１】
2013年8月15日昼AM11時14分にて図63に於いて556の2013年7月23日(火)夕方5時以降の著作物作品を入れた封筒。
【０２３２】
2013年8月15日昼AM11時20分にて図64に於いて557の未来の別の美瑛街のスクリューエアーバリアカーテンは、未来の別の美瑛街周辺の民家の562のクリスタルダイヤ硝子縁石設置の道路帯入り口から始まる2と561の高出力コンプレッサーとスクリュー官を使用した2と561のスクリューエアーカーテン装置に成り、560の民家の屋根の558のスクリューエアーコンプレッサー大気熱及び風雨雪バリアスクリューエアーカーテンに成り、559の通常の屋根の雪降ろしを考慮して屋根勾配角度を急勾配にする手法に成る。
【０２３３】
2013年8月15日pm14時38分にて図65に於いて563の未来の別の美瑛街の軽量大型穴空きレンガは、未来の別の美瑛街の周辺の歩道及び駐車場及び自転車道の道路床面及びビル屋上の床面等の564の平面説明図は、567は大型穴空きレンガの中容れレンガの蓋用中容れレンガと572大型穴空きレンガ構造の中は、571の砕石部分と570の花壇用土部分と569の塩化プラスチック穴空きレンガ蓋装置に成り、565の大型穴空きレンガ又は敷レンガの567の大型穴空きレンガの中容れレンガは、568の大型穴空きレンガの中容れレンガの取り出し金属フック穴構造の563の大型穴空きレンガ。
【０２３４】
2013年8月15日pm15時26分にて図66に於いて573の未来の別の美瑛街の飲料地下貯水池の574地下貯水の平面透視図に成り、575の川の増水防護用水路の水は576の沈殿槽に一度川水を溜めて、不純物の沈殿を行い577の取り込み官は、厚さ5センチメートルの塩化プラスチックコンクリートカバー二重管に成り、579の砂岩を専用の機械を使って、地下湖の役わりの為の580の砂岩切抜き貯水池に575の川の増水防護用調整池と農業用水と道路冷却用の散水打ち水等に使用し、578の真空装置水気化放出装置によって、川の増水前の緊急の580の砂岩切抜き貯水池の水の気化放出が出来るシステム。
【０２３５】
2013年8月15日pm15時47分にて図67に於いて581の未来の別の美瑛街の飲料地下貯水池の581の海の魚の養殖地下池槽の平面透視図は、美瑛街周辺の丘の地下の砂岩を切抜いた丘の地下の海の魚介類と淡水の魚介類の東北の他人の特許契約が出来た場合に成立する養殖手段と通常養殖に成り、583の魚の養殖槽1と584の魚の養殖槽2と585の魚の養殖槽3と586の魚の養殖槽4と591の高出力電動仕切り弁装置と592の高出力電動仕切り弁装置と593の高出力電動仕切り弁を使った595の魚の養殖槽の掃除水の排水管に582の魚を移した後の殺菌用温水官の温水とロボット水槽全自動装置によって掃除出来る構造に成り、587の魚の養殖槽5と588の魚の養殖槽6と589の魚の養殖槽7と590の魚の養殖槽8は、高出力電動仕切り弁装置と592の高出力電動仕切り弁装置と593の高出力電動仕切り弁を使った595の魚の養殖槽の掃除水の排水管に582の魚を移した後の殺菌用温水官の温水とロボット水槽全自動装置によって掃除出来る構造に成り、596の海藻槽などそれぞれは、597のOッゥ酸素送り官によって、598の育貝室の貝の成育速度と魚の成育速度を、調整出来る装置と599の塩分濃度検査室によって塩の濃度検査を全自動で行える装置システムに成り、そして、594の餌やり場は決められた場所に成り、海水を全部一度に汚さない構造に成って入る。
【０２３６】
2013年8月15日pm16時39分にて図68に於いて600の未来の別の美瑛街の飲料地下貯水池の601の海の魚の養殖地下池槽の平面透視図は、美瑛街周辺の丘の地下の砂岩を切抜いた丘の地下の海の魚介類と淡水の魚介類の東北の他人の特許契約が出来た場合に成立する養殖手段と通常養殖に成り、602の発光真珠貝と603の貝の養殖槽1と604の貝の養殖槽2と605の貝の養殖槽3と606の貝の養殖槽4と601の高出力電動仕切り弁装置と602の高出力電動仕切り弁装置と603の高出力電動仕切り弁を使った615の貝の養殖槽の掃除水の排水管に616の貝を移した後の殺菌用温水官の温水とロボット水槽全自動装置によって掃除出来る構造に成り、607の貝の養殖槽5と608の貝の養殖槽6と609の貝の養殖槽7と610の貝の養殖槽8は、611の高出力電動仕切り弁装置と612の高出力電動仕切り弁装置と613の高出力電動仕切り弁を使った615の貝の養殖槽の掃除水の排水管に616の貝を移した後の殺菌用温水官の温水とロボット水槽全自動装置によって掃除出来る構造に成り、617の海藻槽などそれぞれは、618のOッゥ酸素送り官によって、598の育貝室の貝の成育速度と魚の成育速度を、調整出来る装置と599の塩分濃度検査室によって塩の濃度検査を全自動で行える装置システムに成り、そして、614の餌やり場は決められた場所に成り、海水を全部一度に汚さない構造に成って入る。
【０２３７】
2013年8月15日pm16時59分にて図69に於いて619の未来の美瑛街の雑貨屋の釣り具店で売られている釣竿は、620の木材灰入り塩化プラスチック釣竿は、5段繋ぎ竿の623の釣り糸竿内入れ方式誘導体と624のカギ針付きの竿は、621の指掛け竿持ち装置は、622の連結歯車手持回転式リールによって、釣り糸を手巻きで巻く事の出来る釣竿。
【０２３８】
2013年8月15日pm17時10分にて図70に於いて625の未来の別の美瑛街の電気自動車は、上から透視して見た図として626の左右移動ハンドルと630の左右移動スピードメーターと627の前輪モータータイヤは、633の高出力水発電機等で発電した電気で作動走行出来る未来型電気自動車に成り、電気自動車の前と後部は、628の4層ゴム衝撃吸収ゴムと632の前荷台の半割り二台の左から半分空けられる荷物荷台と残り半分前後ろから空けられる荷物荷台構造に成り、631の座席の他629の後部タイヤそして、634の後部荷台の三分の位置ずつ両サイドから空けられる荷台装置を付けた未来型電気自動車。
【０２３９】
2013年8月15日pm17時25分にて図71に於いて625の未来の別の美瑛街の電気自動車は、前から見た図として635の中開天上ドアは、サンルーフを、二つ割りにした防水機能付きの天上窓ドアに成り、全面窓の日除け装置は、637の段数溝入れ型反射板入り前硝子と638の2重金属ニクロム電熱線に成り、自動車の全自動補助走行装置付きの636の上下左右前後カメラ付き画像パネル積載のバックミラー取り付け状態に成り、640の前トランク蝶番装置付の639の前トランクドア手持装置によって、前トランク半分の開閉を、後ろから前トランク開け方式と右から左へのトランク開け方式を使った装置に成り、641の楕円形リング高出力発光LEDライトウインカーの642のライトカメラは、人の形状と動物の形状と物体の形状を、全自動認識作動する事前速度調整カメラに成り、643は前の高出力発光LEDライトと644の衝撃吸収用スプリングホイストバンパの625の未来型電気自動車。
【０２４０】
2013年8月15日pm18時14分にて図72に於いて625の未来の別の美瑛街の電気自動車は、後ろから見た図として645の後方ブレーキランプは、後部車体上部の填め込み型上の段のブレーキランプに成り、646の後方のブレーキランプは、後方の半分にしたトランクに取り付けた後方ブレーキランプの下の段のブレーキの三連小丸楕円形ブレーキランプに成り、650の後方ウインカーは、正方形のマークに対して小丸の後方ウインカーランプに成り、648の後方左トランクドアは、左から右に開けるタイプの半分トランクドアに成り、649の後方右トランクドアは、後部右トランクの半分ドアが前に開くタイプのドアに成る。
更に、647の後方2重金属電熱線は、二枚硝子中電熱線入りの硝子に成り、651の後方発光LEDライト設置構造に成り、652の後方高出力軽水素トリチウム電子ガス入りのCCDパネル設置カメラと653の衝撃吸収用スプリングホイストバンパの未来型電気自動車。
【０２４１】
2013年8月15日pm19時39分にて図73に於いて625の未来の別の美瑛街の電気自動車は、横から見た図として654の前輪と657の後方モータータイヤと656のサスペイション調整タイヤの前タイヤと中央タイヤがハンドルによって動く4本のタイヤのハンドルで動く自家用車に成り、前ドアの655は下へ下がる半分ドアの前下ドアと後方前下半分ドアに成り残り半分が横に開く653の前ドアと658の後部ドア構造の装置に成り、644の衝撃吸収用スプリングホイストバンパは、高出力レールモーター構造のホイストに成り、644の衝撃吸収用スプリングホイストバンパは、同じく高出力レールモーター構造のホイストに成り、637の段数溝入れ方反射板は、前方視界が有る程度見える小幅部分の反射板入り硝子と625のカメラ画像パネル付きバックミラー装置に成り、659の楕円形三輪連結リング高出力発光LEDライトウインカーに成り、641の楕円形のリング高出力発光LEDライトウインカーに成り、635の中開き天上ドアの未来型電気自動車。
【０２４２】
2013年8月15日pm20時39分にて図74に於いて625の未来の別の美瑛街の電気自動車は、644の衝撃吸収用スプリングホイストバンパの前バンパと後部バンパに成り、641の楕円形リング高出力発光LEDライトウインカーと637の段数溝入れ型反射板入り二枚合わせ硝子構造に成り、656の中央タイヤのサスペイション調整の前タイヤと同じく動くタイヤに成り、635の中開天上ドアは漏水防止のビニールゴムリング付の天上ドアに成る。
【０２４３】
更に、638の2金属ニクロム電熱線は2枚合わせの硝子の中に入れた未来型電気自動車。
【０２４４】
2013年8月15日pm21時11分にて図75に於いて625の未来の別の美瑛街の電気自動車は、660の前から見た美瑛街の未来型電気自動車。
【０２４５】
2013年8月15日pm21時13分にて図76に於いて625の未来の別の美瑛街の電気自動車は、661の後ろから見た美瑛街の未来型電気自動車。
【０２４６】
2013年8月15日pm21時20分にて図77に於いて625の未来の別の美瑛街の電気自動車は、662の横から見た美瑛街の未来型電気自動車。
【０２４７】
2013年8月15日pm21時23分にて図78に於いて625の未来の別の美瑛街の電気自動車は、663の上から見た美瑛街の未来型電気自動車。
【０２４８】
2013年8月15日pm21時25分にて図79に於いて625の未来の別の美瑛街の有る場所のリニアーモーターカーは、665の円形クリスタルダイヤ硝子前後の窓と667のスクリューエアーバリアカーテン付きの高出力モータードア出入り口に成り、668の高出力電磁石の666の高出力リニアーモーターカー。
【０２４９】
2013年8月15日pm21時37分にて図80に於いて669の未来の別の美瑛街の有る場所から地下都市へ向かう為の電気列車は、675の高出力低速走行用レールモーターは、通常線路の鉄線路に跨る車輪が電磁石反発によって若干浮く状態の一本のレールに跨る両サイドに高出力レールモーター線路を跨る走行用高出力レールモーターレールを設置した片側3本の左右6本の鉄擦りを少なくした電気列車に成り、670の高出力発光LEDライトと679の高出力スクリューエアーラッパ段数スピーカーの電源は、672の発電室の永久発電機を積載した電気列車に成り、669の食材倉庫では、真空パック生野菜及び生魚介類の低冷凍設定冷蔵の食材倉庫と低冷凍設定の冷蔵庫の真空パック乾燥食材を乗せた電気列車は、673のアルミニウム板に成り、676の運転室と669の食材庫の室内空気の排出する為の671のエアーフィルター付きの室内排気官に成り、678の金属梯子は点検用の梯子に成り、680の除雪金属板は、高出力レールモーターホイストを積載した除雪板に成り、677のニヤンワンマークは、両開きに成る赤外線無線装置内蔵のニヤンワンマークの開閉扉と676の運転室は789の電動仕切り弁の横窓構造の674の一部鉄部分を残した669の電気列車。
【０２５０】
2013年8月15日pm22時55分にて図81に於いて669の未来の別の美瑛街の有る場所から地下都市へ向かう為の電気列車は、674の車輪は、一部鉄構造の高出力レールモーター制御の走行装置に成り、680除雪装置の高出力レールモーターホイスト製の除雪装置に成り、671の室内空気放出口の竹灰入りプラスチックフィルター等によって洗浄される空気と681の空気取り込み口付きの円柱空気官装置と670の高出力発光LEDライトに成り、678の点検用梯子装置とボルトナット固定留め装置使用の673のアルミニウム板は、683の発砲断熱材と682の木製パネルの三重パネルを669の電気列車の車体部分に貼り付けてボルトナットで固定した684の夢未来都市機番付きの高出力モーター電動仕切り弁窓構造の677のニヤンワンマークは、両開きに成る赤外線無線装置内蔵のニヤンワンマークの開閉扉付き669の美瑛街の電気列車。
【０２５１】
2013年8月15日pm23時21分にて図82に於いて685の未来の別の美瑛街のエアー補助自転車は、686の高出力電磁誘導発電装置と687の高出力レールモーター固定側に対して、692の高出力レールモーター回転側に取り付けた複数の水車板形状の送風装置は、690のボルトと691のナットによって固定した688の送風スクリュー管を取り付けた後部車輪部分の686の高出力電磁誘導発電装置付の689のスクリュー風回転動力装置に対して694のタイヤと693の自転車チエーン装置の補助走行の692の高出力レールモーター回転装置の電気調整出来るハンドルスイッチ積載の685のエアー補助自転車。
【０２５２】
2013年8月15日pm23時36分にて図83に於いて685の未来の別の美瑛街のエアー補助自転車は、697の前輪高出力電磁誘導発電装置と698の後輪高出力電磁誘導発電装置と699の高出力電磁誘導発電足踏み装置部分によって発電した電気は、695のプラス貯蓄充電池体と異なる場所の696のマイナス貯蓄充電池体と軽量絶縁体を使って695のプラス貯蓄充電池体と696のマイナス貯蓄充電池体を分けた685のエアー補助自転車。
【０２５３】
2013年8月16日Am9時28分にて図84に於いて685の未来の別の美瑛街のエアー補助自転車の700の電気貯蓄体は、702鉄層の外側の自転車体に成り、次に701の木材灰入り塩化プラスチック絶縁体の次の電気貯蓄体の703の軽水素トリチウム電子ガス入り圧電素子磁石体粒子入り液体マグネシウム内蔵シリコン充電池素子体プラス貯蓄充電池体と別の場所のマイナス電気貯蓄体は、702鉄層の外側の自転車体に成り、次に701の木材灰入り塩化プラスチック絶縁体の次の電気貯蓄体の703の軽水素トリチウム電子ガス入り圧電素子磁石体粒子入り液体マグネシウム内蔵シリコン充電池素子体マイナス貯蓄充電池体とまるっきり離れた場所にプラス貯蓄充電池体を設置する構造の685のエアー補助自転車。
【０２５４】
2013年8月16日Am10時29分にて図85に於いて705の未来の別の美瑛街の水耕野菜販売装置は、水耕野菜販売大棚の端側に708の循環濾過冷却水落とし口に成り、709の水耕多種ポット陳列棚には、水耕トマトポットと水耕大根ポットと水耕白菜ポット水耕イチゴポットと水耕行者ニンニクポットと水耕ハルナポット水耕ワサビポットと水耕花ポットと水耕大豆ポットと水耕ジャガイモポットと水耕玉ネギポットと水耕キャベツポットと水耕ニンニクポットと水耕ニラポットと水耕ミツバポットと水耕シシトウポットと水耕キュリポットと水耕ナスポットと水耕ナスポットと水耕ナンバンポットと水耕ピーマンポットと水耕ゴボウポットの706循環冷却水濾過装置707食用アルコール水超弱アルコール水耕栽培は、今後の細菌対策の水耕栽培方法と販売方法。
【０２５５】
2013年8月16日Am11時01分にて図86に於いて710の未来の別の美瑛街の文房具店で売られているノートは、711プラスチックカバーは、713の紐通しプラスチック部分と715の結び紐によってノートの固定を行える装置に成り、714の布糸入りプラスチック部分に成り、712の石灰粒子糊剤をプラスチック紙の両面に塗ったプラスチック紙に成る。
【０２５６】
2013年8月16日Am11時16分にて図87に於いて716の未来の別の美瑛街の新聞屋のパンフレット広報文字画像ライン重ね放送システムは、718のアルゴンガス軽水素内蔵プラスチックビニール内蔵画像パネルに、717の圧電素子磁石体粒子に特許権切れのアンテナ金属を被せたアンテナ装置と720の新美瑛街の新聞屋の文字情報送受信装置設置の719のテレビ台付きの716の美瑛街の新聞屋のパンフレット広報文字画像ライン重ね放送システム。
【０２５７】
2013年8月16日Am11時26分にて図88に於いて721の未来の別の美瑛街の生鮮魚陳列棚システムによって、外気遮断の冷蔵庫に成り、725の高出力発光LEDライトの光熱を処理遮断する為にライト光を一度低温水カーテンまたは低温水槽に一度通した低温光を727の光反射低温光鏡反射板装置によって、生鮮魚のライトシステムとし、724の固形フロン冷蔵庫の冷却風によって726の循環冷却水を作り上げて、循環冷却水によって生鮮魚介類の鮮度低下を遅らせる721の生鮮魚陳列棚システム。
【０２５８】
2013年8月16日Am11時43分にて図89に於いて728の未来の別の美瑛街の理髪店の待ち時間に受ける事の出来るサービスは、729のクリスタル硝子椅子に対して、730の放射線飛散防止パネル内蔵のサモーレントゲンカメラに取り付けられて入る731の棒状高出力レールモーターによって人の背中方向から、サモーカメラの血圧の低血圧と高血圧の簡単な検査とレントゲンカメラによって簡単な内蔵機能のレントゲン写真データーを放射線に触れないで検査出来る装置に成り、729の頭皮陽電子陰電子電気分解の細胞活性化装置のサービス頭皮リハビリが出来る装置。
【０２５９】
2013年8月16日昼Am12時05分にて図90に於いて732の未来の別の美瑛街の花入れポットは、733の透明プラスチック部分は、9分の2部分だけ円錐の上下に対して一面部分だけ透明プラスチック部分とし、花入れ口1センチメートル周囲を透明プラスチックとし、735のカラープラスチックデザインチップを取り付けた形状に対して、残り部分の735のカラープラスチック部分に成り、734の指かけ部分を対面の花入れポット口に楕円形プラスチックリングを取り付けた形状の732の美瑛街の花入れポット。
【０２６０】
2013年8月16日昼Am12時20分にて図91に於いて736の未来の別の美瑛街の衣料服店は、737クリスタルダイヤ硝子仮装壁装置に対して、人が乗って超低速回転する789の高出力棒状レールモーターによって人が立った姿勢で超低速回転する回転テーブルに対して、738のカラーライトライン放射装置と739の放射線飛散防止パネル内蔵レントゲンサモーカメラ付きの人の立体形状の全自動計測方法に従って、738のカラーライトライン放射装置と739の放射線飛散防止パネル内蔵レントゲンサモーカメラの左右移動撮影と上下移動撮影と738のカラーライトライン放射装置の740の全自動高出力CCDカラーライトライン位置データー撮影装置。
【０２６１】
2013年8月16日昼Am12時48分にて図92に於いて741の未来の別の美瑛街の著作権契約の楽器レコードCDカードMD店は、745の両面CDに対して742の多層式圧電素子磁気内蔵両面CDは、MDに多層式の軽量圧電素子磁気カードを取り付けた複数のデーターを一度に出し入れ出来る装置に成り、MDのCD部分に対して、746のCDの読み取り書き入れが出来る装置として、六角形の筒穴を片面に対して対面2カ所ずつ裏表4カ所から8カ所取り付けた裏表両面MD装置に成り、743の多層式圧電素子磁気カード部分と744のカードデーター書き込み読み込み部分と747のカードデーター書き込み読み込み部分装置の取り付いた多層式カード内蔵の両面MD装置使用の741の未来の別の美瑛街の著作権契約の楽器レコード店。
【０２６２】
2013年8月16日pm14時03分にて図93に於いて748の未来の別の美瑛街の本屋は、立ち読み著作権料金支払い制の過去に無い店で有り、749のカラー点滅兼本読みライトは、750の点滅ライト部分の上部分は、752の高出力発光LEDライトの750の点滅ライトの本の位置支持点滅ライトに成り、751の下向きライト部分は、753の反射板を取り付け752の下向きの高出力発光LEDライトの立ち読み装置に成る。
【０２６３】
2013年8月16日pm14時16分にて図94に於いて754の2013年7月13日(土)北海道知事宛へ図面部分一部を送達した証拠図。
【０２６４】
2013年8月16日pm14時16分過ぎにて図95に於いて755の2013年7月15日美馬牛郵便局から出した証拠図。
【０２６５】
2013年8月16日pm14時16分過ぎにて図96に於いて756の2013年7月15日美馬牛郵便局から出す。
【０２６６】
2013年8月16日pm14時16分過ぎにて図97に於いて757の2013年7月13日美馬牛郵便局から出す。
【０２６７】
2013年8月16日pm14時16分過ぎにて図98に於いて758の2013年北海道知事宛へ図面を送った証拠図。
【０２６８】
2013年8月16日pm14時34分にて図99に於いて759の2013年7月21日美馬牛郵便局から北海道知事宛へ図面を出した証拠図。
【０２６９】
2013年8月16日pm14時36分にて図101に於いて760は、クリスタルダイヤ硝子芯入り合成木材は、762の角取りクリスタルダイヤ硝子芯入り合成木材は761の留め金具取り付け構造の合成木材柱装置に成り、764の免震受け填め込み台は、一戸建て木材の家の柱に取り付ける免震装置に取り付ける一戸建ての角の90度2方向と縦柱の3方向の柱の填め込み装置に成り、765のボルトナットネジで固定出来るクリスタルダイヤ硝子芯入り合成柱の補助固定の763のドリルネジ鉄板で補助固定した免震付き一戸建ての762の角取りクリスタルダイヤ硝子芯入り合成木材を使った一建て家。
【０２７０】
2013年8月16日pm15時14分にて図102に於いて769のクリスタルダイヤ硝子柱芯入りの768の合板材または再生木材を被せた合成木材柱と770の合成竹材入り合板は、乾燥竹チップと再生木材チップと化学糊を混合合成圧縮した769のクリスタルダイヤ硝子柱芯入りの合成木材に成り、771の乾燥竹材と乾燥雑草チップ化学糊貼り付けのクリスタルダイヤ硝子芯入りの合成木材に成る。
767の鉄筋の766の低温陶器を被せた低温陶器柱に成り、767の鉄筋入り鉄筋柱に対して768の合板のチップと化学糊を混合素材を巻いて圧縮して固めた鉄筋芯入り合板柱に成る。
【０２７１】
2013年8月16日pm15時52分にて図103に於いて773の合成木材は、776の金具留め装置と774の合成木材板を使用して屋根板の釘無固定装置に成り、775の合成木材柱に776の金具留め装置を使った774の合成木材板を専用の776の金具留めと金具留めに差し込む772のグラスフアイバーまたは金具固定板装置によって固定出来る屋根板装置に成る。
【０２７２】
2013年8月16日pm16時10分にて図104に於いて777の屋根風返し装置は、778の屋根に対して、779の風除けグラスフアイバーステップバリアのボルトナット固定によって、風による屋根の巻き上げを防ぎ、781の金属金具と780の屋根端差し込み部分装置と790の固定ネジナット金具によって屋根板を更に家本体にボルト締め固定した後に、779の風除けグラスフアイバーステップバリアのボルトナット固定した屋根。
【０２７３】
2013年8月16日pm17時20分にて図105に於いて783の屋根板留め流し合成柱は、784の液体硝子プラスチック材を釘穴及び鉄製スクリューネジ固定を頑丈にする為の784の液体硝子プラスチックに成り、783の屋根板留め流し合成柱は、二段溝彫の785の屋根板と783の屋根板留め流し柱の二段溝填め込み釘留めと786の屋根板を止める為の金具に対しての782の別屋根板の786の4ポンボルト足の金具とナットと平板留め形状の屋根板固定方式の一戸建て家。
【０２７４】
2013年8月26日pm16時39分にて図156に於いて1の未来の別の美瑛街のクリスタル硝子ダイヤビルの屋上に設置する一戸建て免震装置付の3階建の家は、長方形の敷地の対面斜め角2カ所の角を丸く擦る設計にして、敷地内周囲に796のスクリューエアーバリアカーテンを取り入れた雨と風と雪と外気温を数珠繋ぎの高速スクリューエアーで雨と風と雪と外気温を遮断する装置を設置した未来型ハウスに成り、日本の民家には、余り見られ無い793の木枠丸窓と794の木枠六角窓の引き戸または中心のクリスタルダイヤ硝子の中心部分の固定軸によって回転する移動窓のピンロック式の窓構造に成り、屋上3階の子供部屋の屋根装置は、竹灰入りグラスフアイバー一体型ボルトナット留め屋根構造に成り、795の固定型非常用モーター梯子装置を四隅円い角二カ所に非常梯子を設置した一戸建て免震装置付の3階建の家。
【０２７５】
2013年8月26日pm17時45分にて図157に於いて未来の別の美瑛街のクリスタル硝子ダイヤビル近郊を走る2階建永久発電機の水素水発電機積載の電気高出力モーター中折れバス横面は、799の高出力2段モーターワイパーは、高出力レールモーターを2個重ねた800の5分の1カット硝子の5分の4がワイパーの効く複数ボルトナット固定型の球面硝子4個を使用した2階建中折れバスの前6輪のステアリングモーターハンドルの半全自動補助走行の2階建中折れ電気バスに成り、非常用のエアーワイパー設置の2階建中折れ電気バスは、複数の山岳ヘリコプター上空固定位置の3点以上の2階建中折れバスの前車両半自動位置全自動検索と後車両半自動位置全自動検索によって道路地図上の白線と舗装片から距離の826のカラーライトラインカメラ装置の設定車幅距離と車体設定位置によるモーターステアリグハンドル操作による危険位置の設定音声の全自動連絡システムにな。
更に、前ドア形状は、平行四辺形のやや斜め角度の乗り入れの為の高出力モータードア構造に成り、客席窓形状は、円形高出力レールモーター窓に成り、バンパ装置は、804の多層式衝撃吸収4種類ゴム構造に成り、車体の熱吸収を和らげる構造の802の固形窒素入り熱遮断塗料を使用し、801のスクリューエアー外気遮断装置によって、外気熱を全自動遮断出来る808の後部カットクリスタル硝子窓に成る。
そして、緊急非常時に全自動作動する803の緊急スクリューエアーブレーキを使用し、高出力レールモーター制御ブレーキと中コイル式の二段モーター使用のブレーキ装置と806の金属鉄筋入り蝶番竹灰内蔵プラスチック硝子板の2階建中折れ電気バスに成る。
【０２７６】
2013年8月26日pm19時39分にて図158未来の別の美瑛街のクリスタル硝子ダイヤビル近郊を走る2階建永久発電機の水素水発電機積載の電気高出力モーター中折れバス車体鋼鉄鋼板関連は、803の緊急スクリューエアーブレーキを使用し、811の多層式ゴム使用の運転席椅子装置と812の階段装置に成り、6個の809の高出力全自動位置認識補助レールモーターステアリング装置と810の中折れ補助ステアリング高出力レールモーターの半自動位置確認装置の位置出しは、複数の山岳ヘリコプターの三角点2階建中折れ電気バスの全自動位置計測と半自動操作音声事前危険通達の為の補助操作が出来る2階建中折れ電気バス。
更に、814の後輪引きずりタイヤ構造と813の真空トイレによる固形物と液体を別々に処理する構造の2階建中折れ電気バスは、815の高出力水素水永久発電機に成る。
【０２７７】
2013年8月26日pm20時02分にて図159未来の別の美瑛街のクリスタル硝子ダイヤビル近郊を走る2階建永久発電機の水素水発電機積載の電気高出力モーター中折れバスは、818の金属鉄筋入り竹灰入りプラスチック硝子蝶番ピン留め装置のピンには、割りピン穴の空いた818の金属鉄筋入り竹灰入りプラスチック硝子蝶番ピン留め装置のピン装置に成り、最終的に割りピン等の固定に成る。
更に、817のステアリングモーター移動カバーは、二段の二枚カバーに成り、前車両と後車両の行き来には、全自動高出力棒状レールモーター扉と弱エアーカーテンの外気遮断装置と816の鋼鉄鋼3.5センチメートルのバス床鋼鉄鋼ステアリングカバー板付の2階建中折れ電気バス。
【０２７８】
2013年8月26日pm20時21分にて図160未来の別の美瑛街のクリスタル硝子ダイヤビル近郊を走る2階建永久発電機の水素水発電機積載の電気高出力モーター中折れバス全面は、800の5分の1カット硝子の5分の4がワイパーの効く複数ボルトナット固定型の球面硝子4個を使用した2階建中折れバス上段の823リレーウインカーの複数個の高出力発光LEDライト玉を使ったプラスチックビニール材質ウインカーと804の多層式衝撃吸収4種類ゴム構造バンパの中填め込み型の824の小灯ウインカーは、下段の方向指示器に成り、高出力発光LEDライト玉を使ったプラスチックビニール材質ウインカーに成る。
更に、下段のバンパの804の多層式衝撃吸収4種類ゴム構造バンパの中填め込み型822の高出力発光LEDライトは、最も低い取り付け位置に設定したライトに成り、820の全面中段部分の左側に付くサイド歩道ライトは、歩道を専門に照らすライトに成り、804の多層式衝撃吸収4種類ゴム構造バンパの中填め込み型カメラの他、821の放射線飛散防止パネル付きサモーレントゲン人及び動物全自動被写体形状認識Wカメラに成り、826のカラーライトラインカメラ装置と825の上下左右前後ライトカメラ付画像パネルバックミラー装置に依る複数の山岳ヘリコプターの三角点位置による2階建中折れ電気バスの道路設定位置に沿った半自動補助モーター走行の運転が出来る2階建中折れ電気バスの830のタイヤの幅40センチメートルのタイヤは、ホイル付タイヤ付きの二重のノーパンクタイヤを使用した2階建中折れ電気バス。
【０２７９】
2013年8月26日pm21時06分にて図161未来の別の美瑛街のクリスタル硝子ダイヤビル近郊を走る2階建永久発電機の水素水発電機積載の電気高出力モーター中折れバスの後部は、808の後部カットクリスタル硝子の屋根面30センチメートル入った縦カットと横カットのWカットクリスタル硝子の鉛アルミニウム鉄合金ボルトナット留め板内蔵のビニールゴムシールと鉛アルミニウム鉄合金金属ボルトナット固定板に依る少し厚めの3枚分3センチメートル程のクリスタル硝子構造に成る。
更に、828の左側ウインカーブレーキは、左矢印ウインカーと縦小判形状の組み合わせウインカーブレーキランプの形状に成り、829の右側ウインカーブレーキは、右矢印ウインカーと縦小判形状の組み合わせウインカーブレーキランプの形状に成る。
この他、後部の804の多層式衝撃吸収4種類ゴム構造バンパの中填め込み型の826の後部高出力発光LEDライト埋め込み型ボルト留めライトに成り、カメラ等も取り付く構造に成り、830の後部高出力レールモーターワイパーに成る。
【０２８０】
2013年8月26日pm21時37分にて図162に於いて883の未来の別の美瑛街のクリスタル硝子ダイヤビル一室の介護センターで使用擦る医療リハビリパチンコは、高齢者の腕と指の力が無い人でも操作可能な848のタッチ高出力レールモータースイッチハンドルと4段階高出力レールモータータッチ型スイッチに成り、849の玉受け皿装置に成り、844の賞玉ランプは、845の介護を必要とする男女の写真データーを予め、少年少女時代写真そして、学生時代写真及び青春時代写真及び結婚時代写真及び逃避行時代写真及び再婚時代写真を予めデーターにセットした856のパチンコカードにデーター写真入力したカードを所定の場所にセットする事によって、登場人物の写真がそれぞれ若い頃の写真データー画像付きの設定画像によって、ゲーム進行するゲーム設定器に成り、843の玉送り出し口を通って四段階スイッチによって、玉の賞球の飛ぶ位置が異なるパチンコとゲーム進行設定が玉の初級場所によって、ゲーム変化する845の熱と光吸収型の発電パネル付きの二人打ちパチンコに成り、釘は、852の鉛鉄アルミニウム合金釘と832の回転車と通常チューリップと新しくお目見えの逆さチューリップを使用した介護ゲーム器の玉の入賞は、837の農業国入口ゲートと831の青春アタッカーゲートと836の漁業国アタックゲート固定口に成り、更に、点数アップの835の恋人選択アタック口と839の別世界のどちらかが先に入る事で決まるゲーム進行と840の海外研修旅行の入賞率と841の再婚アタック抽選口によって、数字抽選は、左右のゼロから9の抽選番号が一致すると、今後の予定されている食事等のメニュ紹介等が演出され、はずれた場合は、833の再復活アタッカーゲートの道としての838の再アタックハートの逆さハートチューリップが開き、833の再復活アタッカーゲートに玉が入賞する構造に成り、834の三角関係アタックゲートに入るとセットされていたもう一人の人物が、美瑛街周辺のデートコース施設の紹介に成り、再び数字が揃うと好きな食べ物などを、847の音声マイクまたは、ボタンタッチによって、選ぶ事が出来て、医療カードデーターに好みの食べ物または、行きたい場所または、乗りたい乗り物または、着てみたい服などを選ぶ事が出来る医療データー回収型のゲーム機に成り、840のハテナ音声予知スピーカーは、揃い易い場所の848のタッチ高出力レールモータースイッチハンドルの番号支持などで二つの数字が揃い易く成るゲームに成り、851の手置き場所は、左右両手の置き手設置場所構造のパチンコ二人打ちゲーム機に成り、850のプラスチック硝子外面の内面通常硝子の防半2枚硝子構造のパチンコゲーム機に成り、842のマネージャー店員呼び出しスイッチを押すと画面は二人の結婚式画像に変わるリハビリゲーム進行型二人打ちパチンコ装置。
【０２８１】
2013年8月26日pm23時10分にて図163に於いて883の未来の別の美瑛街のクリスタル硝子ダイヤビル一室の介護センターで使用擦る医療リハビリパチンコは、860の多層ゴム背もたれ椅子に成り、859のボルトナット固定型の椅子装置に成り、853の送受信アンテナは、857の医療データー入力多層式カードに成り、862の医療データー変化表示パネルは、パチンコ機と反対側に設置して有る放射線飛散防止パネル付きのサモーレントゲンCTスキャン複数パネルカメラ等による全自動診察と腕ベルト式の脈拍血圧計とアンモニアセンサー全自動測定器と肌着型心臓音全自動測定データー全自動送信器などと、改良朝鮮人参薬の呑む時間の連絡ランプ等が付いている構造に成り、856のパチンコカードは、前回行ったパチンコ機種のデーター表示等が可能に成ったカードに成り、861のパチンコデーターパネルは、856のパチンコデーターカードによって、何番のタッチスイッチキーによって、賞球確率が良いのか表示される。
更に、854の荷物置き場は、通いの介護者等が使用擦る場合使用する荷物置き棚に成り、858のジュースカップを刺す様な形状によって、プラスチックカバーの中にセット出来るプラスチックカバーの取り外し、洗浄交換が出来るシステムに成る。
【０２８２】
2013年8月27日Am07時24分にて図164に於いて883の未来の別の美瑛街のクリスタル硝子ダイヤビル一室の介護センターで使用擦る医療リハビリパチンコは、パチンコ玉には、4個の871の高出力発光LEDライト玉が、ナット形状型に成って対面十字状に876のビニールリングのクッション装置を取り付けた871の高出力発光LEDライト玉の取り付けられて入る構造に成る。
更に、パチンコ玉は、865の鉛アルミニウム鉄合金シルバーに近い色の中刳り貫き型の合金金属と866の銅鉄アルミニウム合金の金色に近い中を刳り貫いた形状のパチンコ玉は、二つで一個のナットとボルト形状のパチンコ玉に成り、ネジ込み取り付け後、四カ所程の切込み穴に熱鉛金属を流し込んで固定する半分がシルバー色そして、半分が金色のパチンコ玉に成り、871の高出力発光LEDライト玉の取り付ける場所には、868のプラスチックライト玉穴が4か所空き、864の2層絶縁体のゴムの877のプラスチックゴムと874の竹灰入りビニールゴムの合わせクッションゴムとパチンコ玉の電池を895の絶縁体クッションシートを下にして893のプラス充電池と894のマイナスマイナス充電池を取り付けた構造の装置に成り、半分ずつの充電池入り4個の871の高出力発光LEDライト玉つきの装置ともう半分の893のプラス充電池と894のマイナス充電池の電池接触体として、充電池の絶縁体として、864の2層絶縁体を挟んで、894のマイナス充電池体と893のプラス充電池体が設置されている構造に成る。
そして、充電池それぞれに、896のマイナス電気接触体と897のプラス電気接触体を取り付けた装置に成り、半分ずつの半分の球体に入ったプラスとマイナス充電池がそれぞれ、ナットとボルトのネジコミセットに成る事によって、二組の充電池が接合して一組の充電池構造に成る貯蓄型充電池に成り、870の色硝子充電池窓二カ所のプラス充電口とマイナス充電口によって、急速充電が出来る871の4個の発光LEDライト玉の電気充電後光るカラー色体の2色のパチンコ玉に成る。
【０２８３】
2013年8月27日Am08時26分にて図165に於いて883の未来の別の美瑛街のクリスタル硝子ダイヤビル一室の介護センターで使用擦る医療リハビリパチンコは、879の上り玉受皿装置は、竹灰入り塩化プラスチックビニール体に成り、流れ落ち玉構造の電磁石蓋開閉装置によって、新たに玉落し構造の高出力圧電素子体のパチンコ玉の落下打撃による高出力圧電素子磁石体のパチンコ玉の圧電素子打撃の圧電効果発電現象によって、発電出来る3カ所目の879の上り玉受皿装置の880の玉の落とし場の高出力圧電素子磁石体のパチンコ玉落しの圧電素子磁石体の磁気打撃発電体に成る構造の複数針穴のステンレス磁石薄体によって、軽水素トリチウム電子ガス入りの圧電素子磁石体の崩壊防止の為の、複数針穴空きの薄ステンレス板で囲んだ高出力圧電素子磁石体のパチンコ玉の鉄部分の磁気圧力発電が出来る装置そして、パチンコ機械の880の玉落しの一番下に高出力圧電素子磁気圧打撃発電装置の設置3個所に成る。
更に、881の払い出し玉全自動計測高出力電磁石板仕切り板装置を使った第1ゲートの玉数全自動払い出し計測装置に成り、882の払い出し玉全自動計測高出力電磁石板仕切り板装置の第2ゲートの玉数全自動払い出し計測装置に成り、玉飛ばし器は、878のタッチスイッチ高出力レールモーター配線の他、837の農業国入口ゲートと831の青春アタッカーゲートと836の漁業国アタックゲート固定口と835の恋人選択アタック口と839の別世界と840の海外研修旅行と841の再婚アタック抽選口と833の再復活アタッカーゲートと834の三角関係アタックゲート等の入賞認識電気スイッチは、玉接触型電気スイッチに成り、884の賞玉ランプ点灯配線と組み合わせストーリー二種類の別々の選択制ストーリーの玉の入賞数によって、自動設定されて数字0〜9までの数字ルーレット方式の二組の数字一致によって、それぞれ設定されているストーリーが始まるプログラム竹灰入りプラスチック絶縁体と竹灰軽量硝子入り圧電素子磁気回路を使ったパチンコストーリープログラムに成る。
【０２８４】
2013年8月27日AM9時47分にて図166に於いて884の未来の別の美瑛街の砂岩切全自動モーター石折り装置は、555の高出力モーター楔バイブレーター装置は、888のモーター軸連動の890の往復反転側のモーター震動装置は、891のアルミニウム板とプラスチックゴム板とステンレス板の多層重ねパネルを使った892の楔鑿先を使った左右の往復連続震動を利用した石折装置に成り、889の2連結以上モーターを四個使った890の往復反転型モーター震動装置の4個のモーターの振幅を少しずつずらした往復反転型モーター震動装置を取り付けた高出力レールモーターホイスト上下移動型の887の細ワイヤ網入りプラスチックゴムキヤタビラ足を使った4個の886の2連結以上高出力モーターの走行装置と898の4機2連結以上モーターの890の往復反転型モーター震動装置を885の永久発電機を使って、砂岩石を四角形形状に切った砂岩石を折って切り出す装置。
【符号の説明】
【０２８５】
1     未来の別の美瑛街のクリスタル硝子ダイヤビル
2     スクリューエアーカーテン
3     木製の免震装置付き二階半
4     コンクリート劣化防止パネル
5     台形型免震コンクリートビル
6     土圧防止コンクリート
7     地下駐車場
8     地下貯水池
9     電磁石反発免震装置
10    免震用塩化ビニールゴム
11    グラスファイバー砂鉄円柱内コンクリート杭
12    水耕花壇
13    クリスタル硝子擁壁
14    リニアー駐車場
15    クリスタル硝子ビル
16    窓
17    コンクリート基礎
18    鋼鉄鉄筋
19    200年保障ビルマンション
20    空間テラスコミニケイション室利用
21    木製ビル天上家屋敷
22    ガレージカラー板水平内蔵グラスファイバー防護体
23    軽量レンガタイル
24    免震8階ビル
25    未来の別の美瑛街の縁石
26    クリスタル硝子縁石
27    軽量陶器板
28    文字分だけの素焼き
29    BIEAI
30    未来の別の美瑛街の道路地下構造図
31    道路正面断面図1
32    道路表面
33    アスファルト
34    砕石層
35    塩化プラスチックパネル
36    固形窒素入り塩化プラスチックグラスファイバーパネル
37    陶器粒石入りグラスファイバー
38    陶器石入りコンクリート
39    雨水官地下貯水池
40    コンクリート
41    コンクリート劣化防止の固形窒素入りパネル
42    道路正面断面図2の軽水素トリチウム電子ガス入り圧電素子磁石体粒子入り高出力銅筒管
43    非常連絡ケーブル線
44    電気配線プラス官
45    電気配線マイナス管
46    クリスタル硝子水道管
47    水道官
48    未来の別の美瑛街の道路敷地概略図
49    平面説明図
50    歩道
51    敷地境界線
52    アスファルト溝彫型中央ライン線
53    通常コンクリート床のコンクリート縁石
54    スクリューエアーコンプレッサーシールドカーテン
55    未来の別の美瑛街の大学高校中学小学病院等の公共施設のコンクリート代替えの永久建物
56    クリスタル硝子基礎
57    コンクリート劣化防止パネル付コンクリート部分
58    ボルトナット止め用鋼鉄板
59    クリスタル硝子基礎ボックス止め円柱鋼鉄金属部分
60    クリスタル硝子基礎ボックス固定装置
61    未来の別の美瑛街の大学公共施設の永久建物の構造内容
62    クリスタル硝子基礎ボックス接合部分
63    鋼鉄連結用虎鉄ボルト穴
64    未来の別の美瑛街のビル免震装置
65    台形型クリスタル硝子ビル用免震ビル装置
66    超鋼クリスタル硝子ダイヤ体
67    高出力電磁石
68    地盤壁固定
69    鉄
70    絶縁金属
71    レールモーターホイスト
72    横揺れ吸収型電磁石Wレールモーターホイスト
73    免震装置の鋼鉄芯杭
74    ビル建物鋼鉄杭
75    免震誘導装置
76    縦揺れ吸収型電磁石
77    非常免震コロ装置
78    横揺れ吸収型電磁石レールモーターホイスト
79    未来の別の美瑛街の永久水道官
80    クリスタル硝子リング
81    クリスタル硝子水道官
82    未来の別の美瑛街の一戸建て家の免震装置
83    コンクリート土台またはクリスタル硝子ダイヤ土台
84    合成木材固定用金具
85    土台固定ボルト穴
86    合成木材固定用ネジ伸縮装置
87    三又Tの字長め固定金具
88    十字合成木材長め固定金具
89    0,5ミリメートルグラスファイバー板
90    0,5ミリメートルクリスタル硝子ダイヤ板
91    0,5ミリメートル再生合成木材板2枚
92    クリスタル硝子ダイヤ板
93    ビニールゴムシート敷型クリスタル硝子屋根白青赤黄灰色
94    液体ゴム水留め型ボルト穴
95    未来の別の美瑛街の一戸建て家の免震屋根
96    液体ゴム接着
97    未来の別の美瑛街の一戸建て家の免震装置付属品
98    合成板固定ボルトな
99    合成板
100   小型縮小図
101   アルミニウム合成木材クリスタル硝子ダイヤ板連結装置
102   クリスタル硝子ダイヤ柱固定ボルト穴
103   クリスタル硝子ダイヤ基礎土台柱固定穴
104   クリスタル硝子ダイヤ鉄筋
105   免震クリスタル硝子ダイヤ木材土台側
106   クリスタル硝子ダイヤ基礎土台側
107   クリスタル硝子ダイヤ基礎土台と免震クリスタル硝子ダイヤ木材土台側固定金具とボルトナット穴
108   未来の別の美瑛街の写真店で数万枚の中から選べる合成写真→山岳ヘリコプターライトカメラ数百台を使った美瑛町全体の一年を通じての写真データーと自分の写真データーと自分の写真及び家族の写真動物の写真を合成したのを大きいテレビジョンパネルで確認して想い出作り出来るシステム
109   テレビジョンパネル
110   未来の別の美瑛街の二世代ハウス
111   丸窓
112   合成木材柱
113   クリスタル硝子ダイヤ屋根
114   スクリューエアーカーテン窓
115   円形蝶番開閉型六角窓
116   クリスタル硝子合成柱
117   玄関敷板
118   郵便物移動装置
119   重量センサー踏み石
120   ドア
121   郵便ポスト
122   電動仕切り弁センサー郵便物受け入れ口
123   未来の別の美瑛街の一戸建て家の免震装置
124   電磁石反発側
125   一戸建て木材土台留めボルト
126   免震装置固定ボルト
127   塩化ビニールゴム
128   電磁石固定側
129   クリスタル硝子一戸建て基礎
130   高出力基礎
131   免震ボルト支え鉄筋
132   免震支えボルト装置
133   ズレ留め金具
134   未来の別の美瑛街の一戸建て家の免震装置取りつけクリスタル硝子ダイヤ基礎状況
135   クリスタル硝子ダイヤ基礎一戸建て
136   免震装置取りつけ金具
137   免震装置取りつけボルト
138   基礎鋼鉄角取
139   未来の別の美瑛街の一戸建て家の基礎
140   二段基礎壁クリスタル硝子ダイヤ壁設置穴装置
141   基礎鋼鉄角取
142   免震杭差し込み部分
143   連結人工クリスタル硝子ダイヤ基礎接続溝部分
144   鋼鉄筋入り人工クリスタル硝子ダイヤ基礎
145   未来の別の美瑛街の一戸建て家の免震杭構造
146   吊り金具
147   鉄筋部分
148   溝
149   落とし穴
150   合板
151   圧縮ビニール塩化プラスチック
152   砂鉄鋳物
153   グラスファイバー
154   杭打ちカバー鉄板筒
155   コンクリート部分
156   別杭
157   未来の別の美瑛街の電気店及び電気及び電波機関の使用する高光速超電導電気
158   高光速超電導電気プラス
159   高光速超電導電気マイナス
160   クリスタル硝子カバー官
161   電気感知スイッチ回路
162   複数穴空きクリスタル硝子又は銅板
163   告知ランプ
164   プラス送電
165   マイナス送電
166   高出力銅筒管コイルプラス
167   人工ダイヤ電気カット装置
168   高出力銅筒管コイルマイナス
169   電気量調整装置
170   電圧感知電圧調整装置→低光速超電導電気→中光速超電導電気→光高速超電導電気
171   平円形高出力銅筒管コイル
172   圧電素子4電子磁気分割装置
173   電気スピード感知装置
174   現在の高速電気を超えた超電導電気より更に速い電気の光速超電導電気
175   未来の別の美瑛街の二世代ハウスの窓
176   下へ被さる日除け枠
177   リング繋ぎ革紐
178   紐掛け異種変形リング
179   永久磁石六角形ピン
180   日除け枠
181   日除け枠固定装置
182   木製パネル内蔵グラスファイバー窓枠
183   引き戸装置
184   異種変形リング
185   スイッチ
186   蝶番ピン穴空きカバー
187   六角形
188   金属同士接続型スイッチ
189   高出力モーター電動六角形状穴仕切り弁日除け枠
190   木窓枠硝子左右移動装置
191   革紐
192   硝子引き戸
193   造形硝子動物等のデザイン
194   木材皮シート入りグラスファイバー
195   紐通じ接着硝子
196   通常硝子
197   ボルト止めクリスタル硝子ダイヤ窓枠
198   金具
199   ハンドルナット→別売り鍵穴→交換型クリスタル硝子ダイヤデザイン防半合わせクリスタルダイヤ硝子鉄亜鉛合金金属穴空きピン装置
200   ボルト留め装置
201   クリスタル硝子ダイヤ引き戸装置
202   硝子戸固定装置
203   外枠装置
204   反射板
205   炭入り硝子引き戸装置
206   気泡臭素入りクリスタル四角柱複線防半クリスタルダイヤ硝子
207   Lピン持ち手穴空き型窓固定装置
208   発光糸入り硝子
209   硝子攫み装置
210   ピアノ線入りワイヤ
211   固定軸ギサ山留め装置
212   固定軸ボルト留め装置
213   レベル7は透明に成り上へ行く程白色に近く成る白色の濃さの表現
214   未来の別の美瑛街の防半の重量センサー
215   多層式軽水素トリチウム電子ガス入り圧電素子磁石体粒子内蔵シリコン電気感知器
216   上部分
217   スプリング部分
218   下部分
219   位置計測部分
220   複数配線
221   未来の別の美瑛街のクリスタル硝子ダイヤビルの一階
222   高出力レールモーター天上収納型家電装置
223   トイレ
224   キチン
225   クリスタル硝子ダイヤ床養殖槽
226   地上3階移動風呂他移動花壇
227   通路
228   地下立体駐車場と移動花壇
229   複数水車板発電型クリスタル硝子ダイヤ垂直筒雨水移動官雨天連絡ライト発電装置
230   クリスタル硝子ダイヤパネル床板
231   掃除部分
232   水耕栽培クリスタル硝子ダイヤ床板
233   地下駐車場
234   未来の別の美瑛街のクリスタル硝子ダイヤビルの床
235   クリスタル硝子ダイヤ床柱
236   三角形ビニールゴムシート
237   クリスタルダイヤ硝子三角形床免震柱
238   六角形ビニールゴムシート
239   クリスタルダイヤ硝子六角形床免震柱
240   正方形ビニールゴムシート
241   クリスタルダイヤ硝子正方形床免震柱
242   三角柱床ビニールゴムシート
243   円形ビニールゴムシート
244   クリスタルダイヤ硝子円形床免震柱
245   未来の別の美瑛街のクリスタル硝子ダイヤビルのキチン台所
246   平面図キチン
247   高出力モーター電動仕切り弁排水溝口
248   蓋装置
249   クリスタル硝子ダイヤ蓋
250   蓋紐
251   ウナギ養殖槽
252   一時保存用魚養殖槽
253   貝養殖槽
254   キチン
255   未来の別の美瑛街のクリスタル硝子ダイヤビルの窓
256   雨水取り込み官
257   クリスタル硝子ダイヤビル一階窓
258   熱硝子接着型クリスタル硝子ダイヤカップ
259   薄い板形状の川石と山石のスライス2枚合わせクリスタル硝子ダイヤ筒入り山表現パネル
260   高出力ダイナモ水車板
261   高出力モーター電動仕切り弁排水溝口窓側
262   未来の別の美瑛街のクリスタル硝子ダイヤビルの扉
263   プラスチック硝子カバー
264   鍵
265   鉄線またはクリスタル硝子ダイヤ柱窓
266   ワイヤ入り革ドア持ち手装置
267   カバー留めピン
268   蝶番
269   三つ吊り風鈴
270   クリスタル硝子ダイヤ細パネル
271   高出力モーター電動仕切り弁鍵穴
272   軽量カラー陶器またはスライドクリスタル硝子ダイヤ板
273   未来の別の美瑛街のクリスタル硝子ダイヤビルの風呂
274   桐または檜溝彫簀子
275   複数穴空きクリスタルダイヤパネル
276   化石ブロック→アンモナイト貝等
277   自然石板ブロック
278   アルミニウム塗装ステンレス板
279   ビニールゴム
280   簀子留め金属ピン
281   風呂底の複数針穴付き板
282   簀子留めポール穴
283   革シート留め
284   高出力棒状レールモーターホイスト
285   クリスタル硝子ダイヤパネル
286   軽量陶器ビニール
287   プラスチック
288   木製
289   中クリスタルダイヤ硝子板入りプラスチックグラスファイバー製
290   未来の別の美瑛街のクリスタル硝子ダイヤビルのベッド
291   補助ワイヤ装置
292   高出力レールモーターホイストベット用
293   簾スダレ型壁パネル
294   天上格納型寝台→床格納型寝台
295   物入れ
296   木材薄パネル入りのグラスファイバーベッド
297   頭留め三重空気袋帯
298   再生合板寝台
299   未来の別の美瑛街の医療機関が使用する装置
300   アルミニウム錫合金とステンレス板の列並び板筒の爪留め腕バンド
301   軽水素トリチウム電子ガス入り圧電素子磁石体粒子内蔵マグネシウムシリコンマイナス極
302   軽水素トリチウム電子ガス入り圧電素子磁石体粒子内蔵マグネシウムシリコンプラス極
303   腕バンド穴
304   ステンレス爪留め永久磁石体
305   無線波送信クリスタルパネル装置
306   軽量絶縁体
307   軽水素トリチウム電子ガス入り圧電素子磁石体粒子内蔵シリコン光熱吸収発電糸布発電シート
308   低感度マイクプラスチックシート
309   銅コイル
310   軽水素トリチウム電子入り圧電素子磁石体粒子貼り付け配線→銅シートテープ貼り付け配線
311   木材灰入りビニールプラスチックマイナス極絶縁シート
312   木材灰入りプラスチックシートの圧電素子磁石体粒子ライン磁気体の多層重ねカード体
313   診察券データー圧電素子磁気データー超薄木材灰入りプラスチックカバー圧電素子磁気多層パネル付き腕バンド
314   木材灰入りプラスチック絶縁体シートパネル
315   透明プラスチックビニールサンダル靴
316   取り付け取り換え用ゴムバンド
317   ゴムバンド引っ掛け凹凸部分
318   ビニールシリコン部分
319   放射線飛散防止の脱がずにX線CTスキャンが映せる透明プラスチックビニールサンダル靴
320   未来の別の美瑛街の医療機関が使用するスチーム風呂
321   温水冷水スチームシャワー移動装置
322   椅子
323   細胞活性化装置
324   冷水温水配管
325   空気調整チューブ
326   人の頭位置
327   冷風温風温水冷水吹き出し複数口
328   調整エアーチューブ温水冷水石鹸水噴射口
329   サモーカメラ
330   温水冷水噴射装置
331   血圧脈拍計
332   スチームシャワー装置扉
333   ONOFレバー室内スイッチ
334   スチームシャワー装置椅子脚
335   未来の別の美瑛街の医療機関が使用するトイレの検尿検便装置
336   トイレ殺菌温水複数噴射口
337   トイレ検尿装置
338   トイレサモー人動物感知カメラ
339   トイレ検尿モーターカップ
340   トイレ高さ調整装置
341   トイレ高出力モーター電動仕切り弁装置
342   トイレ赤外線パネルセンサー
343   トイレ強制吸引装置→高出力モーター電動仕切り弁ドア口まで
344   未来の別の美瑛街の医療機関の手洗い嗽励行室システム
345   鏡
346   スピーカーマイク
347   画像パネル→体温表示
348   温水冷水スイッチ
349   ジャバラ屈折蛇口
350   人感知式電動仕切り弁排水口
351   固定ボルト穴
352   ステンレス材被し製品
353   再生合成木材
354   赤外線センサースイッチ
355   軽量陶器
356   人感知式電動仕切り弁排水管
357   取り外し型排水口
358   斜行式蛇口
359   未来の別の美瑛街の医療機関のサモーカメラ付診察カード音声対応装置
360   集音マイク
361   サモー人の形状認識カメラ
362   マスク取り出し口
363   手相確認装置
364   近距離無線アンテナ
365   人の表皮形状認識電子カメラ
366   集音スピーカー
367   カード出入り口
368   レントゲン放射線飛散防止パネル付き持ち物検査カメラ
369   ゴミ入れ口
370   強制吸引バキューム清掃装置
371   臭いアンモニア感知センサー
372   未来の別の美瑛街の医療機関の使用擦る装置と病院の着衣交換の姿
373   蒸気の16色カラー光ラインカーテン
374   スクリューエアーカーテンエアー排出スクリュー口
375   着替え衣類取り出し口
376   着衣衣服投入口
377   消毒アルコール水モーター回転ノズル式噴射口
378   着衣衣服投入開閉口
379   着衣衣服投入開閉口
380   高出力モーター電動仕切り弁
381   高出力レールモーター→殺菌衣類→専用靴→殺菌スプレー→殺菌ガード帯
382   未来の別の美瑛街の医療機関の使用するトイレ
383   アルコール注入口
384   アルコールエアー排出口
385   強制吸引装置
386   ライト電子カメラ検査→検便検尿検査全自動カメラ映像データー送信装置
387   排水口
388   温水排水口
389   高出力楕円形レールモーター
390   トイレ清掃カバー
391   高出力レールモーター
392   高出力レールモーターホイスト
393   トイレ清掃移動装置支柱
394   データー送受信用アンテナ
395   全自動検尿検便装置
396   未来の別の美瑛街の医療機関が使用する冷却膝掻け
397   高出力自動充電池
398   空気取り入れ口
399   冷風送風装置
400   金属ピン
401   フアン羽
402   金属ピン刺しリング
403   複数穴空き固形フロン
404   複数穴空き木材灰入りプラスチックビニール官
405   冷却送風取り入れ官
406   送冷風官
407   高出力レールモーター
408   切波革
409   薄革
410   デザインリング
411   裏地綿布
412   未来の別の美瑛街の医療機関が使用する冷却装置バンド
413   バンド留めナット→ヨの字スプリングバンド留めナット
414   バンド留めヨの字ボルト→ヨの字バンド固定爪ピン根元ボルト
415   複数穴空き固形フロン
416   冷却装置用高出力自動充電池
417   高出力レールモーター
418   送冷風官
419   軽量ナイロン複数薄革貼り付け縫い込みバンド
420   風切フアン羽
421   4つ穴ピンバンド
422   未来の別の美瑛街の医療機関が使用する酸素空気吸入器
423   木材灰入りプラスチックビニール送風官
424   鼻差し込み配管装置
425   殺菌酸素空気配管
426   高出力自動充電池付洗浄空気送風装置
427   外気エアー取り込み装置
428   殺菌フィルター→トリクロカルバン入り塩化木材灰入り軽量プラスチックフィルター網
429   高出力自動充電池
430   空気配管
431   フアン羽
432   空気取り入れ口
433   出し入れセット型多層フィルター
434   高出力レールモーター
435   首バンド→軽量ナイロン合成綿布
436   軽量プラスチック筒装置
437   未来の美瑛街の医療機関が使用する熱治療装置
438   ニクロム電熱線→磁石付ニクロム線等有り
439   時間設定間隔送電遮断スイッチ
440   ゴムシートにビニールゴム糸と羊毛糸を被せた伸び部分→波軽量プラスチック糸にゴムビニール羊毛糸を被せた伸びる糸を使用した布
441   高出力自動充電池
442   エアーゴム帯→高出力自動充電池接着材貼り付け型
443   二本革紐
444   ビニールパネルに羊毛糸に亜麻糸と綿糸を合成した合成した布を被せた腰バンド
445   バンド底裏はステンレスパネル磁石板
446   突起部分→電熱部分→胴巻き等を付けた上に付ける電熱バンド
447   弱帯電コイル
448   銅アルミニウム筒管
449   酸化鉄硝子混合粒子
450   革筒装置→細ワイヤ網入り被せ革
451   貼り付けステンレスパネル磁石板
452   革紐
453   細ワイヤ網入り革リング
454   未来の別の美瑛街の医療機関が使用する装置とリハビリ装置
455   リハビリ筋力回復装置チエーン
456   軽量グラスファイバービニール三重リング重ね軽量グラスファイバーナット
457   長方形塩化プラスチック内蔵塩化グラスプラスチックファイバーパイプハンドル→塩化グラスプラスチックファイバーは通常グラスファイバーに塩化木材灰入りプラスチックを混合合成した固めの曲がらないグラスファイバーに成る
458   種類別重り→50グラム→100グラム→200グラム→300グラム400グラム→500グラム等のリハビリテイション装置の種類別重り
459   重量と形状別重り→十字形→正方形→正三角形→楕円形→六角形→多重花形円形
460   椅子→多層エアーチューブ
461   未来の別の美瑛街の医療機関が使用する洗える運動医療マット
462   通常のマットの半割り重ね
463   角を下げる構造
464   マット
465   綿入り軽量プラスチックスプリング糸入りアルニウムシート
466   綿入りプラスチックスプリング系ナイロンゴム保護シート体
467   紐留め装置
468   ナット部分
469   ボルト部分
470   2013年7月20日付けの北海道庁北海道知事への著作権物図面の送付証拠図
471   未来の別の美瑛街の医療機関が使用するX線放射線飛散防止パネル内蔵CTスキャンカメラ 
472   背面X線放射線飛散防止パネル内蔵CTスキャン上下移動放射線内蔵パネルカメラ
473   天上頭上X線放射線飛散防止パネル内蔵CTスキャン前後移動放射線内蔵パネルカメラ
474   側面X線放射線飛散防止パネル内蔵CTスキャン上下移動放射線内蔵パネルカメラ
475   前後移動サモー放射線飛散防止パネル内蔵パネルカメラ及びMRI及びPET装置
476   全面X線放射線飛散防止パネル内蔵CTスキャン上下移動放射線内蔵パネルカメラ
477   移動式高出力レールモーター足場
478   クリスタル硝子ダイヤカメラ撮影床
479   クリスタル硝子ダイヤ持ち手装置
480   未来の別の美瑛街の医療機関が使用するX線パネル装置
481   クリスタル硝子ダイヤパネル
482   シリコン溶液の中にX線を溜める→透明プラスチック溶液の中にX線を溜める
483   X線写真一回分のX線をシリコン溶液内に蓄積してクリスタル硝子ダイヤ板カバーを掛けて蓋をする
484   未来の別の美瑛街の医療機関が使用する装置と病院の一階部の内容
485   アンテナカメラ付きエレベーター→W制御レールモーター付きエレベーター
486   エアーカーテンドア
487   クリスタル硝子ダイヤドア
488   重量パネルセンサー
489   サモーカメラ付診察カード入り口音声対応室
490   腕バンド診察券認識エレベーター
491   殺菌洗浄衣類返却場所
492   皮膚メンテナンス検査
493   カードチエック返却室
494   動く歩道
495   鋼鉄柱
496   表皮膚の汗成分検査の為の運動リハビリルーム検査室
497   スチームシャワー及び中温スチームシャワー及び冷温スチームシャワー
498   衣類交換装置
499   手洗い嗽励行室
500   第二エアースクリュー防護カーテン
501   第三エアースクリュー防護カーテン
502   第四エアースクリュー防護カーテン
503   排便排尿全自動ウイルス及び糖及びタンパク及び赤血球金属残量成分検査
504   ブラックカラー光複数カラー光スクリューエアー視覚バリアカーテン
505   中央エレベーター
506   女子トイレ
507   男子トイレ
508   血液DNA検査室
509   血液アレルギー検査室
510   2013年7月21日美馬牛郵便局から手紙を出す
511   未来の別の美瑛街だけの銀行システムのクリスタル硝子ダイヤライト電子カメラの手相全自動確認装置
512   赤外線カメラスイッチドア
513   エアーカーテン第二カメラスイッチ
514   プラスチック紙通帳出し入れ口
515   札束取り出し口
516   硬貨出し入れ口
517   広告画像パネル
518   通帳内カード内紹介パネル
519   曲面画像カードボタン装置
520   地下格納用エレベーター装置
521   望遠ライト電子手相全自動人確認カメラ
522   未来の別の美瑛街の丘の内部構造の断面図と入口部分
523   電動仕切り弁ドアのクリスタル硝子ダイヤドア
524   高出力モーター
525   手動開閉ハンドル
526   砂岩
527   火山灰
528   表土
529   未来の別の美瑛街の美瑛街丘の地下から出て来る砂岩の利用の有り方
530   鉄アルミニウム鉛合金砂岩ブロック押さえ金属板部分
531   鉄筋穴
532   平面説明図
533   十字突起鉄筋
534   正面図
535   鉄筋
536   未来の別の美瑛街の砂岩切り全自動モーター石切り装置
537   X線サモー放射線飛散防止パネルカメラ
538   高出力モーターワイパー
539   高出力発光LEDライト
540   プラスチック硝子ダイヤパネル全面カバー
541   電気制御室
542   高出力水発電機
543   カラーライト上部面ライン位置確認カメラ装置
544   カラーライト後部面ライン位置確認カメラ装置
545   カラーライト前面ライン位置確認カメラ装置
546   カラーライト側面ライン位置確認カメラ装置
547   リモコン全自動アンテナ
548   高出力レールモーターホイスト
549   高出力モーター脚
550   側面図
551   高出力モーター
552   石切り刃
553   岩場滑り止め突起金属ゴム
554   刃カバー
555   平面図→高出力モーター楔バイブレーター装置
556   2013年7月23日(火)夕方5時以降の著作物作品を入れた封筒
557   未来の別の美瑛街のスクリュー防護エアーカーテン
558   スクリューエアーコンプレッサー大気熱及び風雨雪防護バリアスクリューエアーカーテン
559   通常は屋根の雪下ろしを考慮して屋根勾配を急勾配にする手法
560   一軒家→家
561   スクリューエアーカーテン→別名スクリュー防護エアーカーテン→シールドスクリューエアーカーテン
562   道路帯
563   未来の別の美瑛街の大型穴空きレンガ
564   平面説明図
565   大型穴空きレンガ→敷レンガ→砕石床→砂床→複数穴空きビニールゴムシート床→大型穴空きレンガ設置
566   大型穴空きレンガ用取り出しカギ¬フック
567   大型穴空きレンガの中入れレンガ
568   大型穴空きレンガの中入れレンガの取り出し金属フック穴
569   塩化プラスチック穴空きレンガ蓋
570   花壇用土
571   砕石部分
572   大型穴空きレンガ構造
573   未来の別の美瑛街の飲料地下貯水池
574   地下貯水池の平面透視図
575   川の増水防護用
576   沈殿槽
577   取り込み官厚さ5センチメートルの塩化プラスチックコンクリートカバー二重管
578   高出力真空装置水気化放出装置
579   砂岩
580   砂岩切抜き貯水池
581   未来の別の美瑛街の地下の魚の養殖所→海の魚の養殖地下池槽の平面透視図
582   殺菌用温水取り入れ官
583   魚の養殖槽1
584   魚の養殖槽2
585   魚の養殖槽3
586   魚の養殖槽4
587   魚の養殖槽5
588   魚の養殖槽6
589   魚の養殖槽7
590   魚の養殖槽8
591   高出力モーター電動仕切り弁1
592   高出力モーター電動仕切り弁2
593   高出力モーター電動仕切り弁3
594   餌やり場
595   魚の養殖槽の掃除水の排水官
596   海藻槽
597   Oッゥ酸素送り官
598   育貝室
599   塩分濃度検査室
600   未来の別の美瑛街の地下の貝の養殖所
601   海の貝の養殖地下池槽の平面透視図
602   発光真珠貝
603   貝の養殖槽1
604   貝の養殖槽2
605   貝の養殖槽3
606   貝の養殖槽4
607   貝の養殖槽5
608   貝の養殖槽6
609   貝の養殖槽7
610   貝の養殖槽8
611   貝の高出力モーター電動仕切り弁1
612   貝の高出力モーター電動仕切り弁2
613   貝の高出力モーター電動仕切り弁3
614   貝の餌やり場所
615   貝の養殖槽の掃除水の排水官
616   貝の殺菌用温水取り入れ官
617   貝の海藻槽
618   貝のOッゥ酸素送り官
619   未来の別の美瑛街の雑貨屋釣り具で売られる釣竿
620   木材灰入り塩化プラスチック釣竿
621   指掛け竿持ち装置
622   連結歯車手持回転式リール
623   釣り糸竿内入れ方式誘導体
624   カギ針
625   未来の別の美瑛街の電気自動車
626   左右移動ハンドル
627   前輪モータータイヤ
628   四層衝撃吸収ゴム→固いプラスチックゴム→柔らかいシリコンゴム→固いプラスチックビニールゴム→柔らかいシリコンビニールゴム
629   後輪モータータイヤ
630   左右移動スピードメーター
631   座席
632   前部半分横開きトランク荷台
633   高出力水発電機等
634   後部半分横開きトランクと後ろ開きトランク荷台
635   中開天上ドア
636   上下左右前後カメラ付画像パネル積載バックミラー
637   前硝子段数溝入れ方反射板入り自動車硝子
638   2重金属ニクロム電熱線入り硝子
639   前半割りトランク開閉装置
640   前半割りトランクの蝶番
641   円形リング高出力発光LEDライトウインカー
642   人物体動物形状認識Wカメラ→人と動物認識のサモーカメラと自転車バイク自動車の形状認識のX線カメラ
643   前ライト
644   衝撃吸収用スプリングホイストバンパ
645   後方文字パネルブレーキ
646   後方三輪パネルブレーキ
647   後方硝子二重テングステンニクロム金属電熱線
648   後方左トランクドア
649   後方右トランクドア
650   後方立体パネルウインカー
651   後方高出力発光LEDライト
652   後方カメラ
653   後方衝撃吸収用スプリングホイストバンパ
654   前輪タイヤ
655   下へ下がる半ドア
656   サスペイション調整タイヤ
657   後輪タイヤ
658   後部ドア
659   後方後部円形三輪リング高出力発光LEDライトウインカー
660   電気自動車の前面図
661   電気自動車の背面図
662   電気自動車の側面図
663   電気自動車の平面図
664   未来の別の美瑛街の有る場所のリニアーモーターカー
665   クリスタル硝子ダイヤ板窓
666   リニアーモーターカー
667   スクリューエアーバリアカーテン付きの高出力モーター出入り口→乗車口
668   高出力電磁石
669   未来の別の美瑛街の有る場所から地下都市へ向かう為の高出力電気列車
670   高出力発光LEDライト
671   室内排気官
672   発電室
673   アルミニウム板
674   鉄輪部分
675   高出力低速走行用レールモーター
676   運転室
677   ニヤンワンマーク
678   アルミニウム金属梯子
679   スクリューエアーラッパ段数高出力スピーカー
680   除雪金属板
681   空気取り込み口
682   木製パネル部分
683   発砲断熱材部分
684   夢未来都市機番
685   未来の別の美瑛街のエアー補助自転車
686   高出力電磁誘導発電装置
687   高出力レールモーター固定側
688   送風スクリュー官
689   スクリュー風回転動力装置
690   スクリュー風回転動力装置ボルト
691   スクリュー風回転動力装置ナット
692   高出力レールモーター回転側
693   チエーン
694   後輪タイヤ
695   プラス貯蓄充電池体
696   マイナス貯蓄充電池体
697   前輪電磁誘導発電装置部分
698   後輪電磁誘導発電装置部分
699   高出力電磁誘導発電足踏み自転車装置部分
700   未来の別の美瑛街のエアー補助自転車の蓄電池
701   木材灰入り塩化プラスチック絶縁体
702   鉄層
703   軽水素トリチウム電子ガス入り圧電素子磁石体粒子入り液体マグネシウム内蔵シリコン充電池素子体プラス貯蓄電池体
704   軽水素トリチウム電子ガス入り圧電素子磁石体粒子入り液体マグネシウム内蔵シリコン充電池素子体マイナス貯蓄電池体
705   未来の別の美瑛街の水耕野菜販売装置
706   循環冷却水濾過装置
707   食用アルコール水超弱アルコール水耕栽培
708   循環濾過冷却水の落し水口
709   水耕多種ポット列欄
710   未来の別の美瑛街の文房具店で売られているノート
711   プラスチックノートカバー
712   ホワイトプラスチック再生紙
713   紐通しプラスチック部分
714   布入りプラスチック部分
715   結び紐
716   未来の別の美瑛街だけの新聞屋のパンフレット広報文字画像ライン重ね放送システム
717   アンテナ装置
718   アルゴンガス軽水素入りプラスチックビニール内蔵画像パネル
719   テレビ台
720   新美瑛街の新聞屋の文字情報送受信装置
721   未来の別の美瑛街だけの生鮮魚陳列棚システム
722   生鮮魚外気遮断スクリューエアーカーテン発射装置
723   超小型高出力コンプレッサー
724   固形フロン冷蔵庫
725   高出力発光LEDライト
726   循環冷却水
727   光反射低温光連絡装置
728   未来の別の美瑛街の理髪店の待ち時間に受ける事の出来るサービス
729   頭皮陽電子陰電子人細胞電気抵抗の無い電気使用の電気分解の細胞活性化装置
730   放射線飛散防止パネル内蔵サモーレントゲンカメラ
731   棒状高出力レールモーター
732   未来の別の美瑛街だけの花入れポット
733   透明プラスチック部分
734   指掛け部分
735   カラープラスチック部分
736   未来の別の美瑛街の衣料服店
737   クリスタル硝子ダイヤ板仮装壁装置
738   カラーライトライン位置ライン放射装置
739   放射線パネル内蔵レントゲンサモーWカメラ
740   全自動高出力CCDカラーライトライン位置確認人形状全自動データー撮影装置
741   未来の別の美瑛街の著作権契約の楽器レコードCDカードMD店
742   多層式圧電素子磁気内蔵両面CD
743   多層式圧電素子磁気カード部分
744   カードデーター書き込み読み込み部分
745   両面CD
746   CD読み取り書き込み部分
747   カードデーター書き込み読み込み部分
748   未来の別の美瑛街の本屋
749   カラー点滅兼本読みライト
750   点滅ライト部分
751   下向きライト部分
752   高出力発光LEDライト
753   反射板
754   2013年7月13日(土)北海道知事宛へ図面部分一部を送付した証拠図
755   2013年7月15日美馬牛郵便局から図面を出した証拠図
756   2013年7月15日美馬牛郵便局から図面を出した証拠図
757   2013年7月13日美馬牛郵便局から図面を出した証拠図
758   2013年7月美馬牛郵便局から図面を出した証拠図
759   2013年7月21日美馬牛郵便局から北海道知事宛へ図面を出した証拠図
760   土台柱
761   留め金具
762   角取クリスタルダイヤ硝子芯入り合成木材
763   ドリルネジ取り付け用鉄板
764   免震装置受け填め込み台
765   ボルトナットネジ
766   低温陶器
767   鉄筋
768   合板
769   クリスタルダイヤ硝子柱
770   合成竹材入り合板
771   乾燥竹材乾燥雑草入り合板
772   グラスフアィバーカバー金属固定装置
773   合成木材
774   合成木材板
775   合成木材柱
776   金具留め
777   屋根風返し装置
778   屋根
779   風よけグラスフアィバーバリアフード
780   屋根端差し込み部分
781   金属金具
782   別屋根板
783   屋根板留め流し合成柱
784   液体プラスチック硝子
785   屋根板
786   金具
787   モーター鑿バイブレーター装置
788   左右伸縮装置
789   高出力棒状レールモーター
790   縦横穴空き六角柱鋼鉄鋼板鉄筋
791   プラスチックビニールゴム砂岩滑落防止体
792   球面屋根
793   木枠丸窓
794   木枠六角窓
795   固定型伸縮モーター非常用梯子
796   スクリューエアーバリアカーテン
797   玄関戸
798   2階建て中折れ6本ステアリング道路全自動位置補助電気バス
799   高出力2段モーターワイパー
800   ボルトナット留め5分の1カットクリスタル全面硝子
801   スクリューエアー外気遮断装置
802   固形窒素入り熱遮断塗料
803   緊急スクリューエアーブレーキ
804   多層式衝撃吸収4種類ゴム
805   円形高出力レールモーター窓
806   金属鉄筋入り竹灰入り蝶番プラスチック硝子
807   平行四辺形高出力モータードア
808   後部カットクリスタル硝子
809   高出力全自動位置認識補助レールモーターステアリング
810   中折れ補助ステアリング高出力レールモーター
811   運転席
812   階段
813   真空トイレ
814   後輪引きずりタイヤ
815   高出力水素水永久発電機
816   鋼鉄鋼3.5センチバス底ステアリング板
817   ステアリングモーター移動カバー
818   金属鉄筋入り竹灰入りプラスチック硝子蝶番ピン止め装置
819   高出力モーター太芯固定ボルト
820   サイド歩道高出力発光LEDライト
821   放射線飛散防止パネル付きサモーレントゲン人及び動物全自動被写体形状認識Wカメラ
822   高出力発光LEDライト
823   リレーウインカー
824   小灯ウインカー
825   上下左右前後ライトカメラ付画像パネルバックミラー
826   カラーライトラインカメラ位置全自動認識カメラ
827   後部高出力発光LEDライト
828   左ウインカーブレーキ
829   右側ウインカーブレーキ
830   タイヤ
831   青春アタッカーモーター開閉ゲート
832   回転車
833   再復活アタッカーモーター開閉ゲート
834   三角関係アタッカーゲート
835   恋人を選択するアタック口
836   漁業国アタックゲート固定口
837   農業国入口ゲート
838   再アタックハート
839   別世界
840   海外研修旅行
841   再婚アタッカー抽選口
842   マネージャー店員呼び出し口
843   玉送り出し口
844   賞球画像チップランプ
845   画像パネル
846   ハテナ音声予知スピーカー
847   音声記憶ボタン組み立て音声マイク
848   タッチ高出力レールモータースイッチハンドル
849   玉受け皿
850   通常硝子プラスチック防半2枚硝子
851   手置き場所
852   鉛鉄アルミニウム合金釘
853   送受信アンテナ
854   荷物置き棚
855   医療データー入力式カード
856   パチンコカード
857   医療データー入力多層カード
858   ジュースカップ入れ口
859   ボルト留め
860   椅子
861   パチンコデーターパネル
862   医療データー変化表示パネル
863   ネジ込み部分
864   2層絶縁体
865   鉛アルミニウム鉄合金→シルバーに近い
866   銅鉄アルミニウム合金→金色に近い
867   ナット山
868   プラスチックライト窓
869   鉛留め
870   充電池針穴
871   高出力発光LEDライト
872   ネジ山
873   プラスッチック硝子
874   竹灰入りビニールゴム
875   ネジ込み部分
876   ビニールゴムリング
877   プラスチックゴム
878   タッチスイッチ高出力レールモーター
879   上り玉受け皿
880   落とし玉高出力圧電素子磁石体打撃発電装置
881   払い出し玉全自動計測高出力電磁石板仕切り装置第1ゲート
882   払い出し玉全自動計測高出力電磁石板仕切り装置第2ゲート
883   未来の別の美瑛街の医療機関のリハビリ装置
884   未来の別の美瑛街の砂岩切り全自動高出力モーター石折装置
885   永久発電機→高出力水素水の発電機→高出力水素水発電機
886   2連結以上高出力モーター
887   細ワイヤ網入りプラスチックゴムキヤタビラ足
888   高出力モーター軸
889   2連結以上モーター
890   往復反転型モーター震動装置
891   アルミニウム板プラスチック板多層重ねパネル
892   鑿先
893   プラス充電池
894   マイナス充電池
895   絶縁体クッションシート
896   マイナス接触体
897   プラス接触体
898   4機2連結以上高出力モーター
899   高出力カメラ
900   玄関戸
【図１】
2013234571.tif 000003
【図２】
2013234571.tif 000004
【図３】
2013234571.tif 000005
【図４】
2013234571.tif 000006
【図５】
2013234571.tif 000007
【図６】
2013234571.tif 000008
【図７】
2013234571.tif 000009
【図８】
2013234571.tif 000010
【図９】
2013234571.tif 000011
【図１０】
2013234571.tif 000012
【図１１】
2013234571.tif 000013
【図１２】
2013234571.tif 000014
【図１３】
2013234571.tif 000015
【図１４】
2013234571.tif 000016
【図１５】
2013234571.tif 000017
【図１６】
2013234571.tif 000018
【図１７】
2013234571.tif 000019
【図１８】
2013234571.tif 000020
【図１９】
2013234571.tif 000021
【図２０】
2013234571.tif 000022
【図２１】
2013234571.tif 000023
【図２２】
2013234571.tif 000024
【図２３】
2013234571.tif 000025
【図２４】
2013234571.tif 000026
【図２５】
2013234571.tif 000027
【図２６】
2013234571.tif 000028
【図２７】
2013234571.tif 000029
【図２８】
2013234571.tif 000030
【図２９】
2013234571.tif 000031
【図３０】
2013234571.tif 000032
【図３１】
2013234571.tif 000033
【図３２】
2013234571.tif 000034
【図３３】
2013234571.tif 000035
【図３４】
2013234571.tif 000036
【図３５】
2013234571.tif 000037
【図３６】
2013234571.tif 000038
【図３７】
2013234571.tif 000039
【図３８】
2013234571.tif 000040
【図３９】
2013234571.tif 000041
【図４０】
2013234571.tif 000042
【図４１】
2013234571.tif 000043
【図４２】
2013234571.tif 000044
【図４３】
2013234571.tif 000045
【図４４】
2013234571.tif 000046
【図４５】
2013234571.tif 000047
【図４６】
2013234571.tif 000048
【図４７】
2013234571.tif 000049
【図４８】
2013234571.tif 000050
【図４９】
2013234571.tif 000051
【図５０】
2013234571.tif 000052
【図５１】
2013234571.tif 000053
【図５２】
2013234571.tif 000054
【図５３】
2013234571.tif 000055
【図５４】
2013234571.tif 000056
【図５５】
2013234571.tif 000057
【図５６】
2013234571.tif 000058
【図５７】
2013234571.tif 000059
【図５８】
2013234571.tif 000060
【図５９】
2013234571.tif 000061
【図６０】
2013234571.tif 000062
【図６１】
2013234571.tif 000063
【図６２】
2013234571.tif 000064
【図６３】
2013234571.tif 000065
【図６４】
2013234571.tif 000066
【図６５】
2013234571.tif 000067
【図６６】
2013234571.tif 000068
【図６７】
2013234571.tif 000069
【図６８】
2013234571.tif 000070
【図６９】
2013234571.tif 000071
【図７０】
2013234571.tif 000072
【図７１】
2013234571.tif 000073
【図７２】
2013234571.tif 000074
【図７３】
2013234571.tif 000075
【図７４】
2013234571.tif 000076
【図７５】
2013234571.tif 000077
【図７６】
2013234571.tif 000078
【図７７】
2013234571.tif 000079
【図７８】
2013234571.tif 000080
【図７９】
2013234571.tif 000081
【図８０】
2013234571.tif 000082
【図８１】
2013234571.tif 000083
【図８２】
2013234571.tif 000084
【図８３】
2013234571.tif 000085
【図８４】
2013234571.tif 000086
【図８５】
2013234571.tif 000087
【図８６】
2013234571.tif 000088
【図８７】
2013234571.tif 000089
【図８８】
2013234571.tif 000090
【図８９】
2013234571.tif 000091
【図９０】
2013234571.tif 000092
【図９１】
2013234571.tif 000093
【図９２】
2013234571.tif 000094
【図９３】
2013234571.tif 000095
【図９４】
2013234571.tif 000096
【図９５】
2013234571.tif 000097
【図９６】
2013234571.tif 000098
【図９７】
2013234571.tif 000099
【図９８】
2013234571.tif 000100
【図９９】
2013234571.tif 000101
【図１００】
2013234571.tif 000102
【図１０１】
2013234571.tif 000103
【図１０２】
2013234571.tif 000104
【図１０３】
2013234571.tif 000105
【図１０４】
2013234571.tif 000106
【図１０５】
2013234571.tif 000107
【図１０６】
2013234571.tif 000108
【図１０７】
2013234571.tif 000109
【図１０８】
2013234571.tif 000110
【図１０９】
2013234571.tif 000111
【図１１０】
2013234571.tif 000112
【図１１１】
2013234571.tif 000113
【図１１２】
2013234571.tif 000114
【図１１３】
2013234571.tif 000115
【図１１４】
2013234571.tif 000116
【図１１５】
2013234571.tif 000117
【図１１６】
2013234571.tif 000118
【図１１７】
2013234571.tif 000119
【図１１８】
2013234571.tif 000120
【図１１９】
2013234571.tif 000121
【図１２０】
2013234571.tif 000122
【図１２１】
2013234571.tif 000123
【図１２２】
2013234571.tif 000124
【図１２３】
2013234571.tif 000125
【図１２４】
2013234571.tif 000126
【図１２５】
2013234571.tif 000127
【図１２６】
2013234571.tif 000128
【図１２７】
2013234571.tif 000129
【図１２８】
2013234571.tif 000130
【図１２９】
2013234571.tif 000131
【図１３０】
2013234571.tif 000132
【図１３１】
2013234571.tif 000133
【図１３２】
2013234571.tif 000134
【図１３３】
2013234571.tif 000135
【図１３４】
2013234571.tif 000136
【図１３５】
2013234571.tif 000137
【図１３６】
2013234571.tif 000138
【図１３７】
2013234571.tif 000139
【図１３８】
2013234571.tif 000140
【図１３９】
2013234571.tif 000141
【図１４０】
2013234571.tif 000142
【図１４１】
2013234571.tif 000143
【図１４２】
2013234571.tif 000144
【図１４３】
2013234571.tif 000145
【図１４４】
2013234571.tif 000146
【図１４５】
2013234571.tif 000147
【図１４６】
2013234571.tif 000148
【図１４７】
2013234571.tif 000149
【図１４８】
2013234571.tif 000150
【図１４９】
2013234571.tif 000151
【図１５０】
2013234571.tif 000152
【図１５１】
2013234571.tif 000153
【図１５２】
2013234571.tif 000154
【図１５３】
2013234571.tif 000155
【図１５４】
2013234571.tif 000156
【図１５５】
2013234571.tif 000157
【図１５６】
2013234571.tif 000158
【図１５７】
2013234571.tif 000159
【図１５８】
2013234571.tif 000160
【図１５９】
2013234571.tif 000161
【図１６０】
2013234571.tif 000162
【図１６１】
2013234571.tif 000163
【図１６２】
2013234571.tif 000164
【図１６３】
2013234571.tif 000165
【図１６４】
2013234571.tif 000166
【図１６５】
2013234571.tif 000167
【図１６６】
2013234571.tif 000168
【図１６７】
2013234571.tif 000169
【図１６８】
2013234571.tif 000170
【図１６９】
2013234571.tif 000171
【図１７０】
2013234571.tif 000172
【図１７１】
2013234571.tif 000173
【図１７２】
2013234571.tif 000174
【図１７３】
2013234571.tif 000175
【図１７４】
2013234571.tif 000176
【図１７５】
2013234571.tif 000177
【図１７６】
2013234571.tif 000178
【図１７７】
2013234571.tif 000179
【図１７８】
2013234571.tif 000180
【図１７９】
2013234571.tif 000181
【図１８０】
2013234571.tif 000182
【図１８１】
2013234571.tif 000183
【図１８２】
2013234571.tif 000184
【図１８３】
2013234571.tif 000185
【図１８４】
2013234571.tif 000186
【図１８５】
2013234571.tif 000187
【図１８６】
2013234571.tif 000188
【図１８７】
2013234571.tif 000189
【図１８８】
2013234571.tif 000190
【図１８９】
2013234571.tif 000191
【図１９０】
2013234571.tif 000192
【図１９１】
2013234571.tif 000193
【図１９２】
2013234571.tif 000194
【図１９３】
2013234571.tif 000195
【図１９４】
2013234571.tif 000196
【図１９５】
2013234571.tif 000197
【図１９６】
2013234571.tif 000198
【図１９７】
2013234571.tif 000199
【図１９８】
2013234571.tif 000200